(57)【要約】薬剤送達装置及び薬剤送達方法。本装置は、デバイスの遠位端から薬剤の目標量を送達する送達デバイスを含み得、本方法は、それを伴い得る。デバイスは、遠位端から薬剤を放出するプランジャを移動させるためのロッドを含み得る。デバイスは、放出中のプランジャの変形を回避または低減し得る。プランジャの動きは、ロッドと相互作用する戻り止めによって停止され得る。本装置及び本方法は、動作の段階の進展の指示を操作者に提供し得る。本デバイスは、プライミングを含む送達前段階等のデバイスからの薬剤変位の段階に対応するトリガを特色とし得る。【選択図】図９７
2018501852.tif 000002
【特許請求の範囲】
【請求項１】
長手方向軸を画定し、かつ遠位端を有する薬剤送達デバイスであって、前記デバイスが、
前記軸と同軸上に配設され、かつ可撓性パネル及び突出部を支持するカラーと、
前記カラー内に同軸上にトリガを支持する行路を有する近位ノブとネジ切り係合されたプランジャロッドと、を備え、
前記パネルが、
前記トリガとの相互作用に応じて、前記軸に対して偏向して動くように構成されており、
前記軸を中心とした前記ノブの回転中に、前記行路に摺動係合して、前記ノブを長手方向に保持し、
前記突出部が、前記回転中に前記ロッドの長手方向に延在する構造に摺動係合して、前記ロッドを回転保持し、前記回転が、前記ロッドを駆動して前記遠位端に向かわせる、前記デバイス。
【請求項２】
前記行路が、環状路及び長手方向路を含み、前記環状路が、前記長手方向路と交差し、前記パネルが、
前記回転中に、前記環状路に摺動係合し、
前記ノブの長手方向平行移動中に、前記長手方向路に摺動係合し、
前記長手方向路が、前記平行移動中に前記ノブを回転保持し、前記交差から長手方向程度で薬剤の目標量に対応し、
前記平行移動が、前記パネルと前記長手方向路の近位末端表面との間の干渉によって限界決定され、
前記干渉が、
前記ノブに対する前記パネルの動きを、前記末端表面から離れて、かつ前記軸に平行に方向付けられた動きに制限し、
前記遠位端からの薬剤の前進を終了させる、請求項１に記載のデバイス。
【請求項３】
前記カラーが、前記ノブと同軸上に薬剤容器を保持するように構成されたブラケットをさらに支持し、
前記容器が、内部側壁のセグメントに沿って均一直径を画定する前記側壁によって拘束された孔を画定し、
前記ロッドの遠位端が、前記容器内のプランジャに隣接し、前記プランジャが、前記側壁と摺動係合され、
前記平行移動前に、前記プランジャが、前記容器の内側遠位端壁と前記プランジャとの間に前記薬剤の送達前量を密封し、
前記平行移動後に、前記セグメントの遠位部分が、前記内側遠位端壁と前記プランジャとの間に収容されたバルク液体残余と接触する、請求項２に記載のデバイス。
【請求項４】
前記残余中の前記薬剤の量が、前記目標量を差し引いた前記送達前量以下である、請求項３に記載のデバイス。
【請求項５】
前記セグメントの前記遠位部分が、前記残余と直接接触する、請求項３に記載のデバイス。
【請求項６】
前記回転が前記送達前量を設定し、前記回転が前記薬剤を送達のために準備する、請求項３に記載のデバイス。
【請求項７】
前記準備が、前記容器内で前記薬剤の成分を混合することを含む、請求項６に記載のデバイス。
【請求項８】
前記プランジャが第１のプランジャであり、前記第１のプランジャの遠位に、第２のプランジャが前記セグメントと摺動係合される、請求項７に記載のデバイス。
【請求項９】
前記混合前に、前記薬剤の液体成分が、前記容器内に前記第１のプランジャと前記第２のプランジャとの間で密封され、
前記混合が、前記容器内での前記第２のプランジャを越えて遠位の前記液体成分の移動を含み、
前記混合後に、前記第１のプランジャの遠位面が、前記第２のプランジャの近位面に隣接する、請求項８に記載のデバイス。
【請求項１０】
前記準備が、前記容器をプライミングすることを含む、請求項６に記載のデバイス。
【請求項１１】
前記プライミングが、前記容器からの空気の遠位放出を含む、請求項１０に記載のデバイス。
【請求項１２】
前記ノブが、デバイス動作の段階の指示を提供する表記をさらに有し、前記カラーが、前記表記の一部分を曝露する窓を画定し、前記一部分が、
前記回転前に、前記デバイス動作の薬剤準備段階を示し、
前記回転後に、前記デバイス動作の薬剤送達段階を示す、請求項２に記載のデバイス。
【請求項１３】
前記一部分が、前記回転中に、前記準備段階の継続を示す、請求項１２に記載のデバイス。
【請求項１４】
前記一部分が、
前記回転後及び前記平行移動前に、前記送達段階の開始を示し、
前記平行移動後に、前記送達段階の完了を示す、請求項１２に記載のデバイス。
【請求項１５】
前記長手方向に延在する構造が、
前記ロッドの近位ネジ山と前記ロッドの遠位端との間に配設された長さに沿って延在し、
前記突出部に干渉して、近位運動から前記ロッドを長手方向に保持するように構成された表面特徴部を支持する、請求項１に記載のデバイス。
【請求項１６】
前記表面特徴部が、前記表面特徴部に対する前記突出部の遠位運動に対する阻止を提供する近位停止表面を有し、
前記停止表面の遠位に、前記表面特徴部が、前記表面特徴部に対する前記突出部の近位運動のための通路を提供する、請求項１５に記載のデバイス。
【請求項１７】
前記突出部が、
半径方向内方に突出し、
前記表面特徴部に対する前記突出部の遠位運動に対する阻止を提供する遠位停止表面を有し、
前記停止表面の近位に、前記突出部が、前記表面特徴部に対する前記突出部の近位運動のための通路を提供する、請求項１５に記載のデバイス。
【請求項１８】
前記長手方向に延在する構造が、
半径方向内方に延在するスロットであり、
前記表面特徴部が、前記軸を横断する平面内で前記スロット内に延在する、請求項１５に記載のデバイス。
【請求項１９】
前記長手方向に延在する構造が、
半径方向外方に延在するレールであり、
前記表面特徴部が、前記軸を横断する平面内で前記レールから延在する、請求項１５に記載のデバイス。
【請求項２０】
前記パネルが、前記カラーによって支持されるボスによって支持され、
前記回転時、
前記ボスが、前記環状路と摺動係合しており、
前記パネルが、前記ボスの全ての他の表面を追跡する、請求項２に記載のデバイス。
【請求項２１】
前記パネルが、前記パネルの任意の他の表面よりも半径方向内方に配設された自由端を含む、請求項２に記載のデバイス。
【請求項２２】
前記回転時、前記自由端が、前記パネルの全ての他の表面を追跡する、請求項２１に記載のデバイス。
【請求項２３】
前記行路の走行表面が前記トリガを支持し、前記パネルが前記トリガを通過すると、前記自由端が前記トリガと相互作用して、前記偏向を生成する、請求項２１に記載のデバイス。
【請求項２４】
前記トリガが、前記回転の反対方向に前記自由端の通過を阻止するように構成された、前記回転の円周方向を横断する平面上に配設された停止表面を有する、請求項２１に記載のデバイス。
【請求項２５】
前記トリガが、突起部であり、
前記相互作用が、前記自由端と前記トリガとの間の干渉であり、
前記回転中、前記パネルが、前記トリガの全ての他の表面を通過した後に前記停止表面を通過する、請求項２４に記載のデバイス。
【請求項２６】
前記トリガが、陥凹部であり、
前記相互作用が、前記陥凹部に対する前記自由端の付勢であり、
前記回転中、前記パネルが、前記トリガの任意の他の表面を通過した後に前記停止表面を通過する、請求項２４に記載のデバイス。
【請求項２７】
前記相互作用が、前記回転の開始時に起こる、請求項２３に記載のデバイス。
【請求項２８】
前記相互作用前に、
前記ボスが、前記回転の方向に前記長手方向路から円周方向に最も遠位にある前記環状路の一部分に隣接して配設され、
前記トリガが、前記行路に沿った前記自由端の動きを制限する、請求項２７に記載のデバイス。
【請求項２９】
前記相互作用が、前記回転の完了時に起こる、請求項２３に記載のデバイス。
【請求項３０】
前記トリガが、
前記環状路と前記長手方向路との接合点で前記環状路上に配設され、
前記相互作用後に、前記回転の反対方向の前記ノブの回転動きを制限する、請求項２９に記載のデバイス。
【請求項３１】
前記相互作用後に、前記パネルが前記長手方向路と円周方向に整列する、請求項３０に記載のデバイス。
【請求項３２】
前記偏向が、前記相互作用の指示を提供する、請求項２３に記載のデバイス。
【請求項３３】
前記指示が触覚的である、請求項３２に記載のデバイス。
【請求項３４】
前記指示が聴覚的である、請求項３２に記載のデバイス。
【請求項３５】
前記回転が、前記長手方向路の横方向表面に対する前記ボスの隣接によって限界決定され、
前記隣接が、前記ボスを前記長手方向路と円周方向に整列させる、請求項２０に記載のデバイス。
【請求項３６】
前記隣接が、デバイス動作の薬剤準備段階の完了の触覚的指示を提供する、請求項３５に記載のデバイス。
【請求項３７】
前記隣接が、デバイス動作の薬剤準備段階の完了の聴覚的指示を提供する、請求項３５に記載のデバイス。
【請求項３８】
前記干渉が、デバイス動作の薬剤送達段階の完了の指示を提供する、請求項２に記載のデバイス。
【請求項３９】
薬剤送達デバイスの遠位端から薬剤の目標量を送達するための前記薬剤送達デバイスであって、前記デバイスが、長手方向軸を画定し、
前記軸と同軸上に配設され、かつボス及び突出部を有するカラーと、
前記カラー内に同軸上に行路を有する近位ノブとネジ切り係合されたプランジャロッドであって、前記行路が環状路及び長手方向路を含む、前記プランジャロッドと、を備え、
前記ボスが、
前記軸を中心とした前記ノブの回転中に、前記環状路に摺動係合して、前記ノブを長手方向に保持し、
前記ノブの長手方向平行移動中に、前記長手方向路に摺動係合し、
前記突出部が、前記回転中に前記ロッドの長手方向に延在する構造に摺動係合して、前記ロッドを回転保持し、前記回転が、前記ロッドを駆動して前記遠位端に向かわせ、
前記平行移動が、
前記ボスと前記長手方向路の近位末端表面との間の干渉によって限界決定され、
前記遠位端から前記目標量を前進させる、前記薬剤送達デバイス。
【請求項４０】
前記長手方向路が、前記環状路と交差し、
前記回転が、前記長手方向路の横方向表面に対する前記ボスの隣接によって限界決定され、
前記長手方向路が、前記平行移動中に前記ノブを回転保持し、前記隣接の位置から長手方向程度で前記目標量に対応し、
前記干渉が、
前記ノブに対する前記ボスの動きを、前記末端表面から離れて、かつ前記軸に平行に方向付けられた動きに制限し、
前記遠位端からの薬剤の前進を終了させる、請求項３９に記載のデバイス。
【請求項４１】
前記カラーが、前記ノブと同軸上に薬剤容器を保持するように構成されたブラケットをさらに有し、
前記容器が、内部側壁のセグメントに沿って均一直径を画定する前記側壁によって拘束された孔を画定し、
前記ロッドの遠位端が、前記容器内のプランジャに隣接し、前記プランジャが、前記側壁と摺動係合され、
前記平行移動前に、前記プランジャが、前記容器の内側遠位端壁と前記プランジャとの間に前記薬剤の送達前量を密封し、
前記平行移動後に、前記セグメントの遠位部分が、前記内側遠位端壁と前記プランジャとの間に収容されたバルク液体残余と接触し、前記残余中の前記薬剤の量が、前記目標量を差し引いた前記送達前量以下である、請求項３９に記載のデバイス。
【請求項４２】
前記回転が前記送達前量を設定し、前記回転が前記薬剤を送達のために準備する、請求項４１に記載のデバイス。
【請求項４３】
前記準備が、前記容器内で前記薬剤の成分を混合することを含む、請求項４２に記載のデバイス。
【請求項４４】
前記プランジャが第１のプランジャであり、前記第１のプランジャの遠位に、第２のプランジャが前記セグメントと摺動係合される、請求項４３に記載のデバイス。
【請求項４５】
前記混合前に、前記薬剤の液体成分が、前記容器内に前記第１のプランジャと前記第２のプランジャとの間で密封され、
前記混合が、前記容器内での前記第２のプランジャを越えて遠位の前記液体成分の移動を含み、
前記混合後に、前記第１のプランジャの遠位面が、前記第２のプランジャの近位面に隣接する、請求項４４に記載のデバイス。
【請求項４６】
前記準備が、前記容器をプライミングすることを含む、請求項４２に記載のデバイス。
【請求項４７】
前記プライミングが、前記容器からの空気の遠位放出を含む、請求項４６に記載のデバイス。
【請求項４８】
前記ノブが、デバイス動作の段階の指示を提供する表記をさらに有し、前記カラーが、前記表記の一部分を曝露する窓を画定し、前記一部分が、
前記回転前に、前記デバイス動作の薬剤準備段階を示し、
前記回転中に、前記準備段階の継続を示し、
前記回転後に、前記デバイス動作の薬剤送達段階を示す、請求項３９に記載のデバイス。
【請求項４９】
前記一部分が、
前記回転後及び前記平行移動前に、前記送達段階の開始を示し、
前記平行移動後に、前記送達段階の完了を示す、請求項４８に記載のデバイス。
【請求項５０】
前記隣接が、デバイス動作の薬剤準備段階の完了の触覚的指示を提供する、請求項４０に記載のデバイス。
【請求項５１】
前記隣接が、デバイス動作の薬剤準備段階の完了の聴覚的指示を提供する、請求項４０に記載のデバイス。
【請求項５２】
前記干渉が、デバイス動作の薬剤送達段階の完了の指示を提供する、請求項４０に記載のデバイス。
【請求項５３】
前記長手方向に延在する構造が、
前記ロッドの近位ネジ山と前記ロッドの遠位端との間に配設された長さに沿って延在し、
前記突出部に干渉して、近位運動から前記ロッドを長手方向に保持するように構成された表面特徴部を支持する、請求項３９に記載のデバイス。
【請求項５４】
前記表面特徴部が、前記表面特徴部に対する前記突出部の遠位運動に対する阻止を提供する近位停止表面を有し、
前記停止表面の遠位に、前記表面特徴部が、前記表面特徴部に対する前記突出部の近位運動のための通路を提供する、請求項５３に記載のデバイス。
【請求項５５】
前記突出部が、
半径方向内方に突出し、
前記表面特徴部に対する前記突出部の遠位運動に対する阻止を提供する遠位停止表面を有し、
前記停止表面の近位に、前記突出部が、前記表面特徴部に対する前記突出部の近位運動のための通路を提供する、請求項５３に記載のデバイス。
【請求項５６】
前記長手方向に延在する構造が、
半径方向内方に延在するスロットであり、
前記表面特徴部が、前記軸を横断する平面内で前記スロット内に延在する、請求項５３に記載のデバイス。
【請求項５７】
前記長手方向に延在する構造が、
半径方向外方に延在するレールであり、
前記表面特徴部が、前記軸を横断する平面内で前記レールから延在する、請求項５３に記載のデバイス。
【請求項５８】
前記ボスが、前記ボスの任意の他の表面よりも半径方向内方に配設された自由端を有する可撓性パネルを含む、請求項３９に記載のデバイス。
【請求項５９】
前記行路の走行表面がトリガを支持し、前記パネルが前記トリガを通過すると、前記自由端が、前記自由端と前記トリガとの間の相互作用に応じて、前記軸に対して偏向して動くように構成されている、請求項５８に記載のデバイス。
【請求項６０】
前記トリガが、前記回転の反対方向に前記自由端の通過を阻止するように構成された、前記回転の円周方向を横断する平面上に配設された停止表面を有する、請求項５８に記載のデバイス。
【請求項６１】
前記トリガが、突起部であり、
前記相互作用が、前記自由端と前記トリガとの間の干渉であり、
前記回転中、前記パネルが、前記トリガの全ての他の表面を通過した後に前記停止表面を通過する、請求項６０に記載のデバイス。
【請求項６２】
前記トリガが、陥凹部であり、
前記相互作用が、前記陥凹部に対する前記自由端の付勢であり、
前記回転中、前記パネルが、前記トリガの任意の他の表面を通過した後に前記停止表面を通過する、請求項６０に記載のデバイス。
【請求項６３】
前記相互作用が、前記回転の開始時に起こる、請求項５９に記載のデバイス。
【請求項６４】
前記相互作用前に、
前記ボスが、前記回転の方向に前記長手方向路から円周方向に最も遠位にある前記環状路の一部分に隣接して配設され、
前記トリガが、前記行路に沿った前記自由端の動きを制限する、請求項６３に記載のデバイス。
【請求項６５】
前記相互作用が、前記回転の完了時に起こる、請求項５９に記載のデバイス。
【請求項６６】
前記トリガが、
前記環状路と前記長手方向路との接合点で前記環状路上に配設され、
前記相互作用後に、前記回転の反対方向の前記ノブの回転動きを制限する、請求項６５に記載のデバイス。
【請求項６７】
前記偏向が、前記相互作用の指示を提供する、請求項５９に記載のデバイス。
【請求項６８】
前記指示が触覚的である、請求項６７に記載のデバイス。
【請求項６９】
前記指示が聴覚的である、請求項６７に記載のデバイス。
【請求項７０】
薬剤送達デバイスの遠位端から薬剤の目標量を送達するための前記薬剤送達デバイスであって、前記デバイスが、長手方向軸を画定し、
前記軸と同軸上に配設され、かつ突出部及び行路を有するカラーであって、前記行路が環状路及び長手方向路を含む、前記カラーと、
前記カラー内に同軸上にボスを有する近位ノブとネジ切り係合されたプランジャロッドと、を備え、
前記ボスが、
前記軸を中心とした前記ノブの回転中に、前記環状路に摺動係合して、前記ノブを長手方向に保持し、
前記ノブの長手方向平行移動中に、前記長手方向路に摺動係合し、
前記突出部が、前記回転中に前記ロッドの長手方向に延在する構造に摺動係合して、前記ロッドを回転保持し、前記回転が、前記ロッドを駆動して前記遠位端に向かわせ、
前記平行移動が、
前記ボスと前記長手方向路の近位末端表面との間の干渉によって限界決定され、
前記遠位端から前記目標量を前進させる、前記薬剤送達デバイス。
【請求項７１】
前記長手方向路が、前記環状路と交差し、
前記回転が、前記長手方向路の横方向表面に対する前記ボスの隣接によって限界決定され、
前記隣接が、前記ボスを前記長手方向路と円周方向に整列させ、
前記長手方向路が、前記平行移動中に前記ノブを回転保持し、前記隣接の位置から長手方向程度で前記目標量に対応し、
前記干渉が、
前記カラーに対する前記ボスの動きを、前記末端表面から離れて、かつ前記軸に平行に方向付けられた動きに制限し、
前記遠位端からの薬剤の前進を終了させる、請求項７０に記載のデバイス。
【請求項７２】
前記カラーが、前記ノブと同軸上に薬剤容器を保持するように構成されたブラケットをさらに有し、
前記容器が、内部側壁のセグメントに沿って均一直径を画定する前記側壁によって拘束された孔を画定し、
前記ロッドの遠位端が、前記容器内のプランジャに隣接し、前記プランジャが、前記側壁と摺動係合され、
前記平行移動前に、前記プランジャが、前記容器の内側遠位端壁と前記プランジャとの間に前記薬剤の送達前量を密封し、
前記平行移動後に、前記セグメントの遠位部分が、前記内側遠位端壁と前記プランジャとの間に収容されたバルク液体残余と接触し、前記残余中の前記薬剤の量が、前記目標量を差し引いた前記送達前量以下である、請求項７０に記載のデバイス。
【請求項７３】
前記回転が前記送達前量を設定し、前記回転が前記薬剤を送達のために準備する、請求項７２に記載のデバイス。
【請求項７４】
前記準備が、前記容器内で前記薬剤の成分を混合することを含む、請求項７３に記載のデバイス。
【請求項７５】
前記プランジャが第１のプランジャであり、前記第１のプランジャの遠位に、第２のプランジャが前記セグメントと摺動係合される、請求項７４に記載のデバイス。
【請求項７６】
前記混合前に、前記薬剤の液体成分が、前記容器内に前記第１のプランジャと前記第２のプランジャとの間で密封され、
前記混合が、前記容器内での前記第２のプランジャを越えて遠位の前記液体成分の移動を含み、
前記混合後に、前記第１のプランジャの遠位面が、前記第２のプランジャの近位面に隣接する、請求項７５に記載のデバイス。
【請求項７７】
前記準備が、前記容器をプライミングすることを含む、請求項７３に記載のデバイス。
【請求項７８】
前記プライミングが、前記容器からの空気の遠位放出を含む、請求項７７に記載のデバイス。
【請求項７９】
前記ノブが、デバイス動作の段階の指示を提供する表記をさらに有し、前記カラーが、前記表記の一部分を曝露する窓を画定し、前記一部分が、
前記回転前に、前記デバイスの薬剤準備段階を示し、
前記回転後に、前記デバイスの送達段階を示す、請求項７０に記載のデバイス。
【請求項８０】
前記一部分が、前記回転中に、前記薬剤準備段階の継続を示す、請求項７９に記載のデバイス。
【請求項８１】
前記一部分が、
前記回転後及び前記平行移動前に、前記送達段階の開始を示し、
前記平行移動後に、前記送達段階の完了を示す、請求項７９に記載のデバイス。
【請求項８２】
前記隣接が、薬剤準備段階の完了の触覚的指示を提供する、請求項７１に記載のデバイス。
【請求項８３】
前記隣接が、薬剤準備段階の完了の聴覚的指示を提供する、請求項７１に記載のデバイス。
【請求項８４】
前記干渉が、デバイス動作の薬剤送達段階の完了の指示を提供する、請求項７１に記載のデバイス。
【請求項８５】
前記長手方向に延在する構造が、前記ロッドの近位ネジ山と前記ロッドの遠位端との間に配設された長さに沿って延在するスロットである、請求項７０に記載のデバイス。
【請求項８６】
前記長手方向に延在する構造が、前記ロッドの近位ネジ山と前記ロッドの遠位端との間に配設された長さに沿って延在するレールである、請求項７０に記載のデバイス。
【請求項８７】
薬剤送達デバイスの製造方法であって、前記方法が、
突起部が延在する表面を含む環状陥凹部を有するノブを提供することと、
カラーの内部内に延在する可撓性パネルを支持する前記カラーを提供することと、
前記パネルの自由端が前記突起部を越えて半径方向内方に延在し、かつ前記ノブが前記カラーに対して回転すると前記突起部によって偏向可能になるように、前記ノブを前記カラー内に同軸上に位置付けることと、
プランジャロッドを前記ノブとネジ切り係合させることと、
前記ノブに対する回転に対して前記ロッドを固定することと、を含む、前記方法。
【請求項８８】
ノブの前記提供が、長手方向陥凹部を有するノブを提供することを含み、前記長手方向陥凹部が、
前記環状陥凹部と交差し、
前記パネルに隣接するように構成された末端表面を支持する、請求項８７に記載の方法。
【請求項８９】
カラーの前記提供が、突出部を含むカラーを提供することを含み、
前記固定が、前記突出部を前記ロッドの長手方向に延在する構造と係合させることを含む、請求項８７に記載の方法。
【請求項９０】
前記長手方向に延在する構造が、スロットを含み、
前記係合が、前記スロット内への前記突出部の挿入を含む、請求項８９に記載の方法。
【請求項９１】
前記長手方向に延在する構造が、レールを含み、
前記係合が、前記突出部を前記レールと並んで位置付けることを含む、請求項８９に記載の方法。
【請求項９２】
前記ロッドを提供することをさらに含み、前記ロッドが、前記ノブと係合可能なネジ山を支持する端を含む、請求項８７に記載の方法。
【請求項９３】
長手方向軸を画定する薬剤送達デバイスであって、
トリガを支持する行路を画定するプランジャロッドと、
通行路を画定し、かつボスを支持するプランジャロッドガイドであって、前記ロッドが、前記通行路内に配設され、かつ前記軸と同軸上にあり、前記ガイドが、前記ボスと前記トリガとの間の相互作用に応じて、前記軸に対して半径方向に偏向するように構成されている、前記プランジャロッドガイドと、を備える、前記薬剤送達デバイス。
【請求項９４】
前記行路が、
前記ロッドの円筒表面から半径方向内方に延在し、
前記円筒表面に沿って延在する、請求項９３に記載のデバイス。
【請求項９５】
前記行路が、
前記ロッドの円筒表面から半径方向外方に延在し、
前記円筒表面に沿って延在する、請求項９３に記載のデバイス。
【請求項９６】
前記トリガが、突起部であり、
前記相互作用が、前記ボスと前記トリガとの間の干渉であり、
前記ガイドが、前記軸から離れて偏向するように構成されている、請求項９３に記載のデバイス。
【請求項９７】
前記トリガが、陥没部であり、
前記相互作用が、前記トリガに対する前記ボスの付勢であり、
前記ガイドが、前記軸に向かって偏向するように構成されている、請求項９３に記載のデバイス。
【請求項９８】
前記軸と同軸上に配設され、かつ前記ガイドが配設される開口部を画定する筐体と、
前記筐体内に、かつ前記ガイドの遠位に配設された薬剤容器であって、内壁のセグメントに沿って実質的に均一の直径を画定する前記内壁によって拘束された孔を画定する、前記薬剤容器と、をさらに備え、
前記ロッドが、前記ボスが前記行路の末端表面に隣接するまで前記孔内で前記筐体に対して遠位に変位して、前記容器から薬剤を放出し、それにより前記ロッドに対する前記ボスの動きを、前記軸に実質的に平行な方向に前記末端表面から離れる動きに制限するように構成されており、
前記セグメントが、前記ボスが前記末端表面に隣接した後に、前記薬剤のバルク液体残余と動作中に接触する遠位部分を含む、請求項９３に記載のデバイス。
【請求項９９】
前記セグメントの前記遠位部分が、前記残余と直接接触する、請求項９８に記載のデバイス。
【請求項１００】
前記内壁に対して摺動可能に密封する少なくとも１つのプランジャであって、前記ロッドの遠位に配設され、前記ロッドの遠位変位に応じて遠位に摺動するように構成されている、前記少なくとも１つのプランジャと、
前記容器の遠位端を密封する止め具であって、前記薬剤が、前記薬剤の放出前に、前記容器内に前記止め具と前記少なくとも１つのプランジャとの間で密封され、前記止め具が、前記容器から放出された薬剤を遠位に移動させるように構成されたカニューレを有する針によって貫通されるように構成されている、前記止め具と、をさらに備える、請求項９８に記載のデバイス。
【請求項１０１】
前記ガイドが配設される前記軸と同軸上に配設された筐体と、前記ガイドの偏向に応じて偏向するように構成された前記筐体の壁と、をさらに備える、請求項９３に記載のデバイス。
【請求項１０２】
前記壁が、前記ガイドの前記偏向中に前記軸に対して半径方向に変位する区分を含む、請求項１０１に記載のデバイス。
【請求項１０３】
前記区分が第１の区分であり、前記壁が、前記ガイドの前記偏向中に前記軸に対して半径方向に変位する第２の区分を含む、請求項１０１に記載のデバイス。
【請求項１０４】
前記壁によって支持されたフィンガーフランジをさらに備え、前記フィンガーフランジが、前記区分を包囲し、前記区分の変位に応じて偏向するように構成されている、請求項１０２に記載のデバイス。
【請求項１０５】
前記ガイドが、前記ボスを支持する第１のアームと、第２のアームと、を含み、前記第１のアームが前記通行路を画定し、前記第２のアームが前記通行路を画定し、
前記第１のアーム及び前記第２のアームが、
弾性ヒンジで接合されており、
前記ヒンジの反対側に、前記ガイドの偏向中に変化する間隙幅を有する間隙を画定する、請求項１０１に記載のデバイス。
【請求項１０６】
前記筐体の前記壁が、前記壁の偏向中に変化するスロット幅を有するスロットを画定し、前記スロットが、前記間隙と円周方向に整列する、請求項１０５に記載のデバイス。
【請求項１０７】
内部ベイを画定するフィンガーフランジをさらに備え、
前記ガイドが、第１の方向に延在する支持体によって前記ベイにわたって吊り下げられ、
第２の方向に、前記ベイが、前記ガイドの偏向に適応する、請求項９３に記載のデバイス。
【請求項１０８】
前記支持体が第１の支持体であり、前記ガイドが、前記第１の支持体及び第２の支持体によって吊り下げられる、請求項１０７に記載のデバイス。
【請求項１０９】
前記第１の方向が、前記第２の方向に実質的に直角である、請求項１０７に記載のデバイス。
【請求項１１０】
前記支持体が、前記偏向に応じて変形するように構成されている、請求項１０７に記載のデバイス。
【請求項１１１】
前記支持体の変形が、前記フィンガーフランジの応力を緩和する、請求項１１０に記載のデバイス。
【請求項１１２】
前記フィンガーフランジが、前記支持体に隣接して穴部を画定する環状辺縁を含み、前記辺縁が、前記偏向に応じて変形するように構成されている、請求項１１０に記載のデバイス。
【請求項１１３】
前記ガイドが、前記通行路を画定し、かつ前記ガイドが吊り下げられる前記ガイドの端とは別に前記ボスを支持するアームを含む、請求項１０７に記載のデバイス。
【請求項１１４】
筐体をさらに備え、前記筐体が、前記軸と同軸上に配設され、前記筐体の壁内に開口部を画定するフレームを含み、
前記ガイドが、前記フレームにクリップ留めされるＣ字形クリップを含み、これにより、
前記クリップの中心軸が、前記長手方向軸と整列し、
前記ボスが、前記開口部を通じて前記行路で前記ロッドに係合するようになる、請求項９３に記載のデバイス。
【請求項１１５】
前記ボスが、前記行路の側面に対して位置付けられることによって前記行路で前記ロッドに係合する、請求項１１４に記載のデバイス。
【請求項１１６】
前記ボスが、前記行路内に延在することによって前記行路で前記ロッドに係合する、請求項１１４に記載のデバイス。
【請求項１１７】
前記フレームが、前記長手方向軸を中心として円周方向に配設される、請求項１１４に記載のデバイス。
【請求項１１８】
前記ガイドが、前記開口部内で偏向するように構成されている、請求項１１４に記載のデバイス。
【請求項１１９】
前記ガイドの外部表面が、前記筐体の外部表面を越えて半径方向外方に偏向するように構成されている、請求項１１４に記載のデバイス。
【請求項１２０】
前記ガイドの外部表面が、前記筐体の外部表面を越えて半径方向内方に偏向するように構成されている、請求項１１４に記載のデバイス。
【請求項１２１】
前記行路が第１の行路であり、前記トリガが第１のトリガであり、
前記ロッドが、前記第１の行路に平行に配設され、かつ第２のトリガを支持する第２の行路をさらに画定し、
前記ボスが、前記第１の行路で前記ロッドに係合する第１のボスであり、
前記ガイドが、第２のボスをさらに支持し、前記第２のボスが、前記第２の行路で前記ロッドに係合し、
前記相互作用が、第１の相互作用であり、
前記軸に対する前記ガイドの第１の偏向が、前記第１のボスと前記第１のトリガとの間の前記第１の相互作用に応じ、
前記軸に対する前記ガイドの第２の偏向が、前記第２のボスと前記第２のトリガとの間の第２の相互作用に応じる、請求項９３に記載のデバイス。
【請求項１２２】
前記行路、前記トリガ、及び前記ボスが、前記第１の偏向及び前記第２の偏向を実質的に同時に提供するように構成されている、請求項１２１に記載のデバイス。
【請求項１２３】
前記行路が、前記ロッドの円筒表面に沿って前記ロッドの遠位端の近位にあり、前記行路が、前記トリガの近位に前記末端表面を支持し、
前記トリガと前記末端表面との間の前記行路の路に沿った長さが、前記ロッドの送達ストロークに対応し、前記送達ストロークが、前記容器から前記薬剤の投与量を放出し、
前記ボスが、前記行路で前記ロッドに係合し、反応表面を提供し、前記反応表面が、前記ボスが前記末端表面に隣接した状態で、前記容器内での前記ロッドの遠位変位を制限して、前記送達ストロークを機械的に終了させる、請求項９８に記載のデバイス。
【請求項１２４】
前記ボスが、前記行路の側面に対して位置付けられることによって前記行路で前記ロッドに係合する、請求項１２３に記載のデバイス。
【請求項１２５】
前記ボスが、前記行路内に延在することによって前記行路で前記ロッドに係合する、請求項１２３に記載のデバイス。
【請求項１２６】
前記路が、前記軸に実質的に平行であり、
前記ボスが前記路に係合した状態で、前記反応表面が、前記軸を中心とした前記ロッドの回転運動を制限する、請求項１２３に記載のデバイス。
【請求項１２７】
前記路が、前記長手方向軸を中心として実質的に螺旋形であり、
前記ボスが前記路に係合した状態で、前記反応表面が、前記軸を中心とした前記ロッドの回転運動を、前記軸に沿った前記ロッドの軸方向運動に変換する、請求項１２３に記載のデバイス。
【請求項１２８】
前記トリガが第１のトリガであり、前記行路が第２のトリガをさらに支持し、
前記第１のトリガと相互作用する前記ボスに応じた前記ガイドの第１の偏向が、前記容器内での前記ロッドの遠位変位の第１の段階に対応し、
前記第２のトリガと相互作用する前記ボスに応じた前記ガイドの第２の偏向が、前記容器内での前記ロッドの遠位変位の第２の段階に対応する、請求項９８に記載のデバイス。
【請求項１２９】
前記行路が、前記ロッドの円筒表面に沿って前記ロッドの遠位端の近位にあり、
前記第１のトリガが、前記行路の遠位長手方向路の近位部分によって支持され、前記近位部分が、前記行路の螺旋状路の遠位部分に隣接しており、
前記第１の段階が、前記ロッドの初期遠位変位であり、前記初期変位が、動作前に前記デバイス内に前記ロッドを位置付ける、請求項１２８に記載のデバイス。
【請求項１３０】
前記第２のトリガが、前記螺旋状路の遠位部分によって支持され、
前記第２の段階が、前記デバイスの動作の開始である、請求項１２９に記載のデバイス。
【請求項１３１】
前記開始が、前記薬剤の放出のための準備を含む、請求項１３０に記載のデバイス。
【請求項１３２】
前記準備が、前記薬剤の貯蔵形態から前記薬剤の放出可能な形態への前記薬剤の変換を含む、請求項１３１に記載のデバイス。
【請求項１３３】
前記薬剤の前記貯蔵形態が、再溶解されると前記薬剤の前記放出可能な形態を含む凍結乾燥製品を含む、請求項１３２に記載のデバイス。
【請求項１３４】
前記薬剤の前記貯蔵形態が、
第１の成分と、
前記第１の成分とは別に貯蔵された第２の成分と、を含み、
前記第１の成分と前記第２の成分との混合物が、前記薬剤の前記放出可能な形態を含む、請求項１３２に記載のデバイス。
【請求項１３５】
前記第２のトリガが、前記螺旋状路の中央部分によって支持され、
前記第２の段階が、前記薬剤の送達のための前記デバイスのプライミングの開始である、請求項１２９に記載のデバイス。
【請求項１３６】
前記プライミングが、前記薬剤の送達前の前記容器からの気泡の放出を含む、請求項１３５に記載のデバイス。
【請求項１３７】
前記第２のトリガが、前記螺旋状路の近位部分によって支持され、前記螺旋状路が、前記第２のトリガの近位に前記末端表面を支持し、
前記第２の段階が、前記薬剤の送達の開始である、請求項１２９に記載のデバイス。
【請求項１３８】
前記螺旋状路の前記近位部分に沿った長さであって、前記第２のトリガと前記末端表面との間の長さである、前記長さが、前記ロッドの送達ストロークに対応し、前記送達ストロークが、前記容器から前記薬剤の投与量を放出する、請求項１３７に記載のデバイス。
【請求項１３９】
前記第２のトリガが、前記螺旋状路の近位部分によって支持され、前記螺旋状路の前記近位部分が、行路の近位長手方向路の遠位部分に隣接しており、前記近位長手方向路が、前記末端表面を支持し、
前記第２の段階が、前記薬剤の送達の開始である、請求項１２９に記載のデバイス。
【請求項１４０】
前記近位長手方向路に沿った長さであって、前記第２のトリガと前記末端表面との間の長さである、前記長さが、前記ロッドの送達ストロークに対応し、前記送達ストロークが、前記容器から前記薬剤の投与量を放出する、請求項１３９に記載のデバイス。
【請求項１４１】
前記ボスが、
前記行路で前記ロッドに係合し、
反応表面を提供し、前記反応表面が、
前記ボスが前記長手方向路に係合した状態で、前記軸を中心とした前記ロッドの回転運動を制限し、
前記ボスが前記螺旋状路に係合した状態で、前記軸を中心とした前記ロッドの回転運動を、前記軸に沿った前記ロッドの軸方向運動に変換し、
前記ボスが前記末端表面に隣接した状態で、前記容器内での前記ロッドの遠位変位を制限して、前記デバイスからの前記薬剤の放出を機械的に終了させる、請求項１２９に記載のデバイス。
【請求項１４２】
長手方向軸を画定する薬剤送達デバイスであって、
可撓性パネルを支持する行路を画定するプランジャロッドであって、前記可撓性パネルがトリガを支持する、前記プランジャロッドと、
通行路を画定し、かつボスを支持するプランジャロッドガイドであって、前記ロッドが、前記通行路内に配設され、かつ前記軸と同軸上にあり、前記パネルが、前記トリガと前記ボスとの間の相互作用に応じて、前記行路に対して偏向するように構成されている、前記プランジャロッドガイドと、を備える、前記薬剤送達デバイス。
【請求項１４３】
長手方向軸を画定し、かつ遠位端を有する薬剤送達デバイスであって、前記デバイスが、薬剤の所定の量を遠位に送達するように構成されており、前記デバイスが、
前記軸と同軸上に配設され、かつ近位開口部を画定する筐体と、
前記近位開口部内に配設されたプランジャロッドガイドであって、通行路を画定し、かつボスを支持する、前記プランジャロッドガイドと、
前記通行路内に配設された同軸プランジャロッドであって、前記ロッドが、末端表面を支持する行路を画定し、前記ボスが、前記行路で前記ロッドに係合する、前記同軸プランジャロッドと、
前記筐体内に、かつ前記ガイドの遠位に配設された薬剤容器であって、内壁のセグメントに沿って実質的に均一の直径を画定する前記内壁によって拘束された孔を画定する、前記薬剤容器と、を備え、
前記ロッドが、前記ボスが前記末端表面に隣接するまで前記孔内で前記筐体に対して遠位に変位して、前記容器から前記薬剤を放出し、それにより前記ロッドに対する前記ボスの動きを、前記軸に実質的に平行な方向に前記末端表面から離れる動きに制限するように構成されており、
前記セグメントが、前記ボスが前記末端表面に隣接した後に、前記薬剤のバルク液体残余と動作中に接触する遠位部分を含む、前記薬剤送達デバイス。
【請求項１４４】
前記行路が、
前記ロッドの円筒表面に沿って延在し、
前記円筒表面から半径方向内方に延在し、前記ボスが、前記行路内に半径方向に延在することによって前記ロッドに係合する、請求項１４３に記載のデバイス。
【請求項１４５】
前記行路が、
前記ロッドの円筒表面に沿って延在し、
前記円筒表面から半径方向外方に延在し、前記ボスが、前記行路の側面に対して位置付けられることによって前記ロッドに係合する、請求項１４３に記載のデバイス。
【請求項１４６】
前記セグメントの前記遠位部分が、前記残余と直接接触する、請求項１４３に記載のデバイス。
【請求項１４７】
前記内壁に対して摺動可能に密封する少なくとも１つのプランジャであって、前記ロッドの遠位に配設され、前記ロッドの遠位変位に応じて遠位に摺動するように構成されている、前記少なくとも１つのプランジャと、
前記容器の遠位端を密封する止め具であって、前記薬剤が、前記薬剤の放出前に、前記容器内に前記止め具と前記少なくとも１つのプランジャとの間で密封され、前記止め具が、前記容器から放出された薬剤を遠位に移動させるように構成されたカニューレを有する針によって貫通されるように構成されている、前記止め具と、をさらに備える、請求項１４３に記載のデバイス。
【請求項１４８】
前記行路に沿った所定の長さであって、前記末端表面の遠位にあり、かつそれに隣接した行路長さである、前記長さに対する前記ボスの運動が、前記ロッドの送達ストロークに対応し、前記送達ストロークが、前記薬剤の投与量を設定する、請求項１４３に記載のデバイス。
【請求項１４９】
前記送達ストロークの完了の触覚的指示が、前記末端表面に対する前記ボスの隣接によって提供される、請求項１４８に記載のデバイス。
【請求項１５０】
前記軸からの前記行路の走行表面の半径方向距離が、前記末端表面の遠位にあり、かつそれに隣接した前記行路長さに沿って変化し、前記ガイドが、前記ボスと前記走行表面との間の相互作用に応じて、前記軸に対して半径方向に偏向するように構成されている、請求項１４８に記載のデバイス。
【請求項１５１】
前記ガイドの偏向が、前記送達ストロークの完了の指示を提供する、請求項１５０に記載のデバイス。
【請求項１５２】
前記半径方向距離が、前記末端表面の遠位にあり、かつそれに隣接した前記行路長さに沿って近位に減少し、
前記相互作用が、前記走行表面に対する前記ボスの付勢であり、
前記ガイドが、前記ボスが前記末端表面に対して隣接されると前記軸に向かって偏向するように構成されている、請求項１５０に記載のデバイス。
【請求項１５３】
前記行路が長手方向路を含み、
前記ボスが反応表面を提供し、前記反応表面が、
前記ボスが前記長手方向路に係合した状態で、前記軸を中心とした前記ロッドの回転運動を制限し、
前記ボスが前記末端表面に隣接した状態で、前記デバイスからの前記薬剤の放出を機械的に終了させる、請求項１４３に記載のデバイス。
【請求項１５４】
前記行路が螺旋状路を含み、
前記ボスが反応表面を提供し、前記反応表面が、
前記ボスが前記螺旋状路に係合した状態で、前記ロッドの回転運動を、前記軸に沿った前記ロッドの軸方向運動に変換し、
前記ボスが前記末端表面に隣接した状態で、前記デバイスからの前記薬剤の放出を機械的に終了させる、請求項１４３に記載のデバイス。
【請求項１５５】
前記行路がトリガをさらに支持し、前記ガイドが、前記ボスと前記トリガとの間の相互作用に応じて、前記軸に対して半径方向に偏向するように構成されている、請求項１４３に記載のデバイス。
【請求項１５６】
前記トリガが、突起部であり、
前記相互作用が、前記ボスと前記トリガとの間の干渉であり、
前記ガイドが、前記軸から離れて偏向するように構成されている、請求項１５５に記載のデバイス。
【請求項１５７】
前記トリガが、陥没部であり、
前記相互作用が、前記トリガに対する前記ボスの付勢であり、
前記ガイドが、前記軸に向かって偏向するように構成されている、請求項１５５に記載のデバイス。
【請求項１５８】
前記筐体の壁が、前記ガイドの偏向に応じて偏向するように構成されている、請求項１５５に記載のデバイス。
【請求項１５９】
前記壁が、前記ガイドの前記偏向中に前記軸に対して半径方向に変位する区分を含む、請求項１５８に記載のデバイス。
【請求項１６０】
前記壁によって支持されたフィンガーフランジをさらに備え、前記フィンガーフランジが、前記区分を包囲し、前記区分の変位に応じて偏向するように構成されている、請求項１５９に記載のデバイス。
【請求項１６１】
前記ガイドが、前記ボスを支持する第１のアームと、第２のアームと、を含み、前記第１のアームが前記通行路を画定し、前記第２のアームが前記通行路を画定し、
前記第１のアーム及び前記第２のアームが、
弾性ヒンジで接合されており、
前記ヒンジの反対側に、前記ガイドの偏向中に変化する間隙幅を有する間隙を画定する、請求項１６０に記載のデバイス。
【請求項１６２】
前記筐体の前記壁が、前記壁の偏向中に変化するスロット幅を有し、かつ前記間隙と円周方向に整列するスロットを画定する、請求項１６１に記載のデバイス。
【請求項１６３】
内部ベイを画定するフィンガーフランジをさらに備え、
前記ガイドが、第１の方向に延在する支持体によって前記ベイにわたって吊り下げられ、
第２の方向に、前記ベイが、前記ガイドの偏向に適応する、請求項１５５に記載のデバイス。
【請求項１６４】
前記支持体が第１の支持体であり、前記ガイドが、前記第１の支持体及び第２の支持体によって吊り下げられる、請求項１６３に記載のデバイス。
【請求項１６５】
前記第１の方向が、前記第２の方向に実質的に直角である、請求項１６３に記載のデバイス。
【請求項１６６】
前記支持体が、前記偏向に応じて変形するように構成されている、請求項１６３に記載のデバイス。
【請求項１６７】
前記支持体の変形が、前記フィンガーフランジの応力を緩和する、請求項１６６に記載のデバイス。
【請求項１６８】
前記フィンガーフランジが、前記支持体に隣接して穴部を画定する環状辺縁を含み、前記辺縁が、前記偏向に応じて変形するように構成されている、請求項１６３に記載のデバイス。
【請求項１６９】
前記ガイドが、前記通行路を画定し、かつ前記ガイドが吊り下げられる前記ガイドの端とは別に前記ボスを支持するアームを含む、請求項１６３に記載のデバイス。
【請求項１７０】
前記筐体が、前記筐体の壁内に開口部を画定するフレームを含み、
前記ガイドが、前記フレームにクリップ留めされるＣ字形クリップを含み、これにより、
前記クリップの中心軸が、前記長手方向軸と整列し、
前記ボスが前記開口部を通じて前記行路で前記ロッドに係合するようになる、請求項１５５に記載のデバイス。
【請求項１７１】
前記ボスが、前記行路の側面に対して位置付けられることによって前記行路で前記ロッドに係合する、請求項１７０に記載のデバイス。
【請求項１７２】
前記ボスが、前記行路内に延在することによって前記行路で前記ロッドに係合する、請求項１７０に記載のデバイス。
【請求項１７３】
前記フレームが、前記長手方向軸を中心として円周方向に配設される、請求項１７０に記載のデバイス。
【請求項１７４】
前記ガイドが、前記開口部内で偏向するように構成されている、請求項１７０に記載のデバイス。
【請求項１７５】
前記ガイドの外部表面が、前記筐体の外部表面を越えて半径方向外方に偏向するように構成されている、請求項１７０に記載のデバイス。
【請求項１７６】
前記ガイドの外部表面が、前記筐体の外部表面を越えて半径方向内方に偏向するように構成されている、請求項１７０に記載のデバイス。
【請求項１７７】
前記孔内での前記ロッドの遠位変位の段階で起こる前記相互作用に応じた前記ガイドの偏向が、前記相互作用の指示を生成して、前記段階の開始を信号伝達する、請求項１５５に記載のデバイス。
【請求項１７８】
前記指示が触覚的である、請求項１７７に記載のデバイス。
【請求項１７９】
前記ボス、前記ガイド、前記トリガ、前記行路、前記ロッド、及び前記筐体のうちの１つ以上の１つ以上の特性が、前記指示の振幅及び前記指示の持続時間のうちの１つ以上を決定し、前記特性が、形状、潤滑性、及び弾性を含む、請求項１７８に記載のデバイス。
【請求項１８０】
前記指示が聴覚的である、請求項１７７に記載のデバイス。
【請求項１８１】
前記ボス、前記ガイド、前記トリガ、前記行路、前記ロッド、及び前記筐体のうちの１つ以上の１つ以上の特性が、前記指示の振幅、前記指示のピッチ、及び前記指示の持続時間のうちの１つ以上を決定し、前記特性が、形状、潤滑性、及び弾性を含む、請求項１８０に記載のデバイス。
【請求項１８２】
長手方向軸を画定する薬剤送達デバイスの製造方法であって、前記デバイスが同軸筐体を含み、前記方法が、
弾性アームを位置付けることであって、前記アームがボスを支持し、これにより、前記ボスが、前記筐体の内側半径未満の前記軸からの半径方向距離に配設されるようになり、前記アームが、前記筐体の遠位端に向かって前記筐体内で変位するように構成されたプランジャロッドをガイドするように構成された通行路を画定する、前記位置付けることと、
前記筐体に対して、前記アームを、前記軸を中心とした回転変位及び前記軸に沿った軸方向変位に対して固定することと、を含み、
前記アームが、前記ボスと前記ロッドに沿った行路によって支持されたトリガとの相互作用に応じて、前記軸に対して半径方向に偏向するように構成されている、前記方法。
【請求項１８３】
前記ロッドを提供することをさらに含み、前記ロッドが末端表面をさらに支持し、これにより、前記ボスが、
前記行路で前記ロッドに係合し、
反応表面を提供するようになり、前記反応表面が、
前記ボスが前記行路の長手方向路に係合した状態で、前記軸を中心とした前記ロッドの回転運動を制限し、
前記ボスが前記行路の螺旋状路に係合した状態で、前記軸を中心とした前記ロッドの回転運動を、前記軸に沿った前記ロッドの軸方向運動に変換し、
前記ボスが前記末端表面に隣接した状態で、前記ロッドの運動を、前記末端表面から離れる方向への運動に実質的に制限する、請求項１８２に記載の方法。
【請求項１８４】
前記ロッドを提供することをさらに含み、前記ロッドが末端表面をさらに支持し、これにより、前記ボスが、
前記行路内に半径方向に延在することによって前記ロッドに係合し、
反応表面を提供するようになり、前記反応表面が、
前記ボスが前記行路の長手方向路に延在した状態で、前記軸を中心とした前記ロッドの回転運動を制限し、
前記ボスが前記行路の螺旋状路内に延在した状態で、前記軸を中心とした前記ロッドの回転運動を、前記軸に沿った前記ロッドの軸方向運動に変換し、
前記ボスが前記末端表面に隣接した状態で、前記ロッドの運動を、前記末端表面から離れる方向への運動に実質的に制限する、請求項１８２に記載の方法。
【請求項１８５】
前記アームを含み、かつ前記通行路に適応するプランジャロッドガイドを成形することをさらに含む、請求項１８２に記載の方法。
【請求項１８６】
前記固定が、前記ガイドを前記筐体上に成形することを含む、請求項１８５に記載の方法。
【請求項１８７】
前記固定が、前記ガイドを前記筐体の近位セグメントに固着することを含む、請求項１８５に記載の方法。
【請求項１８８】
前記固着が、前記近位セグメント内の開口部内への前記ガイドの前記軸に対して軸方向への挿入を含む、請求項１８７に記載の方法。
【請求項１８９】
前記固着が、前記近位セグメント内の開口部内への前記ガイドの前記軸に対して横断方向への挿入を含む、請求項１８７に記載の方法。
【請求項１９０】
長手方向軸を画定する薬剤送達デバイスであって、
通行路を画定し、かつボスを支持するプランジャロッドガイドであって、前記通行路が、前記軸と同軸上にあり、トリガを支持する行路を画定するプランジャロッドを受容するように構成されており、前記ガイドが、前記ボスと前記トリガとの間の相互作用に応じて、前記軸に対して半径方向に偏向するように構成されている、前記プランジャロッドガイドと、
前記ガイドを支持し、かつ薬剤容器の近位部分を受容するように構成された陥凹部を前記ガイドの遠位に画定する表面を備えるフィンガーフランジであって、前記陥凹部が、前記軸を横断して延在し、前記容器が、前記軸と同軸上に配設される、前記フィンガーフランジと、を備える、前記薬剤送達デバイス。
【請求項１９１】
前記行路が、
前記ロッドの円筒表面から半径方向内方に延在し、
前記円筒表面に沿って延在する、請求項１９０に記載のデバイス。
【請求項１９２】
前記トリガが、突起部であり、
前記相互作用が、前記ボスと前記トリガとの間の干渉であり、
前記ガイドが、前記軸から離れて偏向するように構成されている、請求項１９０に記載のデバイス。
【請求項１９３】
前記容器が、内部均一直径によって拘束された孔を画定し、
前記ロッドが、前記通行路内に配設され、前記ボスが前記行路の末端表面に隣接するまで前記孔内で遠位に変位して、前記容器から薬剤を放出し、それにより前記ロッドに対する前記ボスの動きを、前記末端表面から離れて、かつ前記軸に平行に方向付けられた動きに制限するように構成されており、
前記セグメントが、前記ボスが前記末端表面に隣接した後に、前記薬剤のバルク液体残余と動作中に接触する遠位部分を含む、請求項１９０に記載のデバイス。
【請求項１９４】
前記セグメントの前記遠位部分が、前記残余と直接接触する、請求項１９３に記載のデバイス。
【請求項１９５】
前記内壁に対して摺動可能に密封する少なくとも１つのプランジャであって、前記ロッドの遠位に配設され、前記ロッドの遠位変位に応じて遠位に摺動するように構成されている、前記少なくとも１つのプランジャと、
前記容器の遠位端を密封する止め具であって、前記薬剤が、前記薬剤の放出前に、前記容器内に前記止め具と前記少なくとも１つのプランジャとの間で密封され、前記容器の前記遠位端が、前記容器から放出される前記薬剤の投与量を遠位に移動させるように構成されたカニューレを有する針と関連付けられるように構成されている、前記止め具と、をさらに備える、請求項１９３に記載のデバイス。
【請求項１９６】
前記ボスが、前記容器の内側遠位壁への前記少なくとも１つのプランジャの遠位面の干渉前に、前記末端表面に隣接し、前記内側遠位壁が、前記軸を横断する構成要素を有する、請求項１９５に記載のデバイス。
【請求項１９７】
前記フィンガーフランジが、前記軸と少なくとも部分的に同軸上に前記容器を維持するように構成されている、請求項１９０に記載のデバイス。
【請求項１９８】
前記薬剤容器の前記近位部分が、フランジリップを含む、請求項１９０に記載のデバイス。
【請求項１９９】
前記フランジリップの区分の輪郭が、前記陥凹部を画定する前記表面の領域と相補的である、請求項１９８に記載のデバイス。
【請求項２００】
前記ロッドの近位区分の円筒表面が、前記区分を包囲するノブを支持し、前記ノブが、前記軸と同軸上にある、請求項１９０に記載のデバイス。
【請求項２０１】
前記ノブが、前記軸を中心として回転し、かつ前記軸に沿って長手方向に平行移動するように構成されており、前記ロッドが、前記ノブの動きに応じて、前記薬剤容器に対して動くように構成されている、請求項２００に記載のデバイス。
【請求項２０２】
前記ノブが、前記ロッドの遠位変位と関連付けられた前記軸を中心とした回転の方向を示す表記を備える、請求項２０１に記載のデバイス。
【請求項２０３】
前記ロッドが、前記薬剤容器の前記近位部分が前記陥凹部によって受容された後に、前記通行路内に配設される、請求項１９０に記載のデバイス。
【請求項２０４】
前記フィンガーフランジが、前記薬剤容器の前記近位部分上で一緒にスナップ留めするように構成された２つ以上の区分を備える、請求項１９０に記載のデバイス。
【請求項２０５】
前記２つ以上の区分が、機械的に同一である、請求項２０４に記載のデバイス。
【請求項２０６】
前記フィンガーフランジが、内部ベイを画定し、
前記ガイドが、第１の方向に延在する支持体によって前記ベイにわたって吊り下げられ、
第２の方向に、前記ガイドが、前記ボスと前記トリガとの間の前記相互作用に応じて偏向する、請求項１９０に記載のデバイス。
【請求項２０７】
前記第１の方向が、前記フィンガーフランジの近位面を横断し、前記フィンガーフランジの前記近位面が、前記軸を横断する、請求項２０６に記載のデバイス。
【請求項２０８】
前記第２の方向に、前記ベイが、前記ガイドの偏向に適応する、請求項２０６に記載のデバイス。
【請求項２０９】
前記支持体が第１の支持体であり、前記ガイドが、前記第１の支持体及び第２の支持体によって吊り下げられる、請求項２０６に記載のデバイス。
【請求項２１０】
前記ガイドが、前記ベイの近位に吊り下げられる、請求項２０６に記載のデバイス。
【請求項２１１】
前記ガイドが、前記ベイの少なくとも部分的に内部に吊り下げられる、請求項２０６に記載のデバイス。
【請求項２１２】
前記第１の方向が前記第２の方向を横断する、請求項２０６に記載のデバイス。
【請求項２１３】
前記支持体が、前記偏向に応じて変形するように構成されている、請求項２０８に記載のデバイス。
【請求項２１４】
前記支持体の変形が、前記フィンガーフランジの応力を緩和する、請求項２１３に記載のデバイス。
【請求項２１５】
前記ガイドが、前記通行路を画定し、かつ前記ガイドが吊り下げられる前記ガイドの端とは別に前記ボスを支持するアームを含む、請求項２０６に記載のデバイス。
【請求項２１６】
前記行路が第１の行路であり、前記トリガが第１のトリガであり、
前記ロッドが、前記第１の行路に平行に配設され、かつ第２のトリガを支持する第２の行路をさらに画定し、
前記ボスが、前記第１の行路で前記ロッドに係合する第１のボスであり、
前記ガイドが、第２のボスをさらに支持し、前記第２のボスが、前記第２の行路で前記ロッドに係合し、
前記相互作用が、第１の相互作用であり、
前記軸に対する前記ガイドの第１の偏向が、前記第１のボスと前記第１のトリガとの間の前記第１の相互作用に応じ、
前記軸に対する前記ガイドの第２の偏向が、前記第２のボスと前記第２のトリガとの間の第２の相互作用に応じる、請求項１９０に記載のデバイス。
【請求項２１７】
前記行路、前記トリガ、及び前記ボスが、前記第１の偏向及び前記第２の偏向を少なくともほぼ同時に提供するように構成されている、請求項２１６に記載のデバイス。
【請求項２１８】
前記行路が、前記ロッドの円筒表面に沿って前記ロッドの遠位端の近位にあり、前記行路が、前記トリガの近位に前記末端表面を支持し、
前記トリガと前記末端表面との間に配設された前記行路の路に沿った長さが、前記ロッドの送達ストロークに対応し、前記送達ストロークが、前記容器から前記薬剤の投与量を放出し、
前記ボスが、前記行路で前記ロッドに係合し、前記ボスが前記末端表面に隣接した状態で、前記容器内での前記ロッドの遠位変位を限界決定し、前記送達ストロークを終了させる反応表面を提供する、請求項１９３に記載のデバイス。
【請求項２１９】
前記ボスが、前記行路の側面に対して位置付けられることによって前記行路で前記ロッドに係合する、請求項２１８に記載のデバイス。
【請求項２２０】
前記ボスが、前記行路内に延在することによって前記行路で前記ロッドに係合する、請求項２１８に記載のデバイス。
【請求項２２１】
前記路が、前記軸に実質的に平行であり、
前記ボスが前記路に係合した状態で、前記反応表面が、前記軸を中心とした前記ロッドの回転運動を制限する、請求項２１８に記載のデバイス。
【請求項２２２】
前記路が、前記軸を中心として螺旋状であり、
前記ボスが前記路に係合した状態で、前記反応表面が、前記軸を中心とした前記ロッドの回転運動を、前記軸に沿った前記ロッドの軸方向運動に変換する、請求項２１８に記載のデバイス。
【請求項２２３】
前記トリガが第１のトリガであり、前記行路が第２のトリガをさらに支持し、
前記第１のトリガと相互作用する前記ボスに応じた前記ガイドの第１の偏向が、前記容器内での前記ロッドの遠位変位の第１の段階に対応し、
前記第２のトリガと相互作用する前記ボスに応じた前記ガイドの第２の偏向が、前記容器内での前記ロッドの遠位変位の第２の段階に対応する、請求項１９３に記載のデバイス。
【請求項２２４】
前記行路が、前記ロッドの円筒表面に沿って前記ロッドの遠位端の近位にあり、
前記第１のトリガが、前記行路の遠位長手方向路の近位部分によって支持され、前記近位部分が、前記行路の中間路の遠位部分に隣接しており、前記中間路が、前記行路の前記遠位路と近位路との間の前記円筒表面に沿って配設され、
前記第１の段階が、前記ロッドの初期遠位変位であり、前記初期変位が、動作前に前記デバイス内に前記ロッドを位置付ける、請求項２２３に記載のデバイス。
【請求項２２５】
前記第２のトリガが、前記中間路の遠位部分によって支持され、
前記第２の段階が、前記デバイスの動作の開始である、請求項２２４に記載のデバイス。
【請求項２２６】
前記中間路が、前記軸を中心として螺旋状であり、
前記中間路の一部分の螺旋形ピッチが十分に高く、これにより、前記ボスが前記中間路の前記高ピッチ部分と係合した反応表面を提供した状態で、前記ロッドの近位端に加えられる遠位に方向付けられた長手方向力を回転力に変換し、
動作中、前記回転力が、前記ロッドの回転を駆動し、前記回転が、前記第２の段階に含まれる、請求項２２５に記載のデバイス。
【請求項２２７】
前記開始が、前記薬剤の放出のための準備を含む、請求項２２５に記載のデバイス。
【請求項２２８】
前記準備が、前記薬剤の貯蔵形態から前記薬剤の放出可能な形態への前記薬剤の変換を含む、請求項２２７に記載のデバイス。
【請求項２２９】
前記薬剤の前記貯蔵形態が、
第１の成分と、
前記第１の成分とは別に貯蔵された第２の成分と、を含み、
前記第１の成分と前記第２の成分との混合物が、前記薬剤の前記放出可能な形態を含む、請求項２２８に記載のデバイス。
【請求項２３０】
前記準備が、前記薬剤の送達前の前記容器からの空気の放出を含む、請求項２２７に記載のデバイス。
【請求項２３１】
前記第２のトリガが、前記中間路の近位部分によって支持され、前記中間路の前記近位部分が、前記近位路の遠位部分に隣接しており、前記近位路が、前記末端表面を支持し、
前記第２の段階が、前記薬剤の送達の開始である、請求項２２４に記載のデバイス。
【請求項２３２】
前記第２のトリガの近位にあり、かつ前記末端表面の遠位にある前記近位路に沿った長さが、前記ロッドの送達ストロークに対応し、前記送達ストロークが、前記容器から前記薬剤の投与量を放出する、請求項２３１に記載のデバイス。
【請求項２３３】
前記中間路が、前記軸に少なくとも部分的に平行であり、
前記近位路が、前記軸に少なくとも部分的に平行であり、前記中間路から円周方向に変位し、
前記中間路の前記近位部分及び前記近位路の前記遠位部分が、前記行路の少なくとも部分的に円周方向の路によって結合され、
動作中、前記送達ストロークが、前記行路と係合した前記ボスを前記中間路から前記円周方向路を通じて前記近位路までシフトする前記ロッドの回転によって可能になる、請求項２３２に記載のデバイス。
【請求項２３４】
前記近位路が、前記中間路から約９０度変位する、請求項２３３に記載のデバイス。
【請求項２３５】
前記送達ストロークの完了の触覚的指示が、前記末端表面に対する前記ボスの隣接によって提供される、請求項２３２に記載のデバイス。
【請求項２３６】
前記孔内での前記ロッドの遠位変位の段階で起こる前記相互作用に応じた前記ガイドの偏向が、前記相互作用の指示を生成して、前記段階の開始を信号伝達する、請求項１９０に記載のデバイス。
【請求項２３７】
前記指示が触覚的である、請求項２３６に記載のデバイス。
【請求項２３８】
前記ボス、前記ガイド、前記トリガ、前記行路、前記ロッド、前記フィンガーフランジ、及び前記容器のうちの１つ以上の１つ以上の特性が、前記指示の振幅及び前記指示の持続時間のうちの１つ以上を決定し、前記特性が、形状、潤滑性、及び弾性を含む、請求項２３７に記載のデバイス。
【請求項２３９】
前記指示が聴覚的である、請求項２３６に記載のデバイス。
【請求項２４０】
前記ボス、前記ガイド、前記トリガ、前記行路、前記ロッド、前記フィンガーフランジ、及び前記容器のうちの１つ以上の１つ以上の特性が、前記指示の振幅、前記指示のピッチ、及び前記指示の持続時間のうちの１つ以上を決定し、前記特性が、形状、潤滑性、及び弾性を含む、請求項２３９に記載のデバイス。
【請求項２４１】
薬剤送達デバイスの遠位端から薬剤の目標量を送達するための前記薬剤送達デバイスであって、前記デバイスが、長手方向軸を画定し、
前記軸と同軸上に配設され、かつ半径方向突出部を有するカラーと、
前記カラー内に同軸上に遠位隣接表面を有する近位ノブとネジ切り係合されたプランジャロッドと、を備え、
前記突出部が、前記軸を中心とした前記ノブの回転中に、前記ロッドの長手方向に延在する構造に摺動係合して、前記ロッドを回転保持し、前記長手方向に延在する構造が、前記ロッドの近位ネジ山と前記ロッドの遠位端との間に配設された長さに沿って延在し、
前記突出部が、前記長手方向に延在する構造の表面特徴部と相互作用して、近位運動から前記ロッドを長手方向に保持し、
前記回転が、前記隣接表面をデバイス指標表面から近位に前記目標量に対応する距離だけ軸方向に変位させ、
前記隣接表面と前記指標表面との間の干渉が、前記ロッドの遠位平行移動の程度を前記距離に制限し、前記平行移動が、前記遠位端から前記目標量を前進させる、前記薬剤送達デバイス。
【請求項２４２】
前記表面特徴部が、前記表面特徴部に対する前記突出部の遠位運動に対する阻止を提供する近位停止表面を有し、
前記停止表面の遠位に、前記表面特徴部が、前記表面特徴部に対する前記突出部の近位運動のための通路を提供する、請求項２４１に記載のデバイス。
【請求項２４３】
前記突出部が、
前記表面特徴部に対する前記突出部の遠位運動に対する阻止を提供する遠位停止表面を有し、
前記停止表面の近位に、前記表面特徴部が、前記表面特徴部に対する前記突出部の近位運動のための通路を提供する、請求項２４１に記載のデバイス。
【請求項２４４】
前記カラーが、ブラケットを前記突出部の遠位にさらに有し、前記ブラケットが、前記ノブと同軸上に薬剤容器を保持するように構成されており、
前記容器が、内部側壁のセグメントに沿って均一直径を画定する前記側壁によって拘束された孔を画定し、
前記ロッドの遠位端が、前記容器内のプランジャに隣接し、前記プランジャが、前記側壁と摺動係合され、
前記平行移動前に、前記プランジャが、前記容器の内側遠位端壁と前記プランジャとの間に前記薬剤の送達前量を密封し、
前記平行移動後に、前記セグメントの遠位部分が、前記内側遠位端壁と前記プランジャとの間に収容されたバルク液体残余と接触し、前記残余中の前記薬剤の量が、前記目標量を差し引いた前記送達前量以下である、請求項２４１に記載のデバイス。
【請求項２４５】
前記指標表面が、前記回転前に、前記隣接表面から長手方向にずらされ、前記カラーに向かう前記ノブの非回転遠位シフトによって前記隣接表面に対して隣接され、前記シフトが、前記送達前量を設定し、前記薬剤を送達のために準備する、請求項２４４に記載のデバイス。
【請求項２４６】
前記準備が、前記容器内で前記薬剤の成分を混合することを含む、請求項２４５に記載のデバイス。
【請求項２４７】
前記プランジャが第１のプランジャであり、前記第１のプランジャの遠位に、第２のプランジャが前記セグメントと摺動係合される、請求項２４６に記載のデバイス。
【請求項２４８】
前記混合前に、前記薬剤の液体成分が、前記容器内に前記第１のプランジャと前記第２のプランジャとの間で密封され、
前記混合が、前記容器内での前記第２のプランジャを越えて遠位の前記液体成分の移動を含み、
前記混合後に、前記第１のプランジャの遠位面が、前記第２のプランジャの近位面に隣接する、請求項２４７に記載のデバイス。
【請求項２４９】
前記準備が、前記容器をプライミングすることを含む、請求項２４５に記載のデバイス。
【請求項２５０】
前記プライミングが、前記容器からの空気の遠位放出を含む、請求項２４９に記載のデバイス。
【請求項２５１】
回転可能な指示器であって、
前記指示器の一区域を曝露する窓を画定する前記カラー内に同軸上に配設され、
前記カラーによって長手方向に保持され、
前記ノブに回転連結される、前記回転可能な指示器をさらに備える、請求項２４１に記載のデバイス。
【請求項２５２】
前記一区域が、
前記回転前に、デバイス動作の薬剤準備段階と、
前記回転後に、前記目標量と、を示す表記を提供する、請求項２５１に記載のデバイス。
【請求項２５３】
前記指示器が、薬剤準備段階の完了の触覚的指示を提供するように構成されている、請求項２５１に記載のデバイス。
【請求項２５４】
前記指示器が、薬剤準備段階の完了の聴覚的指示を提供するように構成されている、請求項２５１に記載のデバイス。
【請求項２５５】
前記指示器が、前記目標量の選択の触覚的指示を提供するように構成されている、請求項２５１に記載のデバイス。
【請求項２５６】
前記指示器が、前記目標量の選択の聴覚的指示を提供するように構成されている、請求項２５１に記載のデバイス。
【請求項２５７】
前記指標表面が、前記指示器の遠位内側表面であり、前記表面が、前記軸を横断する、請求項２５１に記載のデバイス。
【請求項２５８】
前記指標表面が、前記カラーの近位外側表面であり、前記表面が、前記軸を横断する、請求項２４１に記載のデバイス。
【請求項２５９】
前記カラーに向かう前記ノブの非回転遠位運動が、前記指標表面を前記隣接表面に対して隣接させ、前記干渉が、前記遠位端からの前記薬剤の前進を終了させる、請求項２４１に記載のデバイス。
【請求項２６０】
前記干渉が、前記前進の終了の触覚的指示を提供する、請求項２４１に記載のデバイス。
【請求項２６１】
薬剤送達デバイスの遠位端から薬剤の目標量を送達するための前記薬剤送達デバイスであって、前記デバイスが、長手方向軸を画定し、
前記軸と同軸上に配設され、かつ行路を有するカラーであって、前記行路が、
螺旋形路と、
長手方向路と、を含む、前記カラーと、
前記カラー内に同軸上に配設されたプランジャロッドであって、ボスを有する近位ノブと係合される、前記プランジャロッドと、を備え、
前記ボスが、
前記軸を中心とした前記ノブの回転中に、前記螺旋形路に摺動係合し、前記回転が、前記長手方向路に向かって前記ボスを前進させ、
前記ノブの長手方向平行移動中に、前記長手方向路に摺動係合し、
前記平行移動が、
前記ボスと前記長手方向路の遠位末端表面との間の干渉によって限界決定され、
前記遠位端から前記目標量を前進させる、前記薬剤送達デバイス。
【請求項２６２】
前記長手方向路が、前記螺旋形路と交差し、
前記回転が、前記長手方向路の横方向表面に対する前記ボスの隣接によって限界決定され、
前記隣接が、前記ボスを前記長手方向路と円周方向に整列させ、
前記長手方向路が、前記平行移動中に前記ノブを回転保持し、前記隣接の位置から長手方向程度で前記目標量に対応し、
前記干渉が、
前記カラーに対する前記ボスの動きを、前記末端表面から離れて、かつ前記軸に平行に方向付けられた動きに制限し、
前記遠位端からの薬剤の前進を終了させる、請求項２６１に記載のデバイス。
【請求項２６３】
前記カラーが、前記ノブと同軸上に、かつその遠位に薬剤容器を保持するように構成されたブラケットをさらに有し、
前記容器が、内部側壁のセグメントに沿って均一直径を画定する前記側壁によって拘束された孔を画定し、
前記ロッドの遠位端が、前記容器内のプランジャに隣接し、前記プランジャが、前記側壁と摺動係合され、
前記平行移動前に、前記プランジャが、前記容器の内側遠位端壁と前記プランジャとの間に前記薬剤の送達前量を密封し、
前記平行移動後に、前記セグメントの遠位部分が、前記内側遠位端壁と前記プランジャとの間に収容されたバルク液体残余と接触し、前記残余中の前記薬剤の量が、前記目標量を差し引いた前記所定の量以下である、請求項２６１に記載のデバイス。
【請求項２６４】
前記回転が前記送達前量を設定し、前記回転が前記薬剤を送達のために準備する、請求項２６３に記載のデバイス。
【請求項２６５】
前記準備が、前記容器内で前記薬剤の成分を混合することを含む、請求項２６４に記載のデバイス。
【請求項２６６】
前記プランジャが第１のプランジャであり、前記第１のプランジャの遠位に、第２のプランジャが前記セグメントと摺動係合される、請求項２６５に記載のデバイス。
【請求項２６７】
前記混合前に、前記薬剤の液体成分が、前記容器内に前記第１のプランジャと前記第２のプランジャとの間で密封され、
前記混合が、前記容器内での前記第２のプランジャを越えて遠位の前記液体成分の移動を含み、
前記混合後に、前記第１のプランジャの遠位面が、前記第２のプランジャの近位面に隣接する、請求項２６６に記載のデバイス。
【請求項２６８】
前記準備が、前記容器をプライミングすることを含む、請求項２６４に記載のデバイス。
【請求項２６９】
前記プライミングが、前記容器からの空気の遠位放出を含む、請求項２６８に記載のデバイス。
【請求項２７０】
前記螺旋形路が、前記カラーの外表面から半径方向内方に延在し、
前記長手方向路が、前記外表面から半径方向内方に延在する、請求項２６２に記載のデバイス。
【請求項２７１】
前記ノブが、前記ノブの長さに沿って前記カラーを同心円状に取り囲んで配設され、
前記摺動係合されたボスが、半径方向内方に延在する、請求項２７０に記載のデバイス。
【請求項２７２】
前記カラーが、前記末端表面の遠位に長手方向ドックをさらに有し、前記ドックが、前記長手方向路と円周方向に整列し、
前記ノブが、前記ボスを越えて遠位に延在する長手方向アーム上に前記ボスを支持し、前記アームの輪郭が、前記ドックの輪郭と相補的であり、
前記隣接が、前記アームを前記ドックと円周方向に整列させ、前記回転の完了の指示を提供し、
前記平行移動が、前記アームを前記ドック内に前進させる、請求項２７１に記載のデバイス。
【請求項２７３】
前記螺旋形路が、前記カラーの内表面から半径方向外方に延在し、
前記長手方向路が、前記内表面から半径方向外方に延在する、請求項２６２に記載のデバイス。
【請求項２７４】
前記ノブが、前記ノブの長さに沿って前記カラー内に同心円状に配設され、
前記摺動係合されたボスが、半径方向外方に延在する、請求項２７３に記載のデバイス。
【請求項２７５】
前記カラーが、前記円筒外表面に沿って表記をさらに有し、
前記螺旋形路に隣接した前記表記の一部分が、デバイス動作の薬剤準備段階を示し、
前記長手方向路に隣接した前記表記の一部分が、前記デバイス動作の薬剤送達段階を示し、
前記表記に対する前記摺動係合されたボスの位置が、前記デバイス動作の段階の指示を提供する、請求項２７４に記載のデバイス。
【請求項２７６】
前記螺旋形路がトリガを支持し、前記ボスが、前記ボスと前記トリガとの間の相互作用に応じて偏向するように構成されたアームによって支持され、前記相互作用が、前記トリガの位置での前記ボスの係合の指示を提供する、請求項２６１に記載のデバイス。
【請求項２７７】
前記トリガの前記位置が、前記螺旋形路の端に隣接しており、
前記端が近位端であり、前記指示が、前記回転の開始に対応し、
前記端が遠位端であり、前記指示が、前記回転の開始に対応する、請求項２７６に記載のデバイス。
【請求項２７８】
前記指示が触覚的である、請求項２７６に記載のデバイス。
【請求項２７９】
前記指示が聴覚的である、請求項２７６に記載のデバイス。
【請求項２８０】
前記隣接が、デバイス動作の薬剤準備段階の完了の触覚的指示を提供する、請求項２６２に記載のデバイス。
【請求項２８１】
前記隣接が、デバイス動作の薬剤準備段階の完了の聴覚的指示を提供する、請求項２６２に記載のデバイス。
【請求項２８２】
前記干渉が、デバイス動作の薬剤送達段階の完了の指示を提供する、請求項２６２に記載のデバイス。
【発明の詳細な説明】
【技術分野】
【０００１】
関連出願の相互参照
本出願は、参照により全体が本明細書に組み込まれる、２０１４年１２月８日出願の米国出願第６２／０８８，８４４号の非仮出願である。
【背景技術】
【０００２】
事前充填されたシリンジは、多くの場合、シリンジからの薬剤の放出によって患者に薬剤を送達するために使用される。
【０００３】
放出前に、事前充填されたシリンジは、放出可能な形態で、あるいは放出可能な形態への変換を必要とする形態で薬剤を含有することが多い。この変換は、多くの場合、最初はシリンジ内で別々に維持されている薬剤成分を一緒に混合することを伴う。
【０００４】
放出前に、薬剤の放出可能な形態は、摺動可能なシリンジプランジャと放出開孔を画定するシリンジの遠位内側端との間のシリンジ内に収容されていることが多く、プランジャは、シリンジの内壁に対して円周方向に密封する。
【０００５】
密封は、静摩擦が相当である場合、内壁から取り除かれるための力を必要とし得る。この力が操作者の親指で押す等の長手方向推進力によって加えられた場合、この推進力は密封を取り除くのに十分なエネルギーを提供することができるが、密封が取り除かれると、プランジャの変位に対する操作者の制御が損なわれる場合もある。
【０００６】
シリンジの遠位端を上方に配向させた状態で、シリンジからの空気の放出（「プライミング」）が、遠位内側端に向かうプランジャの変位によって達成され得る。プライミングは、放出開孔及び遠位に取り付けられた送達針を通じて空気を追い出し、それ故に針に薬剤を充填する。
【０００７】
プライミング後、薬剤の送達の開始前に、針が患者に挿入される。薬剤の送達が、遠位内側端に向かうプランジャのさらなる変位によって達成される。遠位内側端に向かうプランジャの変位の程度により、患者に送達される薬剤の体積が決定される。
【０００８】
典型的には、薬剤を送達するプランジャ変位の程度（「送達ストローク」）は、遠位内側端に対するプランジャの「底到達」によって制限される。底到達は、典型的には、プランジャの柔軟な材料の変形を伴い、この変形は、多くの場合、針貫通遠位止め具の柔軟な材料を含み得る遠位内側端に対するものである。
【０００９】
送達ストロークの程度、ひいては送達される薬剤の体積は、プランジャ及び／または止め具の変形に敏感であることが多い。かかる変形の程度は、多くの場合、信頼できる程度に繰り返し可能ではない。底到達は、低体積の薬剤に信頼できる送達機構を提供することができない。
【００１０】
混合、プライミング、または送達等のシリンジ動作の段階を達成する操作者の操作により、送達開始時のシリンジ内に残存している薬剤の体積に影響が及ぼされる。典型的には、操作中に送達前段階が完了した時点及び送達を開始すべき時点を操作者に示すフィードバックがほとんどまたは全くない。シリンジ動作の段階の進展のかかる指示なしでは、送達される薬剤は、送達開始前に損失してしまう場合がある。あるいは、送達前段階後にシリンジ内に残存している薬剤の体積は、所望の送達体積を上回り得る。低体積送達の場合、薬剤のかかる損失または超過分は、所望の体積のかなりの部分に相当し得る。
【００１１】
したがって、底到達の信頼性が改善された低体積薬剤送達装置及び方法を提供することが望ましいであろう。
【００１２】
それ故に、容器の壁から密封を取り除くときにプランジャ変位に対する操作者の制御を増大させるための装置及び方法を提供することも望ましいであろう。
【００１３】
したがって、シリンジ動作の段階の進展の指示を提供する装置及び方法を提供することも望ましいであろう。
【００１４】
本発明の目的及び利点は、図面を通じて同様の参照文字が同様の部品を指す添付の図面と併せて以下の発明を実施するための形態を考慮することにより明らかになるであろう。
【発明の概要】
【課題を解決するための手段】
【００１５】
低体積薬剤送達装置及び方法が提供される。本装置を使用して、本方法の１つ以上のステップを行うことができる。本方法は、本装置のうちの１つ以上の製造方法を含み得る。
【００１６】
例示の実施形態が以下に示され、記載されている。実施形態のうちのいずれかに関連して示され、かつ記載される構造、材料、体積、機能、及び他の属性等の特徴は、互いに全体的もしくは部分的に組み合わせられてもよく、または他の実施形態に全体的もしくは部分的に含まれてもよい。
【００１７】
本装置及び方法は、所定の低体積の薬剤を送達し得る。所定の低体積の薬剤は、所定の量の薬剤を含み得る。所定の低体積の薬剤は、目標量の薬剤を含み得る。送達は、シリンジ送達ストロークを伴い得る。送達ストロークは、プランジャロッドによる薬剤の遠位変位を伴い得る。プランジャロッドは、行路を含み得る。行路は、ロッドに沿った所定の長さを有し得る。行路は、末端表面を含み得る。末端表面は、所定の長さを近位に制限し得る。
【００１８】
操作者は、プランジャロッドガイドを通じてロッドを遠位に変位させ得る。プランジャロッドガイドは、ボスを含み得る。ボスは、行路と係合され得る。ロッドの遠位変位、ひいては送達ストロークは、ボスに対する末端表面の隣接によって終了し得る。隣接は、薬剤を放出するように構成された遠位シリンジ止め具と止め具に向かってロッドによって遠位に変位する摺動可能なシリンジプランジャとの間の空間内に送達されていない薬剤の所定の残留体積を残し得る。
【００１９】
プランジャ及び止め具の材料を上回るロッド及びガイドの材料の硬度により、止め具に対するプランジャの底到達に関連し得る体積の不確実性なしに、送達ストローク、ひいては送達される薬剤の体積の信頼できる設定が容易になり得る。
【００２０】
本装置及び方法は、送達ストローク等のロッド変位の段階の開始及び／または完了、ならびにプライミング等の送達前段階等のシリンジ動作の段階の進展の指示を操作者に提供し得る。ガイドは、ボスと行路に沿って配設されたトリガとの相互作用に応じて偏向するように構成され得る。トリガは、段階のうちの１つの開始及び／または完了に対応する位置に配設され得る。ガイドの偏向は、例えば、シリンジプライミングから送達ストロークへの移行時を示し得る。
【００２１】
本装置は、薬剤の送達用の送達デバイスを含み得、本方法は、それを伴い得る。デバイスは、長手方向軸を画定し得る。長手方向軸は、近位方向及び遠位方向を画定し得る。長手方向軸は、長手方向軸に垂直な半径方向を画定し得る。長手方向軸は、長手方向軸を中心とした円周方向を画定し得る。デバイスは、遠位端を有し得る。デバイスは、薬剤の所定の量を遠位に送達するように構成され得る。この量は、上述の体積のうちのいずれか等の任意の好適な体積を有し得る。
【図面の簡単な説明】
【００２２】
【図１】装置の内部特徴部の概観を提供する外部特徴部の切断図を含む、本発明の原理に従う装置の斜視図である。
【図２】図１に示される装置の分解斜視図である。
【図２Ａ】図２に示される装置の部分断面図であり、線Ａ−Ａ（図２に示される）に沿って切り取られた図である。
【図２Ｂ】図２に示される装置の部分断面図であり、線Ｂ−Ｂ（図２に示される）に沿って切り取られた図である。
【図２Ｃ】図２に示される装置の部分断面図であり、線Ｃ−Ｃ（図２に示される）に沿って切り取られた図である。
【図３】図１に示される装置の部分断面図であり、線３−３（図１に示される）に沿って切り取られた図である。
【図４Ａ】本発明の原理に従う装置の斜視図である。
【図４Ｂ】図４Ａに示される装置の拡大詳細図である。
【図５】本発明の原理に従う装置の斜視図である。
【図６】本発明の原理に従う装置の斜視図である。
【図７】本発明の原理に従う装置の斜視図である。
【図８】本発明の原理に従う装置の斜視図である。
【図９】本発明の原理に従う装置の斜視図である。
【図１０】本発明の原理に従う装置の端面図である。
【図１１】図１０に示される装置を含む、本発明の原理に従う装置の分解斜視図である。
【図１２】図１１に示される装置の別の斜視図である。
【図１３】図１１に示される装置の別の斜視図である。
【図１４】本発明の原理に従う装置の端面図である。
【図１５】図１４に示される装置を含む、本発明の原理に従う装置の分解斜視図である。
【図１６】図１５に示される装置の別の斜視図である。
【図１７】本発明の原理に従う装置の端面図である。
【図１８】図１７に示される装置の斜視図である。
【図１９】図１７に示される装置の斜視部分断面図であり、線１９−１９（図１７に示される）に沿って切り取られた図である。
【図２０】図１７に示される装置の別の斜視部分断面図であり、線２０−２０（図１８に示される）に沿って切り取られた図である。
【図２１】図１７に示される装置の別の斜視図である。
【図２２】図１７に示される装置を含む、本発明の原理に従う装置の分解斜視図である。
【図２３】図２２に示される装置の別の斜視図である。
【図２４】本発明の原理に従う装置の端面図である。
【図２５】図２４に示される装置を含む、本発明の原理に従う装置の分解斜視図である。
【図２６】図２５に示される装置の別の斜視図である。
【図２７】図２５に示される装置の別の斜視図である。
【図２８】本発明の原理に従う装置の斜視図である。
【図２９】図２８に示される装置の分解斜視図である。
【図３０】図２８に示される装置の部分断面図であり、線３０−３０（図２８に示される）に沿って切り取られた図である。
【図３１Ａ】図２９に示される装置の拡大詳細図である。
【図３１Ｂ】図２９に示される装置の拡大詳細図である。
【図３２】本発明の原理に従う装置の斜視図である。
【図３３】本発明の原理に従う装置の斜視図である。
【図３３Ａ】本発明の原理に従う装置の斜視図である。
【図３４】図３３に示される装置の部分断面図であり、線３４−３４（図３３に示される）に沿って切り取られた図である。
【図３５】図３３に示される装置の部分断面図であり、線３５−３５（図３３に示される）に沿って切り取られた図である。
【図３６】本発明の原理に従う装置の端面図である。
【図３７Ａ】本発明の原理に従う装置の斜視図である。
【図３７Ｂ】本発明の原理に従う装置の斜視図である。
【図３８Ａ】本発明の原理に従う装置の斜視図である。
【図３８Ｂ】本発明の原理に従う装置の斜視図である。
【図３８Ｃ】本発明の原理に従う装置の斜視図である。
【図３９】本発明の原理に従う装置の斜視図である。
【図４０】本発明の原理に従う装置の分解斜視図である。
【図４１】図４０に示される装置の斜視図である。
【図４２】図４１に示される装置の部分断面図であり、線４２−４２（図４１に示される）に沿って切り取られた図である。
【図４３】本発明の原理に従う装置の斜視図である。
【図４３Ａ】本発明の原理に従う装置の斜視図である。
【図４４】本発明の原理に従う装置の斜視図である。
【図４５】本発明の原理に従う装置の斜視図である。
【図４６】本発明の原理に従う装置の斜視図である。
【図４７】本発明の原理に従う装置の斜視図である。
【図４８】本発明の原理に従う装置の斜視図である。
【図４９】本発明の原理に従う装置の斜視図である。
【図５０】本発明の原理に従う装置の斜視図である。
【図５１】本発明の原理に従う装置の斜視図である。
【図５２】本発明の原理に従う装置の斜視図である。
【図５３】本発明の原理に従う装置の斜視図である。
【図５４】本発明の原理に従う装置の斜視図である。
【図５４Ａ】本発明の原理に従う装置の斜視図である。
【図５５】図５４に示される装置の分解斜視図である。
【図５６】本発明の原理に従う装置の部分断面図である。
【図５７】本発明の原理に従う装置の部分断面図である。
【図５８】本発明の原理に従う装置の部分断面図である。
【図５９】本発明の原理に従う装置の部分断面図である。
【図６０】本発明の原理に従う装置の斜視図である。
【図６０Ａ】本発明の原理に従う装置の斜視図である。
【図６１】本発明の原理に従う装置の分解斜視図である。
【図６２】本発明の原理に従う装置の部分断面図である。
【図６３】本発明の原理に従う装置の部分断面図である。
【図６４】本発明の原理に従う装置の部分断面図である。
【図６５】本発明の原理に従う装置の部分断面図である。
【図６６】本発明の原理に従う装置の斜視図である。
【図６７】本発明の原理に従う装置の分解斜視図である。
【図６８】本発明の原理に従う装置の分解斜視図である。
【図６９】本発明の原理に従う装置の斜視図である。
【図７０】図６９に示される装置の部分断面斜視図であり、線７０−７０（図６９に示される）に沿って切り取られた図である。
【図７０Ａ】図７０に示される装置の拡大詳細図である。
【図７１】図７０に示される装置の断面図であり、線７１−７１（図７０に示される）に沿って切り取られた図である。
【図７２】図７０に示される装置の部分断面図であり、線７２−７２（図７０に示される）に沿って切り取られた図である。
【図７３】本発明の原理に従う装置の部分断面斜視図である。
【図７４】図７３に示される装置の断面図であり、線７４−７４（図７３に示される）に沿って切り取られた図である。
【図７５】図７３に示される装置の部分断面図であり、線７５−７５（図７３に示される）に沿って切り取られた図である。
【図７６】本発明の原理に従う装置の部分断面斜視図である。
【図７７】図７６に示される装置の断面図であり、線７７−７７（図７６に示される）に沿って切り取られた図である。
【図７８】図７６に示される装置の部分断面図であり、線７８−７８（図７６に示される）に沿って切り取られた図である。
【図７９】本発明の原理に従う装置の斜視図である。
【図８０】本発明の原理に従う装置の斜視図である。
【図８１】図８０に示される装置の部分断面斜視図であり、線８１−８１（図８０に示される）に沿って切り取られた図である。
【図８２】本発明の原理に従う装置の斜視図である。
【図８３】本発明の原理に従う装置の斜視図である。
【図８４】図８３に示される装置の分解斜視図である。
【図８５】図８３に示される装置の部分分解斜視図である。
【図８６】図８５に示される装置の断面図であり、線８６−８６（図８５に示される）に沿って切り取られた図である。
【図８７】本発明の原理に従う装置の斜視図である。
【図８８】図８５に示される装置の部分断面斜視図であり、線８８−８８（図８５に示される）に沿って切り取られた図である。
【図８９】図８８に示される装置の別の図である。
【図９０】本発明の原理に従う装置の斜視図である。
【図９１】図９０に示される装置の部分断面斜視図であり、線９１−９１（図９０に示される）に沿って切り取られた図である。
【図９２】図９０に示される装置の断面図であり、線９２−９２（図９０に示される）に沿って切り取られた図である。
【図９３】本発明の原理に従う装置の斜視図である。
【図９３Ａ】本発明の原理に従う装置の斜視図である。
【図９４】図９３に示される装置の断面図であり、線９４−９４（図９３に示される）に沿って切り取られた図である。
【図９５】本発明の原理に従う装置の斜視図である。
【図９５Ａ】本発明の原理に従う装置の斜視図である。
【図９６】図９５に示される装置の断面図であり、線９６−９６（図９５に示される）に沿って切り取られた図である。
【図９７】装置の内部特徴部の概観を提供する外部特徴部の切断図を含む、本発明の原理に従う装置の斜視図である。
【図９８】装置の内部特徴部の概観を提供する外部特徴部の切断図を含む、本発明の原理に従う装置の斜視図である。
【図９９】装置の内部特徴部の概観を提供する外部特徴部の切断図を含む、本発明の原理に従う装置の斜視図である。
【図１００】本発明の原理に従う装置の斜視図である。
【図１０１】図１００に示される装置の部分断面斜視図であり、線１０１−１０１（図１００に示される）に沿って切り取られた図である。
【図１０２】本発明の原理に従う装置の斜視図である。
【発明を実施するための形態】
【００２３】
デバイスは、プランジャロッドを含み得る。デバイスは、ノブを含み得る。ノブは、ロッドに関連して上述されるもの等の任意の好適な材料を含み得る。ノブは、デバイスの近位端に配設され得る。ノブは、ロッドに取り付けられ得る。ノブは、ロッドと一体であり得る。ロッド及びノブは、単一部分品を構成し得る。
【００２４】
ノブは、軸を中心として旋回し得る。ノブの旋回により、ロッドが軸を中心として旋回し得る。ノブは、軸に沿って遠位に押し込まれ得る。ロッドを遠位に押し込むことにより、ロッドが軸に沿って遠位に動かされ得る。
【００２５】
ノブは、軸を横断する断面を有し得る。断面は、円形であり得る。断面は、楕円形であり得る。断面は、任意の好適な形状のものであり得る。任意の好適な形状は、多角形形状を含み得る。断面は、外周によって境界付けられ得る。
【００２６】
ノブは、外周に沿った旋回隆起部を含み得る。旋回隆起部は、ノブの牽引を容易にし得る。旋回隆起部は、ノブの把持を容易にし得る。旋回隆起部は、ノブの旋回を容易にし得る。
【００２７】
ノブは、ノブの近位端を含み得る。近位端は、押し込み特徴部を含み得る。押し込み特徴部は、ロッドの押し込みを容易にし得る。押し込み特徴部は、ノブの牽引を容易にし得る。押し込み特徴部は、押し込みパッドを含み得る。押し込みパッドは、滑らかに輪郭形成され得る。押し込み特徴部は、押し込み隆起部を含み得る。押し込み隆起部は、軸を中心として同心であり得る。
【００２８】
ロッドは、行路を画定し得る。行路は、ロッド内に陥凹部を含み得る。陥凹部は、ロッドの円筒表面内に半径方向に延在し得る。陥凹部は、ロッドの円筒表面に沿って延在し得る。陥凹部は、円筒表面に沿って延在する溝であり得る。長手方向軸からの陥凹部の床部の半径方向距離は、ロッドの円筒半径未満であり得る。
【００２９】
行路は、隆起要素を含み得る。隆起要素は、円筒表面から半径方向外方に延在し得る。隆起要素は、円筒表面に沿って延在し得る。隆起要素は、円筒表面に沿って走るリブであり得る。長手方向軸からの隆起要素の上部の半径方向距離は、ロッド半径を超え得る。
【００３０】
行路は、トリガを画定し得る。陥凹部の辺縁は、トリガを画定し得る。隆起要素の一部分が、トリガを画定し得る。
【００３１】
行路は、トリガを含み得る。行路は、トリガを支持し得る。行路は、トリガを直接支持し得る。陥凹部の辺縁は、トリガを支持し得る。隆起要素の一部分が、トリガを支持し得る。
【００３２】
行路は、トリガを間接的に支持し得る。行路は、可撓性パネルを含み得る。行路は、可撓性パネルを支持し得る。可撓性パネルは、トリガを支持し得る。
【００３３】
行路は、第１の行路であり得る。ロッドは、第２の行路を画定し得る。ロッドは、２つより多くの行路を画定し得る。２つ以上の行路は、円筒表面に沿って互いに平行に配設され得る。
【００３４】
デバイスは、プランジャロッドガイドを含み得る。ガイドは、通行路を画定し得る。ロッドは、通行路内に配設され得る。ロッドは、長手方向軸と同軸上にあり得る。ロッドは、長手方向軸に対して、デバイスに平行に遠位から近位に配設され得る。行路は、ロッドの円筒表面に沿ってロッドの遠位端の近位にあり得る。
【００３５】
ガイドは、ボスを支持し得る。ボスは、ある形状、すなわち、少なくとも部分的に、円筒形、立方形、ピラミッド形、四面体形、楕円形、半球形、または任意の他の好適な形状のものであり得る。任意の他の好適な形状は、角柱を含み得る。任意の他の好適な形状は、列記された形状のうちのいずれかの不規則形態を含み得る。任意の他の好適な形状は、列記された形状のうちのいずれかの切断形態を含み得る。任意の他の好適な形状は、列記された形状のうちのいずれかの２つ以上の組み合わせを含み得る。組み合わせは、ドームキャップ円筒を含み得る。組み合わせは、丸み付けられた頂点を有する段付き四面体形を含み得る。
【００３６】
ボスは、行路でロッドに係合し得る。ボスは、行路の側面に対して位置付けられ得る。ボスは、行路の側面と並んで維持され得る。可撓性パネルは、行路の側面によって支持され得る。可撓性パネルは、行路の側面と実質的に同一平面上にあり得る。ボスは、行路の走行表面に対して位置付けられ得る。ボスは、行路の走行表面に対して維持され得る。可撓性パネルは、行路の走行表面によって支持され得る。可撓性パネルは、行路の走行表面と実質的に同一平面上にあり得る。走行表面は、陥凹部の床部であり得る。走行表面は、隆起要素の上部であり得る。
【００３７】
ボスは、行路内に半径方向に延在し得る。ボスは、陥凹部内に延在し得る。ボスは、陥凹部内に位置付けられ得る。ボスは、陥凹部内に維持され得る。
【００３８】
ボスは、隆起要素に隣接して位置付けられ得る。ボスは、隆起要素に隣接して維持され得る。ボスは、隆起要素の上部に対して位置付けられ得る。ボスは、リブと並んで位置付けられ得る。ボスは、リブと並んで維持され得る。ボスは、リブをまたいで位置付けられ得る。
【００３９】
ボスとトリガは、相互作用し得る。ガイドは、ボスとトリガとの間の相互作用に応じて偏向するように構成され得る。ガイドは、長手方向軸に対して半径方向に偏向するように構成され得る。
【００４０】
可撓性パネルは、ボスとトリガとの間の相互作用に応じて偏向するように構成され得る。可撓性パネルは、長手方向軸に対して半径方向に偏向するように構成され得る。可撓性パネルは、ロッドに対して半径方向に偏向するように構成され得る。可撓性パネルは、行路の走行表面に対して半径方向に偏向するように構成され得る。可撓性パネルは、長手方向軸に対して横方向に偏向するように構成され得る。可撓性パネルは、行路の側面に対して横方向に偏向するように構成され得る。
【００４１】
ガイドの偏向及び可撓性パネルの偏向は、各々ボスとトリガとの相互作用に応じて同時に起こる。
【００４２】
ガイドは、ボスがボスとトリガとの相互作用に応じて実質的に偏向しないように構成され得る。可撓性パネルの偏向は、ボスがボスとトリガとの相互作用に応じて実質的に偏向しないように構成されたガイドによって強化され得る。
【００４３】
ロッドは、可撓性パネルなしで構成され得る。
【００４４】
トリガは、突起部を含み得る。突起部は、陥凹部の辺縁によって支持され得る。突起部は、隆起要素の一部分によって支持され得る。突起部は、可撓性パネルの一部分によって支持され得る。突起部は、ボスとの相互作用に好適な任意の形状のものであり得る。トリガは、行路の厚くなった側面を含み得る。トリガは、行路の幅の収縮を画定し得る。
【００４５】
相互作用は、ボスとトリガとの間の干渉であり得る。ガイドは、長手方向軸から離れて偏向するように構成され得る。可撓性パネルは、長手方向軸に向かって偏向するように構成され得る。
【００４６】
トリガは、陥没部を含み得る。陥没部は、陥凹部の辺縁によって画定され得る。陥没部は、隆起要素の一部分によって画定され得る。陥没部は、可撓性パネルの一部分によって画定され得る。陥没部は、ボスとの相互作用に好適な任意の形状のものであり得る。トリガは、行路の薄くなった側面を含み得る。トリガは、行路の拡張を画定し得る。
【００４７】
相互作用は、トリガに対するボスの付勢であり得る。ガイドは、長手方向軸に向かって偏向するように構成され得る。可撓性パネルは、長手方向軸から離れて偏向するように構成され得る。
【００４８】
デバイスは、筐体を含み得る。筐体は、長手方向軸と同軸上に配設され得る。筐体は、長手方向軸に対して、デバイスに平行に遠位から近位に配設され得る。筐体は、開口部を画定し得る。開口部は、筐体の近位に配設され得る。開口部は、近位筐体開口部であり得る。ガイドは、近位筐体開口部内に配設され得る。
【００４９】
ガイドは、筐体の一部であり得る。ガイドは、筐体の一部として製造され得る。筐体の一部としてのガイドの製造は、成形プロセスによって達成され得る。筐体の一部としてのガイドの製造は、射出成形プロセスによって達成され得る。筐体の一部としてのガイドの製造は、オーバーモールディングプロセスによって達成され得る。筐体の一部としてのガイドの製造は、同時注入プロセスによって達成され得る。
【００５０】
ガイドは、筐体とは別個であり得る。ガイドは、筐体とは別個に製造され得る。ガイドは、筐体とは別個に成形され得る。ガイドは、筐体に添着され得る。ガイドは、ガイドアンカー固定要素を含み得る。筐体は、ガイドアンカー固定要素と構造的に相補的なガイドアンカー固定受入要素を含み得る。ガイドは、ガイドアンカー固定要素をガイドアンカー固定受入要素と嵌合することによって筐体に添着され得る。
【００５１】
デバイスは、薬剤容器を含み得る。容器は、筐体内に配設され得る。容器は、ガイドの遠位に配設され得る。容器は、孔を画定し得る。孔は、内壁によって拘束され得る。内壁は、内壁のセグメントに沿って実質的に均一の直径を画定し得る。
【００５２】
ロッドは、容器から薬剤を放出するための孔内で筐体に対して遠位に変位するように構成され得る。ロッドは、ボスが行路の末端表面に隣接するまで遠位に変位し得る。
【００５３】
行路は、末端表面を含み得る。行路は、末端表面を支持し得る。行路は、トリガの近位に末端表面を支持し得る。末端表面は、行路の近位端壁の遠位表面であり得る。端壁は、行路の側壁であり得る。端壁は、行路の側面に直角であり得る。端壁は、行路の走行表面に直角であり得る。端壁は、端壁の遠位表面を越えて行路に沿ったボスの相対近位運動を阻止し得る。
【００５４】
末端表面に対するボスの隣接は、遠位方向へのロッドの動きを実質的に制限し得る。行路は、側壁を含み得る。末端表面に隣接した側壁は、ボスが末端表面に隣接すると、遠位方向へのロッドの動きを実質的に制限し得る。末端表面に隣接した行路側壁は、ボスが末端表面に隣接すると、円周方向へのロッド動きを実質的に制限し得る。末端表面の遠位の行路側壁は、ボスが末端表面に隣接すると、遠位方向へのロッドの動きを実質的に制限し得る。末端表面の遠位の行路側壁は、ボスが末端表面に隣接すると、円周方向へのロッドの動きを実質的に制限し得る。
【００５５】
末端表面に対するボスの隣接は、隣接後に、ロッドの動きをボスから離れる近位方向への運動に実質的に制限し得る。ボスの末端表面への隣接は、ロッドに対して、ボスの動きを末端表面から実質的に軸方向に離れた運動に制限し得る。
【００５６】
内壁のセグメントは、遠位部分を含み得る。遠位部分は、ボスが末端表面に隣接した後に、薬剤のバルク液体残余とデバイスの動作中に接触し得る。遠位部分は、ボスが末端表面に隣接した後でさえも、バルク液体残余で湿らされ得る。遠位部分は、残余と直接接触し得る。遠位部分は、ボスが末端表面に隣接した後でさえも、残余と直接接触し得る。
【００５７】
デバイスは、プランジャを含み得る。プランジャは、内壁に対して摺動可能に密封する少なくとも１つのプランジャであり得る。プランジャは、容器内に配設され得る。プランジャは、ロッドの遠位に配設され得る。プランジャは、ロッドの遠位変位に応じて遠位に摺動するように構成され得る。
【００５８】
デバイスは、止め具を含み得る。止め具は、容器の遠位端を密封し得る。容器の遠位端は、遠位容器開口部を画定し得る。遠位止め具の近位本体区分は、遠位容器開口部内に配設され得る。遠位止め具の近位本体区分は、遠位容器開口部の近位の容器の内壁に対して密封し得る。
【００５９】
止め具は、遠位表面を含み得る。遠位表面は、軸を横断して配設され得る。止め具の遠位表面の近位の止め具の遠位本体区分は、容器の遠位端の外径を超える外径を有し得る。止め具の遠位本体区分の近位周縁は、遠位容器開口部を取り囲む容器の端壁に対して密封し得る。
【００６０】
筐体は、遠位保持隆起部を含み得る。遠位保持隆起部は、軸を横断して配設され得る。遠位保持隆起部は、筐体の壁の内部の一部であり得る。遠位保持隆起部は、筐体の遠位開口部を取り囲む筐体の遠位端壁の近位にあり得る。筐体の遠位開口部は、遠位筐体開口部であり得る。遠位筐体開口部は、内径を有し得る。遠位筐体開口部の内径は、遠位止め具の遠位本体区分の外径未満であり得る。遠位止め具の遠位本体区分の外径は、容器の外径と実質的に同じであり得る。容器の外径は、遠位保持隆起部の近位の筐体の内径未満であり得る。容器は、容器の遠位端が遠位止め具によって密封された状態で、筐体内にガイドの遠位面と遠位保持隆起部との間で配設され得る。
【００６１】
薬剤の放出前に、薬剤は、容器内に止め具と少なくとも１つのプランジャとの間で密封され得る。止め具は、針によって貫通されるように構成され得る。針は、カニューレを有し得る。カニューレは、容器から放出される薬剤を遠位に移動させるように構成され得る。
【００６２】
カニューレは、直接針を通じて患者に薬剤を移動させるように構成され得る。
【００６３】
カニューレは、間接的に針を通じて患者に薬剤を移動させるように構成され得る。針は、第１の針であり得る。デバイスは、第２の針を含み得る。第１の針のカニューレは、第２の針に薬剤を移動させるように構成され得る。第２の針は、直接患者に薬剤を移動させるように構成され得る。デバイスは、フィルタを含み得る。フィルタは、インラインフィルタであり得る。フィルタは、第１の針と第２の針との間に配設され得る。フィルタは、第１の針のカニューレから放出される薬剤を受容し得る。フィルタは、第１の針のカニューレから放出される薬剤を濾過し得る。第２の針は、フィルタによって濾過される薬剤を受容し得る。第２の針は、フィルタによって濾過される薬剤を患者に移動させ得る。
【００６４】
薬剤は、１つ以上の化合物の製剤を含み得る。化合物は、天然に存在する物質を含み得る。化合物は、天然に存在する物質由来の物質を含み得る。化合物は、合成的に生成された物質を含み得る。化合物は、キメラ物質を含み得る。化合物は、操作された物質を含み得る。化合物は、ヒト化物質を含み得る。化合物は、組換え技法によって生成された物質を含み得る。化合物は、組換え技法によって修飾された物質を含み得る。
【００６５】
化合物は、患者の治療的処置に認められた薬物を含み得る。化合物は、治療プロトコルで使用される物質を含み得る。化合物は、診断プロトコルで使用される物質を含み得る。化合物は、実験プロトコルで使用される物質を含み得る。化合物は、本発明の装置及び方法との使用に適合性の物質を含み得る。
【００６６】
薬剤は、本明細書に列記される任意の医薬剤を、単独で、または１つ以上の他の列記される医薬剤もしくは１つ以上の他の列記されていない医薬剤と組み合わせてのいずれかで含み得る。医薬剤は、抗緑内障薬、他の目薬、神経保護薬、抗菌薬、抗炎症薬（ステロイド及び非ステロイド性化合物等）、及び生物学的作用物質、例えば、ホルモン、酵素または酵素関連成分、抗体または抗体関連成分、オリゴヌクレオチド（ＤＮＡ、ＲＮＡ、低分子干渉ＲＮＡ、及び他の好適なオリゴヌクレオチド、例えば、アンチセンスオリゴヌクレオチド）、ＤＮＡ／ＲＮＡベクター、ウイルスまたはウイルスベクター、ペプチド、及びタンパク質を含み得る。医薬剤は、抗血管新生薬、例えば、アンギオスタチン、酢酸アネコルタブ、トロンボスポンジン、血管内皮成長因子（ＶＥＧＦ）受容体チロシンキナーゼ阻害剤、及び抗ＶＥＧＦ薬、例えば、ラニビズマブ（ＬＵＣＥＮＴＩＳ（登録商標））、ベバシズマブ（ＡＶＡＳＴＩＮ（登録商標））、ペガプタニブ（ＭＡＣＵＧＥＮ（登録商標））、スニチニブ、及びソラフェニブ、ならびに抗血管新生作用を有する様々な既知の小分子及び転写阻害剤のうちのいずれか、緑内障薬等の点眼薬、例えば、アドレナリン拮抗薬、例えば、ベータ遮断薬、例えば、アテノロール、プロプラノロール、メチプラノロール、ベタキソロール、カルテオロール、レボベタキソロール、レボブノロール、及びチモロールを含み得る。医薬剤は、血小板由来成長因子（ＰＤＧＦ）阻害剤及び抗ＰＤＧＦ薬を含み得る。医薬剤は、形質転換成長因子（ＴＧＦ）阻害剤及び抗ＴＧＦ薬を含み得る。医薬剤は、抗炎症薬、例えば、グルココルチコイド及びコルチコステロイド、例えば、ベータメタゾン、コルチゾン、デキサメタゾン、２１−リン酸デキサメタゾン、メチルプレドニゾロン、２１−リン酸プレドニゾロン、酢酸プレドニゾロン、プレドニゾロン、ロテプレドノール、メドリゾン、フルオシノロンアセトニド、トリアムシノロンアセトニド、トリアムシノロン、ベクロメタゾン、ブデソニド、フルニソリド、フルオロメトロン、フルチカゾン、ヒドロコルチゾン、酢酸ヒドロコルチゾン、及びリメキソロン、ならびに非ステロイド性抗炎症薬、例えば、ジクロフェナク、フルルビプロフェン、イブプロフェン、ブロムフェナク、ネパフェナク、ケトロラック、サリチル酸塩、インドメタシン、ナキソプレン、ナプロキセン、ピロキシカム、及びナブメトンを含み得る。医薬剤は、抗サイトカイン薬を含み得、医薬剤は、トシリズマブ（ＡＣＴＥＭＲＡ（登録商標））等の抗インターロイキン−６剤を含み得る。医薬剤は、抗補体薬、例えば、ランパリズマブ等の補体因子Ｄを標的とするもの（抗補体因子Ｄ抗体またはその抗原結合断片等）、及び補体因子Ｈを標的とするもの（抗補体因子Ｈ抗体またはその抗原結合断片等）を含み得る。医薬剤は、アンジオポエチン特異的薬、例えば、アンジオポエチン−２抗体またはその抗原結合断片を含み得る。医薬剤は、ヒト成長ホルモンを含み得る。医薬剤は、任意の好適な医薬剤を含み得る。
【００６７】
薬剤は、上述の医薬剤のうちのいずれかの１つ以上の誘導体を含み得る。薬剤は、上述の医薬剤のうちのいずれかの進行形態を含み得る。薬剤は、上述の医薬剤のうちのいずれか変異形態を含み得る。薬剤は、上述の医薬剤のうちのいずれかの組み合わせを含み得る。組み合わせは、多重特異性分子に組み込まれ得る。多重特異性分子は、その構成部分の特性を呈し得る。多重特異性分子は、その構成部分のうちのいずれとも異なる特性を呈し得る。薬剤は、上述の医薬剤のうちのいずれかのデポー、ヒドロゲル、及びペグ化形態を含み得る。薬剤は、上述の医薬剤のうちのいずれかの任意の好適な形態を含み得る。
【００６８】
薬剤の放出前に、薬剤は、容器内に貯蔵され得る。薬剤は、薬剤の放出可能な形態で貯蔵され得る。薬剤の放出可能な形態は、所望の条件下で送達のための治療シナリオ、実験シナリオ、または別のシナリオにおいて望ましい全ての医薬剤を含み得る。所望の条件は、治療活性、医薬剤濃度（複数可）、粘度、ｐＨ、イオン強度、または任意の他の好適な条件を含み得る。
【００６９】
薬剤は、薬剤の貯蔵形態で貯蔵され得る。薬剤の貯蔵形態は、薬剤の放出のための準備を必要とし得る。薬剤の放出のための準備は、薬剤の貯蔵形態から薬剤の放出可能な形態への変換を含み得る。
【００７０】
薬剤の貯蔵形態は、第１の成分を含み得る。第１の成分は、薬剤容器内に貯蔵され得る。薬剤の貯蔵形態は、第２の成分を含み得る。第２の成分は、薬剤容器内に貯蔵され得る。第２の成分は、第１の成分とは別に貯蔵され得る。
【００７１】
第１の成分は、上述の医薬剤のうちのいずれかの製剤であり得る。第２の成分は、上述の医薬剤のうちのいずれかの製剤であり得る。第１の成分は、第２の成分との混合時に第２の成分の条件を調整する製剤であり得る。第２の成分は、第１の成分との混合時に第１の成分の条件を調整する製剤であり得る。条件は、治療活性、医薬剤濃度（複数可）、粘度、ｐＨ、及びイオン強度を含み得る。
【００７２】
薬剤の準備は、第１の成分と第２の成分とを混合することを含み得る。第１の成分と第２の成分との混合物は、薬剤の放出可能な形態を含み得る。
【００７３】
薬剤の貯蔵形態は、再溶解されると薬剤の放出可能な形態を含む凍結乾燥製品を含み得る。凍結乾燥製品の再溶解は、凍結乾燥製品を再溶解溶液と混合することを伴い得る。凍結乾燥製品は、第１の成分であり得る。再溶解溶液は、第２の成分であり得る。第２の成分は、液体状態であり得る。
【００７４】
デバイスは、ロッド接触面を含み得る。ロッドの遠位端は、ロッド接触面と接触し得る。ロッドの遠位端は、ロッド接触面と接続し得る。ロッドの遠位端は、ロッド接触面と連結し得る。ロッド接触面は、容器内でのロッドの遠位変位に応じて容器内で遠位に変位し得る。
【００７５】
少なくとも１つのプランジャは、近位プランジャを含み得る。ロッド接触面は、近位プランジャの近位面と関連付けられ得る。近位プランジャの近位面は、ロッド接触面を含み得る。近位プランジャは、容器内でのロッド接触面の遠位変位に応じて容器内で遠位に変位し得る。近位プランジャは、容器内でのロッドの遠位変位に応じて容器内で遠位に変位し得る。
【００７６】
少なくとも１つのプランジャは、放出プランジャを含み得る。放出プランジャは、近位プランジャの遠位の容器内に配設され得る。容器内に放出プランジャと止め具との間で他のプランジャが存在し得ない。
【００７７】
第１の成分と第２の成分との混合前に、第１の成分及び第２の成分は、放出プランジャによって分離され得る。第１の成分は、容器内に止め具と放出プランジャとの間で密封され得る。第２の成分は、容器内に放出プランジャと近位プランジャとの間で密封され得る。
【００７８】
容器は、バイパス特徴部を含み得る。バイパス特徴部は、放出プランジャの密封表面をバイパスする流体連通を容易にするように構成され得る。バイパス特徴部は、内壁内に凹設される、軸に対して少なくとも部分的に長手方向の１つ以上の溝を含み得る。混合前に、放出プランジャの密封表面は、バイパス特徴部の最近位面の近位に配設されて、内壁に対して密封し、第１の成分とは別に第２の成分を維持し得る。
【００７９】
混合は、デバイスの遠位端を上向きにしてデバイスを配向することと、止め具を通じてカニューレを配設するために止め具を貫通することとを伴い得る。混合は、ロッドの遠位変位によるロッド接続面の遠位変位を伴い得る。ロッド接続面の遠位変位は、近位プランジャを遠位に変位させ得る。近位プランジャの遠位変位は、第２の成分を遠位に変位させ得る。第２の成分の遠位変位は、放出プランジャを遠位に変位させ得る。放出プランジャの遠位変位は、内壁に沿って放出プランジャの密封表面の最近位円周方向部分をバイパス特徴部の最近位面のすぐ遠位の位置に摺動し、第２の成分のバイパス特徴部に沿った第１の成分への遠位流れを容易にし得る。第２の成分が近位プランジャと放出プランジャとの間に残存している間、近位プランジャのさらなる遠位変位は、放出プランジャを実質的に変位させなくてもよい。第２の成分が近位プランジャと放出プランジャとの間に残存している間、近位プランジャの遠位変位は、バイパス特徴部に沿って第２の成分を遠位に変位させ、第２の成分と第１の成分との混合を容易にし得る。
【００８０】
近位プランジャの遠位面は、放出プランジャの近位面と相補的であり得る。遠位に変位した近位プランジャの遠位面が放出プランジャの近位面と遭遇すると、実質的にいかなる第２の成分も近位プランジャと放出プランジャとの間に残存しなくなり得る。実質的にいかなる第２の成分も近位プランジャと放出プランジャとの間に残存しなくなると、混合物は、薬剤の放出可能な形態を含み得る。
【００８１】
実質的にいかなる第２の成分も近位プランジャと放出プランジャとの間に残存しなくなると、近位プランジャのさらなる遠位変位が放出プランジャをさらに遠位に変位させ得る。放出プランジャの遠位面は、止め具に向かって遠位に変位すると、薬剤の放出可能な形態を遠位に変位させ得る。
【００８２】
薬剤がデバイス製造中に貯蔵形態で貯蔵されるシナリオは、少なくとも１つのプランジャが近位プランジャ及び放出プランジャを含み、かつ容器がバイパス特徴部を含むデバイスの構成によって適応され得る。デバイスのかかる構成は、混合構成と称され得る。混合構成で、ロッド接触面は、近位プランジャと関連付けられ得る。
【００８３】
薬剤がデバイス製造中に放出可能な形態で貯蔵されるシナリオは、容器内に、貯蔵形態成分を隔離するための複数のプランジャも成分を混合するためのバイパス特徴部も必要とし得ない。いかなる混合も行われない場合、プランジャは、放出プランジャのみを含み得る。プランジャが放出プランジャであり、かつ内壁がバイパス特徴部を含まないデバイスの構成は、非混合構成と称され得る。非混合構成で、ロッド接続面は、放出プランジャと関連付けられ得る。ロッド接触面は、放出プランジャの近位面と関連付けられ得る。放出プランジャの近位面は、ロッド接触面を含み得る。放出プランジャは、放出プランジャの近位面と接触するロッドの遠位変位によって遠位に変位し得る。
【００８４】
デバイスは、「事前充填された」デバイスとして製造され得る。デバイスは、ある体積の薬剤を貯蔵するように構成された容器とともに製造され得る。体積は、製造中に実質的に決定され得る。体積は、送達ストロークを行う前のデバイスの操作に起因し得る薬剤の損失を予測して設定され得る。かかる操作は、混合及びプライミングを含み得る。体積は、デバイスが目的とするシナリオに依存し得る。体積の値の例示的な範囲は、約０．０２５ミリリットル〜約０．０５ミリリットル、約０．０５ミリリットル〜約０．１ミリリットル、約０．１ミリリットル〜約０．２５ミリリットル、約０．２５ミリリットル〜約０．５ミリリットル、約０．５ミリリットル〜約１ミリリットル、約１ミリリットル〜約２ミリリットル、約２ミリリットル〜約３ミリリットル、約３ミリリットル〜約４ミリリットル、約４ミリリットル〜約５ミリリットル、約５ミリリットル〜約６ミリリットル、約６ミリリットル〜約７ミリリットル、約７ミリリットル〜約８ミリリットル、約８ミリリットル〜約９ミリリットル、約９ミリリットル〜約１０ミリリットル、または任意の他の好適な範囲を含み得る。
【００８５】
筐体は、筐体壁を含み得る。筐体壁は、ガイドの偏向に応じて偏向するように構成され得る。筐体壁は、ガイドの偏向中に長手方向軸に対して半径方向に変位する区分を含み得る。区分は、第１の区分であり得る。筐体壁は、ガイドの偏向中に長手方向軸に対して半径方向に変位する第２の区分を含み得る。長手方向軸に対する区分（複数可）の変位の半径方向は、長手方向軸に対するガイドの偏向の半径方向と一致し得る。区分（複数可）の変位は、半径方向外方であり得る。区分（複数可）の変位は、半径方向内方であり得る。
【００８６】
デバイスは、フィンガーフランジを含み得る。フィンガーフランジは、筐体の一部であり得る。フィンガーフランジは、筐体の一部として製造され得る。筐体の一部としてのフィンガーフランジの製造は、成形プロセスによって達成され得る。筐体の一部としてのフィンガーフランジの製造は、射出成形プロセスによって達成され得る。筐体の一部としてのフィンガーフランジの製造は、オーバーモールディングプロセスによって達成され得る。筐体の一部としてのフィンガーフランジの製造は、同時注入プロセスによって達成され得る。
【００８７】
フィンガーフランジは、筐体とは別個であり得る。フィンガーフランジは、筐体とは別個に製造され得る。フィンガーフランジは、筐体とは別個に成形され得る。フィンガーフランジは、筐体に添着され得る。フィンガーフランジは、フィンガーフランジアンカー固定要素を有し得る。筐体は、フィンガーフランジアンカー固定要素と構造的に相補的なフィンガーフランジアンカー固定受入要素を有し得る。フィンガーフランジは、フィンガーフランジアンカー固定要素をフィンガーフランジアンカー固定受入要素と嵌合することによって筐体に添着され得る。
【００８８】
フィンガーフランジは、筐体壁によって支持され得る。フィンガーフランジは、区分（複数可）を包囲し得る。フィンガーフランジは、区分（複数可）の変位に応じて偏向するように構成され得る。フィンガーフランジは、ガイドの偏向に応じて偏向するように構成され得る。
【００８９】
ガイドは、アームを含み得る。アームは、湾曲状であり得る。アームは、ボスを支持し得る。アームは、通行路を画定し得る。アームは、第１のアームであり得る。ガイドは、第２のアームを含み得る。第２のアームは、湾曲状であり得る。第２のアームは、通行路を画定し得る。
【００９０】
第１のアーム及び第２のアームは、ヒンジで接合され得る。第１のアームは、ヒンジとは別にボスを支持し得る。ヒンジは、弾性であり得る。第１のアーム及び第２のアームは、間隙を画定し得る。第１のアームは、間隙とは別にボスを支持し得る。間隙は、ヒンジの反対側にあり得る。間隙の幅は、ガイドの偏向中に変化し得る。間隙は、ガイドの偏向中に幅広になり得る。間隙は、ガイドの偏向中に幅狭になり得る。
【００９１】
筐体壁は、スロットを画定し得る。スロットは、間隙と円周方向に整列し得る。スロットの幅は、ガイドの偏向中に変化し得る。スロットは、ガイドの偏向中に幅広になり得る。スロットは、ガイドの偏向中に幅狭になり得る。
【００９２】
フィンガーフランジは、内部ベイを画定し得る。ガイドは、ベイにわたって吊り下げられ得る。ガイドは、ガイドの端で吊り下げられ得る。ガイドのアームは、ガイドの端とは別にボスを支持し得る。
【００９３】
ガイドは、支持部材によってベイにわたって吊り下げられ得る。支持部材は、第１の方向に延在し得る。ベイは、ガイドの偏向に適応し得る。ベイは、第２の方向へのガイドの偏向に適応し得る。第１の方向は、第２の方向に実質的に直角であり得る。
【００９４】
支持部材は、ガイドの偏向に応じて変形するように構成され得る。支持部材の変形は、フィンガーフランジの応力を緩和し得る。支持部材の変形は、フィンガーフランジの応力を増加させ得る。
【００９５】
フィンガーフランジは、環状辺縁を含み得る。辺縁は、穴部を画定し得る。穴部は、支持部材に隣接し得る。辺縁は、ガイドの偏向に応じて変形するように構成され得る。辺縁の変形は、フィンガーフランジの応力を緩和し得る。辺縁の変形は、フィンガーフランジの応力を増大させ得る。
【００９６】
支持部材は、第１の支持部材であり得る。ガイドは、第１の支持部材及び第２の支持部材によってベイにわたって吊り下げられ得る。ガイド、支持部材（複数可）、及びフィンガーフランジは、一体部分品として製造され得る。一体部分品の製造は、成形プロセスによって達成され得る。一体部分品の製造は、射出成形プロセスによって達成され得る。一体部分品の製造は、オーバーモールディングプロセスによって達成され得る。一体部分品の製造は、同時注入プロセスによって達成され得る。
【００９７】
筐体は、フレームを含み得る。フレームは、近位筐体開口部を画定し得る。フレームは、筐体上に近位に配設され得る。近位筐体開口部は、フレームによって筐体壁内に画定され得る。
【００９８】
フレームは、長手方向軸と同軸上に配設され得る。近位筐体開口部は、長手方向軸と同軸上に配設され得る。フレームは、長手方向軸を中心として円周方向に配設され得る。近位筐体開口部は、長手方向軸を中心として円周方向に配設され得る。
【００９９】
ガイドは、クリップを含み得る。クリップは、フレームにクリップ留めされ得る。クリップは、クリップの中心軸が長手方向軸と整列するようにフレームにクリップ留めされ得る。クリップは、ボスが近位筐体開口部を通じて長手方向軸に向かって半径方向内方に延在するようにフレームにクリップ留めされ得る。クリップは、ボスが近位筐体開口部を通じてロッドに係合するようにフレームにクリップ留めされ得る。クリップは、ボスが近位筐体開口部を通じて行路に近接近して延在するようにフレームにクリップ留めされ得る。
【０１００】
クリップは、Ｃ字形クリップであり得る。Ｃ字形クリップは、長手方向軸を横断する方向にフレームにクリップ留めされ得る。
【０１０１】
ガイドは、近位筐体開口部内で偏向するように構成され得る。ガイドは、筐体に対して偏向するように構成され得る。ガイドの外部表面は、筐体に対して偏向するように構成され得る。ガイドの内部表面は、筐体に対して偏向するように構成され得る。ガイドは、筐体の表面を越えて偏向するように構成され得る。ガイドは、筐体の外部表面を越えて外方に偏向するように構成され得る。ガイドは、筐体の内部表面を越えて内方に偏向するように構成され得る。
【０１０２】
行路は、路を含み得る。路に沿った長さは、ロッドの送達ストロークに対応し得る。路に沿った長さは、送達ストロークの程度に対応し得る。長さに対するボスの運動は、送達ストロークの実行に対応し得る。送達ストロークの完全な程度の実行は、容器から薬剤の投与量を放出し得る。送達ストロークは、投与量を設定し得る。
【０１０３】
路に沿った長さは、末端表面の遠位にあり得る。路に沿った長さは、末端表面に隣接し得る。路に沿った長さは、トリガと末端表面との間であり得る。路に沿った長さは、既定され得る。路に沿った長さは、デバイスの製造中に既定され得る。
【０１０４】
送達ストロークは、デバイスの製造中に既定され得る。容器ならびにその関連止め具及びプランジャ（複数可）、ならびに筐体、ガイド、及びロッドの材料の機械的特性、及びそれらの製造された構成が、送達ストロークを決定し得る。送達ストロークの完全な程度は、製造中に既定され得る。
【０１０５】
ボスは、反応表面を提供し得る。ボスが末端表面に隣接した状態で、反応表面は、容器内でのロッドの遠位変位を制限し得る。ボスが末端表面に隣接した状態で、反応表面は、送達ストロークを機械的に終了させ得る。
【０１０６】
送達ストロークの終了時、放出プランジャの遠位面は、止め具の近位面の近位にあり、それから非ゼロ距離にあり得る。送達ストロークの終了時、容器の内壁の区分の遠位部分と接触する薬剤のバルク液体残余は、放出プランジャの遠位面と止め具の近位面との間に維持され得る。
【０１０７】
路は、長手方向軸に実質的に平行であり得る。ボスが路でロッドに係合した状態で、反応表面は、長手方向軸を中心としたロッドの回転運動を制限し得る。ボスが路内に延在した状態で、反応表面は、長手方向軸を中心としたロッドの回転運動を制限し得る。送達ストロークに対応する長さは、路に沿った長手方向の長さであり得る。長手方向路に沿った送達ストロークに対応する長さは、トリガと末端表面との間であり得る。
【０１０８】
路は、長手方向軸を中心として実質的に螺旋形であり得る。ボスが路でロッドに係合した状態で、反応表面は、長手方向軸を中心としたロッドの回転運動を、長手方向軸に沿ったロッドの軸方向運動に変換し得る。ボスが路内に延在した状態で、反応表面は、長手方向軸を中心としたロッドの回転運動を、長手方向軸に沿ったロッドの軸方向運動に変換し得る。送達ストロークに対応する長さは、路に沿った螺旋形経路に従い得る。螺旋形路に沿った送達ストロークに対応する長さは、螺旋形経路の螺旋形ピッチ及びトリガと末端表面との間のいくつかの螺旋形旋回（任意の部分的旋回を含む）の算術積によって得られ得る。
【０１０９】
デバイスは、送達ストロークの完了の指示を提供するように構成され得る。送達ストロークの完了の指示は、触覚的であり得る。送達ストロークの完了の指示は、聴覚的であり得る。
【０１１０】
末端表面に対するボスの隣接は、送達ストロークの完了を示し得る。ボスが末端表面に隣接すると、ボスの構成及び材料（複数可）は、末端表面を支持する行路の構成及び材料（複数可）と併せて、デバイスを通じて伝達される操作者によって検出可能な機械的振動及び／または可聴音を提供し得る。薬剤送達中のシリンジに関連した雑音が望ましくない場合があるシナリオでは（例えば、かかる雑音が患者を驚かせ得る場合）、ボスの構成及び材料（複数可）は、末端表面を支持する行路の構成及び材料（複数可）と併せて、可聴音のない操作者によって検出可能な機械的振動を提供してもよく、または操作者によって検出可能な機械的振動も可聴音も提供しなくてもよい。
【０１１１】
末端表面に対する隣接に近づくボスと関連付けられたガイドの偏向は、隣接の指示を提供し得る。軸からの行路の走行表面の半径方向距離は、末端表面の遠位の行路の長さに沿って変化し得る。ガイドは、ボスと走行表面との間の相互作用に応じて軸に対して半径方向に偏向し得る。
【０１１２】
半径方向距離は、末端表面の遠位にある行路長さに沿って末端表面に向かって近位に減少し得る。相互作用は、走行表面に対するボスの付勢を含み得る。ガイドは、ボスが末端表面に対して隣接されると軸に向かって偏向し得る。ボスが末端表面に対して隣接されたときの軸に向かうガイドの偏向は、送達ストロークの完了の指示を提供し得る。
【０１１３】
半径方向距離は、末端表面に隣接するボスに対応する行路に対するボスの位置で最小に達し得る。最小は、極小であり得る。最小は、末端表面に隣接した行路の残り部分に沿って維持され得る。走行表面は、最小に到達したボスが最小でその位置に係止されるように構成され得る。ボスは、末端表面によって近位に、かつ走行表面の傾斜によって遠位に阻止され得る。走行表面は、ボスが最小に達した時点でロッドが軸に沿った近位運動から阻止されるように構成され得る。
【０１１４】
行路は、遠位長手方向路を含み得る。遠位長手方向路は、長手方向軸に実質的に平行であり得る。行路は、近位長手方向路を含み得る。近位長手方向路は、長手方向軸に実質的に平行であり得る。
【０１１５】
行路は、螺旋含有行路であり得る。螺旋含有行路は、螺旋状路を含み得る。螺旋状路は、長手方向軸を中心として実質的に螺旋形であり得る。螺旋状路は、ロッド上の中央に配設され得る。螺旋状路は、遠位長手方向路の近位に配設され得る。遠位長手方向路は、近位部分を有し得る。近位部分は、螺旋含有行路に沿って螺旋状路の遠位部分に隣接し得る。遠位長手方向路の近位部分は、螺旋含有行路に沿って螺旋状路の遠位部分に続き得る。螺旋状路は、近位長手方向路の遠位に配設され得る。近位長手方向路は、遠位部分を有し得る。遠位部分は、螺旋含有行路に沿って螺旋状路の近位部分に隣接し得る。近位長手方向路の遠位部分は、螺旋含有行路に沿って螺旋状路の近位部分に続き得る。螺旋含有行路は、遠位長手方向路、螺旋状路、及び近位長手方向路に沿って続き得る。
【０１１６】
螺旋含有行路は、回転送達行路であり得る。回転送達行路は、近位長手方向路なしで、遠位長手方向路の近位に、それに隣接して、かつそれに続いて配設された螺旋状路を含み得る。
【０１１７】
行路は、共線状行路であり得る。共線状行路内で、遠位長手方向路の近位部分は、螺旋状路なしで、共線状行路に沿って近位長手方向路の遠位部分に隣接し得る。近位長手方向路の遠位部分は、共線状行路に沿って遠位長手方向路の近位部分に続き得る。共線状行路は、遠位長手方向路及び近位長手方向路に沿って続き得る。遠位長手方向路及び近位長手方向路は、共線状であり得る。
【０１１８】
トリガは、第１のトリガであり得る。遠位長手方向路の近位部分は、第１のトリガを含み得る。第１のトリガは、遠位長手方向路の近位部分によって画定され得る。第１のトリガは、遠位長手方向路の近位部分によって支持され得る。第１のトリガとボスは、相互作用し得る。第１のトリガとボスとの相互作用に応じて、ガイドが偏向し得る。第１のトリガとボスとの相互作用に応じたガイドの偏向は、第１のガイド偏向であり得る。
【０１１９】
可撓性パネルは、第１のトリガを含み得る。第１のトリガは、可撓性パネルによって画定され得る。第１のトリガは、可撓性パネルによって支持され得る。第１のトリガとボスとの相互作用に応じて、可撓性パネルが偏向し得る。第１のトリガとボスとの相互作用に応じた可撓性パネルの偏向は、第１のパネル偏向であり得る。
【０１２０】
第１のガイド偏向及び／または第１のパネル偏向は、容器内でのロッドの遠位変位の第１の段階に対応し得る。第１の段階は、ロッドの初期遠位変位であり得る。初期変位は、デバイスの動作前にロッドをデバイス内に位置付け得る。
【０１２１】
初期変位は、デバイスからのロッドの不慮の近位滑りの可能性が低減されるように、ボスがロッドに係合した状態でロッドを位置付け得る。初期変位は、ロッドが不慮のさらなる遠位変位から実質的に阻止されるように、ボスがロッドに係合した状態でロッドを位置付け得る。初期変位は、ロッドのさらなる変位が操作者側の意図的な操作を伴い得るように、ボスがロッドに係合した状態でロッドを位置付け得る。初期変位は、製造ステップとして行われ得る。
【０１２２】
ロッドは、第２のトリガを含み得る。第２のトリガは、第１のトリガの特徴及び機能のいずれも有さなくてもよく、またはそれらのうちのいくつかもしくは全てを有してもよい。行路は、第２のトリガを含み得る。行路は、第２のトリガを画定し得る。行路は、第２のトリガを支持し得る。可撓性パネルは、第２のトリガを含み得る。可撓性パネルは、第２のトリガを画定し得る。可撓性パネルは、第２のトリガを支持し得る。
【０１２３】
第２のトリガとボスは、相互作用し得る。第２のトリガとボスとの相互作用に応じて、ガイドが偏向し得る。第２のトリガとボスとの相互作用に応じたガイドの偏向は、第２のガイド偏向であり得る。
【０１２４】
第２のトリガとボス相互作用に応じて、可撓性パネルが偏向し得る。第２のトリガとボスとの相互作用に応じた可撓性パネルの偏向は、第２のパネル偏向であり得る。
【０１２５】
第２のガイド偏向及び／または第２のパネル偏向は、容器内でのロッドの遠位変位の第２の段階に対応し得る。第２の段階は、ロッドの第２の遠位変位であり得る。第２の変位は、デバイスの動作中にロッドをデバイス内に位置付け得る。第２の変位は、デバイスの動作中に行われ得る。第２の変位は、操作者によって行われ得る。
【０１２６】
デバイスのシリンジ動作の段階のうちの第２の段階の役割は、デバイスの構成（混合または非混合）、行路の形状（螺旋含有または共線状）、及び行路に沿った第２のトリガの位置によって決定され得る。
【０１２７】
螺旋含有行路に沿って、第２のトリガは、螺旋状路の遠位部分によって支持され得る。共線状行路に沿って、第２のトリガは、近位長手方向路の遠位部分によって支持され得る。第２の段階は、デバイスの動作の開始であり得る。混合構成の場合、開始は、薬剤の放出のための準備の開始を含んでもよい。非混合構成の場合、開始は、薬剤の送達のためのデバイスのプライミングの開始を含んでもよい。
【０１２８】
螺旋含有行路に沿って、第２のトリガは、螺旋状路の中央部分によって支持され得る。共線状行路に沿って、第２のトリガは、近位長手方向路の中央部分によって支持され得る。混合構成の場合、第２の段階は、薬剤の準備後に行われてもよく、プライミングを含んでもよい。混合構成の場合、近位長手方向路の中央部分は、近位長手方向路の第２の中央部分の遠位に配設された近位長手方向路の第１の中央部分であってもよい。非混合構成の場合、第２の段階は、薬剤の送達を含んでもよい。
【０１２９】
螺旋含有行路に沿って、第２のトリガは、螺旋状路の近位部分によって支持され得る。共線状行路に沿って、第２のトリガは、近位長手方向路の第２の中央部分によって支持され得る。混合構成の場合、第２の段階は、プライミング後に行われてもよく、薬剤の送達を含んでもよい。
【０１３０】
近位長手方向路の近位部分は、第２のトリガの近位に末端表面を支持し得る。近位長手方向路の近位端壁は、末端表面を支持し得る。
【０１３１】
螺旋含有行路に沿って、送達ストロークに対応する長さは、螺旋状路の近位部分によって支持された第２のトリガと第２のトリガの近位に近位長手方向路の近位部分によって支持された末端表面との間の近位長手方向路に沿った長さであり得る。
【０１３２】
共線状行路に沿って、送達ストロークに対応する長さは、近位長手方向路の第２の中央部分によって支持された第２のトリガと第２のトリガの近位に近位長手方向路の近位部分によって支持された末端表面との間の近位長手方向路に沿った長さであり得る。
【０１３３】
回転送達行路に沿って、螺旋状路の近位部分は、第２のトリガの近位に末端表面を支持し得る。螺旋状路の近位部分の近位端壁は、末端表面を支持し得る。送達ストロークに対応する長さは、螺旋状路の近位部分によって支持された第２のトリガと第２のトリガの近位に螺旋状路の近位部分によって支持された末端表面との間の螺旋状路の近位部分に沿った長さであり得る。
【０１３４】
行路は、第１の行路であり得る。ロッドは、第２の行路をさらに画定し得る。第２の行路は、第１の行路の特徴及び機能のいずれも有さなくてもよく、またはそれらのうちのいくつかもしくは全てを有してもよい。第２の行路は、第１の行路とは別にロッド上に配設され得る。第２の行路は、第１の行路に平行に配設され得る。
【０１３５】
第１のトリガは、第１の行路によって支持され得る。第２のトリガは、第２の行路によって支持され得る。
【０１３６】
可撓性パネルは、第１の可撓性パネルであり得る。第１の行路は、第１の可撓性パネルを含み得る。第１の行路は、第１の可撓性パネルを支持し得る。第１の可撓性パネルは、第１のトリガを支持し得る。第２の行路は、第２の可撓性パネルを含み得る。第２の行路は、第２の可撓性パネルを支持し得る。第２の可撓性パネルは、第１の可撓性パネルの特徴及び機能のいずれも有さなくてもよく、またはそれらのうちのいくつかもしくは全てを有してもよい。第２の可撓性パネルは、第２のトリガを支持し得る。
【０１３７】
ボスは、第１のボスであり得る。第１のボスは、第１の行路でロッドに係合し得る。第１のボスは、第１の行路の側面に対して位置付けられ得る。第１のボスは、第１の行路の側面に対して維持され得る。第１のボスは、第１の行路内に半径方向内方に延在し得る。第１のボスは、第１の行路の走行表面に対して位置付けられ得る。第１のボスは、第１の行路の走行表面に対して維持され得る。
【０１３８】
デバイスは、第２のボスを含み得る。ガイドは、第２のボスを支持し得る。第２のボスは、第１のボスの特徴及び機能のいずれも有さなくてもよく、またはそれらのうちのいくつかもしくは全てを有してもよい。ガイドの第２のアームは、第２のボスを支持し得る。
【０１３９】
第２のボスは、長手方向軸に対して第１のボスの直径方向反対側に配設され得る。第２のボスは、第２の行路でロッドに係合し得る。第２のボスは、第２の行路の側面に対して位置付けられ得る。第２のボスは、第２の行路の側面に対して維持され得る。第２のボスは、第２の行路内に半径方向内方に延在し得る。第２のボスは、第２の行路の走行表面に対して位置付けられ得る。第２のボスは、第２の行路の走行表面に対して維持され得る。
【０１４０】
相互作用は、第１の相互作用を含み得る。第１の相互作用は、互いに相互作用する第１のボス及び第１のトリガを伴い得る。第１のガイド偏向は、第１の相互作用に応じ得る。第１のガイド偏向は、長手方向軸に対する第１のボスの運動を含み得る。第１のガイド偏向は、長手方向軸に対するガイドの運動を含み得る。第１のパネル偏向は、第１の相互作用に応じ得る。第１のパネル偏向は、長手方向軸に対する第１の可撓性パネルの運動を含み得る。
【０１４１】
干渉は、第１の干渉を含み得る。第１の干渉は、互いに干渉する第１のボス及び第１のトリガを伴い得る。第１のガイド偏向は、第１の干渉に応じ得る。第１のガイド偏向は、長手方向軸から離れる第１のボスの運動を含み得る。第１のガイド偏向は、長手方向軸から離れるガイドの運動を含み得る。第１のパネル偏向は、第１の干渉に応じ得る。第１のパネル偏向は、長手方向軸に向かう第１の可撓性パネルの運動を含み得る。
【０１４２】
付勢は、第１の付勢を含み得る。第１の付勢は、互いに付勢される第１のボス及び第１のトリガを伴い得る。第１のガイド偏向は、第１の付勢に応じ得る。第１のガイド偏向は、長手方向軸に向かう第１のボスの運動を含み得る。第１のガイド偏向は、長手方向軸に向かうガイドの運動を含み得る。第１のパネル偏向は、第１の付勢に応じ得る。第１のパネル偏向は、長手方向軸から離れる第１の可撓性パネルの運動を含み得る。
【０１４３】
相互作用は、第２の相互作用を含み得る。第２の相互作用は、互いに相互作用する第２のボス及び第２のトリガを伴い得る。第２のガイド偏向は、第２の相互作用に応じ得る。第２のガイド偏向は、長手方向軸に対する第２のボスの運動を含み得る。第２のガイド偏向は、長手方向軸に対するガイドの運動を含み得る。第２のパネル偏向は、第２の相互作用に応じ得る。第２のパネル偏向は、長手方向軸に対する第２のパネルの運動を含み得る。
【０１４４】
干渉は、第２の干渉を含み得る。第２の干渉は、互いに干渉する第２のボス及び第２のトリガを伴い得る。第２のガイド偏向は、第２の干渉に応じ得る。第２のガイド偏向は、長手方向軸から離れる第２のボスの運動を含み得る。第２のガイド偏向は、長手方向軸から離れるガイドの運動を含み得る。第２のパネル偏向は、第２の干渉に応じ得る。第２のパネル偏向は、長手方向軸に向かう第２の可撓性パネルの運動を含み得る。
【０１４５】
付勢は、第２の付勢を含み得る。第２の付勢は、互いに付勢される第２のボス及び第２のトリガを伴い得る。第２のガイド偏向は、第２の付勢に応じ得る。第２のガイド偏向は、長手方向軸に向かう第２のボスの運動を含み得る。第２のガイド偏向は、長手方向軸に向かうガイドの運動を含み得る。第２のパネル偏向は、第２の付勢に応じ得る。第２のパネル偏向は、長手方向軸から離れる第２の可撓性パネルの運動を含み得る。
【０１４６】
第１及び第２の行路、第１及び第２のトリガ、ならびに第１及び第２のボスは、第１のガイド偏向及び第２のガイド偏向を実質的に同時に提供するように構成され得る。第１及び第２の行路、第１及び第２のトリガ、ならびに第１及び第２のボスは、第１のガイド偏向及び第２のガイド偏向を非同時に生成するように構成され得る。
【０１４７】
第１及び第２の行路、第１及び第２の可撓性パネル、第１及び第２のトリガ、ならびに第１及び第２のボスは、第１のパネル偏向及び第２のパネル偏向を実質的に同時に提供するように構成され得る。第１及び第２の行路、第１及び第２の可撓性パネル、第１及び第２のトリガ、ならびに第１及び第２のボスは、第１のパネル偏向及び第２のパネル偏向を非同時に生成するように構成され得る。
【０１４８】
第１及び第２の行路、第１及び第２の可撓性パネル、第１及び第２のトリガ、ならびに第１及び第２のボスは、第１のガイド偏向、第１のパネル偏向、第２のガイド偏向、及び第２のパネル偏向の実質的な同時性を生成するように構成され得る。第１及び第２の行路、第１及び第２の可撓性パネル、第１及び第２のトリガ、ならびに第１及び第２のボスは、第１のガイド偏向、第１のパネル偏向、第２のガイド偏向、及び第２のパネル偏向の所定の発生順序及び／または指示順序を生成するように構成され得る。発生順序及び／または指示順序は、デバイスの製造中に既定され得る。
【０１４９】
デバイスは、シリンジ動作の段階を示すように構成され得る。デバイスは、シリンジ動作の段階の指示を提供するように構成され得る。デバイスは、ロッドの変位の段階を示すように構成され得る。デバイスは、ロッドの変位の段階の指示を提供するように構成され得る。デバイスは、ボス（複数可）とトリガ（複数可）との相互作用を示すように構成され得る。デバイスは、ボス（複数可）とトリガ（複数可）との相互作用の指示を提供するように構成され得る。
【０１５０】
相互作用の指示は、相互作用に関連した段階の開始を知らせ得る。相互作用の指示は、段階の完了を知らせ得る。段階の指示は、触覚的であり得る。段階の指示は、聴覚的であり得る。段階の指示は、視覚的であり得る。
【０１５１】
ボス（複数可）とトリガ（複数可）との相互作用に応じたガイド及び／または可撓性パネル（複数可）の偏向は、相互作用の指示を含み得る。例えば、操作者は、シリンジ動作中に操作者の指に対する偏向を感じることによって相互作用の触覚的指示を受け取り得る。
【０１５２】
ボス（複数可）とトリガ（複数可）との相互作用に応じたガイド及び／または可撓性パネル（複数可）の偏向は、相互作用の指示を生成し得る。この偏向は、ガイド及び／または可撓性パネル（複数可）以外のデバイスの構成要素を偏向させ、偏向を伝達し、かつ／または偏向を増幅させ得る。この偏向及び／または他の構成要素の偏向は、操作者によって検出可能な機械的振動をデバイスに引き起こし得る。この偏向及び／または他の構成要素の偏向は、パチン及び／またはカチン等の可聴音を生成し得る。
【０１５３】
指示は、偏向との併発であり得る。トリガ（複数可）に沿って動くボス（複数可）は、相互作用の指示を生成し得る。トリガ（複数可）に沿って動くボス（複数可）は、操作者によって検出可能な機械的振動を生成し得る。トリガ（複数可）に沿って動くボス（複数可）は、可聴音を生成し得る。他の構成要素は、偏向時に密接して偏向し得る。
【０１５４】
指示は、偏向時の付随であり得る。ガイドが偏向後に非偏向状態に戻ることで指示を生成し得る。可撓性パネル（複数可）が偏向後に非偏向状態に戻ることで指示を生成し得る。偏向後、ボス（複数可）は、ボス（複数可）が相互作用によってシフトされた側壁及び／または走行表面と再接触し得る。側壁及び／または走行表面の再接触は、機械的振動を生成し得る。側壁及び／または走行表面の再接触は、可聴音を生成し得る。
【０１５５】
ガイドの偏向及び／または偏向後のガイドの非偏向状態への戻りは、デバイスを通じて伝達される操作者によって検出可能な機械的振動及び／または可聴音を提供し得る。可撓性パネル（複数可）の偏向及び／または偏向後の可撓性パネル（複数可）の非偏向状態への戻りは、デバイスを通じて伝達される操作者によって検出可能な機械的振動及び／または可聴音を提供し得る。ガイドの偏向は、筐体の区分（複数可）の偏向を引き起こし得る。区分（複数可）の偏向は、デバイスを通じて伝達される操作者によって検出可能な機械的振動及び／または可聴音を提供し得る。偏向後の区分（複数可）の非偏向状態への戻りは、デバイスを通じて伝達される操作者によって検出可能な機械的振動及び／または可聴音を提供し得る。ガイドの偏向は、フィンガーフランジの偏向を引き起こし得る。フィンガーフランジの偏向及び／または偏向後のフィンガーフランジの非偏向状態への戻りは、デバイスを通じて伝達される操作者によって検出可能な機械的振動及び／または可聴音を提供し得る。
【０１５６】
ロッドの変位の異なる段階は、それらに関連した異なる指示を有し得る。異なる指示は、持続時間、振幅、または他の好適な性質によって異なり得る。他の好適な性質は、音声ピッチを含み得る。
【０１５７】
ボス（複数可）、ガイド、トリガ（複数可）、行路（複数可）、ロッド、可撓性パネル（複数可）、及び筐体のうちの１つ以上の１つ以上の特性が、指示の持続時間、指示の振幅、及び聴覚的指示の場合、指示の聴覚的ピッチのうちの１つ以上を決定し得る。特性は、形状、潤滑性、弾性、及び他の関連特性を含み得る。他の関連特性は、硬度を含み得る。特性は、ロッドの変位の段階の所望の指示を提供するように、デバイスの製造時に設定され得る。特性は、ロッドの変位の異なる段階の異なる所望の指示を提供するために、デバイスの製造時に設定され得る。例えば、トリガは、ボスがトリガに対して、かつトリガに沿って走行する際に数回ぶつかるであろう粗表面で構成され得る。トリガは、トリガにわたって走行するボスをパチンという音を立てて走行表面に戻すように構成された急な近位傾斜を有する突起部であり得る。
【０１５８】
デバイスの混合構成の使用の例示的な方法のステップが提示される。本明細書に記載の例示的な方法のステップは、本明細書に記載の順序以外の順序で行われ得る。本明細書に記載のステップのうちのいくつかは、組み合わせられ得る。本明細書に記載のステップのうちのいくつかは、省略され得る。本発明のいくつかの実施形態は、例示的な方法に関連して記載されていないステップを含み得る。
【０１５９】
例示的な方法の装置の構成要素は、滅菌包装で製造時に包装され得る。本装置は、眼治療のシナリオである所望の用量の眼用薬剤を患者の眼に送達する送達ストロークを目的とし得る。デバイスには、再溶解溶液から隔離された凍結乾燥製品として眼用薬剤が事前充填されていてもよい。
【０１６０】
事前充填されたデバイスは、ロッドがガイドを通じて容器内に遠位に変位して第１のトリガをほんの少しだけ越えた初期遠位変位になった状態で包装されていてもよい。第１のトリガの近位に、行路は、遠位螺旋状路及び近位長手方向路を含み得る。螺旋状路は、第１のトリガに隣接して遠位動作開始トリガを含み得る。螺旋状路は、中央プライミング開始トリガも含み得る。螺旋状路は、長手方向路の遠位部分に隣接して近位送達開始トリガも含み得る。長手方向路の近位部分は、行路の最近位端壁によって支持された末端表面内で近位に終結する。
【０１６１】
第１の針及び第２の針を含む針ハブは、事前充填されたデバイスとは別個の構成要素として包装され得る。本方法における全ての遠位変位は、薬剤容器及び／またはデバイス筐体に対してであり得る。患者の眼が注入のために準備されていると想定される。提示の簡潔化のために、全てのステップが１人の操作者によって行われるように提示される。
【０１６２】
使用方法は、以下のステップのうちの１つ以上を伴い得る。
【０１６３】
操作者は、事前充填されたデバイス及び針ハブを包装解除し得る。保護用滅菌キャップは、事前充填されたデバイスの遠位端から取り除かれて、止め具の遠位外部を曝露し得る。操作者は、事前充填されたデバイスの遠位端をデバイスの近位端の上に実質的に垂直上方に配向し、針ハブを筐体の遠位端にしっかりと添着することによって第１の針で止め具を貫通し得る。
【０１６４】
デバイスの配向を維持しながら、操作者は、デバイス軸を中心としたロッドの旋回を開始して、ボスと動作開始トリガとの相互作用を引き起こし得る。相互作用は、聴覚的に示され得る。相互作用は、可聴音によって聴覚的に示され得る。音は、カチンという音であり得る。音は、パチンという音であり得る。相互作用は、触覚的に示され得る。相互作用は、デバイス媒介機械的振動によって触覚的に示され得る。ロッドをさらに旋回させて、操作者は、ロッドを容器内で遠位に変位させ、放出プランジャの密封表面の最近位円周方向部分がバイパス特徴部の最近位面を通過するまで、近位プランジャ、再溶解溶液、及び放出プランジャを遠位に変位させてもよく、この時点で、放出プランジャは、ロッドの遠位変位に応じて停止し得る。操作者がロッドをさらに旋回させると、近位プランジャ及び再溶解溶液が変位し、近位プランジャが実質的に固定された放出プランジャに近づき、再溶解溶液がバイパス特徴部に沿って放出プランジャの周囲を流れ得る。再溶解溶液は、凍結乾燥製品と混合して、眼用薬剤を再溶解し得る。近位プランジャの遠位面が放出プランジャの相補的な近位面に遭遇するまで操作者がロッドを旋回させることによって全ての再溶解溶液を変位させた時点で、薬剤は、このシナリオに所望の治療活性、医薬剤濃度（複数可）、粘度、ｐＨ、及びイオン強度になるまで再溶解され得る。
【０１６５】
デバイスの配向を維持しながら、操作者は、ロッドを、再溶解点をほんの少しだけ越えてさらに旋回させて、ボスとプライミング開始トリガとの相互作用を引き起こし得る。相互作用は、可聴音によって聴覚的に、かつ／またはデバイス媒介機械的振動によって触覚的に示され得る。相互作用の指示は、振幅、音質、または他の特性の点で前述の指示とは異なり得る。操作者は、デバイスを軽くたたいて内壁から気泡を取り除き、遠位端上向きデバイス内の最も高い高度でのそれらの結集を容易にすることができる。操作者によるロッドのさらなる旋回は、近位プランジャ、近位プランジャによって近位に隣接された放出プランジャ、及び再溶解された眼用薬剤を全て針貫通止め具に向かって遠位に変位させ、空気を第１の針、その後、第２の針から放出することによってデバイスをプライミングし、第１の針及び第２の針に再溶解された眼用薬剤を充填することができる。
【０１６６】
第２の針に再溶解された眼用薬剤を充填した時点で、操作者によるロッドのさらなる旋回は、ボスと送達開始トリガとの相互作用を引き起こし得る。相互作用は、可聴音で聴覚的に、かつ／またはデバイス媒介機械的振動で触覚的に示され得る。相互作用の指示は、振幅、音質、または他の特性の点で前述の指示の一方または両方とは異なり得る。ボスと送達開始トリガとの相互作用直後に、ボスは、長手方向路と係合されて、ロッドのさらなる旋回を阻止し得る。送達開始の指示は、プライミングされたデバイスを患者に近接近させるように操作者に合図を送る役割を果たし、この眼治療のシナリオで注入に最も好適なデバイスのどのような配向でも、第２の針を患者の眼と慎重に係合させることができる。
【０１６７】
第２の針が患者の眼と係合された状態で、操作者は、ロッドをデバイス軸に沿って遠位に押し込み始めることによって送達ストロークを開始し得る。操作者によるロッドの遠位への押し込みは、ロッド、近位プランジャ、近位プランジャによって近位に隣接される放出プランジャ、及び再溶解された眼用薬剤を全て針貫通止め具に向かって遠位に変位させ、再溶解された眼用薬剤を第１の針を通じて放出し、再溶解された眼用薬剤を第２の針を通じて患者の眼内に送達することができる。
【０１６８】
操作者によるロッドの遠位への押し込みにより、末端表面が長手方向路と係合されたボスのより近くに動かされ得る。操作者は、末端表面とボスを隣接させるまでロッドを遠位に押し込み続けてもよい。末端表面とボスとの隣接により、送達ストロークが終了し得る。末端表面とボスとの隣接により、眼用薬剤の所望の用量の送達が完了し得る。末端表面とボスとの隣接は、ロッドの遠位運動の停止及び操作者によって検出可能なデバイス媒介機械的振動によって示され得る。
【０１６９】
第２の針は、患者の眼から係脱されてもよく、デバイスは、脇に置かれてもよく、操作者は、患者の注入後のケアに気を配ることができる。
【０１７０】
本方法は、薬剤送達デバイスの製造方法を含み得る。本方法は、ボスがデバイス筐体の内側半径未満の軸からの半径方向距離に配設されるように、ボスを支持する弾性アームを位置付けることを含み得る。アームは、トリガを支持する行路を支持するプランジャロッドをガイドするように構成された通行路を画定し得る。本方法は、アームを含み、かつ通行路に適応するプランジャロッドガイドを成形することを含み得る。
【０１７１】
本方法は、筐体に対して、アームを、軸を中心とした回転変位及び軸に沿った軸方向変位に対して固定することを含み得る。アームは、ボスとトリガの相互作用に応じて軸に対して半径方向に偏向するように構成され得る。
【０１７２】
本方法は、ガイドを筐体上に成形することによってアームを固定することを含み得る。
【０１７３】
本方法は、ガイドを筐体の近位セグメントに固着することによってアームを固定することを含み得る。ガイドの固着は、軸に対して軸方向のガイドの近位セグメント内の開口部内への挿入を含み得る。ガイドの固着は、軸に対して横断方向のガイドの近位セグメント内の開口部内への挿入を含み得る。
【０１７４】
本方法は、ロッドを提供することを含み得る。ロッドの提供は、ロッドを成形することを含み得る。ロッドは、筐体の遠位端に向かって筐体内で変位するように構成され得る。ロッドは、ボスが行路でロッドに係合した状態で、かつボスが末端表面に隣接した状態で、ボスがロッドのさらなる遠位変位を制限する反応表面を提供し得るように、末端表面を支持し得る。ボスが末端表面に隣接した状態で、ロッドに対するボスの運動は、末端表面から離れる実質的に軸方向の運動に制限され得る。ボスが行路の長手方向路に係合した状態で、ボスは、軸を中心としたロッドの回転運動を制限する反応表面を提供し得る。ボスが行路の螺旋状路に係合した状態で、ボスは、軸を中心としたロッドの回転運動を、軸に沿ったロッドの軸方向運動に変換する反応表面を提供し得る。ボスは、行路内に半径方向に延在することによって行路に係合し得る。ボスは、長手方向路内に半径方向に延在することによって長手方向路と係合され得る。ボスは、螺旋状路内に半径方向に延在することによって螺旋状路と係合され得る。
【０１７５】
本方法は、装置の構成要素の製造のための材料の選定を伴い得る。材料は、それらの材料特性について選定され得る。材料が選定され得る材料特性は、装置の動作を容易にし得る。装置の動作を容易にする材料特性は、化学的不活性、弾性、透明性、及び他の好適な特性を含み得る。他の好適な特性は、硬度を含み得る。
【０１７６】
プランジャ（複数可）は、プランジャ材料を含み得る。プランジャ材料は、ポリマー材料を含み得る。プランジャ材料は、エラストマー材料を含み得る。プランジャ材料は、熱可塑性エラストマー（ＴＰＥ）を含み得る。プランジャ材料は、天然ゴムを含み得る。プランジャ材料は、天然ゴムから作製された化合物を含み得る。プランジャ材料は、合成ゴムを含み得る。プランジャ材料は、合成ゴムから作製された化合物を含み得る。プランジャ材料は、シリコーンゴムを含み得る。プランジャ材料は、シリコーンゴムから作製された化合物を含み得る。プランジャ材料は、ブチルゴムを含み得る。プランジャ材料は、ブチルゴムから作製された化合物を含み得る。プランジャ材料は、プランジャ（複数可）と薬剤との相互作用を低減するように選定された材料を含み得る。プランジャ材料は、弾性材料を含み得る。プランジャ材料は、約８０ショアＡデュロメータ未満（ＡＳＴＭＤ２２４０  Ａ型硬度計）の硬度を有する材料を含み得る。プランジャ材料は、容器内でのプランジャ（複数可）の運動を容易にし得る。プランジャ材料は、プランジャ（複数可）と容器の内壁との係合を容易にし得る。プランジャ材料は、容器の内壁に対するプランジャ（複数可）の密封を容易にし得る。
【０１７７】
プランジャ材料は、プランジャ潤滑コーティングを含み得る。プランジャ潤滑コーティングは、プランジャ材料をコーティングし得る。プランジャ材料は、プランジャ潤滑材料を有し得る。プランジャ潤滑材料は、ポリテトラフルオロエチレン（ＰＴＦＥ）を含み得る。プランジャ潤滑材料は、エチレンテトラフルオロエチレン（ＥＴＦＥ）を含み得る。プランジャ潤滑コーティングは、プランジャ（複数可）と薬剤との相互作用を低減するように選定された材料を含み得る。プランジャ潤滑材料は、容器内でのプランジャ（複数可）の運動を容易にし得る。プランジャ潤滑材料は、プランジャ（複数可）と容器の内壁との係合を容易にし得る。プランジャ潤滑材料は、容器の内壁に対するプランジャ（複数可）の密封を容易にし得る。
【０１７８】
止め具は、止め具材料を含み得る。止め具材料は、ポリマー材料を含み得る。止め具材料は、エラストマー材料を含み得る。止め具材料は、ＴＰＥを含み得る。止め具材料は、天然ゴムを含み得る。止め具材料は、天然ゴムから作製された化合物を含み得る。止め具材料は、合成ゴムを含み得る。止め具材料は、合成ゴムから作製された化合物を含み得る。止め具材料は、シリコーンゴムを含み得る。止め具材料は、シリコーンゴムから作製された化合物を含み得る。止め具材料は、ブチルゴムを含み得る。止め具材料は、ブチルゴムから作製された化合物を含み得る。止め具材料は、止め具と薬剤との相互作用を低減するように選定された材料を含み得る。止め具材料は、弾性材料を含み得る。止め具材料は、約８０ショアＡデュロメータ未満の硬度を有する材料を含み得る。止め具材料は、止め具の容器内への運動を容易にし得る。止め具材料は、止め具と容器の内壁との係合を容易にし得る。止め具材料は、容器の内壁に対する止め具の密封を容易にし得る。止め具材料は、容器の遠位端壁に対する止め具の密封を容易にし得る。止め具材料は、第１の針の周囲を自己密封し得る。
【０１７９】
止め具材料は、止め具潤滑コーティングを含み得る。止め具潤滑コーティングは、止め具材料をコーティングし得る。止め具材料は、止め具潤滑材料を有し得る。止め具潤滑材料は、ＰＴＦＥを含み得る。止め具潤滑材料は、ＥＴＦＥを含み得る。止め具潤滑コーティングは、止め具と薬剤との相互作用を低減するように選定された材料を含み得る。止め具潤滑材料は、止め具の容器内への運動を容易にし得る。止め具潤滑材料は、止め具と容器の内壁との係合を容易にし得る。止め具潤滑材料は、容器の内壁に対する止め具の密封を容易にし得る。止め具潤滑材料は、容器の遠位端壁に対する止め具の密封を容易にし得る。
【０１８０】
ガイドは、ガイド材料を含み得る。ガイド材料は、ポリマー材料を含み得る。ガイド材料は、熱可塑性ポリマーを含み得る。ガイド材料は、デルリンを含み得る。ガイド材料は、ポリプロピレンを含み得る。ガイド材料は、ナイロンを含み得る。ガイド材料は、テフロン（登録商標）を含み得る。ガイド材料は、アクリロニトリルブタジエンスチレン（ＡＢＳ）を含み得る。ガイド材料は、ポリカーボネートを含み得る。ガイド材料は、ポリスルホンを含み得る。ガイド材料は、アクリルポリマーを含み得る。ガイド材料は、ポリメチルメタクリレート（ＰＭＭＡ）を含み得る。ガイド材料は、剛性材料を含み得る。ガイド材料は、約８０ショアＡデュロメータを超える硬度を有する材料を含み得る。ガイド材料は、低摩擦係数を有する材料を含み得る。ガイド材料は、約０．０１〜約０．５の摩擦係数を有する材料を含み得る。
【０１８１】
ロッドは、ロッド材料を含み得る。ロッド材料は、ポリマー材料を含み得る。ロッド材料は、熱可塑性ポリマーを含み得る。ロッド材料は、デルリンを含み得る。ロッド材料は、ポリプロピレンを含み得る。ロッド材料は、ナイロンを含み得る。ロッド材料は、テフロン（登録商標）を含み得る。ロッド材料は、ＡＢＳを含み得る。ロッド材料は、ポリカーボネートを含み得る。ロッド材料は、ポリスルホンを含み得る。ロッド材料は、アクリルポリマーを含み得る。ロッド材料は、ＰＭＭＡを含み得る。ロッド材料は、剛性材料を含み得る。ロッド材料は、約８０ショアＡデュロメータを超える硬度を有する材料を含み得る。ロッド材料は、低摩擦係数を有する材料を含み得る。ロッド材料は、約０．０１〜約０．５の摩擦係数を有する材料を含み得る。
【０１８２】
筐体は、筐体材料を含み得る。筐体材料は、ポリマー材料を含み得る。筐体材料は、熱可塑性ポリマーを含み得る。筐体材料は、デルリンを含み得る。筐体材料は、ポリプロピレンを含み得る。筐体材料は、ナイロンを含み得る。筐体材料は、テフロン（登録商標）を含み得る。筐体材料は、ＡＢＳを含み得る。筐体材料は、ポリカーボネートを含み得る。筐体材料は、ポリスルホンを含み得る。筐体材料は、アクリルポリマーを含み得る。筐体材料は、ＰＭＭＡを含み得る。筐体材料は、剛性材料を含み得る。筐体材料は、約８０ショアＡデュロメータを超える硬度を有する材料を含み得る。筐体材料は、低摩擦係数を有する材料を含み得る。筐体材料は、約０．０１〜約０．５の摩擦係数を有する材料を含み得る。筐体材料は、半透明材料を含み得る。筐体材料は、透明な材料を含み得る。
【０１８３】
容器は、容器材料を含み得る。容器材料は、ポリマー材料を含み得る。プランジャ材料は、無定形材料を含み得る。筐体材料は、熱可塑性ポリマーを含み得る。容器材料は、ガラスを含み得る。容器材料は、１型ホウケイ酸ガラスを含み得る。容器材料は、環状オレフィンコポリマー（ＣＯＣ）を含み得る。容器材料は、ポリプロピレンを含み得る。容器材料は、ＰＭＭＡを含み得る。容器材料は、半透明材料を含み得る。容器材料は、透明材料を含み得る。
【０１８４】
容器材料は、容器潤滑コーティングを含み得る。容器潤滑コーティングは、容器材料をコーティングし得る。容器材料は、容器潤滑材料を有し得る。容器潤滑コーティングは、シリコーン油を含み得る。容器潤滑材料は、容器内でのプランジャ（複数可）の運動を容易にし得る。
【０１８５】
例えば、いくつかの実施形態は、ＰＭＭＡ筐体に添着されるデルリンガイドの通行路内に配設されたＡＢＳプランジャロッドを特色とし得る。本実施形態は、ホウケイ酸ガラス容器において、ＰＴＦＥでコーティングされたシリコーンゴムプランジャ及びＥＴＦＥでコーティングされたブチルゴム止め具を特色とし得る。本実施形態は、混合構成の平行な螺旋含有行路の平行な螺旋状路によって支持された、ＡＢＳロッドと一体になったＡＢＳトリガ突起部を特色とし得る。本実施形態は、行路の末端表面としての役割を果たす、螺旋含有行路の平行長手方向路のＡＢＳ端壁を特色とし得る。本実施形態は、切断ピラミッド形状を有し、かつ行路の螺旋状路の螺旋形ピッチと一致してガイド内で配向される、デルリンガイドと一体になったデルリンボスを特色とし得る。いくつかの実施形態は、材料及び／または形状の任意の他の好適な組み合わせを特色とし得る。
【０１８６】
本装置は、ロッド材料のガイド材料との隣接による送達ストロークの程度の判定を含み得、本方法は、それを伴い得、ガイド材料は、筐体に対して軸方向に適所に回転固着される。プランジャ材料及び止め具材料と比較してより高い硬度のロッド材料、ガイド材料、及び筐体材料は、典型的なシリンジの遠位内側端に対する典型的なシリンジプランジャの底到達によって提供される信頼性よりも高い末端表面に対するボスの隣接による低体積送達の信頼性を提供し得る。
【０１８７】
本装置は、デバイスの遠位端からの薬剤の目標量を送達するための送達デバイスを含み得、本方法は、それを伴い得る。
【０１８８】
デバイスは、カラーを含み得る。カラーは、ガイドに関連して上述されるもの等の任意の好適な材料を含み得る。カラーは、軸と同軸上に配設され得る。カラーは、ボス及び突出部を含み得る。デバイスは、プランジャロッドを含み得る。プランジャロッドは、カラー内に同軸上に近位ノブとネジ切り係合され得る。近位ノブは、行路を含み得る。行路は、環状路を含み得る。行路は、長手方向路を含み得る。ボスは、軸を中心としたノブの回転中に、環状路に摺動係合して、ノブを長手方向に保持し得る。ボスは、ノブの長手方向平行移動中に長手方向路に摺動係合し得る。突出部は、回転中にロッドの長手方向に延在する構造に摺動係合して、ロッドを回転保持し得る。回転は、ロッドを駆動して遠位端に向かわせ得る。
【０１８９】
平行移動は、ボスと長手方向路の近位末端表面との間の干渉によって限界決定され得る。平行移動は、遠位端から目標量を前進させ得る。
【０１９０】
長手方向路は、環状路と交差し得る。回転は、長手方向路の横方向表面に対するボスの隣接によって限界決定され得る。長手方向路は、平行移動中にノブを回転保持し得、隣接の位置から長手方向程度で目標量に対応し得る。干渉は、ノブに対するボスの動きを、末端表面から離れて、かつ軸に平行に方向付けられた動きに制限し得る。干渉は、遠位端からの薬剤の前進を終了させ得る。
【０１９１】
カラーは、ノブと同軸上に薬剤容器を保持するように構成されたブラケットを含み得る。容器は、内部側壁のセグメントに沿って均一直径を画定する側壁によって拘束された孔を画定し得る。ロッドの遠位端は、容器内のプランジャに隣接し得る。プランジャは、側壁と摺動係合され得る。
【０１９２】
平行移動前に、プランジャは、容器の内側遠位端壁とプランジャとの間に薬剤の送達前量を密封し得る。平行移動後に、セグメントの遠位部分は、内側遠位端壁とプランジャとの間に収容されたバルク液体残余と接触し得る。残余中の薬剤の量は、目標量を差し引いた送達前量以下の量であり得る。
【０１９３】
回転は、送達前量を設定し得る。回転は、薬剤を送達のために準備し得る。準備は、容器内で薬剤の成分を混合することを含み得る。
【０１９４】
プランジャは、第１のプランジャであり得、第１のプランジャの遠位に、第２のプランジャは、セグメントと摺動係合し得る。
【０１９５】
混合前に、薬剤の液体成分が、容器内に第１のプランジャと第２のプランジャとの間で密封され得る。混合は、容器内での第２のプランジャを越えて遠位の液体成分の移動を含み得る。混合後に、第１のプランジャの遠位面は、第２のプランジャの近位面に隣接し得る。
【０１９６】
準備は、容器をプライミングすることを含み得る。
【０１９７】
プライミングは、容器からの空気の遠位放出を含み得る。
【０１９８】
ノブは、表記を含み得る。表記は、デバイス動作の段階の指示を提供し得る。カラーは、窓を画定し得る。窓は、表記の一部分を曝露し得る。一部分は、回転前に、デバイス動作の薬剤準備段階を示し得る。一部分は、回転中に、準備段階の継続を示し得る。一部分は、回転後に、デバイス動作の薬剤送達段階を示し得る。
【０１９９】
一部分は、回転後及び平行移動前に、送達段階の開始を示し得る。一部分は、平行移動後に、送達段階の完了を示し得る。
【０２００】
隣接は、デバイス動作の薬剤準備段階の完了の触覚的指示を提供し得る。隣接は、デバイス動作の薬剤準備段階の完了の聴覚的指示を提供し得る。
【０２０１】
干渉は、デバイス動作の薬剤送達段階の完了の指示を提供し得る。
【０２０２】
長手方向に延在する構造は、ロッドの近位ネジ山とロッドの遠位端との間に配設されたロッドの長さに沿って延在し得る。
【０２０３】
長手方向に延在する構造は、突出部に干渉して、近位運動からロッドを長手方向に保持するように構成された表面特徴部を支持し得る。
【０２０４】
表面特徴部は、近位停止表面を有し得る。近位停止表面は、表面特徴部に対する突出部の遠位運動に対する阻止を提供し得る。停止表面の遠位に、表面特徴部は、表面特徴部に対する突出部の近位運動のための通路を提供し得る。
【０２０５】
突出部は、半径方向内方に突出し得る。突出部は、遠位停止表面を有し得る。遠位停止表面は、表面特徴部に対する突出部の遠位運動に対する阻止を提供し得る。停止表面の近位に、突出部は、表面特徴部に対する突出部の近位運動のための通路を提供し得る。
【０２０６】
長手方向に延在する構造は、スロットを含み得る。スロットは、半径方向内方に延在し得る。表面特徴部は、軸を横断する平面内でスロット内に延在し得る。
【０２０７】
長手方向に延在する構造は、レールを含み得る。レールは、半径方向外方に延在し得る。表面特徴部は、軸を横断する平面内でレールから半径方向外方に延在し得る。
【０２０８】
ボスは、可撓性パネルを含み得る。可撓性パネルは、自由端を含み得る。自由端は、ボスの任意の他の表面よりも半径方向内方に配設され得る。自由端は、ボスの任意の他の部分よりも半径方向内方に配設され得る。
【０２０９】
行路の走行表面は、トリガを支持し得る。自由端は、パネルがトリガを通過すると、自由端とトリガとの間の相互作用に応じて、軸に対して偏向するように構成され得る。
【０２１０】
トリガは、停止表面を有し得る。停止表面は、軸を横断する平面上に配設され得る。停止表面は、回転の反対方向に自由端の通過を阻止するように構成され得る。
【０２１１】
トリガは、突起部を含み得る。相互作用は、自由端とトリガとの間の干渉を伴い得る。回転中、パネルは、トリガの全ての他の表面を通過した後に停止表面を通過し得る。
【０２１２】
トリガは、陥凹部を含み得る。相互作用は、陥凹部に対する自由端の付勢を含み得る。回転中、パネルは、トリガの任意の他の表面を通過する前に停止表面を通過し得る。
【０２１３】
相互作用は、回転の開始時に起こり得る。
【０２１４】
相互作用前に、ボスは、回転の方向に長手方向路から円周方向に最も遠位にある環状路の一部分に隣接して配設され得る。相互作用前に、トリガは、行路に沿った自由端の動きを制限し得る。
【０２１５】
相互作用は、回転の完了時に起こり得る。
【０２１６】
トリガは、環状路と長手方向路との接合点で環状路上に配設され得る。トリガは、相互作用後に、回転の反対方向のノブの回転動きを制限し得る。
【０２１７】
偏向は、相互作用の指示を提供し得る。指示は、触覚的であり得る。指示は、聴覚的であり得る。
【０２１８】
本装置は、長手方向軸を有する薬剤送達デバイスを含み得、本方法は、それを伴い得る。
【０２１９】
デバイスは、カラーを含み得る。カラーは、軸と同軸上に配設され得る。カラーは、可撓性パネル及び突出部を支持し得る。デバイスは、プランジャロッドを含み得る。プランジャロッドは、カラー内に同軸上に近位ノブとネジ切り係合され得る。近位ノブは、トリガを支持する行路を含み得る。
【０２２０】
パネルは、トリガとの相互作用に応じて軸に対して偏向するように構成され得る。パネルは、軸を中心としたノブの回転中に、行路に摺動係合して、ノブを長手方向に保持し得る。ロッドは、長手方向に延在する構造を含み得る。突出部は、回転中に長手方向に延在する構造に摺動係合して、ロッドを回転保持し得る。回転は、ロッドを駆動して遠位端に向かわせ得る。
【０２２１】
行路は、環状路を含み得る。行路は、長手方向路を含み得る。環状路は、長手方向路と交差し得る。パネルは、回転中に環状路に摺動係合し得る。パネルは、ノブの長手方向平行移動中に長手方向路に摺動係合し得る。長手方向路は、平行移動中にノブを回転保持し得、交差から長手方向程度で目標量に対応し得る。平行移動は、パネルと長手方向路の近位末端表面との間の干渉によって限界決定され得る。干渉は、ノブに対するパネル動きを、末端表面から離れて、かつ軸に平行に方向付けられた動きに制限し得る。干渉は、遠位端からの薬剤の前進を終了させ得る。
【０２２２】
カラーは、ブラケットを支持し得る。ブラケットは、ノブと同軸上に薬剤容器を保持するように構成され得る。容器は、内部側壁のセグメントに沿って均一直径を画定する側壁によって拘束された孔を画定し得る。ロッドの遠位端は、容器内のプランジャに隣接し得る。プランジャは、側壁と摺動係合され得る。平行移動前に、プランジャは、容器の内側遠位端壁とプランジャとの間に薬剤の送達前量を密封し得る。平行移動後、セグメントの遠位部分は、内側遠位端壁とプランジャとの間に収容されたバルク液体残余と接触し得る。
【０２２３】
残余中の薬剤の量は、目標量を差し引いた送達前量以下の量であり得る。セグメントの遠位部分は、残余と直接接触し得る。
【０２２４】
回転は、送達前量を設定し得る。回転は、薬剤を送達のために準備し得る。
【０２２５】
準備は、容器内で薬剤の成分を混合することを含み得る。
【０２２６】
デバイスは、第１のプランジャを含み得、第１のプランジャの遠位に、第２のプランジャは、セグメントと摺動係合される。
【０２２７】
混合前に、薬剤の液体成分が、容器内に第１のプランジャと第２のプランジャとの間で密封され得る。混合は、容器内での第２のプランジャを越えて遠位の液体成分の移動を含み得る。混合後に、第１のプランジャの遠位面は、第２のプランジャの近位面に隣接し得る。
【０２２８】
準備は、容器をプライミングすることを含み得る。
【０２２９】
プライミングは、容器からの空気の遠位放出を含み得る。プライミングは、容器からの不活性ガスの遠位放出を含み得る。
【０２３０】
ノブは、表記を含み得る。表記は、指示を提供し得る。指示は、デバイス動作の段階の指示であり得る。カラーは、窓を画定し得る。窓は、表記の一部分を曝露し得る。一部分は、回転前に、デバイス動作の薬剤準備段階を示し得る。一部分は、回転後に、デバイス動作の薬剤送達段階を示し得る。
【０２３１】
一部分は、回転中に、準備段階の継続を示し得る。
【０２３２】
一部分は、回転後及び平行移動前に、送達段階の開始を示し得る。一部分は、平行移動後に、送達段階の完了を示し得る。
【０２３３】
長手方向に延在する構造は、ロッドの近位ネジ山とロッドの遠位端との間に配設された長さに沿って延在し得る。長手方向に延在する構造は、突出部に干渉して、近位運動からロッドを長手方向に保持するように構成された表面特徴部を支持し得る。
【０２３４】
表面特徴部は、近位停止表面を含み得る。近位停止表面は、表面特徴部に対する突出部の遠位運動に対する阻止を提供し得る。停止表面の遠位に、表面特徴部は、表面特徴部に対する突出部の近位運動のための通路を提供し得る。
【０２３５】
突出部は、半径方向内方に突出し得る。突出部は、遠位停止表面を含み得る。遠位停止表面は、表面特徴部に対する突出部の遠位運動に対する阻止を提供し得る。停止表面の近位に、突出部は、表面特徴部に対する突出部の近位運動のための通路を提供し得る。
【０２３６】
長手方向に延在する構造は、半径方向内方に延在するスロットを含み得る。表面特徴部は、軸を横断する平面内でスロット内に延在し得る。
【０２３７】
長手方向に延在する構造は、半径方向外方に延在するレールを含み得る。表面特徴部は、軸を横断する平面内でレールから延在し得る。
【０２３８】
パネルは、カラーによって支持されるボスによって支持され得る。回転時、ボスは、環状路と摺動係合し得る。回転時、パネルは、ボスの全ての他の表面を追跡し得る。回転時、パネルは、ボス全ての他の部分を追跡し得る。パネルは、自由端を含み得る。自由端は、パネルの任意の他の表面よりも半径方向内方に配設され得る。自由端は、パネルの任意の他の部分よりも半径方向内方に配設され得る。
【０２３９】
回転時、自由端は、パネルの全ての他の表面を追跡し得る。回転時、自由端は、パネルの全ての他の部分を追跡し得る。
【０２４０】
行路の走行表面は、トリガを支持し得る。自由端は、パネルがトリガを通過すると、トリガと相互作用して、偏向を生成し得る。
【０２４１】
トリガは、停止表面を含み得る。停止表面は、軸を横断する平面上に配設され得る。停止表面は、回転の反対方向に自由端の通過を阻止するように構成され得る。
【０２４２】
トリガは、突起部を含み得る。相互作用は、自由端とトリガとの間の干渉であり得る。回転中、パネルは、トリガの全ての他の表面を通過した後に停止表面を通過し得る。回転中、パネルは、トリガの全ての他の部分を通過した後に停止表面を通過し得る。
【０２４３】
トリガは、陥凹部を含み得る。相互作用は、陥凹部に対する自由端の付勢を含み得る。回転中、パネルは、トリガの任意の他の表面を通過する前に停止表面を通過し得る。回転中、パネルは、トリガの任意の他の部分を通過する前に停止表面を通過し得る。
【０２４４】
相互作用は、回転の開始時に起こり得る。相互作用前に、ボスは、回転の方向に長手方向路から円周方向に最も遠位にある環状路の一部分に隣接して配設され得る。相互作用前に、トリガは、行路に沿った自由端の動きを制限し得る。
【０２４５】
相互作用は、回転の完了時に起こり得る。
【０２４６】
トリガは、環状路と長手方向路との接合点で環状路上に配設され得る。相互作用後、トリガは、回転の反対方向のノブの回転動きを制限し得る。
【０２４７】
相互作用後、パネルは、長手方向路と円周方向に整列し得る。
【０２４８】
偏向は、相互作用の指示を提供し得る。指示は、触覚的であり得る。指示は、聴覚的であり得る。
【０２４９】
長手方向路は、横方向表面を含み得る。回転は、横方向表面に対するボスの隣接によって限界決定され得る。隣接は、ボスを長手方向路と円周方向に整列させ得る。
【０２５０】
隣接は、デバイス動作の薬剤準備段階の完了の触覚的指示を提供し得る。隣接は、デバイス動作の薬剤準備段階の完了の聴覚的指示を提供し得る。
【０２５１】
干渉は、デバイス動作の薬剤送達段階の完了の指示を提供し得る。
【０２５２】
本方法は、薬剤送達デバイスの製造方法を含み得る。本方法は、突起部が延在する表面を含む環状陥凹部を有するノブを提供することを含み得る。本方法は、カラーの内部内に延在する可撓性パネルを支持するカラーを提供することを含み得る。本方法は、パネルの自由端が突起部を越えて半径方向内方に延在し、かつノブがカラーに対して回転すると突起部によって偏向可能になるように、ノブをカラー内に同軸上に位置付けることを含み得る。本方法は、プランジャロッドをノブとネジ切り係合させることを含み得る。本方法は、ノブに対する回転に対してロッドを固定することを含み得る。
【０２５３】
ノブの提供は、長手方向陥凹部を有するノブを提供することを含み得る。長手方向陥凹部は、環状陥凹部と交差し得る。長手方向陥凹部は、パネルに隣接するように構成された末端表面を支持し得る。
【０２５４】
カラーの提供は、突出部を含むカラーを提供することを含み得る。固定は、突出部をロッドの長手方向に延在する構造と係合させることを含み得る。
【０２５５】
長手方向に延在する構造は、スロットを含み得る。係合は、スロット内への突出部の挿入を含み得る。
【０２５６】
長手方向に延在する構造は、レールを含み得る。係合は、突出部をレールと並んで位置付けることを含み得る。
【０２５７】
本方法は、ノブと係合可能なネジ山を支持する端を含むロッドを提供することを含み得る。
【０２５８】
本装置は、デバイスの遠位端からの薬剤の目標量を送達するための送達デバイスを含み得、本方法は、それを伴い得る。デバイスは、軸と同軸上に配設されたカラーを含み得る。カラーは、突出部及び行路を含み得る。行路は、環状路及び長手方向路を含み得る。デバイスは、プランジャロッドを含み得る。プランジャロッドは、カラー内に同軸上に近位ノブとネジ切り係合され得る。近位ノブは、ボスを含み得る。
【０２５９】
ボスは、軸を中心としたノブの回転中に、環状路に摺動係合して、ノブを長手方向に保持し得る。ボスは、ノブの長手方向平行移動中に長手方向路に摺動係合し得る。突出部は、回転中にロッドの長手方向に延在する構造に摺動係合して、ロッドを回転保持し得る。回転は、ロッドを駆動して遠位端に向かわせ得る。平行移動は、ボスと長手方向路の近位末端表面との間の干渉によって限界決定され得る。平行移動は、遠位端から目標量を前進させ得る。
【０２６０】
長手方向路は、環状路と交差し得る。回転は、長手方向路の横方向表面に対するボスの隣接によって限界決定され得る。隣接は、ボスを長手方向路と円周方向に整列させ得る。長手方向路は、平行移動中にノブを回転保持し得、隣接の位置から長手方向程度で目標量に対応する。
【０２６１】
干渉は、カラーに対するボスの動きを、末端表面から離れて、かつ軸に平行に方向付けられた動きに制限し得る。干渉は、遠位端からの薬剤の前進を終了させ得る。
【０２６２】
カラーは、ブラケットを含み得る。ブラケットは、ノブと同軸上に薬剤容器を保持するように構成され得る。容器は、内部側壁のセグメントに沿って均一直径を画定する側壁によって拘束された孔を画定し得る。ロッドの遠位端は、容器内のプランジャに隣接し得る。プランジャは、側壁と摺動係合され得る。
【０２６３】
平行移動前に、プランジャは、容器の内側遠位端壁とプランジャとの間に薬剤の送達前量を密封し得る。平行移動後に、セグメントの遠位部分は、内側遠位端壁とプランジャとの間に収容されたバルク液体残余と接触し得る。残余中の薬剤の量は、目標量を差し引いた送達前量以下の量であり得る。
【０２６４】
回転は、送達前量を設定し得る。回転は、薬剤を送達のために準備し得る。準備は、容器内で薬剤の成分を混合することを含み得る。
【０２６５】
プランジャは、第１のプランジャであり得、第１のプランジャの遠位に、第２のプランジャは、セグメントと摺動係合され得る。
【０２６６】
混合前に、薬剤の液体成分が、容器内に第１のプランジャと第２のプランジャとの間で密封され得る。混合は、容器内での第２のプランジャを越えて遠位の液体成分の移動を含み得る。混合後に、第１のプランジャの遠位面は、第２のプランジャの近位面に隣接し得る。
【０２６７】
準備は、容器をプライミングすることを含み得る。プライミングは、容器からの空気の遠位放出を含み得る。プライミングは、容器からの不活性ガスの遠位放出を含み得る。
【０２６８】
ノブは、デバイス動作の段階の指示を提供する表記を含み得る。カラーは、表記の一部分を曝露する窓を画定し得る。一部分は、回転前に、デバイスの薬剤準備段階を示し得る。一部分は、回転後に、デバイスの送達段階を示し得る。一部分は、回転中に、薬剤準備段階の継続を示し得る。
【０２６９】
一部分は、回転後及び平行移動前に、送達段階の開始を示し得る。一部分は、平行移動後に、送達段階の完了を示し得る。
【０２７０】
隣接は、薬剤準備段階の完了の触覚的指示を提供し得る。隣接は、薬剤準備段階の完了の聴覚的指示を提供し得る。干渉は、デバイス動作の薬剤送達段階の完了の指示を提供し得る。
【０２７１】
長手方向に延在する構造は、ロッドの近位ネジ山とロッドの遠位端との間に配設された長さに沿って延在するスロットを含み得る。長手方向に延在する構造は、ロッドの近位ネジ山とロッドの遠位端との間に配設された長さに沿って延在するレールを含み得る。
【０２７２】
本装置は、長手方向軸を有する薬剤送達デバイスを含み得、本方法は、それを伴い得る。
【０２７３】
薬剤送達デバイスは、プランジャロッドガイドを含み得る。プランジャロッドガイドは、通行路を含み得る。プランジャロッドガイドは、ボスを支持し得る。通行路は、軸と同軸上にあり得、プランジャロッドを受容するように構成され得る。プランジャロッドは、トリガを支持する行路を画定し得る。ガイドは、ボスとトリガとの間の相互作用に応じて、軸に対して半径方向に偏向するように構成され得る。
【０２７４】
デバイスは、フィンガーフランジを含み得る。フィンガーフランジは、ガイドを支持し得る。フィンガーフランジは、薬剤容器の近位部分を受容するように構成された陥凹部をガイドの遠位に画定する表面を含み得る。陥凹部は、軸を横断して延在し得る。容器は、軸と同軸上に配設され得る。
【０２７５】
行路は、ロッドの円筒表面から半径方向内方に、かつ円筒表面に沿って延在し得る。
【０２７６】
トリガは、突起部を含み得る。相互作用は、ボスとトリガとの間の干渉であり得る。ガイドは、軸から離れて偏向するように構成され得る。
【０２７７】
容器は、孔を画定し得る。孔は、内部均一直径によって拘束され得る。ロッドは、通行路内に配設され得る。ロッドは、ボスが行路の末端表面に隣接するまで孔内で遠位に変位して、容器から薬剤を放出するように構成され得る。これは、ロッドに対するボスの動きを、末端表面から離れて、かつ軸に平行に方向付けられた動きに制限し得る。
【０２７８】
セグメントは、ボスが末端表面に隣接した後に、薬剤のバルク液体残余と動作中に接触し得る遠位部分を含み得る。セグメントの遠位部分は、残余と直接接触し得る。
【０２７９】
デバイスは、１つ以上のプランジャを含み得る。プランジャは、内壁に対して摺動可能に密封し得る。プランジャは、ロッドの遠位に配設され得る。プランジャは、ロッドの遠位変位に応じて遠位に摺動するように構成され得る。
【０２８０】
デバイスは、止め具を含み得る。止め具は、容器の遠位端を密封し得る。薬剤は、薬剤の放出前に、容器内に止め具と少なくとも１つのプランジャとの間で密封され得る。容器の遠位端は、針と関連付けられるように構成され得る。針は、カニューレを有し得る。カニューレは、薬剤の投与量を遠位に移動させるように構成され得る。投与量は、容器から放出され得る。
【０２８１】
ボスは、容器の内側遠位壁へのプランジャの遠位面の干渉前に末端表面に隣接し得る。内側遠位壁は、軸を横断する構成要素を有し得る。
【０２８２】
フィンガーフランジは、軸と少なくとも部分的に同軸上に容器を維持するように構成され得る。薬剤容器の近位部分は、フランジリップを含み得る。フランジリップの区分の輪郭は、陥凹部を画定する表面の領域と相補的であり得る。
【０２８３】
ロッドの近位区分は、円筒表面を含み得る。円筒表面は、ノブを支持し得る。ノブは、区分を包囲し得る。ノブは、軸と同軸上にあり得る。
【０２８４】
ノブは、軸を中心として回転し、かつ軸に沿って長手方向に平行移動するように構成され得、ロッドは、ノブの動きに応じて、薬剤容器に対して動くように構成されている。
【０２８５】
ノブは、表記を含み得る。表記は、ロッドの遠位変位と関連付けられた軸を中心とした回転の方向を示し得る。
【０２８６】
ロッドは、薬剤容器の近位部分が陥凹部によって受容された後に通行路内に配設され得る。
【０２８７】
フィンガーフランジは、薬剤容器の近位部分上で一緒にスナップ留めするように構成された２つ以上の区分を含み得る。
【０２８８】
２つ以上の区分は、機械的に相補的であり得る。２つ以上の区分は、機械的に同一であり得る。
【０２８９】
フィンガーフランジは、内部ベイを画定し得る。ガイドは、第１の方向及び第２の方向に延在する支持体によってベイにわたって吊り下げられ得、ガイドは、ボスとトリガとの間の相互作用に応じて偏向するように構成され得る。
【０２９０】
第１の方向は、フィンガーフランジの近位面を横断し得る。フィンガーフランジの近位面は、軸を横断し得る。
【０２９１】
第２の方向に、ベイは、ガイドの偏向に適応し得る。
【０２９２】
支持体は、第１の支持体であり得る。ガイドは、第１の支持体及び第２の支持体によって吊り下げられ得る。ガイドは、第１の支持体と第２の支持体との間に吊り下げられ得る。
【０２９３】
ガイドは、ベイの近位に吊り下げられ得る。ガイドは、ベイの少なくとも部分的に内部に吊り下げられ得る。
【０２９４】
第１の方向は、第２の方向を横断し得る。
【０２９５】
支持体は、偏向に応じて変形するように構成され得る。支持体の変形は、フィンガーフランジの応力を緩和し得る。
【０２９６】
ガイドは、アームを含み得る。アームは、通行路を画定し得る。アームは、ガイドが吊り下げられるガイドの端とは別にボスを支持し得る。
【０２９７】
ロッドの第２の行路は、第１の行路に平行に配設され得、第２のトリガを支持し得る。第１のボスは、第１の行路でロッドに係合し得る。ガイドは、第２のボスを支持し得る。第２のボスは、第２の行路でロッドに係合し得る。
【０２９８】
軸に対する第１のガイドの偏向は、第１のボスと第１のトリガとの間の第１の相互作用に応じ得る。軸に対する第２のガイドの偏向は、第２のボスと第２のトリガとの間の第２の相互作用に応じ得る。
【０２９９】
行路、トリガ、及びボスは、第１の偏向及び第２の偏向をほぼ同時に提供するように構成され得る。
【０３００】
行路は、ロッドの円筒表面に沿ってロッドの遠位端の近位にあり得る。行路は、トリガの近位に末端表面を支持し得る。トリガと末端表面との間に配設された行路の路に沿った長さは、ロッドの送達ストロークに対応し得る。送達ストロークは、容器から薬剤の投与量を放出し得る。ボスは、行路でロッドに係合し得、ボスが末端表面に隣接した状態で、容器内でのロッドの遠位変位を限界決定し、それ故に送達ストロークを終了させる反応表面を提供する。
【０３０１】
ボスは、行路の側面に対して位置付けられることによって行路でロッドに係合し得る。ボスは、行路内に延在することによって行路でロッドに係合し得る。
【０３０２】
路は、軸に実質的に平行であり得、ボスが路に係合した状態で、反応表面は、軸を中心としたロッドの回転運動を制限し得る。
【０３０３】
路は、軸を中心として螺旋状であり得、ボスが路に係合した状態で、反応表面は、軸を中心としたロッドの回転運動を、軸に沿ったロッドの軸方向運動に変換し得る。
【０３０４】
行路は、第２のトリガを支持し得る。第１のトリガと相互作用するボスに応じた第１のガイドの偏向は、容器内でのロッドの遠位変位の第１の段階に対応し得る。第２のトリガと相互作用するボスに応じた第２のガイドの偏向は、容器内でのロッドの遠位変位の第２の段階に対応し得る。
【０３０５】
行路は、ロッドの円筒表面に沿ってロッドの遠位端の近位に配設され得る。第１のトリガは、行路の遠位長手方向路の近位部分によって支持され得る。近位部分は、行路の中間路の遠位部分に隣接し得る。中間路は、行路の遠位路と近位路との間の円筒表面に沿って配設され得る。第１の段階は、ロッドの初期遠位変位であり得る。初期変位は、動作前にロッドをデバイス内に位置付け得る。
【０３０６】
第２のトリガは、中間路の遠位部分によって支持され得る。第２の段階は、デバイスの動作の開始であり得る。
【０３０７】
中間路は、軸を中心として螺旋状であり得る。中間路の一部分の螺旋形ピッチが十分に高く、これにより、ボスが中間路の高ピッチ部分と係合した反応表面を提供した状態で、ロッドの近位端に加えられる遠位に方向付けられた長手方向力を回転力に変換し得る。動作中、回転力は、ロッドの回転を駆動し得る。回転は、第２の段階に含まれ得る。
【０３０８】
開始は、薬剤の放出のための準備を含み得る。準備は、薬剤の貯蔵形態から薬剤の放出可能な形態への薬剤の変換を含み得る。
【０３０９】
薬剤の貯蔵形態は、第１の成分と、第１の成分とは別に貯蔵された第２の成分と、を含み得る。第１の成分と第２の成分との混合物は、薬剤の放出可能な形態を含み得る。
【０３１０】
準備は、薬剤の送達前の容器からの空気の放出を含み得る。
【０３１１】
第２のトリガは、中間路の近位部分によって支持され得る。中間路の近位部分は、近位路の遠位部分に隣接し得る。近位路は、末端表面を支持し得る。
【０３１２】
第２の段階は、薬剤の送達の開始であり得る。
【０３１３】
第２のトリガの近位にあり、かつ末端表面の遠位にある近位路に沿った長さは、ロッドの送達ストロークに対応し得、送達ストロークは、容器から薬剤の投与量を放出する。
【０３１４】
中間路は、軸に少なくとも部分的に平行であり得る。中間路は、軸に少なくとも部分的に平行であり得る。近位路は、軸に少なくとも部分的に平行であり得る。近位路は、軸に少なくとも部分的に平行であり得る。近位路は、中間路から円周方向に変位し得る。中間路の近位部分及び近位路の遠位部分は、行路の少なくとも部分的に円周方向の路によって結合され得る。
【０３１５】
動作中、送達ストロークは、行路と係合され得るボスを中間路から円周方向路を通じて近位路にシフトするロッドの回転によって可能になり得る。
【０３１６】
近位路は、中間路から約９０度変位し得る。
【０３１７】
送達ストロークの完了の触覚的指示は、末端表面に対するボスの隣接によって提供され得る。
【０３１８】
孔内でのロッドの遠位変位の段階で起こる相互作用に応じたガイドの偏向は、相互作用の指示を生成して、段階の開始を知らせ得る。指示は、触覚的であり得る。
【０３１９】
ボス、ガイド、トリガ、行路、ロッド、フィンガーフランジ、及び容器のうちの１つ以上の１つ以上の特性が、指示の振幅及び指示の持続時間のうちの１つ以上を決定し得る。特性は、形状、潤滑性、及び弾性を含み得る。
【０３２０】
指示は、聴覚的であり得る。
【０３２１】
ボス、ガイド、トリガ、行路、ロッド、フィンガーフランジ、及び容器のうちの１つ以上の１つ以上の特性が、指示の振幅、指示のピッチ、及び指示の持続時間のうちの１つ以上を決定し得る。特性は、形状、潤滑性、及び弾性を含み得る。
【０３２２】
本装置は、デバイスの遠位端から薬剤の目標量を送達するための送達デバイスを含み得、本方法は、それを伴い得る。
【０３２３】
カラーは、長手方向軸と同軸上に配設され得る。カラーは、半径方向突出部を含み得る。プランジャロッドは、カラー内に同軸上にノブとネジ切り係合され得る。ノブは、近位ノブであり得る。近位ノブは、隣接表面を含み得る。隣接表面は、遠位隣接表面であり得る。突出部は、軸を中心としたノブの回転中に、ロッドの長手方向に延在する構造に摺動係合して、ロッドを回転保持し得る。長手方向に延在する構造は、ロッドの近位ネジ山とロッドの遠位端との間に配設された長さに沿って延在し得る。突出部は、長手方向に延在する構造の表面特徴部と相互作用して、近位運動からロッドを長手方向に保持し得る。回転は、隣接表面をデバイス指標表面から近位に目標量に対応する距離だけ軸方向に変位させ得る。隣接表面と指標表面との間の干渉は、距離をロッドの遠位平行移動の程度に制限し得、平行移動は、遠位端から目標量を前進させる。
【０３２４】
表面特徴部は、近位停止表面を含み得る。近位停止表面は、表面特徴部に対する突出部の遠位運動に対する阻止を提供し得る。近位停止表面の遠位に、表面特徴部は、表面特徴部に対する突出部の近位運動のための通路を提供し得る。
【０３２５】
突出部は、遠位停止表面を含み得る。遠位停止表面は、表面特徴部に対する突出部の遠位運動に対する阻止を提供し得る。遠位停止表面の近位に、表面特徴部は、表面特徴部に対する突出部の近位運動のための通路を提供し得る。
【０３２６】
カラーは、突出部の遠位にブラケットを含み得る。ブラケットは、ノブと同軸上に薬剤容器を保持するように構成され得る。容器は、内部側壁によって拘束された孔を画定し得る。側壁は、側壁のセグメントに沿って均一直径を画定し得る。ロッドの遠位端は、容器内のプランジャに隣接し得る。プランジャは、側壁と摺動係合され得る。
【０３２７】
平行移動前に、プランジャは、容器の内側遠位端壁とプランジャとの間に薬剤の送達前量を密封し得る。平行移動後に、セグメントの遠位部分は、内側遠位端壁とプランジャとの間に収容されたバルク液体残余と接触し得る。残余中の薬剤の量は、目標量を差し引いた送達前量以下の量であり得る。
【０３２８】
指標表面は、回転前に隣接表面から長手方向にずらされ得、カラーに向かうノブの非回転遠位シフトによって隣接表面に対して隣接され得る。シフトは、送達前量を設定し得る。シフトは、薬剤を送達のために準備し得る。準備は、容器内で薬剤の成分を混合することを含み得る。
【０３２９】
プランジャは、第１のプランジャであり得、第１のプランジャの遠位に、第２のプランジャは、セグメントと摺動係合され得る。
【０３３０】
混合前に、薬剤の液体成分が、容器内に第１のプランジャと第２のプランジャとの間で密封され得る。混合は、容器内での第２のプランジャを越えて遠位の液体成分の移動を含み得る。
【０３３１】
混合後に、第１のプランジャの遠位面は、第２のプランジャの近位面に隣接し得る。
【０３３２】
準備は、容器をプライミングすることを含み得る。プライミングは、容器からの空気の遠位放出を含み得る。準備は、容器をプライミングすることを含み得る。プライミングは、容器からの不活性ガスの遠位放出を含み得る。
【０３３３】
デバイスは、回転可能な指示器を含み得る。回転可能な指示器は、カラー内に同軸上に配設され得る。カラーは、窓を画定し得る。窓は、指示器の一区域を曝露し得る。回転可能な指示器は、カラーによって長手方向に保持され得る。回転可能な指示器は、ノブに回転連結され得る。
【０３３４】
一区域は、表記を提供し得る。表記は、回転前に、デバイス動作の薬剤準備段階を示し得る。表記は、回転後に、目標量を示し得る。
【０３３５】
指示器は、薬剤準備段階の完了の触覚的指示を提供するように構成され得る。
【０３３６】
指示器は、薬剤準備段階の完了の聴覚的指示を提供するように構成され得る。
【０３３７】
指示器は、目標量の選択の触覚的指示を提供するように構成され得る。
【０３３８】
指示器は、目標量の選択の聴覚的指示を提供するように構成され得る。
【０３３９】
指標表面は、指示器の遠位内側表面であり得る。指標表面は、カラーの近位外側表面であり得る。指標表面は、軸を横断して配向され得る。
【０３４０】
カラーに向かうノブの非回転遠位運動は、指標表面を隣接表面に対して隣接させ得る。干渉は、遠位端からの薬剤の前進を終了させ得る。干渉は、前進の終了の触覚的指示を提供し得る。
【０３４１】
本装置は、デバイスの遠位端からの薬剤の目標量を送達するための薬剤送達デバイスを含み得、本方法は、それを伴い得る。
【０３４２】
デバイスは、カラーを含み得る。カラーは、軸と同軸上に配設され得る。カラーは、行路を有し得る。行路は、螺旋形路を含み得る。行路は、長手方向路を含み得る。デバイスは、プランジャロッドを含み得る。プランジャロッドは、カラー内に同軸上に配設され得る。ロッドは、近位ノブと係合され得る。近位ノブは、ボスを含み得る。ボスは、軸を中心としたノブの回転中に、螺旋形路に摺動係合し得、この回転がボスを長手方向路に向かって前進させる。ボスは、ノブの長手方向平行移動中に長手方向路に摺動係合し得る。
【０３４３】
平行移動は、ボスと長手方向路の遠位末端表面との間の干渉によって限界決定され得る。平行移動は、遠位端から目標量を前進させ得る。
【０３４４】
長手方向路は、螺旋形路と交差し得る。回転は、長手方向路の横方向表面に対するボスの隣接によって限界決定され得る。隣接は、ボスを長手方向路と円周方向に整列させ得る。長手方向路は、平行移動中にノブを回転保持し得る。長手方向路は、隣接の位置から長手方向程度で目標量に対応し得る。
【０３４５】
干渉は、カラーに対するボスの動きを、末端表面から離れて、かつ軸に平行に方向付けられた動きに制限し得る。干渉は、遠位端からの薬剤の前進を終了させ得る。
【０３４６】
カラーは、ノブと同軸上に、かつその遠位に薬剤容器を保持するように構成されたブラケットを含み得る。容器は、内部側壁のセグメントに沿って均一直径を画定する側壁によって拘束された孔を画定し得る。ロッドの遠位端は、容器内のプランジャに隣接し得る。プランジャは、側壁と摺動係合され得る。
【０３４７】
平行移動前に、プランジャは、容器の内側遠位端壁とプランジャとの間に薬剤の送達前量を密封し得る。平行移動後に、セグメントの遠位部分は、内側遠位端壁とプランジャとの間に収容されたバルク液体残余と接触し得る。残余中の薬剤の量は、目標量を差し引いた所定の量以下の量であり得る。
【０３４８】
回転は、送達前量を設定し得る。回転は、薬剤を送達のために準備し得る。準備は、容器内で薬剤の成分を混合することを含み得る。
【０３４９】
プランジャは、第１のプランジャであり得、第１のプランジャの遠位に、第２のプランジャは、セグメントと摺動係合され得る。
【０３５０】
混合前に、薬剤の液体成分が、容器内に第１のプランジャと第２のプランジャとの間で密封され得る。混合は、容器内での第２のプランジャを越えて遠位の液体成分の移動を含み得る。混合後に、第１のプランジャの遠位面は、第２のプランジャの近位面に隣接し得る。
【０３５１】
準備は、容器をプライミングすることを含み得る。
【０３５２】
プライミングは、容器からの空気の遠位放出を含み得る。プライミングは、容器からの不活性ガスの遠位放出を含み得る。
【０３５３】
螺旋形路は、カラーの外表面から半径方向内方に延在し得る。長手方向路は、外表面から半径方向内方に延在し得る。
【０３５４】
ノブは、ノブの長さに沿ってカラーを同心円状に取り囲んで配設され得る。摺動係合されたボスは、半径方向内方に延在し得る。
【０３５５】
カラーは、末端表面の遠位に長手方向ドックを含み得る。ドックは、長手方向路と円周方向に整列し得る。ノブは、ボスを越えて遠位に延在する長手方向アーム上にボスを支持し得る。長手方向アームは、輪郭を含み得る。輪郭は、ドックの輪郭と相補的であり得る。
【０３５６】
隣接は、アームをドックと円周方向に整列させ得る。これは、回転の完了の指示を提供し得る。平行移動は、アームをドック内に前進させ得る。
【０３５７】
螺旋形路は、カラーの内表面から半径方向外方に延在し得る。長手方向路は、内表面から離れて半径方向外方に延在し得る。
【０３５８】
ノブは、ノブの長さに沿ってカラー内に同心円状に配設され得る。摺動係合されたボスは、半径方向外方に延在し得る。
【０３５９】
カラーは、円筒外表面に沿って表記を有し得る。螺旋形路に隣接した表記の一部分は、デバイス動作の薬剤準備段階を示し得る。長手方向路に隣接した表記の一部分は、デバイス動作の薬剤送達段階を示し得る。表記に対する摺動係合されたボスの位置は、デバイス動作の段階の指示を提供し得る。
【０３６０】
螺旋形路は、トリガを支持し得る。ボスは、ボスとトリガとの間の相互作用に応じて偏向するように構成されたアームによって支持され得る。相互作用は、トリガの位置でのボスの係合の指示を提供し得る。
【０３６１】
トリガの位置は、螺旋形路の端に隣接し得る。端は、近位端であり得、指示は、回転の開始に対応する。端は、遠位端であり得、指示は、回転の開始に対応する。
【０３６２】
指示は、触覚的であり得る。指示は、聴覚的であり得る。隣接は、デバイス動作の薬剤準備段階の完了の触覚的指示を提供し得る。隣接は、デバイス動作の薬剤準備段階の完了の聴覚的指示を提供し得る。
【０３６３】
干渉は、デバイス動作の薬剤送達段階の完了の指示を提供し得る。
【０３６４】
本明細書に記載の装置及び方法は、例示的なものである。本発明による装置及び方法は、図に関連してこれから説明される。図は、本発明の原理に従う装置及び方法のステップの例示的な特徴を示す。
【０３６５】
本方法のステップは、本明細書に示され、かつ／または記載される順序以外の順序で行われ得る。いくつかの実施形態は、例示的な方法とともに示され、かつ／またはそれに関連して記載されるステップを省略し得る。いくつかの実施形態は、例示的な方法とともに示されず、かつそれに関連して記載されないステップを含み得る。例示的な方法のステップは、組み合わせられ得る。例えば、ある例示的な方法は、別の例示的な方法に関連して示されるステップを含み得る。
【０３６６】
いくつかの装置は、例示的な装置とともに示され、かつ／またはそれに関連して記載される特徴を省略し得る。いくつかの実施形態は、例示的な方法とともに示されず、かつそれに関連して記載されない特徴を含み得る。例示的な装置の特徴は、組み合わせられ得る。例えば、ある例示的な実施形態は、別の例示的な実施形態に関連して示される特徴を含み得る。
【０３６７】
装置は、例示的な装置のうちのいくつかもしくは全ての特徴、及び／または例示的な方法のステップのうちのいくつかもしくは全てを伴い得る。方法は、例示的な方法の特徴のうちのいくつかもしくは全て、及び／または例示的な装置のステップのうちのいくつかもしくは全てを伴い得る。
【０３６８】
本発明の装置及び方法は、例示的なデバイスの実施形態及び特徴に関連して記載される。デバイスは、本書の一部を形成する図中の添付の図面を参照してこれから記載される。本発明の範囲及び趣旨から逸脱することなく、他の実施形態が利用されてもよく、構造的、機能的、及び手順的修正が行われてもよいことを理解されたい。
【０３６９】
図１は、例示的な薬剤送達デバイス１００を示す。送達デバイス１００は、長手方向軸Ｌを画定し得る。送達デバイス１００は、動作前状態であり得る状態で示されている。動作前状態で、送達デバイス１００は、完全に組み立てられ得る。動作前状態で、送達デバイス１００は、薬剤の放出のために準備され得る。動作前状態で、送達デバイス１００からの薬剤の放出は、始まっていなくてもよい。
【０３７０】
送達デバイス１００は、近位ノブ１０２を含み得る。ノブ１０２は、軸Ｌと同軸上に配設され得る。
【０３７１】
送達デバイス１００は、プランジャロッド１１０を含み得る。ロッド１１０は、混合構成の構成要素であり得る。ノブ１０２は、ロッド１１０に取り付けられ得る。ノブ１０２は、ロッド１１０の一部であり得る。ノブ１０２及びロッド１１０は、単一本体の構成要素であり得る。
【０３７２】
ロッド１１０は、軸Ｌと同軸上に配設され得る。軸Ｌを中心としたノブ１０２の回転は、軸Ｌを中心としたロッド１１０の回転をもたらし得る。軸Ｌに沿ったノブ１０２の長手方向平行移動は、軸Ｌに沿ったロッド１１０の長手方向平行移動をもたらし得る。
【０３７３】
ロッド１１０は、動作行路１２０を画定し得る。動作行路１２０は、ロッド１１０の円筒表面に沿って延在し得る。動作行路１２０は、軸Ｌを中心として実質的に螺旋形の区分を含み得る。軸Ｌを中心として実質的に螺旋形の動作行路１２０の区分は、螺旋状路１２２を含み得る。動作行路１２０は、軸Ｌに実質的に平行な区分を含み得る。軸Ｌに実質的に平行な動作行路１２０の区分は、長手方向路１２４を含み得る。ロッド１１０は、動作前行路１３０を画定し得る。動作前行路１３０は、ロッド１１０の円筒表面に沿って延在し得る。
【０３７４】
送達デバイス１００は、プランジャロッドガイド１４０を含み得る。ロッド１１０は、ガイド１４０内に配設され得る。ロッド１１０は、ガイド１４０を通過し得る。ガイド１４０は、ロッド１１０が配設され、かつロッド１１０が通過する通行路（図示せず）を画定し得る。
【０３７５】
送達デバイス１００は、薬剤容器１５０を含み得る。容器１５０は、混合構成の構成要素であり得る。容器１５０は、軸Ｌと同軸上に配設され得る。容器１５０は、円筒であり得る。ロッド１１０の遠位部分は、容器１５０内に配設され得る。ロッド１１０の遠位部分は、動作前行路１３０を画定し得る。動作前状態で、動作前行路１３０は、既にガイド１４０を通過して、容器１５０内に入っていてもよい。動作前状態で、動作行路１２０は、まだガイド１４０を通過していなくてもよい。
【０３７６】
容器１５０は、薬剤成分１６０ａを含有し得る。容器１５０は、薬剤成分１６０ｂを含有し得る。容器１５０は、薬剤成分１６０ｂとは別に薬剤成分１６０ａを含有し得る。動作前状態で、薬剤成分１６０ａは、薬剤成分１６０ｂとは別に維持され得る。
【０３７７】
送達デバイス１００は、デバイス筐体１７０を含み得る。筐体１７０は、軸Ｌと同軸上に配設され得る。筐体１７０は、円筒であり得る。ガイド１４０は、筐体１７０内に配設され得る。容器１５０は、筐体１７０内に配設され得る。
【０３７８】
送達デバイス１００は、フィンガーフランジ１８０を含み得る。フィンガーフランジ１８０は、筐体１７０とは別個であり得る。フィンガーフランジ１８０は、筐体１７０に取り付けられ得る。フィンガーフランジ１８０は、筐体１７０と一体であり得る。
【０３７９】
送達デバイス１００は、針ハブ１９０を含み得る。針ハブ１９０は、軸Ｌと同軸上に配設され得る。針ハブ１９０は、筐体１７０に取り付けられ得る。
【０３８０】
図２は、送達デバイス１００の特徴を示す。
【０３８１】
図２は、ノブ１０２を示す。ノブ１０２は、軸Ｌを中心とした楕円形状を有し得る（図１に示される）。楕円形状は、送達デバイス１００の動作状態中の軸Ｌを中心としたロッド１１０の円周方向配向に関する触覚的合図を送達デバイス１００の操作者に提供し得る。楕円形状は、動作状態中の軸Ｌを中心としたロッド１１０の円周方向配向に関する視覚的合図を操作者に提供し得る。
【０３８２】
ノブ１０２は、押し込み隆起部２０４を含み得る。押し込み隆起部２０４は、軸Ｌに沿ったロッド１１０の遠位長手方向平行移動を達成するために操作者によって利用され得る。押し込み隆起部２０４は、ロッド１１０の長手方向平行移動を達成するためにノブ１０２の牽引に寄与し得る。押し込み隆起部２０４は、ロッド１１０の長手方向平行移動を達成するために操作者とノブ１０２との人間工学的指接触に寄与し得る。押し込み隆起部２０４を通るノブ１０２との指接触は、軸Ｌに沿ったロッド１１０の遠位長手方向平行移動の程度の触覚的フィードバックを操作者に伝え得る。
【０３８３】
ノブ１０２は、旋回隆起部２０６を含み得る。旋回隆起部２０６は、軸Ｌを中心としたロッド１１０の回転を達成するために操作者によって利用され得る。旋回隆起部２０６は、ロッド１１０の回転を達成するためにノブ１０２の牽引に寄与し得る。旋回隆起部２０６は、ロッド１１０の回転を達成するために操作者とノブ１０２との人間工学的指接触に寄与し得る。旋回隆起部２０６との指接触は、軸Ｌを中心としたロッド１１０の回転の程度の触覚的フィードバックを操作者に伝え得る。
【０３８４】
旋回隆起部２０６は、ノブ１０２の周囲に円周方向に離間され得る。旋回隆起部２０６は、ノブ１０２の円周の周囲に規則的に離間され得る。ノブ１０２の円周の周囲に規則的に離間された旋回隆起部２０６は、行われる回転の程度の度合いを操作者に提供し得る。
【０３８５】
ノブ１０２は、旋回方向表記２０８を含み得る。動作状態で、送達デバイス１００は、２つの回転方向の一方のみへの軸Ｌを中心としたロッド１１０の回転に応じた容器１５０内でのロッド１１０の遠位変位を達成し得る。旋回方向表記２０８は、有効な回転方向に関する合図を操作者に提供し得る。合図は、動作状態前及び／または動作状態中に思い出させるものとしての役割を果たし得る。合図は、視覚的であり得る。合図は、触覚的であり得る。
【０３８６】
描写されるように、軸Ｌを中心としたロッド１１０の回転に応じた容器１５０内でのロッド１１０の遠位変位に有効な回転方向は、送達デバイス１００の時計回り方向であり得る。（図示されていないが、動作行路にロッド１１０の螺旋形区分について描写されているものの反対のスクリュー感覚（ｓｃｒｅｗ−ｓｅｎｓｅ）を特徴付けるいくつかの実施形態の場合、反時計回り方向回転が有効な回転方向であり得る。いくつかの実施形態の場合、旋回方向表記は、反時計回り方向回転の合図を提供し得る。）
【０３８７】
ロッド１１０は、末端表面２１２を含み得る。末端表面２１２は、動作行路１２０の近位端であり得る。動作行路１２０は、末端表面２１２を支持し得る。末端表面２１２は、動作行路１２０の側壁であり得る。末端表面２１２は、動作行路１２０に沿って最も近位に位置する側壁であり得る。末端表面２１２は、動作行路１２０の端壁であり得る。末端表面２１２は、長手方向路１２４の側壁であり得る。末端表面２１２は、長手方向路１２４に沿って最も近位に位置する側壁であり得る。末端表面２１２は、長手方向路１２４の端壁であり得る。
【０３８８】
ロッド１１０は、第２の動作行路２２１を画定し得る。第２の動作行路２２１は、ロッド１１０の円筒表面に沿って動作行路１２０に平行に延在し得る。第２の動作行路２２１は、ロッド１１０の円筒表面に沿って動作行路１２０の直径方向反対側に配設され得る。
【０３８９】
第２の動作行路２２１は、軸Ｌを中心として実質的に螺旋形の区分を含み得る。軸Ｌを中心として実質的に螺旋形の第２の動作行路２２１の区分は、螺旋状路２２３であり得る。第２の動作行路２２１は、軸Ｌに実質的に平行な区分（図示せず）を含み得る。
【０３９０】
ロッド遠位端２１１は、動作前行路１３０の遠位端を画定し得る。動作前トリガ２１４は、動作前行路１３０に対する近位端を定め得る。動作前トリガ２１４は、動作前行路１３０によって支持された突起部であり得る。
【０３９１】
図２Ａは、図２に示される線Ａ−Ａに沿って切り取られた断面図（ノブ１０２に向かって軸Ｌに沿って見たもの）におけるロッド１１０を示す。ロッド１１０は、軸Ｌと同軸上に中空コアを有し得る。この図面は、動作行路１２０の近位端として末端表面２１２の真横から見た図（ｅｎｄ−ｏｎ  ｖｉｅｗ）を提示する。末端表面２１２によって近位に終結する動作行路１２０の区分は、長手方向路１２４であり得る。長手方向路１２４は、長手方向路２２５に対して軸Ｌを中心としたロッド１１０の円周上に対称的に配設され得る。長手方向路２２５は、軸Ｌに実質的に平行な第２の動作行路２２１の区分であり得る。長手方向路２２５は、長手方向路１２４の直径方向反対側のロッド１１０の円周上に配設され得る。ロッド１１０は、第２の末端表面２１３を含み得る。第２の末端表面２１３は、第２の動作行路２２１の近位端であり得る。第２の末端表面２１３は、長手方向路２２５の近位端であり得る。第２の動作行路２２１は、第２の末端表面２１３を支持し得る。第２の末端表面２１３は、第２の動作行路２２１の側壁であり得る。第２の末端表面２１３は、第２の動作行路２２１に沿って最も近位に位置する側壁であり得る。第２の末端表面２１３は、第２の動作行路２２１の端壁であり得る。末端表面２１３は、長手方向路２２５の側壁であり得る。第２の末端表面２１３は、長手方向路２２５に沿って最も近位に位置する側壁であり得る。第２の末端表面２１３は、長手方向路２２５の端壁であり得る。第２の末端表面２１３は、ロッド遠位端２１１からの末端表面２１２の距離に実質的に等しいロッド遠位端２１１からの距離でロッド１１０に沿って配設され得る。
【０３９２】
図２Ｂは、図２に示される線Ｂ−Ｂに沿って切り取られた断面図（遠位端２１１に向かって軸Ｌに沿って見たもの）におけるロッド１１０を示す。ロッド１１０の中空コア（図２Ａに示される）は、線Ｂ−Ｂに遠位に延在しなくてもよい。動作前行路１３０は、第２の動作前行路１３１に対してロッド１１０の円周上に軸Ｌを中心として対称的に配設され得る。第２の動作前行路１３１は、動作前行路１３０の直径方向反対側のロッド１１０の円周上に配設され得る。第２の動作前行路１３１は、ロッド１１０の円筒表面に沿って延在し得る。ロッド遠位端２１１は、第２の動作前行路１３１の遠位端を画定し得る。
【０３９３】
図２Ｃは、線Ｃ−Ｃに沿って切り取られた断面図（ノブ１０２に向かって軸Ｌに沿って見たもの）におけるロッド１１０を示す。この図面は、動作前行路１３０の近位端を定める動作前トリガ２１４の真横から見た図を提示する。動作前トリガ２１４は、第２の動作前トリガ２１５に対してロッド１１０の円周上に軸Ｌを中心として対称的に配設され得る。第２の動作前トリガ２１５は、動作前トリガ２１４の直径方向反対側のロッド１１０の円周上に配設され得る。第２の動作前トリガ２１５は、第２の動作前行路１３１によって支持された突起部であり得る。第２の動作前トリガ２１５は、ロッド遠位端２１１からの動作前トリガ２１４の距離に実質的に等しいロッド遠位端２１１からの距離でロッド１１０に沿って配設され得る。
【０３９４】
図２は、ロッド遠位端２１１がガイド１４０を通じて挿入され得ることを示す。ガイド１４０は、ロッド遠位端２１１が挿入され得る通行路を画定し得る。ロッド遠位端２１１が挿入され得る通行路は、ロッド１１０が配設され得る通行路であり得る。
【０３９５】
ガイド１４０は、ボス２４２ａを含み得る。ガイド１４０は、ボス２４２ｂ（仮想線で示される）を含み得る。ボス２４２ａ及びボス２４２ｂは、ガイド１４０の内部の周囲に軸Ｌを中心として互いに対して対称的に配設され得る。ボス２４２ｂは、ガイド１４０の内部内にボス２４２ａの直径方向反対側に配設され得る。ガイド１４０を通るロッド遠位端２１１の挿入に伴い、ボス２４２ａは、第２の動作前行路１３１でロッド１１０に係合し得る（図２Ｂに示される）。ボス２４２ａは、第２の動作前行路１３１内に半径方向に延在し得る。ガイド１４０を通るロッド遠位端２１１の挿入に伴い、ボス２４２ｂは、動作前行路１３０でロッド１１０に係合し得る。ボス２４２ｂは、動作前行路１３０内に半径方向に延在し得る。
【０３９６】
ガイド１４０は、ガイドタブ２４４ａを含み得る。ガイド１４０は、ガイドタブ２４４ｂを含み得る。ガイドタブ２４４ａ及びガイドタブ２４４ｂは、ガイド１４０の外部の周囲に軸Ｌを中心として互いに対して対称的に配設され得る。ガイドタブ２４４ｂは、ガイド１４０の外部の周囲にガイドタブ２４４ａの直径方向反対側に配設され得る。ガイド１４０は、着座カラー区分２４６ａ、着座カラー区分２４６ｂ１、及び着座カラー区分２４６ｂ２を含み得る。
【０３９７】
ガイド１４０の遠位面は、容器１５０の近位開口部に面し得る。ガイド１４０の遠位表面は、容器１５０の近位開口部を取り囲む近位端壁に隣接し得る。容器１５０は、内壁２５２によって拘束された孔を画定し得る。内壁２５２の近位部分は、容器１５０の近位開口部を画定し得る。内壁２５２の遠位部分は、容器１５０の遠位開口部を画定し得る。
【０３９８】
近位プランジャ２５４の外部円周方向表面は、内壁２５２に対して摺動可能に密封し得る。近位プランジャ２５４の近位面は、ロッド遠位端２１１と接触するように構成され得る。ロッド接触面２５１は、ロッド遠位端２１１と接触するように構成され得る。近位プランジャ２５４は、ロッド接触面２５１を含み得る。近位プランジャ２５４の近位面は、ロッド接触面２５１を含み得る。
【０３９９】
放出プランジャ２５６の外部円周方向表面は、内壁２５２に対して摺動可能に密封し得る。動作前状態で、放出プランジャ２５６は、薬剤成分１６０ｂとは別に薬剤成分１６０ａを密封維持し得る。動作前状態で、薬剤成分１６０ｂは、近位プランジャ２５４と放出プランジャ２５６との間に密封維持され得る。動作前状態で、薬剤成分１６０ａは、放出プランジャ２５６と針貫通可能止め具２５８との間に密封維持され得る。
【０４００】
針貫通可能止め具２５８は、容器１５０の遠位開口部を密封し得る。針貫通可能止め具２５８は、容器１５０の遠位開口部を取り囲む遠位端壁に隣接し得る。針貫通可能止め具２５８の近位本体区分の外部円周方向表面は、内壁２５２の遠位部分に対して密封し得る。針貫通可能止め具２５８の遠位本体区分は、容器１５０の孔の均一直径を実質的に超える直径を有し得る。針貫通可能止め具２５８の遠位本体区分の周縁の近位表面は、容器１５０の遠位端壁に対して密封し得る。
【０４０１】
容器１５０は、ガイド１４０の遠位の筐体１７０内に配設され得る。容器１５０は、筐体１７０内にガイド１４０と筐体１７０の遠位保持隆起部（図示せず）との間で配設され得る。容器１５０の近位開口部を取り囲む容器１５０の近位端壁は、ガイド１４０の遠位表面に隣接し得る。針貫通可能止め具２５８の遠位本体区分の遠位周縁は、筐体１７０の遠位保持隆起部に隣接し得る。
【０４０２】
ガイド１４０は、筐体１７０内に筐体壁２７１の近位開口部内に配設され得る。筐体壁２７１は、フィンガーフランジ１８０を支持し得る。筐体壁２７１は、第１の壁区分２７５ａを含み得る。壁区分２７５ａは、軸Ｌを横断する断面において弓形であり得る。筐体壁２７１は、第２の壁区分２７５ｂを含み得る。壁区分２７５ｂは、軸Ｌを横断する断面において弓形であり得る。壁区分２７５ａ及び壁区分２７５ｂは、軸Ｌを中心として互いに対して対称的に配設され得る。
【０４０３】
ガイド１４０は、筐体１７０内に壁区分２７５ａと壁区分２７５ｂとの間で配設され得る。ガイド１４０が筐体１７０内に壁区分２７５ａと壁区分２７５ｂとの間で配設されると、ガイドタブ２４４ａは、ガイドタブ係止部２７２ａによって軸方向近位運動から阻止され得る。ガイドタブ２４４ａの円周方向縁の近位側面は、ガイドタブ係止部２７２ａの遠位縁の遠位に維持され得る。ガイドタブ２４４ｂは、ガイドタブ係止部２７２ｂ（仮想線で示される）によって軸方向近位運動から阻止され得る。ガイドタブ２４４ｂの円周方向縁の近位側面は、ガイドタブ係止部２７２ｂの遠位縁の遠位に維持され得る。
【０４０４】
ガイド１４０は、筐体１７０内に着座表面２７６に対して着座され得る。ガイド１４０が筐体１７０内に着座されると、着座表面２７６は、着座カラー区分２４６ａ、着座カラー区分２４６ｂ１、及び着座カラー区分２４６ｂ２の各々に隣接し得る。着座カラー区分２４６ａ及び着座カラー区分２４６ｂ１は、ガイドタブ係止部２７２ｂによって筐体１７０に対する軸Ｌを中心とした回転運動から阻止され得る。着座カラー区分２４６ａ及び着座カラー区分２４６ｂ２は、ガイドタブ係止部２７２ａによって筐体１７０に対する軸Ｌを中心とした回転運動から阻止され得る。着座カラー区分２４６ａ及び／または着座カラー区分２４６ｂ１及び／または着座カラー区分２４６ｂ２の筐体１７０に対する軸Ｌを中心とした回転運動からの阻止は、ガイド１４０を筐体１７０に対する軸Ｌを中心とした回転運動から阻止し得る。
【０４０５】
筐体１７０は、筐体ネジ山２７８を含み得る。針ハブ１９０は、ハブネジ山２９２を含み得る。針ハブ１９０は、筐体ネジ山２７８とハブネジ山２９２を一緒に螺合することによって筐体１７０に添着され得る。
【０４０６】
図３は、線３−３（図１に示される）に沿って切り取られた断面図における送達デバイス１００を示す。図３は、ガイド１４０の遠位に配設された容器１５０の近位端壁を示す。容器１５０の近位端壁は、ガイド１４０の遠位表面に隣接し得る。針貫通可能止め具２５８は、遠位保持隆起部３８４の近位に配設され得る。遠位保持隆起部３８４は、筐体１７０の内部に配設され得る。遠位保持隆起部３８４は、壁２７１の半径方向内方に厚くなった部分を含み得る。遠位保持隆起部３８４は、筐体１７０の遠位開口部を取り囲んで円周方向に配設され得る。
【０４０７】
針貫通可能止め具２５８の遠位本体区分の遠位表面は、遠位保持隆起部３８４に隣接し得る。針貫通可能止め具２５８の遠位本体区分の遠位周縁は、遠位保持隆起部３８４と容器１５０の遠位端壁との間に圧縮され得る。針貫通可能止め具２５８の遠位本体区分の周縁の遠位表面は、遠位保持隆起部３８４によって変形し得る。容器１５０は、筐体１７０に対して実質的に固定して維持され得る。容器１５０は、ガイド１４０の遠位表面と遠位保持隆起部３８４との間で筐体１７０に対して実質的に軸方向に固定して維持され得る。スペーサー（図示せず）は、ガイド１４０の遠位表面と容器１５０の近位端壁との間に配設され得る。ガイド１４０の遠位表面は、スペーサーに隣接し得る。容器１５０の近位端壁は、スペーサーに隣接し得る。
【０４０８】
ノブ１０２は、ノブ遠位表面３０３を含み得る。筐体壁２７１は、近位筐体端壁３７７を含み得る。ノブ遠位表面３０３は、軸Ｌ（図１に示される）に平行な直線距離ｄ１だけ近位筐体端壁３７７から隔離され得る。動作状態中、ロッド１１０がガイド１４０を通じて遠位に変位すると、距離ｄ１が減少し得る。動作状態の終了時、薬剤送達が完了すると、距離ｄ１は最小であり得る。最小は、ゼロを超え得る。
【０４０９】
送達デバイス１００の動作状態は、デバイス１００の送達前動作及びデバイス１００の薬剤送達動作を含み得る。デバイス１００の送達前動作は、送達デバイス１００の遠位端がノブ１０２の上に実質的に垂直上方に維持された状態で実施され得る。送達ストロークの実行は、患者への注入に最も好適な送達デバイス１００のどのような配向も伴い得る。
【０４１０】
ロッド遠位端２１１は、近位プランジャ２５４のロッド接触面２５１に隣接し得る。ロッド１１０が動作状態でガイド１４０を通じて遠位に変位すると、ロッド遠位端２１１は、ロッド接触面２５１を遠位に変位させ、それにより、近位プランジャ２５４を遠位に変位させ得る。近位プランジャ２５４の遠位変位中、近位プランジャ２５４は、内壁２５２に対して密封摺動し得る。近位プランジャ２５４の遠位変位は、薬剤成分１６０ｂを遠位に変位させ得る。
【０４１１】
薬剤成分１６０ｂは、近位プランジャ２５４の遠位面３６３と放出プランジャ２５６の近位面３６５との間に配設され得る。薬剤成分１６０ｂは、遠位面３６３と近位面３６５との間の空間を実質的に充填し得る。薬剤成分１６０ｂは、液体を含み得る。液体は、実質的に非圧縮性であり得る。薬剤成分１６０ｂの遠位変位は、放出プランジャ２５６を遠位に変位させ得る。放出プランジャ２５６の遠位変位中、放出プランジャ２５６は、内壁２５２に対して密封摺動し得る。薬剤成分１６０ｂは、遠位面３６３と近位面３６５との間の内壁２５２内に密封され得る。遠位面３６３は、近位面３６５と構造的に相補的であり得る。
【０４１２】
ボス２４２ａ（仮想線で示される）が動作行路１２０と係合され、ボス２４２ｂ（図２に示される）が第２の動作行路２２１と係合された状態で、ノブ１０２の時計回り方向回転は、ロッド１１０を、ガイド１４０を通じて遠位に変位させ得る。ロッド１１０の遠位変位は、距離ｄ１を減少させ得る。送達デバイス１００は、動作状態の終了時でさえも、ガイド１４０を通じて容器１５０内に入るロッド１１０の最大遠位変位で、距離ｄ１がゼロを超え得るように構成され得る。
【０４１３】
送達デバイス１００は、バイパス溝３５５を含み得る。バイパス溝３５５は、内壁２５２内に半径方向外方に延在する１つ以上の陥凹部を含み得る。軸Ｌからのバイパス溝３５５のうちのいずれかの床部の半径方向距離は、内壁２５２の円筒半径を超え得る。バイパス溝３５５は、内壁２５２の円筒内表面に沿って軸Ｌに平行な構成要素を有する伸長部を有し得る。動作前、近位面３６５は、内壁２５２の円筒内表面に沿ってバイパス溝３５５の伸長部の最近位面の近位にあり得る。
【０４１４】
動作前状態で、近位面３６５に隣接した放出プランジャ２５６の近位円周方向密封表面は、内壁２５２に対してその全外周に沿って密封し得る。動作状態で、ノブ１０２のさらなる時計回り方向回転とともに放出プランジャ２５６の変位が遠位に進展すると、放出プランジャ２５６は、放出プランジャ２５６の近位円周方向密封表面が内壁２５２の円筒内表面に沿ってバイパス溝３５５の伸長部の最近位面を通過するまで、内壁２５２に対して遠位に密封摺動し、全外周密封を維持し得る。
【０４１５】
放出プランジャ２５６の近位円周方向密封表面が内壁２５２の円筒内表面に沿ってバイパス溝３５５の伸長部の最近位面の遠位にある状態で、放出プランジャ２５６の円周方向密封表面は、内壁２５２の凹設されていない区分に沿って密封を維持し得る。放出プランジャ２５６の円周方向密封表面は、バイパス溝３５５のうちのいずれか１つの幅にわたって密封を維持しなくてもよい。成分１６０ｂは、バイパス溝３５５を経て放出プランジャ２５６の遠位面３６７と止め具２５８の近位面３５７との間の空間内に遠位に変位して、成分１６０ａと混合され得る。成分１６０ｂは、再溶解溶液を含み得る。成分１６０ａは、より多くの成分１６０ｂがノブ１０２のさらなる時計回り方向回転によって遠位に変位するにつれて次第に再溶解されるであろう凍結乾燥製品を含み得る。
【０４１６】
遠位面３６７の遠位の圧力の放出は、針ハブ１９０の放出針３９４内のカニューレによって達成され得る。針３９４は、遠位止め具２５８を貫通し得る。遠位止め具２５８は、針３９４の外周の周囲を密封し得る。針３９４のカニューレは、遠位面３６７と近位面３５７との間の空間と流体連通し得る。針３９４のカニューレは、送達針３９８のカニューレと流体連通し得る。針３９４のカニューレは、インラインフィルタ３９６と流体連通し得る。フィルタ３９６は、送達針３９８のカニューレと流体連通し得る。
【０４１７】
放出プランジャ２５６の近位円周方向密封表面が内壁２５２の円筒内表面に沿ってバイパス溝３５５の伸長部の最近位面の遠位にある状態で、ノブ１０２のさらなる時計回り方向回転は、ロッド１１０をさらに遠位に変位させ得る。ロッド１１０のさらなる遠位変位は、近位プランジャ２５４をさらに遠位に変位させ得る。近位プランジャ２５４のさらなる遠位変位は、成分１６０ｂをさらに遠位に変位させ得る。さらに遠位に変位した成分１６０ｂが、放出プランジャ２５６の近位円周方向密封表面の近位に密封されるのではなく、バイパス溝３５５に沿って遠位に流れている状態で、放出プランジャ２５６は、遠位に変位した近位プランジャ２５４の遠位面３６３によって近位面３６５に隣接されるまで、実質的に固定したままであり得る。
【０４１８】
遠位面３６３が近位面３６５に対して隣接した状態で、成分１６０ｂの実質的にいずれも近位面３６５に近位に残存しなくなり得、成分１６０ｂの実質的に全てがバイパス溝３５５に沿って遠位に変位している。成分１６０ｂの実質的に全てがバイパス溝３５５に沿って変位した状態で、成分１６０ｂ及び成分１６０ａが混合されて、成分１６０ａと成分１６０ｂとの混合物になり得る。成分１６０ａと成分１６０ｂとの混合物は、完全な混合物であり得る。成分１６０ａと成分１６０ｂとの混合物は、遠位面３６７と近位面３５７との間の空間内に収容され得る。遠位面３６７は、軸Ｌに平行な直線距離ｄ２だけ近位面３５７から隔離され得る。
【０４１９】
ノブ１０２のさらなる時計回り方向回転は、ロッド１１０をさらに遠位に変位させることによって直線距離ｄ２を低減し得る。ロッド１１０のさらなる遠位変位は、近位プランジャ２５４をさらに遠位に変位させ得る。近位プランジャ２５４のさらなる遠位変位は、放出プランジャ２５６をさらに遠位に変位させ、遠位面３６７を近位面３５７により近付けて、距離ｄ２を低減し得る。遠位面３６７は、近位面３５７と構造的に相補的であり得る。
【０４２０】
放出プランジャ２５６のさらなる遠位変位は、成分１６０ａと成分１６０ｂとの混合物を遠位に変位させ得る。ロッド１１０のさらなる遠位変位に伴い、放出プランジャ２５６及び近位プランジャ２５４の円周方向密封表面は、連続して、内壁２５２の円筒内表面に沿ってバイパス溝３５５の伸長部の最遠位面を越えて遠位に通過し得る。内壁２５２の円筒内表面に沿ってバイパス溝３５５の伸長部の最遠位面を通過すると、放出プランジャ２５６及び近位プランジャ２５４の円周方向密封表面は、内壁２５２に対する完全な外周密封を連続して達成し得る。
【０４２１】
内壁２５２に対する完全な外周密封（複数可）に伴い、ロッド１１０のさらなる遠位変位は、成分１６０ａと成分１６０ｂとの混合物を遠位に変位させ、針３９４、フィルタ３９６、及び針３９８を連続的に通じて成分１６０ａと成分１６０ｂとの混合物を放出し得る。
【０４２２】
ノブ１０２のさらなる時計回り方向回転は、動作行路１２０と係合された状態で、ボス２４２ａを行路１２０の長手方向路１２４（図２に示される）と係合させ得る。ノブ１０２のさらなる時計回り方向回転は、第２の動作行路２２１と係合されたボス２４２ｂ（図２に示される）を行路２２１の長手方向路２２５（仮想線で示される）と係合させ得る。ボス（複数可）の長手方向路（複数可）との係合は、ノブ１０２のさらなる時計回り方向回転を阻止し得る。
【０４２３】
ボス（複数可）が長手方向路（複数可）と係合した状態で、ノブ１０２は、軸Ｌに沿って遠位に押し込まれて、ロッド１１０をさらに遠位に変位させ得る。ロッド１１０のさらなる変位は、送達ストロークの実行を構成し得る。ロッド１１０のさらなる変位は、成分１６０ａと成分１６０ｂとの混合物をさらに遠位に変位させ、針３９４、フィルタ３９６、及び針３９８を連続的に通じて成分１６０ａと成分１６０ｂとの混合物を放出させ得る。
【０４２４】
ノブ１０２は、ボス２４２ａが末端表面２１２（図２に示される）に隣接するまで、かつ／またはボス２４２ｂが末端表面２１３（仮想線で示される）に隣接するまで軸Ｌに沿って遠位に押し込まれ得る。ボス（複数可）の末端表面（複数可）との隣接は、ロッド１１０のさらなる遠位変位を阻止し得、成分１６０ａと成分１６０ｂとの混合物のさらなる遠位変位を阻止し得る。ボス（複数可）の末端表面（複数可）との隣接は、送達ストロークを終了させ得る。
【０４２５】
ボス（複数可）が末端表面（複数可）に隣接した状態で、直線距離ｄ２は、非ゼロであり得る。ボス（複数可）が末端表面（複数可）に隣接した状態で、成分１６０ａと成分１６０ｂとの混合物の残余は、内壁２５２内に遠位面３６７と近位面３５７との間で収容されたままであり得る。
【０４２６】
図４Ａ及び図４Ｂは、ロッド１１０の特徴を示す。
【０４２７】
図４Ａは、ロッド遠位端２１１によって遠位に画定され、かつ動作前トリガ２１４によって近位に制限されたロッド１１０の動作前行路１３０を示す。動作前トリガ２１４に隣接して、動作開始トリガ４１６は、螺旋状路１２２の遠位端で動作行路１２０によって支持され得る。行路１２０は、長手方向路１２４の遠位端に隣接して螺旋状路１２２の近位端で送達開始トリガ４１８を支持し、後者が末端表面２１２によって近位に制限され得る。
【０４２８】
螺旋状路２２３の近位端は、長手方向路２２５（図２Ａ及び図３に示される）の遠位に、かつそれに隣接して配設され得る。送達開始トリガ４１８の直径方向反対側に、螺旋状路２２３の近位端は、長手方向路２２５の遠位端に隣接して第２の送達開始トリガ（図示せず）を支持し得る。
【０４２９】
図４Ｂは、図４Ａに示されるロッド１１０の図の詳細を示す。行路１２０は、側壁４２７によって画定され得る。行路１２０は、走行表面４２８によって画定され得る。送達開始トリガ４１８と末端表面２１２との間に、走行表面４２８は、走行表面４２９を含み得る。末端表面２１２に近づくと、走行表面４２９は、ロッド１１０内に次第に凹設され得る。軸Ｌ（図１に示される）からの走行表面４２９の半径方向距離は、長手方向路１２４に沿った走行表面４２９の末端表面２１２への近接の増加とともに減少し得る。
【０４３０】
図５及び図６は、本発明の構成の構成要素であり得るプランジャロッドの詳細を示す。
【０４３１】
図５は、プランジャロッド５１０を示す。ロッド５１０は、混合構成の構成要素であり得る。ロッド５１０は、ロッド１１０（図１、２、２Ａ、２Ｂ、２Ｃ、３、４Ａ、及び４Ｂに示される）の特徴及び機能のいずれも有さなくてもよく、またはそれらのうちのいくつかもしくは全てを有してもよい。ロッド５１０は、末端表面５１２、長手方向路５２４、送達開始トリガ５１８、動作行路５２０、動作開始トリガ５１６、動作前トリガ５１４、動作前行路５３０、及びロッド遠位端５１１を含み得る。ロッド５１０は、長手方向ロッド軸（図示せず）を画定し得る。
【０４３２】
ロッド５１０は、長手方向路５２４の走行表面５２９を含み得る。長手方向ロッド軸からの走行表面５２９の半径方向距離は、長手方向路５２４に沿って一定のままであり得る。行路５２０は、プライミング開始トリガ５１７を支持し得る。プライミング開始トリガ５１７は、動作開始トリガ５１６の近位に、かつ送達開始トリガ５１８の遠位に、行路５２０に沿って中央に位置し得る。
【０４３３】
図６は、プランジャロッド６１０を示す。ロッド６１０は、非混合構成の構成要素であり得る。ロッド６１０は、ロッド１１０（図１、２、２Ａ、２Ｂ、２Ｃ、３、４Ａ、及び４Ｂに示される）の特徴及び機能のいずれも有さなくてもよく、またはそれらのうちのいくつかもしくは全てを有してもよい。ロッド６１０は、ロッド５１０（図５に示される）の特徴及び機能のいずれも有さなくてもよく、またはそれらのうちのいくつかもしくは全てを有してもよい。ロッド６１０は、末端表面６１２、動作行路６２０、動作開始トリガ６１６、動作前トリガ６１４、動作前行路６３０、及びロッド遠位端６１１を含み得る。ロッド６１０は、長手方向ロッド軸（図示せず）を画定し得る。動作行路６２０は、回転送達行路であり得る。
【０４３４】
ロッド６１０は、螺旋状路６２２を含み得る。行路６２０は、送達開始トリガ６１８を含み得る。送達開始トリガ６１８は、動作開始トリガ６１６の近位に、かつ末端表面６１２の遠位に、行路６２０に沿って中央に位置し得る。非混合構成は、薬剤の放出可能な形態（図示せず）での事前充填を特色とし得る。非混合構成で、送達デバイスの動作は、プライミングから始まり得る。動作開始トリガ６１６は、プライミング開始トリガであり得る。
【０４３５】
末端表面６１２は、動作行路６２０の近位端であり得る。動作行路６２０は、末端表面６１２を支持し得る。末端表面６１２は、動作行路６２０の側壁であり得る。末端表面６１２は、動作行路６２０の端壁であり得る。末端表面６１２は、螺旋状路６２２の側壁であり得る。末端表面６１２は、螺旋状路６２２の端壁であり得る。
【０４３６】
末端表面６１２は、螺旋状路６２２に沿った行路６２０の端壁であり得る。送達開始トリガ６１８と末端表面６１２との間の螺旋状路６２２に沿った長さは、送達ストロークの程度を設定し得る。送達ストロークは、長手方向軸を中心としたロッド１１０の回転によって行われ得る。
【０４３７】
図７、図８、及び図９は、本発明の構成の構成要素であり得る薬剤容器の詳細を示す。
【０４３８】
図７は、薬剤容器７５０を示す。容器７５０は、混合構成の構成要素であり得る。容器７５０は、容器１５０（図１、２、及び３に示される）の特徴及び機能のいずれも有しなくてもよく、またはそれらのうちのいくつかもしくは全てを有してもよい。容器７５０は、内壁７５２によって拘束された孔を画定し得る。針貫通可能止め具７５８は、孔の遠位端を密封し得る。孔の遠位端は、内壁７５２の遠位部分を含み得る。内壁７５２の遠位部分は、容器７５０の遠位開口部を画定し得る。
【０４３９】
容器７５０は、近位プランジャ７５４、薬剤成分７６０ｂ、放出プランジャ７５６、バイパス溝７５５、及び薬剤成分７６０ａを含み得る。
【０４４０】
容器７５０は、ロッド接触面７５１を含み得る。近位プランジャ７５４は、ロッド接触面７５１を含み得る。近位プランジャ７５４の近位面は、ロッド接触面７５１を含み得る。放出プランジャ７５６は、近位面７６５を含み得る。
【０４４１】
薬剤成分７６０ｂは、液体薬剤成分製剤を含み得る。薬剤成分７６０ｂは、近位面７６５と近位プランジャ７５４との間に配設され得る。薬剤成分７６０ｂは、近位面７６５と近位プランジャ７５４との間に密封され得る。薬剤成分７６０ｂは、近位プランジャ７５４の近位面７６５と遠位面との間の空間を実質的に充填し得る。
【０４４２】
薬剤成分７６０ａは、放出プランジャ７５６の遠位に配設され得る。薬剤成分７６０ａは、放出プランジャ７５６と針貫通可能止め具７５８との間に配設され得る。薬剤成分７６０ａは、放出プランジャ７５６と針貫通可能止め具７５８との間に密封され得る。
【０４４３】
バイパス溝７５５の最近位程度を越えた遠位への近位面７６５の変位は、バイパス溝７５５に沿った薬剤成分７６０ｂの流れを容易にし、放出プランジャ７５６をバイパスし、薬剤成分７６０ａと混合し得る。
【０４４４】
薬剤成分７６０ａは、固体薬剤成分製剤を含み得る。薬剤成分７６０ａは、凍結乾燥製品を含み得る。薬剤成分７６０ｂは、再溶解溶液を含み得る。薬剤成分７６０ａは、薬剤成分７６０ｂと混合することによって再溶解され得る。
【０４４５】
針貫通可能止め具７５８は、内壁７５２に沿って容器７５０の遠位開口部を密封し得る。針貫通可能止め具７５８の近位本体区分は、容器７５０の遠位開口部を通じて容器７５０内に挿入され得る。近位本体区分の円筒表面は、内壁７５２の遠位部分に対して密封し得る。円筒表面の遠位円周方向部分は、内壁７５２に対してその全外周に沿って密封し得る。
【０４４６】
針貫通可能止め具７５８は、容器７５０の遠位開口部を取り囲む容器７５０の遠位端壁に沿って容器７５０の遠位開口部を密封し得る。針貫通可能止め具７５８は、遠位端壁に隣接し得る。針貫通可能止め具７５８の遠位本体区分は、容器７５０の孔の均一直径を実質的に超える直径を有し得る。遠位本体区分の周縁の近位表面は、容器７５０の遠位端壁に対して密封し得る。
【０４４７】
針貫通可能止め具７５８の近位本体区分の円筒表面は、ボイド７５９を画定し得る。ボイド７５９は、円筒表面内に凹設され得る。ボイド７５９は、円筒表面に沿って長手方向伸長部を有し得る。ボイド７５９は、容器７５０の遠位端壁に対して密封する円筒表面の遠位円周方向部分から近位に延在し得る。ボイド７５９は、針貫通可能止め具７５８の近位端の近位に延在し得る。
【０４４８】
混合構成の製造ステップ中、容器７５０は、遠位開口部が容器７５０の近位端上に垂直上方の状態で配向され得る。針貫通可能止め具７５８は、容器７５０の遠位端内に部分的に挿入され（図示せず）、容器７５０の遠位端壁と針貫通可能止め具７５８の遠位本体区分の周縁の近位表面との間に間隙を残し得る。間隙は、容器７５０の内部と容器７５０の外部との間のボイド７５９に沿ったガス交換を容易にするように構成され得る。
【０４４９】
製造ステップ中、容器７５０は、凍結乾燥チャンバ（図示せず）内にあり得る。放出プランジャ７５６の遠位の容器７５０の内部の一部分は、凍結乾燥されて成分７６０ａを生成するための液体薬剤製剤（図示せず）を含有し得る。凍結乾燥中、ガスは、ボイド７５９に沿って容器７５０の内部内の液体薬剤製剤から容器７５０の外部に交換され得る。ガスは、凍結乾燥副生成物であり得る。凍結乾燥副生成物は、液体薬剤製剤の蒸発溶媒であり得る。凍結乾燥は、凍結乾燥製品が容器７５０内に残存するまで続き得る。凍結乾燥製品は、固化乾燥薬剤であり得る。凍結乾燥の完了に伴い、薬剤成分７６０ａは、凍結乾燥によって生成されていてもよい。凍結乾燥の完了に伴い、針貫通可能止め具７５８は、容器７５０内に完全に挿入され、針貫通可能止め具７５８の遠位本体区分の周縁を容器７５０の遠位端壁に隣接させ得る。
【０４５０】
図８は、薬剤容器８５０を示す。容器８５０は、混合構成の構成要素であり得る。容器８５０は、容器１５０（図１、２、及び３に示される）の特徴及び機能のいずれも有しなくてもよく、またはそれらのうちのいくつかもしくは全てを有してもよい。容器８５０は、容器７５０（図７に示される）の特徴及び機能のいずれも有しなくてもよく、またはそれらのうちのいくつかもしくは全てを有してもよい。容器８５０は、内壁８５２によって拘束された孔を画定し得る。針貫通可能止め具８５８は、孔の遠位端を密封し得る。孔の遠位端は、内壁８５２の遠位部分を含み得る。内壁８５２の遠位部分は、容器８５０の遠位開口部を画定し得る。
【０４５１】
容器８５０は、近位プランジャ８５４、薬剤成分８６０ｂ、放出プランジャ８５６、バイパス溝８５５、及び薬剤成分８６０ａを含み得る。
【０４５２】
容器８５０は、ロッド接触面８５１を含み得る。近位プランジャ８５４は、ロッド接触面８５１を含み得る。近位プランジャ８５４の近位面は、ロッド接触面８５１を含み得る。放出プランジャ８５６は、近位面８６５を含み得る。
【０４５３】
薬剤成分８６０ｂは、液体薬剤成分製剤を含み得る。薬剤成分８６０ｂは、近位面８６５と近位プランジャ８５４との間に配設され得る。薬剤成分８６０ｂは、近位表面８６５と近位プランジャ８５４との間に密封され得る。薬剤成分８６０ｂは、近位表面８６５と近位プランジャ８５４の遠位面との間の空間を実質的に充填し得る。
【０４５４】
薬剤成分８６０ａは、液体薬剤成分製剤を含み得る。薬剤成分８６０ａは、放出プランジャ８５６の遠位に配設され得る。薬剤成分８６０ａは、放出プランジャ８５６と針貫通可能止め具８５８との間に配設され得る。薬剤成分８６０ａは、放出プランジャ８５６と針貫通可能止め具８５８との間に密封され得る。薬剤成分８６０ａは、針貫通可能止め具８５８の近位表面８５７と放出プランジャ８５６の遠位面との間の空間を実質的に充填し得る。
【０４５５】
バイパス溝８５５の最近位程度を越えた遠位への近位面８６５の変位は、バイパス溝８５５に沿った薬剤成分８６０ｂの流れを容易にし、放出プランジャ８５６をバイパスして、薬剤成分８６０ａと混合し得る。
【０４５６】
薬剤成分８６０ａは、二成分薬物系の第１の成分を含み得る。薬剤成分８６０ｂは、二成分薬物系の第２の成分を含み得る。動作前状態で、二成分薬物系の第１の成分及び第２の成分は、容器８５０内に互いに別に維持され得る。動作状態中、二成分薬物系の第１の成分及び第２の成分は、患者への二成分薬物系の送達の準備として容器８５０内で混合され得る。
【０４５７】
薬剤成分８６０ａは、患者への送達よりも貯蔵に適したｐＨ、イオン強度、及び／または医薬剤濃度の薬剤製剤を含み得る。薬剤成分８６０ｂは、医薬成分８６０ａと混合されると、貯蔵よりも患者への送達に適したｐＨ、イオン強度、及び／または医薬剤濃度の混合物を産出する緩衝液等の溶液を含み得る。
【０４５８】
針貫通可能止め具８５８は、内壁８５２に沿って容器８５０の遠位開口部を密封し得る。針貫通可能止め具８５８の近位本体区分の外部円周方向表面は、内壁８５２の遠位部分に対して密封し得る。円筒表面は、その円周方向外周に沿って内壁８５２に対して密封し得る。
【０４５９】
針貫通可能止め具８５８は、容器８５０の遠位開口部を取り囲む容器８５０の遠位端壁に沿って容器８５０の遠位開口部を密封し得る。針貫通可能止め具８５８は、遠位端壁に隣接し得る。針貫通可能止め具８５８の遠位本体区分は、容器８５０の孔の均一直径を実質的に超える直径を有し得る。遠位本体区分の周縁の近位表面は、容器８５０の遠位端壁に対して密封し得る。
【０４６０】
図９は、薬剤容器９５０を示す。容器９５０は、非混合構成の構成要素であり得る。容器９５０は、容器１５０（図１、２、及び３に示される）の特徴及び機能のいずれも有しなくてもよく、またはそれらのうちのいくつかもしくは全てを有してもよい。容器９５０は、容器７５０（図７に示される）の特徴及び機能のいずれも有しなくてもよく、またはそれらのうちのいくつかもしくは全てを有してもよい。容器９５０は、容器８５０（図８に示される）の特徴及び機能のいずれも有しなくてもよく、またはそれらのうちのいくつかもしくは全てを有してもよい。容器９５０は、内壁９５２によって拘束された孔を画定し得る。針貫通可能止め具９５８は、孔の遠位端を密封し得る。孔の遠位端は、内壁９５２の遠位部分を含み得る。内壁９５２の遠位部分は、容器９５０の遠位開口部を画定し得る。
【０４６１】
容器９５０は、放出プランジャ９５６及び薬剤９６０を含み得る。
【０４６２】
容器９５０は、ロッド接触面９５１を含み得る。放出プランジャ９５６は、ロッド接触面９５１を含み得る。放出プランジャ９５６の近位面は、ロッド接触面９５１を含み得る。
【０４６３】
薬剤９６０は、液体薬剤製剤を含み得る。薬剤９６０は、放出プランジャ９５６の遠位に配設され得る。薬剤９６０は、放出プランジャ９５６と針貫通可能止め具９５８との間に配設され得る。薬剤９６０は、放出プランジャ９５６と針貫通可能止め具９５８との間に密封され得る。薬剤９６０は、針貫通可能止め具９５８の近位面９５７と放出プランジャ９５６の遠位面との間の空間を実質的に充填し得る。
【０４６４】
針貫通可能止め具９５８は、内壁９５２に沿って容器９５０の遠位開口部を密封し得る。針貫通可能止め具９５８の近位本体区分の外部円周方向表面は、内壁９５２の遠位部分に対して密封し得る。円筒表面は、その円周方向外周に沿って内壁９５２に対して密封し得る。
【０４６５】
針貫通可能止め具９５８は、容器９５０の遠位開口部を取り囲む容器９５０の遠位端壁に沿って容器９５０の遠位開口部を密封し得る。針貫通可能止め具９５８は、遠位端壁に隣接し得る。針貫通可能止め具９５８の遠位本体区分は、容器９５０の孔の均一直径を実質的に超える直径を有し得る。遠位本体区分の周縁の近位表面は、容器９５０の遠位端壁に対して密封し得る。
【０４６６】
図１０は、ガイド１４０の近位面の正面図を示す。図１０は、直径方向反対側に配設され、かつ互いに向かって延在するボス２４２ａ及びボス２４２ｂを示す。図１０は、直径方向反対側に配設され、かつ互いに離れて延在するガイドタブ２４４ａ及びガイドタブ２４４ｂを示す。図１０は、着座カラー区分２４６ａ、着座カラー区分２４６ｂ１、及び着座カラー区分２４６ｂ２を示す。
【０４６７】
ボス２４２ａは、アーム１０４１ａによって支持され得る。ボス２４２ｂは、アーム１０４１ｂによって支持され得る。アーム１０４１ａ及びアーム１０４１ｂは、ヒンジ１０４５で接合され得る。ヒンジ１０４５は、弾性であり得る。アーム１０４１ａ及びアーム１０４１ｂは、間隙１０４８を画定し得る。間隙１０４８は、着座カラー区分２４６ｂ１と着座カラー区分２４６ｂ２との間に延在し得る。間隙１０４８は、ヒンジ１０４５の反対側にあり得る。アーム１０４１ａは、間隙１０４８とは別にボス２４２ａを支持し得る。アーム１０４１ａは、ヒンジ１０４５とは別にボス２４２ａを支持し得る。アーム１０４１ｂは、間隙１０４８とは別にボス２４２ｂを支持し得る。アーム１０４１ｂは、ヒンジ１０４５とは別にボス２４２ｂを支持し得る。
【０４６８】
ガイド１４０は、偏向するように構成され得る。アーム１０４１ａ及び１０４１ｂは、ヒンジ１０４５を中心として互いに離れて偏向するように構成され得る。間隙１０４８の幅は、ガイド１４０の偏向中に変化し得る。間隙１０４８は、ガイド１４０の偏向中に幅広になり得る。間隙１０４８は、ガイド１４０の偏向中に幅狭になり得る。
【０４６９】
図１１は、送達デバイス１００の特徴を示す。
【０４７０】
図１１は、ロッド１１０の遠位端２１１がガイド１４０を通じて長手方向に挿入され得ることを示す。ガイド１４０を通るロッド遠位端２１１の挿入に伴い、ボス２４２ｂ（仮想線で示される）は、動作前行路１３０でロッド１１０に係合し得、かつ／またはボス２４２ａは、第２の動作前行路１３１でロッド１１０に係合し得る（図２Ｂ及び図２Ｃに示される）。ロッド１１０は、面取り面１１１９を含み得る。面取り面１１１９は、ガイド１４０を通るロッド１１０の挿入時に動作前行路（複数可）でのボス（複数可）の係合を容易にし得る。
【０４７１】
図１１は、ガイド１４０が、遠位ガイド伸長部１１４９が筐体壁２７１の内部内に延在した状態で筐体１７０内に挿入され得ることを示す。ガイド１４０は、着座表面２７６が着座カラー区分２４６ａに隣接するまで、かつ／または着座表面２７６が着座カラー区分２４６ｂ１に隣接するまで、かつ／または着座表面２７６が着座カラー区分２４６ｂ２に隣接するまで、筐体１７０内に挿入され得る。着座表面２７６がガイド１４０の着座カラー区分のうちの１つ以上に隣接すると、筐体１７０内へのガイド１４０のさらなる挿入が実質的に阻止され得る。着座表面２７６がカラー区分２４６ａ、着座カラー区分２４６ｂ１、及びカラー区分２４６ｂ２に隣接した状態で、ガイド１４０が筐体１７０内に着座され得る。
【０４７２】
着座表面２７６がガイド１４０の着座カラー区分のうちの１つ以上に隣接した状態で、ガイドタブ２４４ａは、筐体壁２７１の壁区分２７５ａによって支持されたガイドタブ係止部２７２ａによって係止され得、かつ／またはガイドタブ２４４ｂは、筐体壁２７１の壁区分２７５ｂによって支持されたガイドタブ係止部２７２ｂ（仮想線で示される）によって係止され得る。ガイドタブ係止部（複数可）がガイドタブ（複数可）を係止すると、ガイド１４０が軸Ｌ（図１に示される）に沿った近位運動から阻止され得る。
【０４７３】
着座表面２７６がガイド１４０の着座カラー区分のうちの１つ以上に隣接すると、着座カラー区分２４６ａは、ガイドタブ係止部２７２ａ及びガイドタブ係止部２７２ｂによって軸Ｌを中心とした回転運動から阻止され得る。着座カラー区分２４６ｂ２は、ガイドタブ係止部２７２ａによって軸Ｌを中心とした回転運動から阻止され得る。着座カラー区分２４６ｂ１は、ガイドタブ係止部２７２ｂによって軸Ｌを中心とした回転運動から阻止され得る。
【０４７４】
ロッド１１０は、ボス２４２ｂが動作前トリガ２１４と相互作用するまで、ボス２４２ｂが動作前行路１３０で係合した状態でガイド１４０内に挿入され得る。ボス２４２ｂと動作前トリガ２１４との相互作用は、ボス２４２ｂと動作前行路１３０との係合の終了に対応し得る。ロッド１１０は、ボス２４２ａが第２の動作前トリガ２１５（図２Ｃに示される）と相互作用するまで、ボス２４２ａが第２の動作前行路１３１で係合した状態でガイド１４０内に挿入され得る。ボス２４２ａと第２の動作前トリガ２１５との相互作用は、ボス２４２ａと第２の動作前行路１３１との係合の終了に対応し得る。ボス（複数可）と動作前トリガ（複数可）との相互作用に応じて、ガイド１４０が偏向し得、間隙１０４８を幅広にし、ボス（複数可）と動作前行路（複数可）との係合の終了を示す。ガイド１４０内へのロッド１１０のさらなる長手方向挿入は、ボス２４２ｂを動作前トリガ２１４の近位に位置付け得、かつ／またはボス２４２ａを第２の動作前トリガ２１５の近位に位置付け得る。
【０４７５】
ボス２４２ｂは、走行表面１１２６に対して動作前トリガ２１４の近位に位置付けられ得る。走行表面１１２６は、動作前トリガ２１４に隣接して配設され得る。走行表面１１２６は、動作前トリガ２１４と動作開始トリガ４１６との間に配設され得る。走行表面１１２６に対してボス２４２ｂを位置付けるロッド１１０の挿入は、初期変位であり得る。
【０４７６】
初期変位は、走行表面１１２６の直径方向反対側に配設された第２の走行表面（図示せず）に対してボス２４２ａを位置付け得る。第２の走行表面は、第２の動作前トリガ２１５の近位に配設され得る。第２の走行表面は、第２の動作前トリガ２１５に隣接して配設され得る。第２の走行表面は、第２の動作行路２２１の螺旋状路２２３の遠位部分に隣接し得る。
【０４７７】
第２の動作前トリガ２１５に隣接して、第２の動作行路２２１は、第２の動作行路２２１の螺旋状路２２３の遠位端で第２の動作開始トリガ（図示せず）を支持し得る。第２の動作開始トリガは、動作開始トリガ４１６の直径方向反対側に配設され得る。初期変位は、第２の動作前トリガ２１５と第２の動作開始トリガとの間の第２の走行表面に対してボス２４２ａを位置付け得る。
【０４７８】
ロッド１１０が初期変位にある状態で、送達デバイス１００は、動作前状態であり得る。ロッド１１０が初期変位にある状態で、送達デバイス１００は、動作前状態の終了時にあり得る。ロッド１１０が初期変位にある状態で、送達デバイス１００は、動作状態の開始のために準備されていてもよい。
【０４７９】
走行表面１１２６は、動作前行路１３０の近位部分に隣接し得る。走行表面１１２６は、動作行路１２０の螺旋状路１２２の遠位部分に隣接し得る。ロッド１１０は、動作前トリガ２１４の近位に位置付けられたボス２４２ｂ及び／または第２の動作前トリガ２１５の近位に位置付けられたボス２４２ａによって、ガイド１４０からのロッド１１０の不慮の近位滑りから実質的に阻止され得る。ロッド１１０は、動作前トリガ２１４と動作開始トリガ４１６との間に位置付けられたボス２４２ｂによって、不慮のさらなる遠位変位から実質的に阻止され得る。ロッド１１０は、第２の動作前トリガ２１５と第２の動作開始トリガとの間に位置付けられたボス２４２ａによって、不慮のさらなる遠位変位から実質的に阻止され得る。初期変位からのロッド１１０のさらなる遠位変位は、操作者側の意図的な操作を伴い得る。
【０４８０】
ロッド１１０のさらなる遠位変位は、軸Ｌを中心としたロッド１１０の時計回り方向回転によって達成され得る。軸Ｌを中心としたロッド１１０の時計回り方向回転は、ボス２４２ｂを走行表面１１２６に対して位置付けられた状態から動作開始トリガ４１６との相互作用にシフトし得る。軸Ｌを中心としたロッド１１０の時計回り方向回転は、ボス２４２ａを第２の走行表面に対して位置付けられた状態から第２の動作開始トリガとの相互作用にシフトし得る。ボス（複数可）と動作開始トリガ（複数可）との相互作用に応じて、ガイド１４０が偏向し得、間隙１０４８を幅広にし、動作状態の開始を示す。
【０４８１】
ガイド１４０の偏向の聴覚的指示及び／または触覚的指示は、間隙１０４８の幅広との併発及び／または間隙１０４８の幅広時の付随であり得る。
【０４８２】
間隙１０４８は、壁区分２７５ａと壁区分２７５ｂとの間のスロット１１７９と整列し得る。壁区分２７５ａ及び壁区分２７５ｂは、ガイドの偏向に応じて偏向し、スロット１１７９を幅広にし得る。壁区分の偏向の聴覚的指示及び／または触覚的指示は、スロット１１７９の幅広との併発及び／またはスロット１１７９の幅広時の付随であり得る。
【０４８３】
フィンガーフランジ１８０は、壁区分２７５ａ及び壁区分２７５ｂを包囲し得る。フィンガーフランジ１８０は、穴部１１８２を画定し得る。穴部１１８２を横切り、かつそれを越えて半径方向内方に延在する直径方向スロットは、スロット１１７９と整列し得る。
【０４８４】
図１２は、図１１に示される図に対してガイド１４０が軸Ｌ（図１に示される）を中心として１８０度回転した状態のガイド１４０の遠位面の図を示す。図１２は、着座カラー区分２４６ｂ１と着座カラー区分２４６ｂ２との間の間隙１０４８が遠位ガイド伸長部１１４９に沿って遠位に延在し得ることを示す。間隙１０４８は、その長手方向伸長部に沿ってガイド１４０の偏向に伴い幅広になり得る。間隙１０４８の幅広は、ガイド１４０がヒンジ１０４５を中心として偏向するときの、間隙１０４８に平行に、かつそれの直径方向反対側に配設された遠位ガイド伸長部１１４９内の間隙の幅狭と関連付けられ得る。
【０４８５】
図１３は、図１１に示される図に対してフィンガーフランジ１８０が軸Ｌ（図１に示される）を中心として１８０度回転した状態のフィンガーフランジ１８０の遠位面の図を示す。図１３は、穴部１１８２を横切り、かつそれを越えて半径方向内方に延在する直径方向スロットが、スロット１１７９の伸長部であり得ることを示す。筐体１７０内のスロット１３７８は、スロット１１７９と整列し得る。フィンガーフランジ１８０は、ガイド１４０（図１２に示される）の偏向に応じた壁区分２７５ａの偏向に応じて偏向し得る。フィンガーフランジ１８０の偏向の聴覚的指示及び／または触覚的指示は、スロット１１７９の幅広との併発及び／またはスロット１１７９の幅広時の付随であり得る。フィンガーフランジ１８０によって生成された指示は、壁区分（複数可）によって生成された指示を増幅し得る。
【０４８６】
図１４〜２７は、本発明の構成の構成要素であり得るプランジャロッドガイドの詳細を示す。
【０４８７】
図１４は、プランジャロッドガイド１４４０の近位面の正面図を示す。ガイド１４４０は、ガイド１４０（図１、２、３、１０、１１、及び１２に示される）の特徴及び機能のいずれも有しなくてもよく、またはそれらのうちのいくつかもしくは全てを有してもよい。ガイド１４４０は、ボス１４４２ａを含み得る。ガイド１４４０は、ボス１４４２ｂを含み得る。ボス１４４２ａ及びボス１４４２ｂは、ガイド１４４０の中心に対して互いに直径方向反対側に配設され得る。ボス１４４２ａ及びボス１４４２ｂは、互いに向かって延在し得る。
【０４８８】
ガイド１４４０は、半径方向カラー区分１４４３ａを含み得る。ガイド１４４０は、半径方向カラー区分１４４３ｂを含み得る。半径方向カラー区分１４４３ａ及び半径方向カラー区分１４４３ｂは、中心に対して互いに直径方向反対側に配設され得る。半径方向カラー区分１４４３ａ及び半径方向カラー区分１４４３ｂは、互いに離れて延在し得る。
【０４８９】
ガイド１４４０は、ガイドタブ１４４４ａ、ガイドタブ１４４４ｂ、ガイドタブ１４４４ｃ、及びガイドタブ１４４４ｄを含み得る。ガイドタブ１４４４ａ、ガイドタブ１４４４ｂ、ガイドタブ１４４４ｃ、及びガイドタブ１４４４ｄは、中心に対して対称的に配設され得る。ガイドタブ１４４４ａ及びガイドタブ１４４４ｂは、中心に対して互いに直径方向反対側に配設され得る。ガイドタブ１４４４ａ及びガイドタブ１４４４ｂは、互いに離れて延在し得る。ガイドタブ１４４４ｃ及びガイドタブ１４４４ｄは、中心に対して互いに直径方向反対側に配設され得る。ガイドタブ１４４４ｃ及びガイドタブ１４４４ｄは、互いに離れて延在し得る。
【０４９０】
ガイド１４４０は、着座カラー区分１４４６ａ、着座カラー区分１４４６ｂ１、及び着座カラー区分１４４６ｂ２を含み得る。
【０４９１】
ボス１４４２ａは、アーム１４４１ａによって支持され得る。ボス１４４２ｂは、アーム１４４１ｂによって支持され得る。アーム１４４１ａ及びアーム１４４１ｂは、ヒンジ１４４５で接合され得る。ヒンジ１４４５は、弾性であり得る。アーム１４４１ａ及びアーム１４４１ｂは、間隙１４４８を画定し得る。間隙１４４８は、着座カラー区分１４４６ｂ１と着座カラー区分１４４６ｂ２との間に延在し得る。間隙１４４８は、ヒンジ１４４５の反対側にあり得る。アーム１４４１ａは、間隙１４４８とは別にボス１４４２ａを支持し得る。アーム１０４１ａは、ヒンジ１４４５とは別にボス１４４２ａを支持し得る。アーム１０４１ｂは、間隙１４４８とは別にボス１４４２ｂを支持し得る。アーム１４４１ｂは、ヒンジ１４４５とは別にボス１４４２ｂを支持し得る。
【０４９２】
図１５は、例示的な薬剤送達デバイス１５００の特徴を示す。送達デバイス１５００は、送達デバイス１００（図１１に示される）の特徴及び機能のいずれも有さなくてもよく、またはそれらのうちのいくつかもしくは全てを有してもよい。送達デバイス１５００は、長手方向軸Ｌ１を画定し得る。
【０４９３】
送達デバイス１５００は、プランジャロッド１５１０を含み得る。ロッド１５１０は、ロッド１１０（図１、２、２Ａ、２Ｂ、２Ｃ、３、４Ａ、４Ｂ及び１１に示される）の特徴及び機能のいずれも有さなくてもよく、またはそれらのうちのいくつかもしくは全てを有してもよい。ロッド１５１０は、ロッド５１０（図５に示される）の特徴及び機能のいずれも有さなくてもよく、またはそれらのうちのいくつかもしくは全てを有してもよい。ロッド１５１０は、ロッド６１０（図６に示される）の特徴及び機能のいずれも有さなくてもよく、またはそれらのうちのいくつかもしくは全てを有してもよい。ロッド１５１０は、軸Ｌ１と同軸上に配設され得る。
【０４９４】
送達デバイス１５００は、ガイド１４４０を含み得る。ガイド１４４０は、軸Ｌ１と同軸上に配設され得る。軸Ｌ１は、ガイド１４４０の中心を通過し得る。ガイド１４４０は、遠位ガイド伸長部１５４９を含み得る。
【０４９５】
送達デバイス１５００は、デバイス筐体１５７０を含み得る。筐体１５７０は、筐体１７０（図１、２、３、１１、及び１３に示される）の特徴及び機能のいずれも有さなくてもよく、またはそれらのうちのいくつかもしくは全てを有してもよい。筐体１５７０は、軸Ｌ１と同軸上に配設され得る。
【０４９６】
送達デバイス１５００は、薬剤容器（図示せず）を含み得る。デバイス１５００の薬剤容器は、薬剤容器１５０（図１、２、及び３に示される）の特徴及び機能のいずれも有さなくてもよく、またはそれらのうちのいくつかもしくは全てを有してもよい。デバイス１５００の薬剤容器は、薬剤容器７５０（図７に示される）の特徴及び機能のいずれも有さなくてもよく、またはそれらのうちのいくつかもしくは全てを有してもよい。デバイス１５００の薬剤容器は、薬剤容器８５０（図８に示される）の特徴及び機能のいずれも有さなくてもよく、またはそれらのうちのいくつかもしくは全てを有してもよい。デバイス１５００の薬剤容器は、薬剤容器９５０（図９に示される）の特徴及び機能のいずれも有さなくてもよく、またはそれらのうちのいくつかもしくは全てを有してもよい。デバイス１５００の薬剤容器は、軸Ｌ１と同軸上に配設され得る。
【０４９７】
送達デバイス１５００は、針ハブ（図示せず）を含み得る。デバイス１５００の針ハブは、針ハブ１９０（図１、２、及び３に示される）の特徴及び機能のいずれも有さなくてもよく、またはそれらのうちのいくつかもしくは全てを有してもよい。デバイス１５００の針ハブは、軸Ｌ１と同軸上に配設され得る。
【０４９８】
ロッド１５１０は、ロッド遠位端１５１１を含み得る。ロッド１５１０は、ロッド遠位端１５１１の近位に面取り面１５１９を含み得る。ロッド１５１０は、動作前行路１５３０を画定し得る。動作前行路１５３０は、ロッド１５１０の円筒表面に沿って延在し得る。動作前行路１５３０は、動作前トリガ１５１４を支持し得る。動作前トリガ１５１４は、動作前行路１５３０の近位端で支持され得る。
【０４９９】
ロッド１５１０は、第２の動作前行路（図示せず）を画定し得る。第２の動作前行路は、動作前行路１５３０に平行にロッド１５１０の円筒表面に沿って延在し得る。第２の動作前行路は、ロッド１５１０の円筒表面に沿って動作前行路１５３０の全長にわたって動作前行路１５３０に平行に延在し得る。第２の動作前行路は、動作前行路１５３０の直径方向反対側に配設され得る。第２の動作前行路は、第２の動作前トリガ（図示せず）を支持し得る。第２の動作前トリガは、第２の動作前行路の近位端で支持され得る。第２の動作前トリガは、動作前トリガ１５１４の直径方向反対側に配設され得る。第２の動作前トリガは、ロッド遠位端１５１１からの動作前トリガ１５１４の距離に実質的に等しいロッド遠位端１５１１からの距離でロッド１５１０に沿って配設され得る。
【０５００】
ロッド１５１０は、動作行路１５２０を画定し得る。動作行路１５２０は、ロッド１５１０の円筒表面に沿って延在し得る。ロッド１５１０は、第２の動作行路１５２１を画定し得る。動作行路１５２０及び第２の動作行路１５２１は、円筒表面に沿って互いに平行に配設され得る。
【０５０１】
動作行路１５２０は、動作開始トリガ１５１６を支持し得る。動作開始トリガ１５１６は、動作前トリガ１５１４に隣接し得る。動作行路１５２０は、螺旋状路１５２２を含み得る。動作開始トリガ１５１６は、螺旋状路１５２２の遠位端で動作行路１５２０によって支持され得る。
【０５０２】
第２の動作行路１５２１は、第２の動作開始トリガ（図示せず）を支持し得る。第２の動作開始トリガは、第２の動作前トリガに隣接し得る。第２の動作行路１５２１は、螺旋状路１５２３を含み得る。第２の動作開始トリガは、螺旋状路１５２３の遠位端で第２の動作行路１５２１によって支持され得る。第２の動作開始トリガは、動作開始トリガ１５１６の直径方向反対側に配設され得る。
【０５０３】
側壁１５２７は、螺旋状路１５２２の側壁であり得る。行路１５２０は、側壁１５２７によって画定され得る。走行表面１５２８は、螺旋状路１５２２の走行表面であり得る。行路１５２０は、走行表面１５２８によって画定され得る。
【０５０４】
ロッド１５１０の遠位端１５１１は、ガイド１４４０を通じて長手方向に挿入され得る。ガイド１４４０は、ロッド遠位端１５１１が挿入され得る通行路を画定し得る。
【０５０５】
ロッド１５１０は、ロッド遠位端１５１１で丸み付けられ得る。ロッド遠位端１５１１で丸み付けられたロッド１５１０は、ガイド１４４０を通るロッド遠位端１５１１の挿入を容易にし得る。ガイド１４４０を通るロッド遠位端１５１１の挿入に伴い、ボス１４４２ａ（仮想線で示される）は、動作前行路１５３０でロッド１５１０に係合し得る。ボス１４４２ａは、動作前行路１５３０内に半径方向内方に延在し得る。ボス１４４２ｂは、第２の動作前行路でロッド１５１０に係合し得る。ボス１４４２ｂは、第２の動作前行路内に半径方向内方に延在し得る。面取り面１５１９は、ガイド１４４０を通るロッド１５１０の挿入時の動作前行路（複数可）でのボス（複数可）の係合を容易にし得る。
【０５０６】
筐体１５７０は、筐体壁１５７１を含み得る。筐体壁１５７１は、第１の壁区分１５７５ａを含み得る。壁区分１５７５ａは、軸Ｌ１を横断する断面において弓形であり得る。筐体壁１５７１は、第２の壁区分１５７５ｂを含み得る。壁区分１５７５ｂは、軸Ｌ１を横断する断面において弓形であり得る。壁区分１５７５ａ及び壁区分１５７５ｂは、軸Ｌ１を中心として互いに対して対称的に配設され得る。
【０５０７】
ガイド１４４０は、遠位ガイド伸長部１５４９が筐体壁１５７１の内部内に延在した状態で筐体１５７０内に挿入され得る。ガイド１４４０は、筐体１５７０内に壁区分１５７５ａと壁区分１５７５ｂとの間で配設され得る。
【０５０８】
筐体壁１５７１は、フィンガーフランジ１５８０を支持し得る。フィンガーフランジ１５８０は、壁区分１５７５ａ及び壁区分１５７５ｂを包囲し得る。
【０５０９】
ガイド１４４０は、着座表面１５７６が着座カラー区分１４４６ａに隣接するまで、かつ／または着座表面１５７６が着座カラー区分１４４６ｂ１に隣接するまで、かつ／または着座表面１５７６が着座カラー区分１４４６ｂ２に隣接するまで、筐体１５７０内に挿入され得る。壁区分１５７５ａと壁区分１５７５ｂとの間の第１の空間は、着座カラー区分１４４６ｂ１及び着座カラー区分１４４６ｂ２に適応し得る。壁区分１５７５ａと壁区分１５７５ｂとの間の第２の空間は、着座カラー区分１４４６ａに適応し得る。第１の空間及び第２の空間は、互いに直径方向反対側に配設され得る。
【０５１０】
着座表面１５７６がガイド１４４０の着座カラー区分のうちの１つ以上に隣接すると、筐体１５７０内へのガイド１４４０のさらなる挿入が実質的に阻止され得る。着座表面１５７６がカラー区分１４４６ａ、着座カラー区分１４４６ｂ１、及びカラー区分１４４６ｂ２に隣接した状態で、ガイド１４４０は、筐体１５７０内に着座され得る。
【０５１１】
着座表面１５７６がガイド１４４０の着座カラー区分のうちの１つ以上に隣接した状態で、ガイドタブ１４４４ａは、壁区分１５７５ａによって支持されたガイドタブ係止部１５７２ａによって係止され得、かつ／またはガイドタブ１４４４ｂは、壁区分１５７５ｂによって支持されたガイドタブ係止部１５７２ｂによって係止され得、かつ／またはガイドタブ１４４４ｄは、壁区分１５７５ｂによって支持されたガイドタブ係止部１５７２ｄによって係止され得る。ガイドタブ１４４４ｃは、壁区分１５７５ａによって支持され、かつガイドタブ係止部１５７２ｄの直径方向反対側に配設された別のガイドタブ係止部（図示せず）によって係止され得る。
【０５１２】
筐体１５７０の各ガイドタブ係止部は、軸Ｌ１を実質的に横断する近位表面を有し得る。筐体１５７０の各ガイドタブ係止部の近位表面は、軸Ｌ１に向く半径方向内縁を有し得る。筐体１５７０の各ガイドタブ係止部は、軸Ｌ１に向く輪郭形成された表面を有し得る。軸Ｌ１からの各ガイドタブ係止部の輪郭形成された表面の半径方向距離は、ガイドタブ係止部の近位表面の半径方向内縁から着座表面１５７６に向かって輪郭形成された表面に沿って遠位に増加し得る。
【０５１３】
ガイド１４４０の各ガイドタブは、筐体１５７０のガイドタブ係止部のうちのいずれかの表面と実質的に相補的に輪郭形成された表面を有し得る。着座表面１５７６がガイド１４４０の着座カラー区分のうちの１つ以上に隣接した状態で、筐体１５７０の各ガイドタブ係止部は、筐体１５７０のガイドタブ係止部の近位表面の遠位で係止するガイド１４４０のガイドタブの輪郭形成された表面のうちのいくつか、大半、または全てを維持し得る。筐体１５７０の各ガイドタブ係止部は、ガイド１４４０のガイドタブをその軸Ｌ１に沿った近位運動を防ぐように阻止し得る。ガイド１４４０のガイドタブ（複数可）を係止する筐体１５７０のガイドタブ係止部（複数可）は、ガイド１４４０を軸Ｌ１に沿った近位運動から阻止し得る。
【０５１４】
壁区分１５７５ｂは、壁区分１５７５ｂの内部の近位部分に沿って配設された保持隆起部１５７４ｂを含み得る。壁区分１５７５ａは、壁区分１５７５ａの内部の近位部分に沿って配設された保持隆起部１５７４ａ（仮想線で示される）を含み得る。保持隆起部１５７４ａは、保持隆起部１５７４ｂと対称的に、かつ軸Ｌ１に対して保持隆起部１５７４ｂの直径方向反対側に配設され得る。
【０５１５】
筐体１５７０内へのガイド１４４０の挿入は、デバイス１５００の製造ステップとして実施され得る。筐体１５７０内へのガイド１４４０の挿入は、保持隆起部１５７４ａと保持隆起部１５７４ｂとの間の遠位ガイド伸長部１５４９の遠位長手方向運動から始まり得る。筐体１５７０内へのガイド１４４０のさらなる遠位長手方向運動は、半径方向カラー区分１４４３ａの遠位円周方向縁を保持隆起部１５７４ａの近位円周方向面と接触させ得、かつ／または半径方向カラー区分１４４３ｂの遠位円周方向縁を保持隆起部１５７４ｂの近位円周方向面と接触させ得る。１５７０内へのガイド１４４０の長手方向挿入を続けると、接触した保持隆起部への各半径方向カラー区分の干渉が壁区分１５７５ａと１５７５ｂを離れさせ、壁区分の近位面が壁区分の遠位面よりも互いに半径方向外方に偏向し得る。壁区分の互いに半径方向外方への偏向は、半径方向カラー区分が保持隆起部間を遠位に通過することを可能にし得る。壁区分の互いに半径方向外方への偏向は、ガイド１４４０のガイドタブの各々の遠位外側円周方向縁が筐体１５７０の対応するガイドタブ係止部の近位表面の半径方向内縁を遠位に通過することを可能にし得る。筐体１５７０内へのガイド１４４０のさらなる挿入は、各半径方向カラー区分の近位円周方向縁を接触した保持隆起部の遠位円周方向面の遠位に配設し得、かつ／または各ガイドタブの輪郭形成された表面のうちのいくつか、大半、もしくは全てを対応するガイドタブ係止部の近位表面の半径方向内縁の遠位に配設し得、かつ／または着座カラー区分１４４６ａ、１４４６ｂ１、及び１４４６ｂ２の遠位面を着座表面１５７６に隣接させ得る。
【０５１６】
着座表面１５７６がガイド１４４０の着座カラー区分のうちの１つ以上に隣接した状態で、半径方向カラー区分１４４３ｂの外部円周方向表面は、保持隆起部１５７４ｂの遠位円周方向面の遠位の壁区分１５７５ｂの内部表面に沿って配設され得る。半径方向カラー区分１４４３ｂは、保持隆起部１５７４ｂによって軸Ｌ１に沿った近位運動から阻止され得る。半径方向カラー区分１４４３ｂは、ガイドタブ係止部１５７２ｂ及びガイドタブ係止部１５７２ｄによって軸Ｌ１を中心とした回転運動から阻止され得る。半径方向カラー区分１４４３ａの外部円周方向表面は、保持隆起部１５７４ａの遠位円周方向面の遠位の壁区分１５７５ａの内部表面に沿って配設され得る。半径方向カラー区分１４４３ａは、保持隆起部１５７４ａによって軸Ｌ１に沿った近位運動から阻止され得る。半径方向カラー区分１４４３ａは、ガイドタブ係止部１５７２ａ及び壁区分１５７５ａによって支持され、かつガイドタブ係止部１５７２ｄの直径方向反対側に配設されたガイドタブ係止部によって軸Ｌ１を中心とした回転運動から阻止され得る。
【０５１７】
半径方向カラー区分１４４３ａ及び／または半径方向カラー区分１４４３ｂが軸Ｌ１を中心とした回転運動から阻止されると、ガイド１４４０が軸Ｌ１を中心とした回転運動から阻止され得る。
【０５１８】
ガイド１４４０内へのロッド１５１０の挿入は、デバイス１５００の製造ステップとして実施され得る。ロッド１５１０は、ボス１４４２ａが動作前トリガ１５１４と相互作用するまで、ボス１４４２ａが動作前行路１５３０で係合した状態でガイド１４４０内に挿入され得る。ボス１４４２ａと動作前トリガ１５１４との相互作用は、ボス１４４２ａと動作前行路１５３０との係合の終了に対応し得る。ロッド１５１０は、ボス１４４２ｂが第２の動作前トリガと相互作用するまで、ボス１４４２ｂが第２の動作前行路で係合した状態でガイド１４４０内に挿入され得る。ボス１４４２ｂと第２の動作前トリガとの相互作用は、ボス１４４２ｂと第２の動作前行路との係合の終了に対応し得る。ボス（複数可）と動作前トリガ（複数可）との相互作用に応じて、ガイド１４４０が偏向し得、間隙１４４８を幅広にし、ボス（複数可）と動作前行路（複数可）との係合の終了を示す。
【０５１９】
ガイド１４４０内へのロッド１５１０のさらなる長手方向挿入時、ボス１４４２ａは、動作前トリガ１５１４と動作開始トリガ１５１６との間の走行表面１５２６に対して動作前トリガ１５１４の近位に位置付けられ得る。走行表面１５２６に対してボス１４４２ａを位置付けるロッド１５１０の挿入は、初期変位であり得る。
【０５２０】
初期変位は、第２の動作前トリガの近位にボス１４４２ｂを位置付け得る。初期変位は、第２の走行表面（図示せず）に対してボス１４４２ｂを位置付け得る。第２の走行表面は、走行表面１５２６の直径方向反対側の第２の動作前トリガと第２の動作開始トリガとの間に配設され得る。
【０５２１】
ロッド１５１０は、動作前トリガ１５１４の近位に位置付けられたボス１４４２ａによってガイド１４４０からのロッド１５１０の不慮の近位滑りから実質的に阻止され得る。ロッド１５１０は、第２の動作前トリガの近位に位置付けられたボス１４４２ｂによってガイド１４４０からのロッド１５１０の不慮の近位滑りから実質的に阻止され得る。ロッド１５１０は、動作前トリガ１５１４と動作開始トリガ１５１６との間に位置付けられたボス１４４２ａによって不慮のさらなる遠位変位から実質的に阻止され得る。ロッド１５１０は、第２の動作前トリガと第２の動作開始トリガとの間に位置付けられたボス１４４２ｂによって不慮のさらなる遠位変位から実質的に阻止され得る。初期変位からのロッド１５１０のさらなる遠位変位は、送達デバイス１５００の操作者側の意図的な操作を伴い得る。
【０５２２】
ロッド１５１０が初期変位にある状態で、送達デバイス１５００は、動作前状態であり得る。ロッド１５１０が初期変位にある状態で、送達デバイス１５００は、動作前状態の終了時にあり得る。ロッド１５１０が初期変位にある状態で、送達デバイス１５００は、動作状態の開始のために準備されていてもよい。動作状態の開始は、初期変位からのロッド１５１０のさらなる遠位変位を伴い得る。
【０５２３】
ロッド１５１０のさらなる遠位変位は、軸Ｌ１を中心としたロッド１５１０の時計回り方向回転によって達成され得る。軸Ｌ１を中心としたロッド１５１０の時計回り方向回転は、ボス１４４２ａを走行表面１５２６に対して位置付けられた状態から動作開始トリガ１５１６との相互作用にシフトし得る。軸Ｌ１を中心としたロッド１５１０の時計回り方向回転は、ボス１４４２ｂを第２の走行表面に対して位置付けられた状態から第２の動作開始トリガとの相互作用にシフトし得る。ボス（複数可）と動作開始トリガ（複数可）との相互作用に応じて、ガイド１４４０が偏向し得、間隙１４４８を幅広にし得る。ガイド１４４０の偏向の聴覚的指示及び／または触覚的指示は、間隙１４４８の幅広との併発及び／または間隙１４４８の幅広時の付随であり得る。
【０５２４】
筐体１５７０は、スロット１５７８を画定し得る。スロット１５７８は、壁区分１５７５ａと壁区分１５７５ｂとの間の第１の空間の伸長部であり得る。スロット１５７８は、間隙１４４８と整列し得る。
【０５２５】
壁区分１５７５ａ及び／または壁区分１５７５ｂは、ガイド１４４０の偏向に応じて偏向し、壁区分１５７５ａと壁区分１５７５ｂとの間の第１の空間を幅広にし得る。壁区分１５７５ａと壁区分１５７５ｂとの間の第１の空間の幅広は、スロット１５７８を幅広にし得る。スロット１５７８は、スロット１５７８の遠位端よりもフィンガーフランジ１５８０に隣接したスロット１５７８の近位端で幅広になり得る。壁区分の偏向の聴覚的指示及び／または触覚的指示は、スロット１５７８の幅広との併発及び／またはスロット１５７８の幅広時の付随であり得る。
【０５２６】
フィンガーフランジ１５８０は、穴部１５８２を画定し得る。穴部１５８２を横切り、かつそれを越えて半径方向内方に延在する直径方向スロットは、スロット１５７８の横断伸長部であり得る。フィンガーフランジ１５８０は、ガイド１４４０の偏向に応じた壁区分１５７５ａの偏向に応じて、かつ／またはガイド１４４０の偏向に応じた壁区分１５７５ｂの偏向に応じて偏向し得る。フィンガーフランジ１５８０の偏向の聴覚的指示及び／または触覚的指示は、壁区分（複数可）の偏向との併発及び／または壁区分（複数可）の偏向時の付随であり得る。フィンガーフランジ１５８０の偏向の聴覚的指示及び／または触覚的指示は、スロット１５７８の幅広との併発及び／またはスロット１５７８の幅広時の付随であり得る。
【０５２７】
図１６は、ガイド１４４０が筐体１５７０内に壁区分１５７５ａと壁区分１５７５ｂとの間で着座された状態の送達デバイス１５００を示す。図１６は、ロッド１５１０がガイド１４４０内に挿入された状態の送達デバイス１５００を示す。
【０５２８】
動作状態の開始に伴い、ボス１４４２ａ（仮想線で示される）は、動作行路１５２０でロッド１５１０に係合し得る。ボス１４４２ａは、動作行路１５２０内に半径方向に延在し得る。ボス１４４２ａは、螺旋状路１５２２と係合し得る。ボス１４４２ａは、動作開始トリガ１５１６（図１５に示される）に隣接した螺旋状路１５２２と係合された状態で配設され得る。ボス１４４２ａは、螺旋状路１５２２の側壁１５２７と並んで配設され得る。ボス１４４２ａは、螺旋状路１５２２の走行表面１５２８に対して配設され得る。
【０５２９】
動作状態の開始に伴い、ボス１４４２ｂ（図１５に示される）は、第２の動作行路１５２１でロッド１５１０に係合し得る。ボス１４４２ｂは、第２の動作行路１５２１内に半径方向に延在し得る。ボス１４４２ｂは、螺旋状路１５２３と係合し得る。ボス１４４２ｂは、第２の動作開始トリガ（図示せず）に隣接した螺旋状路１５２３と係合された状態で配設され得る。
【０５３０】
筐体１５７０に対するガイド１４４０の遠位軸方向運動は、着座表面１５７６（図１５に示される）によって阻止され得る。
【０５３１】
筐体１５７０に対するガイド１４４０の近位軸方向運動は、ガイドタブ係止部１５７２ａによって阻止され得る。筐体１５７０に対するガイド１４４０の近位軸方向運動は、ガイドタブ係止部１５７２ｂによって阻止され得る。筐体１５７０に対するガイド１４４０の近位軸方向運動は、ガイドタブ係止部１５７２ｄによって阻止され得る。筐体１５７０に対するガイド１４４０の近位軸方向運動は、壁区分１５７５ａによって支持され、かつガイドタブ係止部１５７２ｄの直径方向反対側に配設されたガイドタブ係止部（図示せず）によって阻止され得る。
【０５３２】
筐体１５７０に対するガイド１４４０の近位軸方向運動は、保持隆起部１５７４ｂによって阻止され得る。筐体１５７０に対するガイド１４４０の近位軸方向運動は、保持隆起部１５７４ａ（図１５に示される）によって阻止され得る。
【０５３３】
筐体１５７０に対するガイド１４４０の回転運動は、筐体１５７０のガイドタブ係止部によって阻止され得る。半径方向カラー区分１４４３ｂは、ガイドタブ係止部１５７２ｄ及びガイドタブ係止部１５７２ｂによって筐体１５７０に対する回転運動から阻止され得る。半径方向カラー区分１４４３ａは、ガイドタブ係止部１５７２ａ及び壁区分１５７５ａによって支持され、かつガイドタブ係止部１５７２ｄの直径方向反対側に配設されたガイドタブ係止部によって筐体１５７０に対する回転運動から阻止され得る。
【０５３４】
動作状態の開始後に、筐体１５７０に対するロッド１５１０のさらなる遠位変位は、軸Ｌ１（図１５に示される）を中心としたロッド１５１０の時計回り方向回転によって達成され得る。動作行路１５２０の螺旋状路１５２２は、プライミング開始トリガ１６１７を支持し得る。第２の動作行路１５２１の螺旋状路１５２３は、プライミング開始トリガ１６１７の直径方向反対側に配設された第２のプライミング開始トリガ（図示せず）を支持し得る。軸Ｌ１を中心としたロッド１５１０の時計回り方向回転は、ボス１４４２ａを動作開始トリガ１５１６に隣接して配設された状態からプライミング開始トリガ１６１７との相互作用にシフトし得る。軸Ｌ１を中心としたロッド１５１０の時計回り方向回転は、ボス１４４２ｂを第２の動作開始トリガに隣接して配設された状態から第２のプライミング開始トリガとの相互作用にシフトし得る。
【０５３５】
ボス（複数可）とプライミング開始トリガ（複数可）との相互作用に応じて、着座カラー区分１４４６ｂ１及び着座カラー区分１４４６ｂ２は、ヒンジ１４４５を中心として互いに離れて偏向し、間隙１４４８を幅広にし得る。着座カラー区分の偏向に応じて、壁区分１５７５ａ及び１５７５ｂは、外方に偏向し得る。壁区分１５７５ａ及び１５７５ｂの偏向に応じて、スロット１５７８が幅広になり、スロット１５７８の遠位端よりもフィンガーフランジ１５８０に隣接したスロット１５７８の近位端（図示せず）で幅広になり得る。フィンガーフランジ１５８０の穴部１５８２を横切り、かつそれを越えて半径方向内方に延在する直径方向スロットは、スロット１５７８の横断伸長部であり得る。壁区分１５７５ａ及び１５７５ｂの偏向に応じて、フィンガーフランジ１５８０が偏向し得る。
【０５３６】
ボス（複数可）とプライミング開始トリガ（複数可）との相互作用の聴覚的指示及び／または触覚的指示は、間隙１４４８の幅広との併発及び／または間隙１４４８の幅広時の付随であり得る。ボス（複数可）とプライミング開始トリガ（複数可）との相互作用の聴覚的指示及び／または触覚的指示は、ヒンジ１４４５を中心とした着座カラー区分１４４６ｂ１及び着座カラー区分１４４６ｂ２の偏向との併発及び／またはヒンジ１４４５を中心とした着座カラー区分１４４６ｂ１及び着座カラー区分１４４６ｂ２の偏向時の付随であり得る。ボス（複数可）とプライミング開始トリガ（複数可）との相互作用の聴覚的指示及び／または触覚的指示は、壁区分１５７５ａ及び１５７５ｂの偏向との併発及び／または壁区分１５７５ａ及び１５７５ｂの偏向時の付随であり得る。ボス（複数可）とプライミング開始トリガ（複数可）との相互作用の聴覚的指示及び／または触覚的指示は、スロット１５７８の幅広との併発及び／またはスロット１５７８の幅広時の付随であり得る。ボス（複数可）とプライミング開始トリガ（複数可）との相互作用の聴覚的指示及び／または触覚的指示は、フィンガーフランジ１５８０の偏向との併発及び／またはフィンガーフランジ１５８０の偏向時の付随であり得る。
【０５３７】
聴覚的指示及び／または触覚的指示のうちのいくつかは、操作者のために他の聴覚的指示及び／または触覚的指示を増幅し得る。例えば、操作者は、操作者がヒンジ１４４５を中心としたカラー区分１４４６ｂ１及び着座カラー区分１４４６ｂ２の偏向を感じ得るよりも容易に壁区分１５７５ａ及び１５７５ｂの偏向を感じ得る。
【０５３８】
ボス（複数可）とプライミング開始トリガ（複数可）との相互作用の聴覚的指示及び／または触覚的指示は、操作者にデバイス１５００のプライミングに進む信号を提供し得る。
【０５３９】
図１７は、フィンガーフランジ１７８０の近位面の正面図を示す。フィンガーフランジ１７８０は、フィンガーフランジ１８０（図１、２、１１、及び１３に示される）の特徴及び機能のいずれも有さなくてもよく、またはそれらのうちのいくつかもしくは全てを有してもよい。フィンガーフランジ１７８０は、フィンガーフランジ１５８０（図１５及び１６に示される）の特徴及び機能のいずれも有さなくてもよく、またはそれらのうちのいくつかもしくは全てを有してもよい。フィンガーフランジ１７８０は、穴部１７８２を画定し得る。フィンガーフランジ１７８０は、第２の穴部を画定し得る。フィンガーフランジ１７８０の第２の穴部は、フィンガーフランジ１７８０の中心に対して穴部１７８２と対称的に配設され得る。フィンガーフランジ１７８０は、ベイ１７８５を画定し得る。ベイ１７８５は、フィンガーフランジ１７８０と同心であり得る。
【０５４０】
図１７は、プランジャロッドガイド１７４０の近位面の正面図を示す。ガイド１７４０は、ガイド１４０（図１、２、３、１０、１１、及び１２に示される）の特徴及び機能のいずれも有しなくてもよく、またはそれらのうちのいくつかもしくは全てを有してもよい。ガイド１７４０は、ガイド１４４０（図１４、１５、及び１６に示される）の特徴及び機能のいずれも有しなくてもよく、またはそれらのうちのいくつかもしくは全てを有してもよい。
【０５４１】
ガイド１７４０は、ボス１７４２ａを含み得る。ボス１７４２ａは、アーム１７４１ａによって支持され得る。ガイド１７４０は、ボス１７４２ｂを含み得る。ボス１７４２ｂは、アーム１７４１ｂによって支持され得る。アーム１７４１ａ及びアーム１７４１ｂは、ガイド１７４０の中心に対して互いに対称的に配設され得る。ボス１７４２ａ及びボス１７４２ｂは、ガイド１７４０の中心に対して互いに直径方向反対側に配設され得る。ボス１７４２ａ及びボス１７４２ｂは、互いに向かって延在し得る。ガイド１７４０は、フィンガーフランジ１７８０と同心であり得る。ガイド１７４０は、ベイ１７８５にわたって吊り下げられ得る。
【０５４２】
図１８は、ベイ１７８５にわたって吊り下げられたガイド１７４０を示す。ガイド１７４０は、遠位ガイド伸長部１８４９ａを含み得る。遠位ガイド伸長部１８４９ａは、弓形であり得る。遠位ガイド伸長部１８４９ａは、アーム１７４１ａと関連付けられ得る。ガイド１７４０は、遠位ガイド伸長部１８４９ｂを含み得る。遠位ガイド伸長部１８４９ｂは、弓形であり得る。遠位ガイド伸長部１８４９ｂは、アーム１７４１ｂと関連付けられ得る。
【０５４３】
アーム１７４１ａは、ベイ１７８５にわたって吊り下げられ得る。支持部材１８８６ａは、ベイ１７８５にわたってアーム１７４１ａを吊り下げ得る。支持部材１８８６ｃは、ベイ１７８５にわたってアーム１７４１ａを吊り下げ得る。
【０５４４】
アーム１７４１ａは、支持部材１８８６ａによってアーム１７４１ａの第１の端に隣接して支持され得る。支持部材１８８６ａは、支持部材１８８６ａの第１の端に隣接してアーム１７４１ａを支持し得る。支持部材１８８６ａの第２の端は、穴部１７８２に隣接して配設され得る。アーム１７４１ａは、支持部材１８８６ｃによってアーム１７４１ａの第２の端に隣接して支持され得る。支持部材１８８６ｃは、支持部材１８８６ｃの第１の端に隣接してアーム１７４１ａを支持し得る。支持部材１８８６ｃの第２の端は、フィンガーフランジ１７８０の第２の穴部に隣接して配設され得る。
【０５４５】
アーム１７４１ｂは、ベイ１７８５にわたって吊り下げられ得る。支持部材１８８６ｂは、ベイ１７８５にわたってアーム１７４１ｂを吊り下げ得る。支持部材１８８６ｄは、ベイ１７８５にわたってアーム１７４１ｂを吊り下げ得る。
【０５４６】
アーム１７４１ｂは、支持部材１８８６ｂによってアーム１７４１ｂの第１の端に隣接して支持され得る。支持１８８６ｂ部材は、支持部材１８８６ｂの第１の端に隣接してアーム１７４１ｂを支持し得る。支持部材１８８６ｂの第２の端は、穴部１７８２に隣接して配設され得る。アーム１７４１ｂは、支持部材１８８６ｄによってアーム１７４１ｂの第２の端に隣接して支持され得る。支持部材１８８６ｄは、支持部材１８８６ｄの第１の端に隣接してアーム１７４１ｂを支持し得る。支持部材１８８６ｄの第２の端は、フィンガーフランジ１７８０の第２の穴部に隣接して配設され得る。
【０５４７】
支持部材１８８６ａは、遠位ガイド伸長部１８４９ａの近位に配設され得る。支持部材１８８６ｃは、遠位ガイド伸長部１８４９ａの近位に配設され得る。支持部材１８８６ａ及び支持部材１８８６ｃは、共線状に配設され得る。
【０５４８】
支持部材１８８６ｂは、遠位ガイド伸長部１８４９ｂの近位に配設され得る。支持部材１８８６ｄは、遠位ガイド伸長部１８４９ｂの近位に配設され得る。支持部材１８８６ｂ及び支持部材１８８６ｄは、共線状に配設され得る。
【０５４９】
支持部材１８８６ａ及び支持部材１８８６ｂは、互いに平行に配設され得る。支持部材１８８６ｃ及び支持部材１８８６ｄは、互いに平行に配設され得る。
【０５５０】
アーム１７４１ａは、アーム１７４１ａの第１の端とは別にボス１７４２ａを支持し得る。アーム１７４１ａは、アーム１７４１ａの第２の端とは別にボス１７４２ａを支持し得る。
【０５５１】
アーム１７４１ｂは、アーム１７４１ｂの第１の端とは別にボス１７４２ｂを支持し得る。アーム１７４１ｂは、アーム１７４１ｂの第２の端とは別にボス１７４２ｂを支持し得る。
【０５５２】
図１９は、図１７に示される線１９−１９に沿って切り取られた断面図におけるベイ１７８５にわたって吊り下げられたガイド１７４０を示す（フィンガーフランジ１７８０が図１８に見られるフィンガーフランジ１７８０と同様の配向にある）。フィンガーフランジ１７８０は、環状辺縁１９８１を含み得る。辺縁１９８１は、穴部１７８２を画定し得る。
【０５５３】
ボス１７４２ａがアーム１７４１ａによって支持された状態で示されており、後者は、アーム１７４１ａの第１の端に隣接して支持部材１８８６ａによって支持されている。支持部材１８８６ａの横方向側面は、支持１８８６ａの第１の端上でアーム１７４１ａに続き得る。支持部材１８８６ａの横方向側面は、支持部材１８８６ａの第２の端上で辺縁１９８１に続き得る。
【０５５４】
アーム１７４１ａがアーム１７４１ａの第２の端に隣接して支持部材１８８６ｃによって支持された状態で示されている。支持部材１８８６ｃの横方向側面は、支持部材１８８６ａの第１の端上でアーム１７４１ａに続き得る。支持部材１８８６ｃの横方向側面は、支持部材１８８６ｃの第２の端上でフィンガーフランジ１７８０の第２の穴部を画定する環状辺縁に続き得る。
【０５５５】
図２０は、図１８に示される線２０−２０に沿って切り取られた断面図におけるベイ１７８５にわたって吊り下げられたガイド１７４０を示す（フィンガーフランジ１７８０が図１８に見られるフィンガーフランジ１７８０の配向と同様の配向にある）。
【０５５６】
フィンガーフランジ１７８０は、遠位フィンガーフランジ伸長部２０８９ａを含み得る。遠位フィンガーフランジ伸長部２０８９ａは、遠位ガイド伸長部１８４９ａに平行であり得る。遠位フィンガーフランジ伸長部２０８９ａは、弓形であり得る。遠位フィンガーフランジ伸長部２０８９ａは、遠位ガイド伸長部１８４９ａと同心であり得る。遠位フィンガーフランジ伸長部２０８９ａは、遠位ガイド伸長部１８４９ａを超えるフィンガーフランジ１７８０の中心からの半径を有し得る。
【０５５７】
フィンガーフランジ１７８０は、遠位フィンガーフランジ伸長部２０８９ｂを含み得る。遠位フィンガーフランジ伸長部２０８９ｂは、遠位ガイド伸長部１８４９ｂに平行であり得る。遠位フィンガーフランジ伸長部２０８９ｂは、弓形であり得る。遠位フィンガーフランジ伸長部２０８９ｂは、遠位ガイド伸長部１８４９ｂと同心であり得る。遠位フィンガーフランジ伸長部２０８９ｂは、遠位ガイド伸長部１８４９ｂを超えるフィンガーフランジ１７８０の中心からの半径を有し得る。
【０５５８】
フィンガーフランジ１７８０の中心から外方へのアーム１７４１ａの偏向は、ベイ１７８５によって適応され得る。フィンガーフランジ１７８０の中心から外方へのアーム１７４１ａの偏向は、遠位ガイド伸長部１８４９ａの外壁と遠位フィンガーフランジ伸長部２０８９ａの内壁との間の間隙によって適応され得る。遠位ガイド伸長部１８４９ａの外壁と遠位フィンガーフランジ伸長部２０８９ａの内壁との間の間隙は、ベイ１７８５の一部分であり得る。フィンガーフランジ１７８０の中心から外方へのアーム１７４１ａの偏向は、フィンガーフランジ１７８０の中心から他の半径方向線に沿ってよりもボス１７４２ａを通る半径に沿って大きくあり得る。アーム１７４１ａの第１の端を通る半径方向線に沿ったアーム１７４１ａの外方偏向は、支持部材１８８６ａによって制約され得る。支持部材１８８６ａは、アーム１７４１ａの外方偏向に応じて変形し得る。支持部材１８８６ａは、アーム１７４１ａの外方偏向に応じて偏向し得る。環状辺縁１９８１は、支持部材１８８６ａの変形に応じて変形し得る。環状辺縁１９８１は、支持部材１８８６ａの偏向に応じて変形し得る。
【０５５９】
フィンガーフランジ１７８０の中心から外方へのアーム１７４１ｂの偏向は、ベイ１７８５によって適応され得る。フィンガーフランジ１７８０の中心から外方へのアーム１７４１ａの偏向は、遠位ガイド伸長部１８４９ｂの外壁と遠位フィンガーフランジ伸長部２０８９ｂの内壁との間の間隙によって適応され得る。遠位ガイド伸長部１８４９ｂの外壁と遠位フィンガーフランジ伸長部２０８９ｂの内壁との間の間隙は、ベイ１７８５の一部分であり得る。フィンガーフランジ１７８０の中心から外方へのアーム１７４１ｂの偏向は、フィンガーフランジ１７８０の中心から他の半径方向線に沿ってよりもボス１７４２ｂを通る半径に沿って大きくあり得る。アーム１７４１ｂの第１の端を通る半径方向線に沿ったアーム１７４１ｂの外方偏向は、支持部材１８８６ｂによって制約され得る。支持部材１８８６ｂは、アーム１７４１ｂの外方偏向に応じて変形し得る。支持部材１８８６ｂは、アーム１７４１ｂの外方偏向に応じて偏向し得る。環状辺縁１９８１は、支持部材１８８６ｂの変形に応じて変形し得る。環状辺縁１９８１は、支持部材１８８６ｂの偏向に応じて変形し得る。
【０５６０】
図２１は、フィンガーフランジ１７８０の遠位面の図を示す。図２１は、ガイド１７４０遠位面の図を示しており、ガイド１７４０がベイ１７８５にわたって吊り下げられている。図２１は、フィンガーフランジ１７８０と同心のガイド１７４０を示しており、遠位ガイド伸長部１８４９ａが遠位フィンガーフランジ伸長部２０８９ａと同心であり、遠位ガイド伸長部１８４９ｂが遠位フィンガーフランジ伸長部２０８９ｂと同心である。
【０５６１】
フィンガーフランジ１７８０は、フィンガーフランジアンカー固定要素２１８３を含み得る。フィンガーフランジアンカー固定要素２１８３は、遠位フィンガーフランジ伸長部２０８９ａの外壁の周囲に配設され得る。フィンガーフランジアンカー固定要素２１８３は、遠位フィンガーフランジ伸長部２０８９ｂの外壁の周囲に配設され得る。
【０５６２】
フィンガーフランジ１７８０は、遠位表面２１８８ａを含み得る。遠位表面２１８８ａは、遠位フィンガーフランジ伸長部２０８９ａの内壁を横断して配設され得る。遠位表面２１８８ａは、遠位フィンガーフランジ伸長部２０８９ａの外壁を横断して配設され得る。
【０５６３】
フィンガーフランジ１７８０は、遠位表面２１８８ｂを含み得る。遠位表面２１８８ｂは、遠位フィンガーフランジ伸長部２０８９ｂの内壁を横断して配設され得る。遠位表面２１８８ｂは、遠位フィンガーフランジ伸長部２０８９ａの外壁を横断して配設され得る。
【０５６４】
支持部材１８８６ａは、遠位表面２１８８ａの近位に配設され得る。支持部材１８８６ａの遠位面は、遠位表面２１８８ａに平行に配設され得る。支持部材１８８６ｃは、遠位表面２１８８ａの近位に配設され得る。支持部材１８８６ｃの遠位面は、遠位表面２１８８ａに平行に配設され得る。
【０５６５】
支持部材１８８６ｂは、遠位表面２１８８ｂの近位に配設され得る。支持部材１８８６ｂの遠位面は、遠位表面２１８８ｂに平行に配設され得る。支持部材１８８６ｄは、遠位表面２１８８ｂの近位に配設され得る。支持部材１８８６ｄの遠位面は、遠位表面２１８８ｂに平行に配設され得る。
【０５６６】
図２２は、例示的な薬剤送達デバイス２２００の特徴を示す。送達デバイス２２００は、送達デバイス１００（図１１に示される）の特徴及び機能のいずれも有さなくてもよく、またはそれらのうちのいくつかもしくは全てを有してもよい。送達デバイス２２００は、送達デバイス１５００（図１５及び１６に示される）の特徴及び機能のいずれも有さなくてもよく、またはそれらのうちのいくつかもしくは全てを有してもよい。送達デバイス２２００は、長手方向軸Ｌ２を画定し得る。
【０５６７】
送達デバイス２２００は、プランジャロッド２２１０を含み得る。ロッド２２１０は、ロッド１１０（図１、２、２Ａ、２Ｂ、２Ｃ、３、４Ａ、４Ｂ、及び１１に示される）の特徴及び機能のいずれも有さなくてもよく、またはそれらのうちのいくつかもしくは全てを有してもよい。ロッド２２１０は、ロッド５１０（図５に示される）の特徴及び機能のいずれも有さなくてもよく、またはそれらのうちのいくつかもしくは全てを有してもよい。ロッド２２１０は、ロッド６１０（図６に示される）の特徴及び機能のいずれも有さなくてもよく、またはそれらのうちのいくつかもしくは全てを有してもよい。ロッド２２１０は、ロッド１５１０（図１５及び１６に示される）の特徴及び機能のいずれも有さなくてもよく、またはそれらのうちのいくつかもしくは全てを有してもよい。ロッド２２１０は、軸Ｌ２と同軸上に配設され得る。
【０５６８】
送達デバイス２２００は、フィンガーフランジ１７８０を含み得る。フィンガーフランジ１７８０は、軸Ｌ２と同軸上に配設され得る。軸Ｌ２は、フィンガーフランジ１７８０の中心を通過し得る。フィンガーフランジアンカー固定要素２１８３は各々、任意の他のフィンガーフランジアンカー固定要素２１８３と構造的に同等であり得る。フィンガーフランジアンカー固定要素２１８３は各々、任意の他のフィンガーフランジアンカー固定要素２１８３と同等に軸Ｌ２に対して配向され得る。フィンガーフランジアンカー固定要素２１８３は、遠位フィンガーフランジ伸長部２０８９ｂの外壁の周囲に規則的に離間され得る。フィンガーフランジアンカー固定要素２１８３は、遠位フィンガーフランジ伸長部２０８９ａの外壁の周囲に規則的に離間され得る（図２１に示される）。
【０５６９】
送達デバイス２２００は、ガイド１７４０を含み得る。ガイド１４４０は、軸Ｌ２と同軸上に配設され得る。軸Ｌ２は、ガイド１７４０の中心を通過し得る。送達デバイス２２００は、支持部材１８８６ａを含み得る。送達デバイス２２００は、支持部材１８８６ｂを含み得る。送達デバイス２２００は、支持部材１８８６ｃを含み得る。送達デバイス２２００は、支持部材１８８６ｄを含み得る。支持部材（複数可）は、ベイ１７８５にわたって吊り下げられたガイド１７４０を支持し得る。支持部材（複数可）は、ガイド１７４０をフィンガーフランジ１７８０に対する回転動きから阻止し得る。
【０５７０】
送達デバイス２２００は、デバイス筐体２２７０を含み得る。筐体２２７０は、筐体１７０（図１、２、３、１１、及び１３に示される）の特徴及び機能のいずれも有さなくてもよく、またはそれらのうちのいくつかもしくは全てを有してもよい。筐体２２７０は、筐体１５７０（図１５及び１６に示される）の特徴及び機能のいずれも有さなくてもよく、またはそれらのうちのいくつかもしくは全てを有してもよい。筐体２２７０は、軸Ｌ２と同軸上に配設され得る。
【０５７１】
送達デバイス２２００は、薬剤容器（図示せず）を含み得る。デバイス２２００の薬剤容器は、薬剤容器１５０（図１、２、及び３に示される）の特徴及び機能のいずれも有さなくてもよく、またはそれらのうちのいくつかもしくは全てを有してもよい。デバイス２２００の薬剤容器は、薬剤容器７５０（図７に示される）の特徴及び機能のいずれも有さなくてもよく、またはそれらのうちのいくつかもしくは全てを有してもよい。デバイス２２００の薬剤容器は、薬剤容器８５０（図８に示される）の特徴及び機能のいずれも有さなくてもよく、またはそれらのうちのいくつかもしくは全てを有してもよい。デバイス２２００の薬剤容器は、薬剤容器９５０（図９に示される）の特徴及び機能のいずれも有さなくてもよく、またはそれらのうちのいくつかもしくは全てを有してもよい。デバイス２２００の薬剤容器は、軸Ｌ２と同軸上に配設され得る。
【０５７２】
送達デバイス２２００は、針ハブ（図示せず）を含み得る。デバイス２２００の針ハブは、針ハブ１９０（図１、２、及び３に示される）の特徴及び機能のいずれも有さなくてもよく、またはそれらのうちのいくつかもしくは全てを有してもよい。デバイス２２００の針ハブは、軸Ｌ２と同軸上に配設され得る。
【０５７３】
ロッド２２１０は、ロッド遠位端２２１１を含み得る。ロッド２２１０は、動作前行路２２３０を画定し得る。動作前行路２２３０は、ロッド２２１０の円筒表面に沿って延在し得る。動作前行路２２３０は、動作前トリガ２２１４を支持し得る。動作前トリガ２２１４は、動作前行路２２３０の近位端で支持され得る。
【０５７４】
ロッド２２１０は、第２の動作前行路（図示せず）を画定し得る。第２の動作前行路は、動作前行路２２３０に平行にロッド２２１０の円筒表面に沿って延在し得る。第２の動作前行路は、ロッド２２１０の円筒表面に沿って動作前行路２２３０の全長にわたって動作前行路２２３０に平行に延在し得る。第２の動作前行路は、動作前行路２２３０の直径方向反対側に配設され得る。第２の動作前行路は、第２の動作前トリガ（図示せず）を支持し得る。第２の動作前トリガは、第２の動作前行路の近位端で支持され得る。第２の動作前トリガは、動作前トリガ２２１４の直径方向反対側に配設され得る。第２の動作前トリガは、ロッド遠位端２２１１からの動作前トリガ２２１４の距離に実質的に等しいロッド遠位端２２１１からの距離でロッド２２１０に沿って配設され得る。
【０５７５】
ロッド２２１０は、動作行路２２２０を画定し得る。動作行路２２２０は、ロッド２２１０の円筒表面に沿って延在し得る。ロッド２２１０は、第２の動作行路２２２１を画定し得る。動作行路２２２０及び第２の動作行路２２２１は、円筒表面に沿って互いに平行に配設され得る。
【０５７６】
動作行路２２２０は、動作開始トリガ２２１６を支持し得る。動作開始トリガ２２１６は、動作前トリガ２２１４に隣接し得る。動作行路２２２０は、螺旋状路２２２２を含み得る。動作開始トリガ２２１６は、螺旋状路２２２２の遠位端で動作行路２２２０によって支持され得る。
【０５７７】
第２の動作行路２２２１は、第２の動作開始トリガ（図示せず）を支持し得る。第２の動作開始トリガは、第２の動作前トリガに隣接し得る。第２の動作行路２２２１は、螺旋状路２２２３を含み得る。第２の動作開始トリガは、螺旋状路２２２３の遠位端で第２の動作行路２２２１によって支持され得る。第２の動作開始トリガは、動作開始トリガ２２１６の直径方向反対側に配設され得る。
【０５７８】
側壁２２２７は、螺旋状路２２２２の側壁であり得る。行路２２２０は、側壁２２２７によって画定され得る。走行表面２２２８は、螺旋状路２２２２の走行表面であり得る。行路２２２０は、走行表面２２２８によって画定され得る。
【０５７９】
ロッド２２１０の遠位端２２１１は、ガイド１７４０を通じて長手方向に挿入され得る。ガイド１７４０は、ロッド遠位端２２１１が挿入され得る通行路を画定し得る。
【０５８０】
ロッド２２１０は、ロッド遠位端２１１１で丸み付けられ得る。ロッド遠位端２２１１で丸み付けられたロッド２２１０は、ガイド１７４０を通るロッド遠位端２２１１の挿入を容易にし得る。ガイド１７４０を通るロッド遠位端２２１１の挿入に伴い、ボス１７４２ｂは、動作前行路２２３０でロッド２２１０に係合し得る。ボス１７４２ｂは、動作前行路２２３０内に半径方向内方に延在し得る。ボス１７４２ａは、第２の動作前行路でロッド２２１０に係合し得る。ボス１７４２ａは、第２の動作前行路内に半径方向内方に延在し得る。
【０５８１】
筐体２２７０は、筐体壁２２７１を含み得る。筐体壁２２７１は、近位筐体端壁２２７７を含み得る。近位筐体端壁２２７７は、筐体２２７０内の近位開口部を境界付け得る。筐体２２７０内の近位開口部は、軸Ｌ２と同軸上に配設され得る。近位筐体端壁２２７７の遠位に、筐体２２７０は、フィンガーフランジアンカー固定受入要素２２７３を含み得る。フィンガーフランジアンカー固定受入要素２２７３は、フィンガーフランジアンカー固定要素２１８３と構造的に相補的であり得る。フィンガーフランジアンカー固定受入要素２２７３は各々、フィンガーフランジアンカー固定要素２１８３のうちのいずれかと構造的に相補的であり得る。
【０５８２】
フィンガーフランジアンカー固定受入要素２２７３は各々、任意の他のフィンガーフランジアンカー固定受入要素２２７３と構造的に同等であり得る。フィンガーフランジアンカー固定受入要素２２７３は各々、任意の他のフィンガーフランジアンカー固定受入要素２２７３と同等に軸Ｌ２に対して配向され得る。フィンガーフランジアンカー固定受入要素２２７３は、筐体壁２２７１の内部表面の周囲に配設され得る。フィンガーフランジアンカー固定受入要素２２７３は、筐体壁２２７１の内部表面の周囲に規則的に離間され得る。フィンガーフランジアンカー固定受入要素２２７３の規則的な離間は、フィンガーフランジアンカー固定要素２１８３の規則的な離間に対応し得る。
【０５８３】
フィンガーフランジ１７８０は、筐体２２７０の近位開口部内に挿入され得る。筐体２２７０の近位開口部内へのフィンガーフランジ１７８０の挿入により、フィンガーフランジアンカー固定要素２１８３のうちの１つ以上がフィンガーフランジアンカー固定受入要素２２７３のうちの１つ以上と接触し得る。筐体２２７０の近位開口部内へのフィンガーフランジ１７８０の挿入は、フィンガーフランジアンカー固定要素２１８３をフィンガーフランジアンカー固定受入要素２２７３と嵌合し得る。
【０５８４】
フィンガーフランジアンカー固定要素２１８３とフィンガーフランジアンカー固定受入要素２２７３との嵌合により、フィンガーフランジ１７８０が筐体２２７０と同軸上に配設され得る。筐体と同軸上でのフィンガーフランジ１７８０の配設により、ガイド１７４０が筐体２２７０と同軸上に配設され得る。フィンガーフランジアンカー固定要素２１８３とフィンガーフランジアンカー固定受入要素２２７３との嵌合により、フィンガーフランジ１７８０が筐体２２７０に添着され得る。
【０５８５】
フィンガーフランジアンカー固定要素２１８３とフィンガーフランジアンカー固定受入要素２２７３との嵌合による筐体２２７０へのフィンガーフランジ１７８０の添着により、フィンガーフランジ１７８０が筐体２２７０内へのさらなる挿入から阻止され得る。フィンガーフランジアンカー固定要素２１８３とフィンガーフランジアンカー固定受入要素２２７３との嵌合による筐体２２７０へのフィンガーフランジ１７８０の添着により、フィンガーフランジ１７８０が軸Ｌ２に沿った軸方向運動から阻止され得る。軸Ｌ２に沿った軸方向運動からのフィンガーフランジ１７８０の阻止により、ガイド１７４０が軸Ｌ２に沿った軸方向運動から阻止され得る。フィンガーフランジアンカー固定要素２１８３とフィンガーフランジアンカー固定受入要素２２７３との嵌合による筐体２２７０へのフィンガーフランジ１７８０の添着により、フィンガーフランジ１７８０が軸Ｌ２を中心とした回転運動から阻止され得る。軸Ｌ２を中心とした回転運動からのフィンガーフランジ１７８０の阻止により、ガイド１７４０が軸Ｌ２を中心とした回転運動から阻止され得る。
【０５８６】
筐体２２７０へのフィンガーフランジ１７８０の添着は、フィンガーフランジアンカー固定要素２１８３をフィンガーフランジアンカー固定受入要素２２７３と嵌合適合接触させ得る筐体２２７０に対するフィンガーフランジ１７８０の複数の同軸円周方向配向によって容易にされ得る。フィンガーフランジアンカー固定要素２１８３をフィンガーフランジアンカー固定受入要素２２７３と嵌合適合接触させ得る筐体２２７０に対するフィンガーフランジ１７８０の複数の同軸円周方向配向の合計数は、フィンガーフランジアンカー固定受入要素２２７３の総数であり得る。筐体２２７０へのフィンガーフランジ１７８０の添着は、デバイス２２００の製造ステップとして実施され得る。
【０５８７】
ガイド１７４０内へのロッド２２１０の挿入は、デバイス２２００の製造ステップとして実施され得る。
【０５８８】
ロッド２２１０は、ボス１４４２ｂが動作前トリガ２２１４と相互作用するまで、ボス１７４２ｂが動作前行路２２３０で係合した状態でガイド１７４０内に挿入され得る。ボス１７４２ｂと動作前トリガ２２１４との相互作用は、ボス１７４２ｂと動作前行路２２３０との係合の終了に対応し得る。ボス１７４２ｂと動作前トリガ２２１４との相互作用に応じて、アーム１７４１ｂは、ボス１７４２ｂを通る半径に沿って遠位フィンガーフランジ伸長部２０８９ｂの内壁に向かって半径方向外方に偏向し得る。アーム１７４１ｂの偏向は、動作前行路２２３０でのボス１７４２ｂの係合の終了を示し得る。
【０５８９】
ロッド２２１０は、ボス１７４２ａが第２の動作前トリガと相互作用するまで、ボス１７４２ａが第２の動作前行路で係合した状態でガイド１７４０内に挿入され得る。ボス１７４２ａと第２の動作前トリガとの相互作用は、ボス１７４２ａと第２の動作前行路との係合の終了に対応し得る。ボス１７４２ａと第２の動作前トリガとの相互作用に応じて、アーム１７４１ａは、ボス１７４２ａを通る半径に沿って遠位フィンガーフランジ伸長部２０８９ａの内壁に向かって半径方向外方に偏向し得る。アーム１７４１ａの偏向は、第２の動作前行路でのボス１７４２ａの係合の終了を示し得る。
【０５９０】
ガイド１７４０内へのロッド２２１０のさらなる長手方向挿入時、ボス１７４２ｂは、動作前トリガ２２１４と動作開始トリガ２２１６との間の走行表面２２２６に対して動作前トリガ２２１４の近位に位置付けられ得る。走行表面２２２６に対してボス１７４２ｂを位置付けるロッド２２１０の挿入は、初期変位であり得る。
【０５９１】
初期変位は、第２の動作前トリガの近位にボス１７４２ａを位置付け得る。初期変位は、第２の走行表面（図示せず）に対してボス１７４２ａを位置付け得る。第２の走行表面は、走行表面２２２６の直径方向反対側の第２の動作前トリガと第２の動作開始トリガとの間に配設され得る。
【０５９２】
ロッド２２１０は、動作前トリガ２２１４の近位に位置付けられたボス１７４２ｂによってガイド１７４０からのロッド２２１０の不慮の近位滑りから実質的に阻止され得る。ロッド２２１０は、第２の動作前トリガの近位に位置付けられたボス１７４２ａによってガイド１７４０からのロッド２２１０の不慮の近位滑りから実質的に阻止され得る。ロッド２２１０は、動作前トリガ２２１４と動作開始トリガ２２１６との間に位置付けられたボス１７４２ｂによって不慮のさらなる遠位変位から実質的に阻止され得る。ロッド２２１０は、第２の動作前トリガと第２の動作開始トリガとの間に位置付けられたボス１７４２ａによって不慮のさらなる遠位変位から実質的に阻止され得る。初期変位からのロッド２２１０のさらなる遠位変位は、送達デバイス２２００の操作者側の意図的な操作を伴い得る。
【０５９３】
ロッド２２１０が初期変位にある状態で、送達デバイス２２００は、動作前状態であり得る。ロッド２２１０が初期変位にある状態で、送達デバイス２２００は、動作前状態の終了時にあり得る。ロッド２２１０が初期変位にある状態で、送達デバイス２２００は、動作状態の開始のために準備されていてもよい。動作状態の開始は、初期変位からのロッド２２１０のさらなる遠位変位を伴い得る。
【０５９４】
ロッド２２１０のさらなる遠位変位は、軸Ｌ２を中心としたロッド２２１０の時計回り方向回転によって達成され得る。軸Ｌ２を中心としたロッド２２１０の時計回り方向回転は、ボス１７４２ｂを走行表面２２２６に対して位置付けられた状態から動作開始トリガ２２１６との相互作用にシフトし得る。軸Ｌ２を中心としたロッド２２１０の時計回り方向回転は、ボス１７４２ａを第２の走行表面に対して位置付けられた状態から第２の動作開始トリガとの相互作用にシフトし得る。
【０５９５】
ボス１７４２ｂと動作開始トリガ２２１６との相互作用に応じて、アーム１７４１ｂは、ボス１７４２ｂを通る半径に沿って遠位フィンガーフランジ伸長部２０８９ｂの内壁に向かって半径方向外方に偏向し得る。アーム１７４１ｂの外方への偏向は、支持部材１８８６ｂを変形させ得る。アーム１７４１ｂの外方への偏向は、支持部材１８８６ｄを変形させ得る。支持部材１８８６ｂの変形は、環状辺縁１９８１を変形させ得る。支持部材１８８６ｄの変形は、ガイド１７４０の中心に対して穴部１７８２と対称的に配設されたフィンガーフランジ１７８０の第２の穴部の環状辺縁を変形させ得る。
【０５９６】
ボス１７４２ａと第２の動作開始トリガとの相互作用に応じて、アーム１７４１ａは、ボス１７４２ａを通る半径に沿って遠位フィンガーフランジ伸長部２０８９ａの内壁に向かって半径方向外方に偏向し得る。アーム１７４１ａの外方への偏向は、支持部材１８８６ａを変形させ得る。アーム１７４１ａの外方への偏向は、支持部材１８８６ｃを変形させ得る。支持部材１８８６ａの変形は、環状辺縁１９８１を変形させ得る。支持部材１８８６ｃの変形は、第２の穴部の環状辺縁を変形させ得る。
【０５９７】
ボス（複数可）と動作開始トリガ（複数可）との相互作用の聴覚的指示及び／または触覚的指示は、アーム１７４１ａ及び／もしくはアーム１７４１ｂの偏向との併発ならびに／またはアーム１７４１ａ及び／もしくはアーム１７４１ｂの偏向時の付随であり得る。
【０５９８】
ボス（複数可）と動作開始トリガ（複数可）との相互作用の聴覚的指示及び／または触覚的指示は、支持部材（複数可）の変形との併発及び／または支持部材（複数可）の変形時の付随であり得る。
【０５９９】
図２３は、フィンガーフランジ１７８０が軸Ｌ２と同軸上に筐体２２７０に添着されており、ガイド１７４０が軸Ｌ２と同軸上にベイ１７８５にわたって吊り下げられた状態の送達デバイス２２００を示す。図２３は、ロッド２２１０がガイド１７４０内に挿入された状態の送達デバイス２２００を示す。
【０６００】
動作状態の開始に伴い、ボス１７４２ｂは、動作行路２２２０でロッド２２１０に係合し得る。ボス１７４２ｂは、動作行路２２２０内に半径方向に延在し得る。ボス１７４２ｂは、螺旋状路２２２２と係合し得る。ボス１７４２ｂは、動作開始トリガ２２１６（図２２に示される）に隣接した螺旋状路２２２２と係合された状態で配設され得る。ボス１７４２ｂは、螺旋状路２２２２の側壁２２２７と並んで配設され得る。ボス１７４２ｂは、螺旋状路２２２２の走行表面２２２８に対して配設され得る。
【０６０１】
動作状態の開始に伴い、ボス１７４２ａ（図２２に示される）は、第２の動作行路２２２１でロッド２２１０に係合し得る。ボス１７４２ａは、第２の動作行路２２２１内に半径方向に延在し得る。ボス１７４２ａは、螺旋状路２２２３と係合し得る。ボス１７４２ａは、第２の動作開始トリガ（図示せず）に隣接した螺旋状路２２２３と係合された状態で配設され得る。
【０６０２】
動作状態の開始後に、筐体２２７０に対するロッド２２１０のさらなる遠位変位は、軸Ｌ２を中心としたロッド２２１０の時計回り方向回転によって達成され得る。動作行路２２２０の螺旋状路２２２２は、プライミング開始トリガ２３１７を支持し得る。第２の動作行路２２２１の螺旋状路２２２３は、プライミング開始トリガ２３１７の直径方向反対側に配設された第２のプライミング開始トリガ（図示せず）を支持し得る。軸Ｌ２を中心としたロッド２２１０の時計回り方向回転は、ボス１７４２ｂを動作開始トリガ２２１６に隣接して配設された状態からプライミング開始トリガ２３１７との相互作用にシフトし得る。軸Ｌ２を中心としたロッド２２１０の時計回り方向回転は、ボス１７４２ａを第２の動作開始トリガに隣接して配設された状態から第２のプライミング開始トリガとの相互作用にシフトし得る。
【０６０３】
ボス１７４２ｂとプライミング開始トリガ２３１７との相互作用に応じて、アーム１７４１ｂは、半径方向外方に偏向し得る。アーム１７４１ｂの外方への偏向は、環状辺縁１９８１の付随変形とともに支持部材１８８６ｂを変形させ得る。アーム１７４１ｂの外方への偏向は、穴部１７８２と対称的に配設された第２の穴部の環状辺縁の付随変形とともに支持部材１８８６ｄを変形させ得る。
【０６０４】
ボス１７４２ａと第２のプライミング開始トリガとの相互作用に応じて、アーム１７４１ａは、半径方向外方に偏向し得る。アーム１７４１ａの外方への偏向は、環状辺縁１９８１の付随変形とともに支持部材１８８６ａを変形させ得る。アーム１７４１ａの外方への偏向は、第２の穴部の環状辺縁の付随変形とともに支持部材１８８６ｃを変形させ得る。
【０６０５】
ボス（複数可）とプライミング開始トリガ（複数可）との相互作用の聴覚的指示及び／または触覚的指示は、アーム１７４１ａ及び／もしくはアーム１７４１ｂの偏向との併発ならびに／またはアーム１７４１ａ及び／もしくはアーム１７４１ｂの偏向時の付随であり得る。
【０６０６】
ボス１７４２ｂとプライミング開始トリガ２３１７との相互作用及び／またはボス１７４２ａと第２のプライミング開始トリガとの相互作用の聴覚的指示及び／または触覚的指示は、操作者にデバイス２２００のプライミングに進む信号を提供し得る。
【０６０７】
図２４は、プランジャロッドガイド２４４０の近位面の正面図を示す。ガイド２４４０は、ガイド１４０（図１、２、３、１０、１１、及び１２に示される）の特徴及び機能のいずれも有しなくてもよく、またはそれらのうちのいくつかもしくは全てを有してもよい。ガイド２４４０は、ガイド１４４０（図１４、１５、及び１６に示される）の特徴及び機能のいずれも有しなくてもよく、またはそれらのうちのいくつかもしくは全てを有してもよい。ガイド２４４０は、ガイド１７４０（図１７、１８、１９、２０、２１、２２、及び２３に示される）の特徴及び機能のいずれも有しなくてもよく、またはそれらのうちのいくつかもしくは全てを有してもよい。ガイド２４４０は、ボス２４４２ａを含み得る。ガイド２４４０は、ボス２４４２ｂを含み得る。ボス２４４２ａ及びボス２４４２ｂは、ガイド２４４０の中心に対して互いに直径方向反対側に配設され得る。ボス２４４２ａ及びボス２４４２ｂは、互いに向かって延在し得る。ガイド２４４０は、Ｃ字形であり得る。ガイド２４４０は、Ｃ字形クリップを含み得る。
【０６０８】
ボス２４４２ａは、アーム２４４１ａによって支持され得る。ボス２４４２ａは、アーム２４４１ａによって間接的に支持され得る。アーム支持スペーサー２４４７ａは、ボス２４４２ａとアーム２４４１ａとの間に配設され得る。アーム支持スペーサー２４４７ａは、アーム２４４１ａによって直接支持され得る。ボス２４４２ａは、アーム支持スペーサー２４４７ａによって直接支持され得る。
【０６０９】
ボス２４４２ｂは、アーム２４４１ｂによって支持され得る。ボス２４４２ｂは、アーム２４４１ｂによって間接的に支持され得る。アーム支持スペーサー２４４７ｂは、ボス２４４２ｂとアーム２４４１ｂとの間に配設され得る。アーム支持スペーサー２４４７ｂは、アーム２４４１ｂによって直接支持され得る。ボス２４４２ｂは、アーム支持スペーサー２４４７ｂによって直接支持され得る。
【０６１０】
アーム支持スペーサー２４４７ａ及びアーム支持スペーサー２４４７ｂは、中心に対して互いに直径方向反対側に配設され得る。アーム支持スペーサー２４４７ａ及びアーム支持スペーサー２４４７ｂは、互いに向かって延在し得る。
【０６１１】
アーム２４４１ａ及びアーム２４４１ｂは、ヒンジ２４４５で接合され得る。ヒンジ２４４５は、弾性であり得る。アーム２４４１ａ及びアーム２４４１ｂは、間隙２４４８を画定し得る。間隙２４４８は、アーム２４４１ａの端とアーム２４４１ｂの端との間に延在し得る。間隙２４４８は、ヒンジ２４４５の反対側にあり得る。アーム２４４１ａは、間隙２４４８とは別にボス２４４２ａを支持し得る。アーム２４４１ａは、ヒンジ２４４５とは別にボス２４４２ａを支持し得る。アーム２４４１ｂは、間隙２４４８とは別にボス２４４２ｂを支持し得る。アーム２４４１ｂは、ヒンジ２４４５とは別にボス２４４２ｂを支持し得る。間隙２４４８の幅は、ガイド２４４０の偏向中に変化し得る。間隙２４４８は、ガイド２４４０の偏向中に幅広になり得る。間隙２４４８は、ガイド２４４０の偏向中に幅狭になり得る。
【０６１２】
図２５は、例示的な薬剤送達デバイス２５００の特徴を示す。送達デバイス２５００は、送達デバイス１００（図１１に示される）の特徴及び機能のいずれも有さなくてもよく、またはそれらのうちのいくつかもしくは全てを有してもよい。送達デバイス２５００は、送達デバイス１５００（図１５及び１６に示される）の特徴及び機能のいずれも有さなくてもよく、またはそれらのうちのいくつかもしくは全てを有してもよい。送達デバイス２５００は、送達デバイス２２００（図２２及び２３に示される）の特徴及び機能のいずれも有さなくてもよく、またはそれらのうちのいくつかもしくは全てを有してもよい。送達デバイス２５００は、長手方向軸Ｌ３を画定し得る。
【０６１３】
送達デバイス２５００は、プランジャロッド２５１０を含み得る。ロッド２５１０は、ロッド１１０（図１、２、２Ａ、２Ｂ、２Ｃ、３、４Ａ、４Ｂ、及び１１に示される）の特徴及び機能のいずれも有さなくてもよく、またはそれらのうちのいくつかもしくは全てを有してもよい。ロッド２５１０は、ロッド５１０（図５に示される）の特徴及び機能のいずれも有さなくてもよく、またはそれらのうちのいくつかもしくは全てを有してもよい。ロッド２５１０は、ロッド６１０（図６に示される）の特徴及び機能のいずれも有さなくてもよく、またはそれらのうちのいくつかもしくは全てを有してもよい。ロッド２５１０は、ロッド１５１０（図１５及び１６に示される）の特徴及び機能のいずれも有さなくてもよく、またはそれらのうちのいくつかもしくは全てを有してもよい。ロッド２５１０は、ロッド２２１０（図２２及び２３に示される）の特徴及び機能のいずれも有さなくてもよく、またはそれらのうちのいくつかもしくは全てを有してもよい。ロッド２５１０は、軸Ｌ３と同軸上に配設され得る。
【０６１４】
送達デバイス２５００は、デバイス筐体２５７０を含み得る。筐体２５７０は、筐体１７０（図１、２、３、１１、及び１３に示される）の特徴及び機能のいずれも有さなくてもよく、またはそれらのうちのいくつかもしくは全てを有してもよい。筐体２５７０は、筐体１５７０（図１５及び１６に示される）の特徴及び機能のいずれも有さなくてもよく、またはそれらのうちのいくつかもしくは全てを有してもよい。筐体２５７０は、筐体２２７０（図２２及び２３に示される）の特徴及び機能のいずれも有さなくてもよく、またはそれらのうちのいくつかもしくは全てを有してもよい。筐体２５７０は、軸Ｌ３と同軸上に配設され得る。
【０６１５】
送達デバイス２５００は、薬剤容器（図示せず）を含み得る。デバイス２５００の薬剤容器は、薬剤容器１５０（図１、２、及び３に示される）の特徴及び機能のいずれも有さなくてもよく、またはそれらのうちのいくつかもしくは全てを有してもよい。デバイス２５００の薬剤容器は、薬剤容器７５０（図７に示される）の特徴及び機能のいずれも有さなくてもよく、またはそれらのうちのいくつかもしくは全てを有してもよい。デバイス２５００の薬剤容器は、薬剤容器８５０（図８に示される）の特徴及び機能のいずれも有さなくてもよく、またはそれらのうちのいくつかもしくは全てを有してもよい。デバイス２５００の薬剤容器は、薬剤容器９５０（図９に示される）の特徴及び機能のいずれも有さなくてもよく、またはそれらのうちのいくつかもしくは全てを有してもよい。デバイス２５００の薬剤容器は、軸Ｌ３と同軸上に配設され得る。
【０６１６】
送達デバイス２５００は、針ハブ（図示せず）を含み得る。デバイス２５００の針ハブは、針ハブ１９０（図１、２、及び３に示される）の特徴及び機能のいずれも有さなくてもよく、またはそれらのうちのいくつかもしくは全てを有してもよい。デバイス２５００の針ハブは、軸Ｌ３と同軸上に配設され得る。
【０６１７】
ロッド２５１０は、ロッド遠位端２５１１を含み得る。ロッド２５１０は、動作前行路２５３０を画定し得る。動作前行路２５３０は、ロッド２５１０の円筒表面に沿って延在し得る。動作前行路２５３０は、動作前トリガ２５１４を支持し得る。動作前トリガ２５１４は、動作前行路２５３０の近位端で支持され得る。
【０６１８】
ロッド２５１０は、第２の動作前行路（図示せず）を画定し得る。第２の動作前行路は、動作前行路２５３０に平行にロッド２５１０の円筒表面に沿って延在し得る。第２の動作前行路は、ロッド２５１０の円筒表面に沿って動作前行路２５３０の全長にわたって動作前行路２５３０に平行に延在し得る。第２の動作前行路は、動作前行路２５３０の直径方向反対側に配設され得る。第２の動作前行路は、第２の動作前トリガ（図示せず）を支持し得る。第２の動作前トリガは、第２の動作前行路の近位端で支持され得る。第２の動作前トリガは、動作前トリガ２５１４の直径方向反対側に配設され得る。第２の動作前トリガは、ロッド遠位端２５１１からの動作前トリガ２５１４の距離に実質的に等しいロッド遠位端２５１１からの距離でロッド２５１０に沿って配設され得る。
【０６１９】
ロッド２５１０は、動作行路２５２０を画定し得る。動作行路２５２０は、ロッド２５１０の円筒表面に沿って延在し得る。ロッド２５１０は、第２の動作行路２５２１を画定し得る。動作行路２５２０及び第２の動作行路２５２１は、円筒表面に沿って互いに平行に配設され得る。
【０６２０】
動作行路２５２０は、動作開始トリガ２５１６を支持し得る。動作開始トリガ２５１６は、動作前トリガ２５１４に隣接し得る。動作行路２５２０は、螺旋状路２５２２を含み得る。動作開始トリガ２５１６は、螺旋状路２５２２の遠位端で動作行路２５２０によって支持され得る。
【０６２１】
第２の動作行路２５２１は、第２の動作開始トリガ（図示せず）を支持し得る。第２の動作開始トリガは、第２の動作前トリガに隣接し得る。第２の動作行路２５２１は、螺旋状路２５２３を含み得る。第２の動作開始トリガは、螺旋状路２５２３の遠位端で第２の動作行路２５２１によって支持され得る。第２の動作開始トリガは、動作開始トリガ２５１６の直径方向反対側に配設され得る。
【０６２２】
側壁２５２７は、螺旋状路２５２２の側壁であり得る。行路２５２０は、側壁２５２７によって画定され得る。走行表面２５２８は、螺旋状路２５２２の走行表面であり得る。行路２５２０は、走行表面２５２８によって画定され得る。
【０６２３】
筐体２５７０は、フィンガーフランジ２５８０を含み得る。筐体２５７０は、筐体壁２５７１を含み得る。フィンガーフランジ２５８０は、筐体壁２５７１によって支持され得る。
【０６２４】
筐体２５７０は、フレーム２５３２を含み得る。フレーム２５３２は、ガイド２４４０に適応するように構成され得る。フレーム２５３２は、フレーム２５３２がガイド２４４０と構造的に相補的であるように構成され得る。
【０６２５】
フレーム２５３２は、筐体壁２５７１に続き得る。フレーム２５３２は、筐体壁２５７１と一体であり得る。フレーム２５３２は、フィンガーフランジ２５８０に隣接して配設され得る。フレーム２５３２は、フィンガーフランジ２５８０の遠位に配設され得る。フレーム２５３２は、軸Ｌ３を中心として円周方向に配設され得る。フレーム２５３２は、軸Ｌ３と同軸上に配設され得る。フレーム２５３２は、開口部２５３６ａを画定し得る。フレーム２５３２は、開口部２５３６ｂを画定し得る。フレーム２５３２は、開口部２５３６ｃを画定し得る。フレーム２５３２は、開口部２５３６ｄを画定し得る。フレーム２５３２の構造要素は、開口部２５３６ａ及び／または開口部２５３６ｂ及び／または開口部２５３６ｃ及び／または開口部２５３６ｄを境界付け得る。開口部２５３６ａ及び／または開口部２５３６ｂ及び／または開口部２５３６ｃ及び／または開口部２５３６ｄは、軸Ｌ３を中心として円周方向に配設され得る。
【０６２６】
フレーム２５３２は、遠位円周方向隆起部２５３３を含み得る。円周方向隆起部２５３３は、軸Ｌ３を中心として円周方向に配設され得る。円周方向隆起部２５３３は、軸Ｌ３と同軸上に配設され得る。円周方向隆起部２５３３は、円周方向隆起部２５３３の遠位の筐体壁２５７１の軸Ｌ３を横断する外周を超える軸Ｌ３を横断する外周を有し得る。円周方向隆起部２５３３は、筐体壁２５７１の半径方向外方伸長部として構成され得る。円周方向隆起部２５３３は、筐体壁２５７１の半径方向突起部として構成され得る。円周方向隆起部２５３３の内部円周方向表面は、筐体壁２５７１の内部表面であり得る。
【０６２７】
フレーム２５３２は、円周方向レッジ２５３８を含み得る。円周方向隆起部２５３３は、円周方向レッジ２５３８を含み得る。円周方向レッジ２５３８は、軸Ｌ３を中心として円周方向に配設され得る。円周方向レッジ２５３８は、軸Ｌ３と同軸上に配設され得る。円周方向レッジ２５３８の近位表面は、軸Ｌ３を横断して配設され得る。
【０６２８】
フレーム２５３２は、長手方向フレーム要素２５３４を含み得る。長手方向フレーム要素２５３４は、軸Ｌ３に平行に配設され得る。長手方向フレーム要素２５３４は、長手方向フレーム要素２５３４の遠位端で円周方向隆起部２５３３によって支持され得る。長手方向フレーム要素２５３４は、長手方向フレーム要素２５３４の遠位端で円周方向隆起部２５３３と一体であり得る。長手方向フレーム要素２５３４は、長手方向フレーム要素２５３４の遠位端で円周方向レッジ２５３８と一体であり得る。長手方向フレーム要素２５３４は、長手方向フレーム要素２５３４の遠位端で円周方向レッジ２５３８の遠位の筐体壁２５７１の一部分に続き得る。長手方向フレーム要素２５３４は、長手方向フレーム要素２５３４の遠位端で円周方向レッジ２５３８の遠位の筐体壁２５７１の一部分と一体であり得る。長手方向フレーム要素２５３４は、筐体壁２５７１の一部分であり得る。長手方向フレーム要素２５３４の内部表面は、筐体壁２５７１の内部表面であり得る。
【０６２９】
長手方向フレーム要素２５３４は、長手方向フレーム要素２５３４の近位端（図示せず）でフィンガーフランジ２５８０によって支持され得る。長手方向フレーム要素２５３４は、長手方向フレーム要素２５３４の近位端で、円周方向隆起部２５３３に平行であり、かつフィンガーフランジ１５８０に隣接した近位円周方向隆起部（図示せず）によって支持され得る。近位円周方向隆起部は、円周方向隆起部２５３３の特徴及び機能のいずれも有さなくてもよく、またはそれらのうちのいくつかもしくは全てを有してもよい。
【０６３０】
フレーム２５３２は、円周方向フレーム要素２５３５ａを含み得る。フレーム２５３２は、円周方向フレーム要素２５３５ｂを含み得る。円周方向フレーム要素２５３５ａ及び／または円周方向フレーム要素２５３５ｂは、軸Ｌ３を中心として円周方向に配設され得る。円周方向フレーム要素２５３５ａ及び／または円周方向フレーム要素２５３５ｂは、軸Ｌ３と同軸上に配設され得る。円周方向フレーム要素２５３５ａ及び／または円周方向フレーム要素２５３５ｂは、長手方向フレーム要素２５３４によって支持され得る。円周方向フレーム要素２５３５ａ及び／または円周方向フレーム要素２５３５ｂは、長手方向フレーム要素２５３４と一体であり得る。円周方向フレーム要素２５３５ａ及び／または円周方向フレーム要素２５３５ｂは、長手方向フレーム要素２５３４から離れた端で筐体壁２５７１によって支持され得る。円周方向フレーム要素２５３５ａ及び／または円周方向フレーム要素２５３５ｂは、長手方向フレーム要素２５３４から離れた端で筐体壁２５７１に続き得る。円周方向フレーム要素２５３５ａ及び／または円周方向フレーム要素２５３５ｂは、筐体壁２５７１の一部分であり得る。円周方向フレーム要素２５３５ａ及び／または円周方向フレーム要素２５３５ｂの内部表面は、筐体壁２５７１の内部表面であり得る。
【０６３１】
円周方向フレーム要素２５３５ａ及び長手方向フレーム要素２５３４は、開口部２５３６ａを境界付け得る。円周方向フレーム要素２５３５ａ及び長手方向フレーム要素２５３４は、開口部２５３６ｃを境界付け得る。円周方向フレーム要素２５３５ｂ及び長手方向フレーム要素２５３４は、開口部２５３６ｂを境界付け得る。円周方向フレーム要素２５３５ｂ及び長手方向フレーム要素２５３４は、開口部２５３６ｄを境界付け得る。
【０６３２】
フレーム２５３２は、横方向長手方向レッジ２５３７を含み得る。横方向長手方向レッジ２５３７は、軸Ｌ３に平行に配設され得る。横方向長手方向レッジ２５３７は、円周方向レッジ２５３８を横断して配設され得る。横方向長手方向レッジ２５３７は、円周方向フレーム要素２５３５ｂの長手方向フレーム要素２５３４から離れた端を横切って配設され得る。フレーム２５３２は、第２の横方向長手方向レッジ（図示せず）を含み得る。第２の横方向長手方向レッジは、円周方向フレーム要素２５３５ａの長手方向フレーム要素２５３４から離れた端を横切って配設され得る。横方向長手方向レッジ２５３７及び／または第２の横方向長手方向レッジは、円周方向フレーム要素２５３５ａ及び／または円周方向フレーム要素２５３５ｂの外表面の軸Ｌ３を横断する半径を越えて軸Ｌ３を横断する半径に沿って延在し得る。
【０６３３】
送達デバイス２５００は、ガイド２４４０を含み得る。ガイド２４４０は、遠位ガイド伸長部２５４９を含み得る。ガイド２４４０は、中心軸Ｃを画定し得る。軸Ｃは、ガイド２４４０の中心を通過し得る。ヒンジ２４４５は、遠位ガイド伸長部２５４９に沿って軸Ｃに平行に延在し得る。間隙２４４８（図２４に示される）は、ヒンジ２４４５の反対側の軸Ｃに平行な長手方向伸長部を有し得る。
【０６３４】
ガイド２４４０は、遠位アーム支持スペーサー２５４７ｃを含み得る。遠位ガイド伸長部２５４９の内壁は、アーム支持スペーサー２５４７ｃを支持し得る。アーム支持スペーサー２５４７ｃを支持する遠位ガイド伸長部２５４９の内壁は、アーム２４４１ａの遠位伸長部の内壁であり得る。
【０６３５】
ガイド２４４０は、遠位アーム支持スペーサー２５４７ｄを含み得る。遠位ガイド伸長部２５４９の内壁は、アーム支持スペーサー２５４７ｄを支持し得る。アーム支持スペーサー２５４７ｄを支持する遠位ガイド伸長部２５４９の内壁は、アーム２４４１ｂの遠位伸長部の内壁であり得る。
【０６３６】
アーム支持スペーサー２５４７ｃ及びアーム支持スペーサー２５４７ｄは、互いに直径方向反対側に配設され得る。アーム支持スペーサー２４４７ｃ及びアーム支持スペーサー２４４７ｄは、互いに向かって延在し得る。
【０６３７】
アーム支持スペーサー２４４７ａ及びアーム支持スペーサー２５４７ｃは、互いに平行に配設され得る。アーム支持スペーサー２４４７ａとアーム支持スペーサー２５４７ｃとの間に、ガイド２４４０は、軸Ｃを横断する開口部Ａを画定し得る。アーム支持スペーサー２４４７ｂ及びアーム支持スペーサー２５４７ｄは、互いに平行に配設され得る。アーム支持スペーサー２４４７ｂとアーム支持スペーサー２５４７ｄとの間に、ガイド２４４０は、軸Ｃを横断する開口部Ｂを画定し得る。
【０６３８】
ガイド２４４０は、筐体２５７０に添着され得る。ガイド２４４０は、筐体２５７０にクリップ留めされ得る。ガイド２４４０は、軸Ｌ３を横断する方向にフレーム２５３２にクリップ留めされ得る。ガイド２４４０は、軸Ｃが軸Ｌ３と共線状に配設されるようにフレーム２５３２にクリップ留めされ得る。
【０６３９】
ガイド２４４０は、ガイド２４４０が筐体２５７０に対する軸Ｌ３に沿った遠位運動から阻止されるように筐体２５７０にクリップ留めされ得る。ガイド２４４０は、ガイド２４４０が筐体２５７０に対する軸Ｌ３を中心とした回転運動から阻止されるように筐体２５７０にクリップ留めされ得る。ガイド２４４０のフレーム２５３２へのクリップ留めは、デバイス２５００の製造ステップとして実施され得る。
【０６４０】
ガイド２４４０のフレーム２５３２へのクリップ留めは、いくつかの段階で進み得る。全ての段階は、フレーム２５３２に対してガイド２４４０の配向を実質的に維持することを伴い得る。配向は、軸Ｌ３に平行な軸Ｃの整列を含み得る。配向は、長手方向フレーム要素２５３４に平行な間隙２４４８の長手方向伸長部の整列を含み得る。配向は、円周方向レッジ２５３８と同一平面上のガイド２４４０の遠位面の整列を含み得る。配向は、アーム支持スペーサー２４４７ａの開口部２５３６ａとの整列及び／またはアーム支持スペーサー２４４７ｂの開口部２５３６ｂとの整列及び／またはアーム支持スペーサー２５４７ｃの開口部２５３６ｃとの整列及び／またはアーム支持スペーサー２５４７ｄの開口部２５３６ｄとの整列を含み得る。
【０６４１】
ガイド２４４０のフレーム２５３２へのクリップ留めの準備段階で、かつガイド２４４０のフレーム２５３２へのクリップ留めの完了段階で、ガイド２４４０は、偏向されていなくてもよい。ガイド２４４０が偏向されていない状態で、間隙２４４８の幅は、基準値を有し得る。基準値は、円周方向フレーム要素２５３５ａの外表面と円周方向フレーム要素２５３５ｂの外表面との間の軸Ｌ３を通る直径未満であり得る。ガイド２４４０が偏向された状態で、間隙２４４８の幅は、基準値から増加し得る。準備段階と完了段階との間のガイド２４４０のフレーム２５３２へのクリップ留めの移行段階で、ガイド２４４０が偏向され得る。
【０６４２】
準備段階は、ガイド２４４０がフレーム２５３２と初期接触するまで軸Ｃと軸Ｌ３との間の距離を減少させることを伴い得る。ガイド２４４０とフレーム２５３２との初期接触は、アーム２４４１ａの端を円周方向フレーム要素２５３５ａと接触させ得、アーム２４４１ｂの端を円周方向フレーム要素２５３５ｂと接触させ得る。準備段階は、ガイド２４４０の遠位面の一部分を円周方向レッジ２５３８に向けさせ得る。準備段階は、ガイド２４４０の各アーム支持スペーサーの一部分をアーム支持スペーサーが整列するフレーム２５３２内の開口部に入らせ得る。
【０６４３】
移行段階は、軸Ｃと軸Ｌ３との間の距離をさらに減少させることを伴い得、ヒンジ２４４５を中心としてガイド２４４０を偏向させ、アーム２４４１ａの端及びアーム２４４１ｂの端が離れて動いて、円周方向フレーム要素２５３５ａの外表面及び円周方向フレーム要素２５３５ｂの外表面に適応する。移行段階中、間隙２４４８の幅は、円周方向フレーム要素２５３５ａの外表面と円周方向フレーム要素２５３５ｂの外表面との間の直径の少なくともある値まで増加し得る。移行段階中、ガイド２４４０の各アーム支持スペーサーが動いて、アーム支持スペーサーが整列するフレーム２５３２内の開口部内にさらに入り得る。
【０６４４】
間隙２４４８の幅が移行段階中の直径の値に達した後、間隙２４４８の幅が基準値に向かって減少し、軸Ｃと軸Ｌ３との間の距離をさらに減少させ得る。軸Ｃと軸Ｌ３との間の距離は、軸Ｃ及び軸Ｌ３が完了段階で共線状になるまで減少し得る。完了段階で、間隙２４４８の幅は、基準値であり得る。
【０６４５】
完了段階で、ガイド２４４０は、筐体２５７０と同軸上に配設され得る。ヒンジ２４４５に沿ったガイド２４４０の内部表面は、長手方向フレーム要素２５３４に対して配設され得る。ガイド２４４０の他の内部表面は、円周方向フレーム要素２５３５ａの外表面または円周方向フレーム要素２５３５ｂの外表面に対して配設され得る。ガイド２４４０の遠位面は、円周方向レッジ２５３８に対して配設され得る。ガイド２４４０の近位面は、フィンガーフランジ２５８０の遠位表面に対して配設され得る。アーム２４４１ｂの端の長手方向伸長部は、横方向長手方向レッジ２５３７に対して配設され得る。アーム２４４１ａの端の長手方向伸長部は、第２の横方向長手方向レッジに対して配設され得る。
【０６４６】
完了段階で、間隙２４４８の幅が円周方向フレーム要素２５３５ａの外表面と円周方向フレーム要素２５３５ｂの外表面との間の直径よりも小さい状態で、ガイド２４４０は、フレーム２５３２からのガイド２４４０の不慮の横断滑りから実質的に阻止され得る。ガイド２４４０を筐体２５７０と同軸上に維持するガイド２４４０の安定化は、フレーム２５３２とガイド２４４０との構造的相補性によって提供され得る。
【０６４７】
完了段階で、円周方向レッジ２５３８に対して配設されたガイド２４４０の遠位面は、ガイド２４４０を筐体２５７０に対する遠位軸方向運動から阻止し得る。フィンガーフランジ２５８０の遠位表面に対して配設されたガイド２４４０の近位面は、ガイド２４４０を筐体２５７０に対する近位軸方向運動から阻止し得る。フレーム２５３２の横方向長手方向レッジに対して配設されたアーム２４４１ａの端の長手方向伸長部及びアーム２４４１ｂの端の長手方向伸長部は、ガイド２４４０を筐体２５７０に対する回転運動から阻止し得る。
【０６４８】
完了段階で、アーム支持スペーサーは、軸Ｌ３に向かって半径方向内方に延在して配設され得る。ボス２４４２ａ及びボス２４４２ｂは、軸Ｌ３に向かって半径方向内方に延在して配設され得る。ボス２４４２ａとボス２４４ｂとの間の軸Ｌ３を横切る距離は、ロッド２５１０の円筒表面の直径未満であり得る。
【０６４９】
完了段階で、ロッド２５１０は、筐体２５７０内に挿入されてガイド２４４０を通り得る。ロッド２５１０の筐体２５７０内への挿入及びガイド２４４０の通過は、デバイス２５００の製造ステップとして実施され得る。ロッド２５１０の遠位端２５１１は、筐体２５７０内に長手方向に挿入されてガイド２４４０を通り得る。ガイド２４４０は、ロッド遠位端２５１１が挿入され得る通行路を画定し得る。
【０６５０】
ガイド２４４０を通るロッド遠位端２５１１の挿入に伴い、ボス２４４２ｂは、動作前行路２５３０でロッド２５１０に係合し得る。ボス２４４２ｂは、動作前行路２５３０内に半径方向内方に延在し得る。ボス２４４２ａは、第２の動作前行路でロッド２５１０に係合し得る。ボス２４４２ａは、第２の動作前行路内に半径方向内方に延在し得る。
【０６５１】
アーム支持スペーサー２４４７ａ及び／またはアーム支持スペーサー２４４７ｂ及び／またはアーム支持スペーサー２４４７ｃ及び／またはアーム支持スペーサー２４４７ｄの半径方向内方に向く表面は、ロッド２５１０の円筒表面と並んで配設され得る。
【０６５２】
ロッド２５１０は、ボス２４４２ｂが動作前トリガ２５１４と相互作用するまで、ボス２４４２ｂが動作前行路２５３０で係合した状態でガイド２４４０内に挿入され得る。ボス２４４２ｂと動作前トリガ２５１４との相互作用は、ボス２４４２ｂと動作前行路２５３０との係合の終了に対応し得る。ボス２４４２ｂと動作前トリガ２５１４との相互作用に応じて、ガイド２４４０が偏向し得る。ボス２４４２ｂと動作前トリガ２５１４との相互作用に応じて、アーム２４４１ｂが偏向し得る。アーム２４４１ｂの偏向は、動作前行路２５３０でのボス２４４２ｂの係合の終了を示し得る。
【０６５３】
ロッド２５１０は、ボス２４４２ａが第２の動作前トリガと相互作用するまで、ボス２４４２ａが第２の動作前行路で係合した状態でガイド２４４０内に挿入され得る。ボス２４４２ａと第２の動作前トリガとの相互作用は、ボス２４４２ａと第２の動作前行路との係合の終了に対応し得る。ボス２４４２ａと第２の動作前トリガとの相互作用に応じて、ガイド２４４０が偏向し得る。ボス２４４２ａと第２の動作前トリガとの相互作用に応じて、アーム２４４１ａが偏向し得る。アーム２４４１ａの偏向は、第２の動作前行路でのボス２４４２ａの係合の終了を示し得る。アーム２４４１ａ及びアーム２４４１ｂは、ヒンジ２４４５を中心として偏向し得る。
【０６５４】
ガイド２４４０は、開口部２５３６内で偏向し得る。ガイド２４４０は、筐体２５７０に対して偏向し得る。ガイド２４４０の外部表面は、筐体２５７０に対して偏向し得る。ガイド２４４０の内部表面は、筐体２５７０に対して偏向し得る。
【０６５５】
ガイド２２４０内へのロッド２５１０のさらなる長手方向挿入時、ボス２２４２ｂは、動作前トリガ２５１４と動作開始トリガ２５１６との間の走行表面２５２６に対して動作前トリガ２５１４の近位に位置付けられ得る。走行表面２５２６に対してボス２２４２ｂを位置付けるロッド２５１０の挿入は、初期変位であり得る。
【０６５６】
初期変位は、第２の動作前トリガの近位にボス２２４２ａを位置付け得る。初期変位は、第２の走行表面（図示せず）に対してボス２２４２ａを位置付け得る。第２の走行表面は、走行表面２５２６の直径方向反対側の第２の動作前トリガと第２の動作開始トリガとの間に配設され得る。
【０６５７】
ロッド２５１０は、動作前トリガ２５１４の近位に位置付けられたボス２４４２ｂによってガイド２４４０からのロッド２５１０の不慮の近位滑りから実質的に阻止され得る。ロッド２５１０は、第２の動作前トリガの近位に位置付けられたボス２４４２ａによってガイド２４４０からのロッド２５１０の不慮の近位滑りから実質的に阻止され得る。ロッド２５１０は、動作前トリガ２５１４と動作開始トリガ２５１６との間に位置付けられたボス２４４２ｂによって不慮のさらなる遠位変位から実質的に阻止され得る。ロッド２５１０は、第２の動作前トリガと第２の動作開始トリガとの間に位置付けられたボス２４４２ａによって不慮のさらなる遠位変位から実質的に阻止され得る。初期変位からのロッド２５１０のさらなる遠位変位は、送達デバイス２５００の操作者側の意図的な操作を伴い得る。
【０６５８】
ロッド２５１０が初期変位にある状態で、送達デバイス２５００は、動作前状態であり得る。ロッド２５１０が初期変位にある状態で、送達デバイス２５００は、動作前状態の終了時にあり得る。ロッド２５１０が初期変位にある状態で、送達デバイス２５００は、動作状態の開始のために準備されていてもよい。動作状態の開始は、初期変位からのロッド２５１０のさらなる遠位変位を伴い得る。
【０６５９】
ロッド２５１０のさらなる遠位変位は、軸Ｌ３を中心としたロッド２５１０の時計回り方向回転によって達成され得る。軸Ｌ３を中心としたロッド２５１０の時計回り方向回転は、ボス２２４２ｂを走行表面２５２６に対して位置付けられた状態から動作開始トリガ２５１６との相互作用にシフトし得る。軸Ｌ３を中心としたロッド２５１０の時計回り方向回転は、ボス２２４２ａを第２の走行表面に対して位置付けられた状態から第２の動作開始トリガとの相互作用にシフトし得る。ボス（複数可）と動作開始トリガ（複数可）との相互作用に応じて、ガイド２４４０が偏向し得、間隙２４４８を幅広にし得る。
【０６６０】
ガイド２４４０の偏向の聴覚的指示及び／または触覚的指示は、間隙２４４８の幅広との併発及び／または間隙２４４８の幅広時の付随であり得る。操作者は、ガイド２４４０の外部表面の偏向を感じ得る。ガイド２４４０の内部表面がフレーム２５３２の外部表面に対する非偏向位置に戻ることで、可聴音を生成し得る。
【０６６１】
図２６は、フィンガーフランジ２５８０の遠位表面の図を示す。フィンガーフランジ２５８０の遠位表面は、遠位表面２６８８を含み得る。フィンガーフランジ２５８０は、長手方向フレーム要素２５３４を支持し得る。遠位表面２６８８は、長手方向フレーム要素２５３４を支持し得る。遠位表面２６８８は、長手方向フレーム要素２５３４の近位端に隣接し得る。長手方向フレーム要素２５３４は、フィンガーフランジ２５８０に続き得る。
【０６６２】
図２６は、フレーム２５３２の遠位図を示す。フレーム２５３２は、遠位表面２６８８の一部分を含み得る。遠位表面２６８８の一部分は、開口部２５３６ａを境界付け得、開口部２５３６ａは、長手方向フレーム要素２５３４及び円周方向フレーム要素２５３５ａによっても境界付けられ得る。
【０６６３】
遠位表面２６８８は、フレーム２５３２を近位に制限し得る。円周方向隆起部２５３３は、フレーム２５３２を遠位に制限し得る。円周方向隆起部２５３３の一部分は、開口部２５３６ｃを境界付け得、開口部２５３６ｃは、長手方向フレーム要素２５３４及び円周方向フレーム要素２５３５ａによっても境界付けられ得る。
【０６６４】
図２７は、ガイド２４４０が筐体２５７０にクリップ留めされた状態の送達デバイス２５００を円周方向フレーム要素２５３５ｂが開口部Ｂを通る図とともに示す。遠位ガイド伸長部２５４９が円周方向隆起部２５３３によって遠位に制限された状態で示されている。図２７は、ロッド２５１０が筐体２５７０内に挿入されてガイド２４４０を通った状態の送達デバイス２５００を示す。
【０６６５】
動作状態の開始に伴い、ボス２４４２ｂ（仮想線で示される）は、動作行路２５２０でロッド２５１０に係合し得る。ボス２４４２ｂは、動作行路２５２０内に半径方向に延在し得る。ボス２４４２ｂは、螺旋状路２５２２と係合し得る。ボス２４４２ｂは、動作開始トリガ２５１６（図２５に示される）に隣接した螺旋状路２５２２と係合された状態で配設され得る。ボス２４４２ｂは、螺旋状路２５２２の側壁２５２７と並んで配設され得る。ボス２４４２ｂは、螺旋状路２５２２の走行表面２５２８に対して配設され得る。
【０６６６】
動作状態の開始に伴い、ボス２４４２ａ（図２５に示される）は、第２の動作行路２５２１でロッド２５１０に係合し得る。ボス２４４２ａは、第２の動作行路２５２１内に半径方向に延在し得る。ボス２４４２ａは、螺旋状路２５２３と係合し得る。ボス２４４２ａは、第２の動作開始トリガ（図示せず）に隣接した螺旋状路２５２３と係合された状態で配設され得る。
【０６６７】
動作状態の開始後に、筐体２５７０及びガイド２４４０に対するロッド２５１０のさらなる遠位変位は、軸Ｌ３を中心としたロッド２５１０の時計回り方向回転によって達成され得る。動作行路２５２０の螺旋状路２５２２は、プライミング開始トリガ２７１７を支持し得る。第２の動作行路２５２１の螺旋状路２５２３は、プライミング開始トリガ２７１７の直径方向反対側に配設された第２のプライミング開始トリガ（図示せず）を支持し得る。軸Ｌ３を中心としたロッド２５１０の時計回り方向回転は、ボス２４４２ｂを動作開始トリガ２５１６に隣接して配設された状態からプライミング開始トリガ２７１７との相互作用にシフトし得る。軸Ｌ３を中心としたロッド２５１０の時計回り方向回転は、ボス２４４２ａを第２の動作開始トリガに隣接して配設された状態から第２のプライミング開始トリガとの相互作用にシフトし得る。
【０６６８】
ボス（複数可）とプライミング開始トリガ（複数可）との相互作用に応じて、ガイド２４４０が偏向し得る。ボス（複数可）とプライミング開始トリガ（複数可）との相互作用に応じて、アーム２４４１ａ及びアーム２４４１ｂがヒンジ２４４５を中心として外方に偏向し得、ボス（複数可）とプライミング開始トリガ（複数可）との相互作用の聴覚的指示及び／または触覚的指示を併発及び／または付随する。
【０６６９】
ボス（複数可）とプライミング開始トリガ（複数可）との相互作用の聴覚的指示及び／または触覚的指示は、操作者にデバイス２５００のプライミングに進む信号を提供し得る。
【０６７０】
送達デバイス２５００の動作中、操作者の指の一部分は、ガイド２４４０と並んでフィンガーフランジ２５８０の遠位に配設され得る。ガイド２４４０と並んで配設された操作者の指の一部分は、操作者にガイド２４４０の偏向の触覚的指示を提供し得る。
【０６７１】
送達デバイス２５００の動作は、操作者の指の一部分をヒンジ２４４５と並んで配設し得る。ヒンジ２４４５と並んで配設された操作者の指の一部分は、操作者にガイド２４４０の偏向の触覚的指示を提供し得る。
【０６７２】
図２７に示される送達デバイス２５００は、フィンガーフランジ２５８０の楕円形長軸（図示せず）がガイド２４４０の偏向の方向に実質的に垂直に配向されたフィンガーフランジ２５８０を特色とする。
【０６７３】
いくつかの実施形態（図示せず）では、フィンガーフランジは、ガイドの偏向の方向と整列した楕円形長軸を有し得る。操作者の指の一部分は、ガイドの偏向に沿ったガイドの一部分と並んで位置付けられ得る。これにより、操作者にガイドの偏向の触覚的指示が提供され得る。
【０６７４】
図２８は、例示的な送達デバイス２８００を示す。送達デバイス２８００は、デバイス１００（図１に示される）、デバイス１５００（図１５に示される）、及びデバイス２５００（図２５に示される）のうちの１つ以上と共通した１つ以上の特徴を有し得る。送達デバイス２８００は、ノブ２８０２、フィンガーフランジ２８８０、薬剤容器２８５０、薬剤２８６０、プランジャロッド２８１０、プランジャ２８５６、動作前行路２８３０、ガイド２８４０、及び動作行路２８２０を含み得る。
【０６７５】
図２９は、送達デバイス２８００が、近位周縁２９５３、ブラケット２９８７、ガイドアーム２９４１Ａ、ガイドアーム２９４１Ｂ、ボス２９４２Ａ、ボス２９４２Ｂ、動作前突起部２９１４、螺旋形路２９２２、長手方向路２９２４を含み得ることを示す。
【０６７６】
図２９Ａは、フィンガーフランジ２８８０の遠位表面２９８８を示す。
【０６７７】
図３０は、図線３０−３０（図２８に示される）に沿って切り取られた断面図である。ボス２９４２ｂと長手方向行路２９２４の末端表面３０１２との間の距離ｄ２。動作中、ノブ２８０２の回転がｄ２に減少する。
【０６７８】
図３１Ａは、ブラケット２９８７の陥凹部３１３９を示す。ブラケット２９８７は、遠位表面２９８８によって支持され得る。陥凹部３１３９は、周縁２９５３を受容し得る。
【０６７９】
図３１Ｂは、陥凹部３１３９内に受容された周縁３９５３を示す。
【０６８０】
図３２は、アーム２９４１Ａを支持する支持体３２８６ａを示す。支持体３２８６ｂは、アーム２９４１Ｂを支持する。支持体３２８６ａ及び３２８６ｂは、フィンガーフランジ２８８０に対して垂直に配向され得る。
【０６８１】
図３３は、フィンガーフランジ３３８０を示す。フィンガーフランジ３３８０は、ガイド３３４０を含み得る。ガイド３３４０は、ボス３３４２ａを支持し得るアーム３３４１ａを含み得る。ガイド３３４０は、ボス３３４２ｂを支持し得るアーム３３４１ｂを含み得る。支持体３２８６ａは、アーム３３４１ａを支持し得る。支持体３２８６ｂは、アーム３３４１ｂを支持し得る。
【０６８２】
図３３Ａは、遠位表面３３８８によって支持され得るブラケット３３８７の陥凹部３３３９を示す。
【０６８３】
図３４は、図線３４−３４（図３０に示される）に沿って切り取られた部分［球状］断面図である。支持体３３８６ａ及び支持体３３８６ｃは、ガイド３４４０の一部を支持し得る。支持体３３８６ａ及び３３８６ｃは、フィンガーフランジ３３８０に対して水平に配向され得る。ガイド３４４０の遠位伸長部３４８９は、陥凹部３３３９を境界付け得る。
【０６８４】
図３５は、図線３５−３５（図３３に示される）に沿って切り取られた部分断面図である。支持体３３８６ｃは、アーム３３４１ａを支持し得る。支持体３４８６ｄは、アーム３３４１ｂを支持し得る。遠位伸長部３４８９は、フィンガーフランジ３３８０の平面内に位置し得る。
【０６８５】
図３６は、フィンガーフランジ３６８０を示す。フィンガーフランジ３６８０は、ガイド３６４０を含み得る。ガイド３６４０は、アーム３６４１ａを含み得る。アーム３６４１ａは、ボス３６４２ａを支持し得る。支持体３６８６ａは、アーム３６４１ａを支持し得る。支持体３６８６ｃは、アーム３６４１ａを支持し得る。ガイド３６４０は、アーム３６４１ｂを含み得る。アーム３６４１ｂは、ボス３６４２ｂを支持し得る。支持体３６８６ｂは、アーム３６４１ｂを支持し得る。支持体３６８６ｄは、アーム３６４１ｂを支持し得る。支持体３６８６ａ及び３６８６ｃは、ベイ３６８５内にアーム３６４１ａを支持し得る。支持体３６８６ｂ及び３６８６ｄは、ベイ３６８５内にアーム３６４１ｂを支持し得る。動作中、ガイド３６４０は、ベイ３６８５内で半径方向外方に偏向し得る。
【０６８６】
図３７Ａは、組み立てられていない状態のフィンガーフランジ構成要素３７８０ａ及び３７８０ｂを示す。構成要素３７８０ａは、ガイド構成要素３７４０ａを支持し得る。構成要素３７８０ｂは、ガイド構成要素３７４０ｂを支持し得る。
【０６８７】
図３７Ｂは、組み立てられた状態の構成要素３７８０ａ及び３７８０ｂを示す。
【０６８８】
図３８Ａは、組み立てられていない状態の構成要素３７８０ａ及び３７８０ｂを示す。遠位表面３８８８ａは、ブラケット構成要素３８８７ａを支持し得る。遠位表面３８８８ｂは、ブラケット構成要素３８８７ｂを支持し得る。ブラケット構成要素３８８７ａは、陥凹部構成要素３８３９ａを画定し得る。ブラケット構成要素３８８７ｂは、陥凹部構成要素３８３９ｂを画定し得る。
【０６８９】
図３８Ｂは、フィンガーフランジ構成要素３７８０ａ及び３７８０ｂが組み立てられると陥凹部３８３９ａ及び３８３９ｂが開口部３８３９を形成することを示す。
【０６９０】
図３８Ｃは、フィンガーフランジ構成要素３７８０ａ及び３７８０ｂとともに組み立てられた容器３８５０の周縁３８５３を示す。フィンガーフランジ構成要素３７８０ａ及び３７８０ｂは、組み立て中に薬剤容器３８５０に横断方向に一緒に引き込まれ得る。
【０６９１】
図３９は、例示的なフィンガーフランジ３９８０を示す。フィンガーフランジ３９８０は、ガイド３９４０を支持し得る。フィンガーフランジ３９８０は、ブラケット３９８７を含み得る。
【０６９２】
図４０は、ブラケット３９８７の陥凹部４０３９を示す。ブラケット３９８７は、遠位表面４０８８によって支持され得る。陥凹部４０３９は、薬剤容器４０５０の周縁４０５３を受容し得る。
【０６９３】
図４１は、フィンガーフランジ構成要素３９８０とともに組み立てられた薬剤容器４０５０を示す。薬剤容器４０５０は、組み立て中にブラケット３９８７内に長手方向に挿入され得る。
【０６９４】
図４２は、線４２−４２（図４１に示される）に沿って切り取られた部分断面図を示す。図４２は、ブラケット３９８７を示す。ブラケット３９８７は、薬剤容器４０５０を受容し得る。陥凹部４０３９は、周縁４０５３を保持し得る。
【０６９５】
図４３は、例示的なプランジャロッド４３１０を示す。ロッド４３１０は、第１の動作トリガ４３１６を含み得る。ロッド４３１０は、最終段階送達トリガ４３１８を示し得る。
【０６９６】
図４３Ａは、例示的な螺旋形路４３２２及び長手方向路４３２４を示す。螺旋形路４３２２は、長手方向路４３２４に隣接して最終段階送達トリガ４３１８を支持し得る。長手方向路４３２４は、末端表面４３１２で近位に終結し得る。
【０６９７】
図４４は、例示的なロッド４４１０を示す。ロッド４４１０は、第１の動作トリガ４４１６及び最終段階送達トリガ４４１８を含み得る。螺旋形路４４２２は、長手方向路４４４４に隣接して最終段階送達トリガ４４１８を支持し得る。螺旋形路４４２２は、螺旋形路４３２２（図４３Ａに示される）のスパンよりも長い長手方向スパンを有し得る。より長い長手方向スパンは、プライミング、混合、またはプライミング及び混合の両方等のより拡張的な送達前機能性を提供し得る。
【０６９８】
図４５は、例示的なプランジャロッド４５１０を示す。プランジャロッド４５１０は、第１の動作トリガ４５１６及び最終段階送達トリガ４５１８を含み得る。プランジャロッド４５１０は、螺旋形路４５２２を含み得る。螺旋形路４５２２は、長手方向路４５２４に隣接して最終段階送達トリガ４５１８を支持し得る。螺旋形路４５２２は、中間トリガ４５１７を支持し得る。動作中、トリガ４５１７は、混合等の送達前機能の終了及びプライミング等のその後の送達前機能の開始の指示を提供し得る。
【０６９９】
図４６は、例示的なプランジャロッド４６１０を示す。ロッド４６１０は、第１の動作トリガ４６１６を含み得る。ロッド４６１０は、最終段階送達トリガ４６１８を含み得る。ロッド４６１０は、螺旋形路４６２２及び長手方向路４６２４を含み得る。螺旋形路４６２２は、長手方向路４６２４に隣接して最終段階送達トリガ４６１８を支持し得る。
【０７００】
図４７は、例示的なプランジャロッド４７１０を示す。ロッド４７１０は、第１の動作トリガ４７１６を含み得る。ロッド４７１０は、最終段階送達トリガ４７１８を含み得る。ロッド４７１０は、螺旋形路４７２２を含み得る。螺旋形路４７２２は、長手方向路４７２４に隣接して最終段階送達トリガ４７１８を支持し得る。螺旋形路４７２２は、螺旋形路４６２２（図４６に示される）のスパンよりも短い長手方向スパンを有し得る。短いスパンは、混合または広範なプライミングを必要としない薬剤の送達を提供し得る。
【０７０１】
図４８は、例示的なプランジャロッド４８１０を示す。ロッド４８１０は、第１の動作トリガ４８１６を含み得る。ロッド４８１０は、最終段階送達トリガ４８１８を含み得る。ロッド４８１０は、螺旋形路４８２２を含み得る。螺旋形路４８２２は、長手方向路４８２４に隣接して最終段階送達トリガ４８１８を支持し得る。螺旋形路４８２２は、螺旋形路４６２２（図４６に示される）のピッチよりも高いピッチ（各旋回がより大きい長手方向平行移動に対応する）を有し得る。
【０７０２】
図４９は、例示的なプランジャロッド４９１０を示す。ロッド４９１０は、第１の動作トリガ４９１６を含み得る。ロッド４９１０は、最終段階送達トリガ４９１８を含み得る。ロッド４９１０は、螺旋形路４９２２を含み得る。螺旋形路４９２２は、長手方向路４９２４に隣接して最終段階送達トリガ４９１８を支持し得る。螺旋形路４９２２は、近位部分（最終段階送達トリガ４９１８に対して遠位部分よりも近い）のピッチよりも高いピッチを有する遠位部分を含み得る。
【０７０３】
図５０は、例示的なプランジャロッド５０１０を示す。ロッド５０１０は、第１の動作トリガ５０１６を含み得る。ロッド５０１０は、最終段階送達トリガ５０１８を含み得る。ロッド５０１０は、長手方向路５０１０１を含み得る。ロッド５０１０は、長手方向路５０２４を含み得る。長手方向路５０１０１は、長手方向路５０２４に対して円周方向に変位し得る。円周方向路５００７は、円周方向に長手方向路５０１０１と長手方向路５０２４との間の橋渡しをし得る。長手方向路５０１０１は、円周方向路５００７に隣接して中間トリガ５０１７を支持し得る。円周方向路５００７は、長手方向路５０２４に隣接して最終段階送達トリガ５０１８を支持し得る。路５０１０１を使用して、１つ以上の送達前機能を提供することができる。円周方向路５００７は、長手方向路５０２４によって提供される送達前機能から送達機能への移行を提供し得る。
【０７０４】
図５１は、例示的なプランジャロッド５１１０を示す。ロッド５１１０は、第１の動作トリガ５１１６を含み得る。ロッド５１１０は、最終段階送達トリガ５１１８を含み得る。ロッド５１１０は、長手方向路５１１０１を含み得る。ロッド５１１０は、長手方向路５１２４を含み得る。長手方向路５１１０１は、長手方向路５１２４に対して円周方向に変位し得る。円周方向路５１０７は、円周方向に長手方向路５１１０１と長手方向路５１２４との間の橋渡しをし得る。長手方向路５１１０１は、円周方向路５１０７に隣接して中間トリガ５１１７を支持し得る。円周方向路５１０７は、長手方向路５１２４に隣接して最終段階送達トリガ５１１８を支持し得る。路５１１０１を使用して、１つ以上の送達前機能を提供することができる。円周方向路５１０７は、長手方向路５１２４によって提供される送達前機能から送達機能への移行を提供し得る。長手方向路５１１０１は、長手方向路５０１０１（図５０に示される）のスパンよりも短い長手方向スパンを有し得る。短いスパンは、混合または広範なプライミングを必要としない薬剤の送達を提供し得る。
【０７０５】
図５２は、例示的なプランジャロッド５２１０を示す。ロッド５２１０は、第１の動作トリガ５２１６を含み得る。ロッド５２１０は、最終段階送達トリガ５２１８を含み得る。ロッド５２１０は、長手方向路５２１０１を含み得る。ロッド５２１０は、長手方向路５２２４を含み得る。長手方向路５２１０１は、長手方向路５２２４に対して円周方向に変位し得る。円周方向路５２０７は、円周方向に長手方向路５２１０１と長手方向路５２２４との間の橋渡しをし得る。長手方向路５２１０１は、第１の中間トリガ５２１７ａを支持し得る。長手方向路５２１０１は、第１の中間トリガ５２１７ｂを支持し得る。長手方向路５２１０１は、円周方向路５２０７に隣接して第２の中間トリガ５２１７ｂを支持し得る。長手方向路５２１０１は、第２の中間トリガ５２１７ｂの近位に第１の中間トリガ５２１７ａを支持し得る。
【０７０６】
円周方向路５２０７は、長手方向路５２２４に隣接して最終段階送達トリガ５２１８を支持し得る。路５２１０１を使用して、１つ以上の送達前機能を提供することができる。円周方向路５２０７は、長手方向路５２２４によって提供される送達前機能から送達機能への移行を提供し得る。
【０７０７】
動作中、第１の中間トリガ５２１７ａは、混合等の送達前機能の終了及びプライミング等のその後の送達前機能の開始の指示を提供し得る。動作中、第２の中間トリガ５２１７ｂは、その後の送達前機能の終了の指示を提供し得る。
【０７０８】
図５３は、例示的なプランジャロッド５３１０を示す。ロッド５３１０は、第１の動作トリガ５３１６を含み得る。ロッド５３１０は、最終段階送達トリガ５３１８を含み得る。ロッド５３１０は、長手方向路５３１０１を含み得る。ロッド５３１０は、長手方向路５３２４を含み得る。長手方向路５３１０１は、長手方向路５３２４に対して円周方向に変位し得る。円周方向路５３０７は、円周方向に長手方向路５３１０１と長手方向路５３２４との間の橋渡しをし得る。長手方向路５３１０１は、円周方向路５３０７に隣接して中間トリガ５３１７を支持し得る。円周方向路５３０７は、長手方向路５３２４に隣接して最終段階送達トリガ５３１８を支持し得る。長手方向路５３２４は、長手方向路５１２４（図５１に示される）のスパンよりも長い長手方向スパンを有し得る。最終段階送達トリガの近位の長手方向路のより長い長手方向スパンは、より長い送達ストロークを提供し得る。最終段階送達トリガの近位の長手方向路のより長い長手方向スパンは、薬剤のより多い目標量の送達を提供し得る。
【０７０９】
図５４は、例示的な送達デバイス５４００を示す。送達デバイス５４００は、デバイス１００（図１に示される）、デバイス１５００（図１５に示される）、デバイス２５００（図２５に示される）、デバイス２８００（図２８に示される）のうちの１つ以上と共通した１つ以上の特徴を有し得る。送達デバイス５４００は、ノブ５４０２、カラー５４０５、フィンガーフランジ５４８０、筐体５４７０、薬剤容器５４５０、薬剤５４６０、プランジャロッド５４１０、及びプランジャ５４５６を含み得る。
【０７１０】
送達デバイス５４００は、長手方向軸Ｌを画定し得る。送達デバイス５４００は、動作前状態であり得る状態で示されている。動作前状態で、送達デバイス５４００は、完全に組み立てられ得る。動作前状態で、送達デバイス５４００は、プライミングのために準備され得る。動作前状態で、送達デバイス５４００は、薬剤の放出のための準備のために準備され得る。動作前状態で、送達デバイス５４００は、薬剤の放出のために準備され得る。動作前状態で、送達デバイス５４００からの薬剤の放出は、始まっていなくてもよい。
【０７１１】
ノブ５４０２は、軸Ｌと同軸上に配設され得る。
【０７１２】
ロッド５４１０は、軸Ｌと同軸上に配設され得る。ロッド５４１０は、混合構成（図示せず）の構成要素であり得る。ノブ５４０２は、ロッド５４１０にネジ切り取り付けられ得る。
【０７１３】
容器５４５０は、混合構成（図示せず）の構成要素であり得る。容器５４５０は、軸Ｌと同軸上に配設され得る。容器５４５０は、円筒形、部分的に円筒形であり得るか、または任意の他の好適な形を有し得る。ロッド５４１０の遠位部分は、容器５４５０内に配設され得る。
【０７１４】
容器５４５０は、薬剤成分５４６０を含有し得る。容器５４５０は、プランジャ５４５６と係合され得る。ロッド５４１０の遠位端は、プランジャ５４５６の近位表面に隣接し得る。
【０７１５】
筐体５４７０は、軸Ｌと同軸上に配設され得る。筐体５４７０は、円筒形、部分的に円筒形であり得るか、または任意の他の好適な形を有し得る。
【０７１６】
フィンガーフランジ５４８０は、筐体５４７０とは別個であり得る。フィンガーフランジ５４８０は、筐体５４７０に取り付けられ得る。フィンガーフランジ５４８０は、筐体５４７０と一体であり得る。
【０７１７】
カラー５４０５は、軸Ｌと同軸上に配設され得る。カラー５４０５は、円筒形、部分的に円筒形であり得るか、または任意の他の好適な形を有し得る。カラー５４０５は、フィンガーフランジ５４８０に取り付けられ得る。カラー５４０５は、フィンガーフランジ５４８０と一体であり得る。カラー５４０５は、筐体５４７０に取り付けられ得る。カラー５４０５は、筐体５４７０と一体であり得る。
【０７１８】
図５４Ａは、カラー５４０５の内部の一部の図を示す。カラー５４０５は、回転防止突出部５４９１を含み得、１つ、２つ、またはそれ以上の回転防止突出部を含み得る。カラー５４０５は、軸受表面５４１０８を含み得る。ノブ５４０５は、タング５４１０３等の１つ以上のタングを含み得る。
【０７１９】
図５５は、送達デバイス５４００の特徴を示す。図５５は、ノブ５４０２を示す。ノブ５４０２は、ノブ５４０２の内部にネジ山５５９２（仮想線で示される）を含有し得る。ノブ５４０２は、隣接表面５５０３を支持し得る。ノブ４５０２は、多数のキー溝のうちの１つであり得るキー溝５５１０４等のキー溝を含み得る。キー溝５５１０４は、スロットを含み得る。
【０７２０】
ノブ５４０２は、旋回隆起部５５０６を含み得る。旋回隆起部５５０６は、軸Ｌを中心としたノブ５４０２の回転を達成するために操作者によって利用され得る。
【０７２１】
旋回隆起部５５０６は、ノブ５４０２の周囲に円周方向に離間され得る。ノブ５４０２の円周の周囲に規則的に離間された旋回隆起部５５０６は、操作者に行われる回転の程度の度合いを提供し得る。
【０７２２】
ロッド遠位端５５１１は、回転防止スロット５５６１の遠位端を画定し得る。回転防止スロット５５６１は、軸Ｌに平行であり得る。ロッド遠位端５５１１は、ロッド５４１０の円周の周囲に規則的または不規則的に分配された１つ以上の追加の回転防止スロットまたは特徴部（図示せず）を含み得る。回転防止スロット５５６１は、ネジ山５５６２までの行程の全てまたはいくらかにわたって近位に延在し得る。ネジ山５５６２は、ロッド近位端５５６８までの行程のいくらかまたは全てにわたって近位に延在し得る。ネジ山５５６２は、ノブ５４０２のネジ山５５９２に係合し得る。
【０７２３】
容器５４５０は、フィンガーフランジ５４８０の遠位のデバイス５４００内に配設され得る。容器５４５０は、フィンガーフランジ５４８０の遠位の筐体５４７０内に配設され得る。容器５４５０の近位開口部を取り囲む容器５４５０の近位周縁５５５３は、フィンガーフランジ５４８０の遠位のデバイス５４００内に凹設され得る。容器５４５０の近位周縁５５５３は、デバイス５４００内に凹設され得る。デバイス５４００は、陥凹部５５３９を含み得る。陥凹部５５３９は、周縁５５５３を受容し得る。
【０７２４】
ノブ５４０２は、カラー５４０５内に同軸上に配設され得る。カラー５４０５は、視界窓５５６９を含み得る。カラー５４０５は、指標表面５５１０９を支持し得る。
【０７２５】
デバイス５４００は、指示器スリーブ５５１０５を含み得る。スリーブ５５１０５は、カラー５４０５内に同軸上に配設され得る。ノブ５４０２は、スリーブ５５１０５内に同軸上に配設され得る。スリーブ５５１０５は、表記５５０８を含み得る。表記５５０８は、窓５５６９を通じて可視的であり得る。
【０７２６】
スリーブ５５１０５は、キー５５１０７等の１つ以上のキーを含み得る。キー５５１０７は、レールであり得る。キー５５１０７は、キー溝５５１０４に係合し得る。キー５５１０７とキー溝５５１０４との係合は、スリーブ５５１０５をノブ５４０２と回転係合させ得る。スリーブ５５１０５は、歯５５１１０等の１つ以上の歯を支持し得る。歯５５１１０は、タング５４１０３（図５４Ａに示される）に係合して、スリーブ５５１０５をカラー５４０５内に保持し得る。タング５４１０３と歯５５１１０との係合は、歯５５１０５を軸受表面５５１０８（図５４Ａに示される）に対して保持し得る。
【０７２７】
ロッド５４１０は、遠位端５５１１がプランジャ近位面５５５１に隣接した状態で容器５４５０内に収容され得る。ロッド近位端５５６８は、カラー５４０５内に近位に延在し得る。ロッド近位端５５６８は、スリーブ５５１０５内に近位に延在し得る。ノブ５４０２は、スリーブ５５１０５内に遠位に延在して、ロッド５４１０にネジ切り係合し得る。ノブ５４０２は、カラー５４０５内に遠位に延在して、ロッド５４１０にネジ切り係合し得る。
【０７２８】
図５６は、図線５６−５６（図５４に示される）に沿った断面図を示す。図５６は、動作前状態にあるデバイス５４００を示す。動作前状態で、デバイス５４００は、プライミングに備え得る。Ｘは、指標表面５５１０９から離れた距離を示す。隣接表面５５０３は、指標表面５５１０９から位置ｘ０にあり得る。ロッド５４１０は、容器５４５０内のプランジャ５４５６に隣接し得る。遠位プランジャ面５４５７は、容器５４５０内に薬剤５４６０を密封し得る。
【０７２９】
Ｙは、容器屈曲点５６９３から離れた距離を示す。遠位面５６５７は、容器５４５０の遠位端の近くの屈曲点５６９３からの距離ｙ０に配設され得る。屈曲点５６９３は、容器５４５０の一定直径の遠位終結にあり、薬剤放出がデバイスの他の要素の運動にどの程度比例しているかを示すための容器５４５０の内側側壁に沿った任意基準点を例証する。屈曲点５６３０の遠位に、容器５４３０の側壁は、肩部５６１００を含み得る。
【０７３０】
ノブ５４０２が方向Ｂに沿って長手方向に変位してカラー５４０５内に入ると、隣接表面５５０３が位置ｘ１に動いて指標表面５５１０９に隣接し、それ故にデバイス５４００をプライミングする。
【０７３１】
図５７は、指標表面５５１０９に隣接する隣接表面５５０３を示す。デバイスは、ここで、プライミング後送達前状態にあり得る。遠位面５６５７が位置ｙ０から位置ｙ１に変位しており、薬剤５４６０をデバイス５４００の遠位端から前進させている。ノブ５４０２は、ここで、方向Ｃに回転し得る。突出部５４９１は、ロッド５４１０を回転保持し得る。突出部５４９１は、スロット５５６１への干渉によってロッド５４１０を回転保持し得る。したがって、ノブ５４０２の回転は、ノブ５４０３を指標表面５５１０９から後退させる。
【０７３２】
図５８は、隣接表面５５０３がｘ２に位置付けられるように指標表面５５１０９から後退したノブ５４０２を示す。遠位面５６５７は、位置ｙ１（隣接表面５５０３がｘ２にあるときにｙ２がデバイスの状態に対応することを示すためにｙ２とも示される）に留まる。スリーブ５５１０５は、ノブ５４０２と連動して回転し、それ故に表記５５０８を動かして、窓５５６９（図５５に示される）を通じて表記５５０８（図５５に示される）の異なる部分を示し得る。窓５５６９を通じて可視的な表記５５０８の部分は、方向Ｂへのノブ５４０２の長手方向運動によって送達される薬剤の目標量を示し得る。
【０７３３】
ノブ５４０２が方向Ｂに沿って長手方向に変位してカラー５４０５内に入ると、隣接表面５５０３が位置ｘ１に動いて指標表面５５１０９に隣接し、それ故にデバイス５４００をプライミングする。
【０７３４】
図５９は、送達後状態にあるデバイス５４００を示す。隣接表面５５０３は、位置ｘ３（プライミングの終了時の隣接表面５５０３の位置と一致する）で指標表面５５１０９に隣接し得る。遠位面５６５７が位置ｙ３に変位しており、薬剤５４６０の目標量をデバイス５４００の遠位端から前進させている。
【０７３５】
図６０は、例示的な送達デバイス６０００を示す。送達デバイス６０００は、デバイス１００（図１に示される）、デバイス１５００（図１５に示される）、デバイス２５００（図２５に示される）、デバイス２８００（図２８に示される）、及びデバイス５４００（図５４に示される）のうちの１つ以上と共通した１つ以上の特徴を有し得る。送達デバイス６０００は、ノブ６００２、カラー６００５、フィンガーフランジ６０８０、薬剤容器６０５０、薬剤６０６０、プランジャロッド６０１０、及びプランジャ６０５６を含み得る。
【０７３６】
送達デバイス６０００は、長手方向軸Ｌを画定し得る。送達デバイス６０００は、動作前状態であり得る状態で示されている。動作前状態で、送達デバイス６０００は、完全に組み立てられ得る。動作前状態で、送達デバイス６０００は、プライミングを含み得る送達前機能のために準備され得る。動作前状態で、送達デバイス６０００は、薬剤の放出のための準備のために準備され得る。動作前状態で、送達デバイス６０００は、薬剤の放出のために準備され得る。動作前状態で、送達デバイス６０００からの薬剤の放出は、始まっていなくてもよい。
【０７３７】
ノブ６００２は、軸Ｌと同軸上に配設され得る。
【０７３８】
ロッド６０１０は、軸Ｌと同軸上に配設され得る。ロッド６０１０は、混合構成（図示せず）の構成要素であり得る。ノブ６００２は、ロッド６０１０にネジ切り取り付けられ得る。
【０７３９】
容器６０５０は、混合構成（図示せず）の構成要素であり得る。容器６０５０は、軸Ｌと同軸上に配設され得る。容器６０５０は、円筒形、部分的に円筒形であり得るか、または任意の他の好適な形を有し得る。ロッド６０１０の遠位部分は、容器６０５０内に配設され得る。
【０７４０】
容器６０５０は、薬剤成分６０６０を含有し得る。容器６０５０は、プランジャ６０５６と係合され得る。ロッド６０１０の遠位端は、プランジャ６０５６の近位表面に隣接し得る。
【０７４１】
カラー６００５は、軸Ｌと同軸上に配設され得る。カラー６００５は、円筒形、部分的に円筒形であり得るか、または任意の他の好適な形を有し得る。カラー６００５は、フィンガーフランジ６０８０に取り付けられ得る。カラー６００５は、フィンガーフランジ６０８０と一体であり得る。
【０７４２】
図６０Ａは、カラー６００５の内部の一部の図を示す。カラー６００５は、回転防止突出部６０９１等の１つ以上の回転防止突出部を含み得る。カラー６００５は、軸受表面６０１０８を含み得る。ノブ６００５は、タング６０１０３等の１つ以上のタングを含み得る。
【０７４３】
図６１は、送達デバイス６０００の特徴を示す。図６１は、ノブ６００２を示す。ノブ６００２は、ノブ６００２の内部にネジ山６１９２（仮想線で示される）を含有し得る。ノブ６００２は、隣接表面６１０３を支持し得る。ノブ４５０２は、多数のキー溝のうちの１つであり得るキー溝６１１０４等のキー溝を含み得る。キー溝６１１０４は、スロットを含み得る。
【０７４４】
ノブ６００２は、旋回隆起部６１０６を含み得る。旋回隆起部６１０６は、軸Ｌを中心としたノブ６００２の回転を達成するために操作者によって利用され得る。
【０７４５】
旋回隆起部６１０６は、ノブ６００２の周囲に円周方向に離間され得る。ノブ６００２の円周の周囲に規則的に離間された旋回隆起部６１０６は、操作者に行われる回転の程度の度合いを提供し得る。
【０７４６】
ロッド遠位端６１１１は、回転防止スロット６１６１の遠位端を画定し得る。回転防止スロット６１６１は、軸Ｌに平行であり得る。遠位ロッド６１１０は、ロッド６０１０の円周の周囲に規則的または不規則的に分配された１つ以上の追加の回転防止スロットまたは特徴部（図示せず）を含み得る。回転防止スロット６１６１は、ネジ山６１６２までの行程の全てまたはいくらかにわたって近位に延在し得る。ネジ山６１６２は、ロッド近位端６１６８までの行程のいくらかまたは全てにわたって近位に延在し得る。ネジ山６１６２は、ノブ６００２のネジ山６１９２に係合し得る。
【０７４７】
容器６０５０は、フィンガーフランジ６０８０の遠位のデバイス６０００内に配設され得る。容器６０５０の近位開口部を取り囲む容器６０５０の近位周縁６１５３は、フィンガーフランジ６０８０の遠位のデバイス６０００内に凹設され得る。容器６０５０の近位周縁６１５３は、デバイス６０００内に凹設され得る。デバイス６０００は、陥凹部６１３９を含み得る。陥凹部６１３９は、周縁６１５３を受容し得る。
【０７４８】
ノブ６００２は、カラー６００５内に同軸上に配設され得る。カラー６００５は、視界窓６１６９を含み得る。
【０７４９】
デバイス６０００は、指示器スリーブ６１１０５を含み得る。スリーブ６１１０５は、カラー６００５内に同軸上に配設され得る。ノブ６００２は、スリーブ６１１０５内に同軸上に配設され得る。スリーブ６１１０５は、表記６１０８を含み得る。表記６１０８は、窓６１６９を通じて可視的であり得る。
【０７５０】
スリーブ６１１０５は、キー６１１０７（仮想線で示される）を含み得る。キー６１１０７は、レールであり得る。キー６１１０７は、キー溝６１１０４に係合し得る。キー６１１０７とキー溝６１１０４との係合は、スリーブ６１１０５をノブ６００２と回転係合させ得る。スリーブ６１１０５は、スリーブ遠位表面６１１０２を支持し得る。スリーブ遠位表面６１１０２は、軸受表面６０１０８（図６０Ａに示される）に対して位置し得る。タング６０１０３は、スリーブ６１１０５をカラー６００５内に保持し得る。タング６０１０３とスリーブ６１１０５との係合は、スリーブ遠位表面６１１０２を軸受表面６１１０８に対して保持し得る。
【０７５１】
ロッド６０１０は、遠位端６１１１がプランジャ近位面６１５１に隣接した状態で容器６０５０内に収容され得る。ロッド近位端６１６８は、カラー６００５内に近位に延在し得る。ロッド近位端６１６８は、スリーブ６１１０５内に近位に延在し得る。ノブ６００２は、スリーブ６１１０５内に遠位に延在して、ロッド６０１０にネジ切り係合し得る。ノブ６００２は、カラー６００５内に遠位に延在して、ロッド６０１０にネジ切り係合し得る。
【０７５２】
図６２は、図線６２−６２（図６０に示される）に沿った断面図を示す。図６２は、スリーブ６１１０５を示す。スリーブ６１１０５は、指標表面６２１０９を含み得る。デバイス６０００は、動作前状態にあり得る。動作前状態で、デバイス６０００は、プライミングを含み得る送達前機能に備え得る。Ｘは、指標表面６２１０９から離れた距離を示す。隣接表面６１０３は、指標表面６２１０９から位置ｘ０にあり得る。ロッド６０１０は、容器６０５０内のプランジャ６０５６に隣接し得る。遠位プランジャ面６２５７は、容器６０５０内に薬剤６０６０を密封し得る。
【０７５３】
Ｙは、容器屈曲点６２９３から離れた距離を示す。遠位面６２５７は、容器６０５０の遠位端の近くの屈曲点６２９３から距離ｙ０に配設され得る。屈曲点６２９３は、容器６０５０の一定直径の遠位終結にあり、薬剤放出がデバイス６０００の他の要素の運動にどの程度比例しているかを示すための容器６０５０の内側側壁に沿った任意基準点を例証する。屈曲点６２３０の遠位に、容器６０３０の側壁は、肩部６２１００を含み得る。
【０７５４】
ノブ６００２が方向Ｂに沿って長手方向に変位してカラー６００５内に入ると、隣接表面６１０３が位置ｘ１に動いて指標表面６２１０９に隣接し、それ故にデバイス６０００をプライミングする。
【０７５５】
図６３は、指標表面６２１０９に隣接する隣接表面６１０３を示す。デバイスは、ここで、プライミング後送達前状態にあり得る。遠位面６２５７が位置ｙ０から位置ｙ１に変位しており、薬剤６０６０をデバイス６０００の遠位端から前進させている。ノブ６００２は、ここで、方向Ｃに回転し得る。突出部６０９１は、ロッド６０１０を回転保持し得る。突出部６０９１（図６０Ａに示される）は、スロット６１６１（図６１に示される）への干渉によってロッド６０１０を回転保持し得る。したがって、ノブ６００２の回転は、ノブ６００２を指標表面６２１０９から後退させ得る。
【０７５６】
図６４は、隣接表面６１０３がｘ２に位置付けられるように指標表面６２１０９から後退したノブ６００２を示す。遠位面６２５７は、位置ｙ１（隣接表面６１０３がｘ２にあるときにｙ２がデバイスの状態に対応することを示すためにｙ２とも示される）に留まる。スリーブ６１１０５は、ノブ６００２と連動して回転し、それ故に表記６１０８を動かして、窓６１６９（図６１に示される）を通じて表記６１０８（図６１に示される）の異なる部分を示し得る。窓６１６９を通じて可視的な表記６１０８の部分は、方向Ｂへのノブ６００２の長手方向運動によって送達される薬剤の目標量を示し得る。
【０７５７】
ノブ６００２が方向Ｂに沿って長手方向に変位してカラー６００５内に入ると、隣接表面６１０３が位置ｘ１に動いて指標表面６２１０９に隣接し、それ故にデバイス６０００のプライミング等の送達前機能を完了する。
【０７５８】
図６５は、送達後状態にあるデバイス６０００を示す。隣接表面６１０３は、位置ｘ３（プライミング等の送達前機能の終了時の隣接表面６１０３の位置と一致する）で指標表面６２１０９に隣接し得る。遠位面６２５７が位置ｙ３に変位しており、薬剤６０６０の目標量をデバイス６０００の遠位端から前進させている。
【０７５９】
図６６は、例示的な薬剤送達デバイス６６００を示す。送達デバイス６６００は、デバイス１００（図１に示される）、デバイス１５００（図１５に示される）、デバイス２５００（図２５に示される）、デバイス２８００（図２８に示される）、デバイス５４００（図５４に示される）、及びデバイス６０００（図６０に示される）のうちの１つ以上と共通した１つ以上の特徴を有し得る。
【０７６０】
送達デバイス６６００は、長手方向軸Ｌを画定し得る。送達デバイス６６００は、動作前状態であり得る状態で示されている。動作前状態で、送達デバイス６６００は、完全に組み立てられ得る。動作前状態で、送達デバイス６６００は、プライミングのために準備され得る。動作前状態で、送達デバイス６６００は、薬剤の放出のための準備のために準備され得る。動作前状態で、送達デバイス６６００は、薬剤の放出のために準備され得る。動作前状態で、送達デバイス６６００からの薬剤の放出は、始まっていなくてもよい。
【０７６１】
送達デバイス６６００は、近位ノブ６６０２を含み得る。ノブ６６０２は、軸Ｌと同軸上に配設され得る。把持部６６０１は、ノブ６６０２上に提供され得る。
【０７６２】
送達デバイス６６００は、プランジャロッド６６１０を含み得る。ロッド６６１０は、混合構成（図示せず）の構成要素であり得る。ノブ６６０２は、ロッド６６１０にネジ切り取り付けられ得る。
【０７６３】
送達デバイス６６００は、薬剤容器６６５０を含み得る。容器６６５０は、混合構成（図示せず）の構成要素であり得る。容器６６５０は、軸Ｌと同軸上に配設され得る。容器６６５０は、円筒形、部分的に円筒形であり得るか、または任意の他の好適な形を有し得る。ロッド６６１０の遠位部分は、容器６６５０内に配設され得る。
【０７６４】
容器６６５０は、薬剤成分６６６０を含有し得る。容器６６５０は、プランジャ６６５６と係合され得る。ロッド６６１０の遠位端は、プランジャ６６５６の近位表面に隣接し得る。
【０７６５】
送達デバイス６６００は、フィンガーフランジ６６８０を含み得る。
【０７６６】
送達デバイス６６００は、カラー６６０５を含み得る。カラー６６０５は、軸Ｌと同軸上に配設され得る。カラー６６０５は、円筒形、部分的に円筒形であり得るか、または任意の他の好適な形を有し得る。カラー６６０５は、フィンガーフランジ６６８０に取り付けられ得る。カラー６６０５は、フィンガーフランジ６６８０と一体であり得る。カラー６６０５は、窓６６６９を含み得る。ノブ６６０２は、カラー６６０５内に同心円状に配設され得る。ノブ６６０２は、表記６６０８を含み得る。表記６６０８は、窓６６６９を通じて可視的であり得る。
【０７６７】
図６７は、送達デバイス６６００の特徴を示す。図６７は、ノブ６６０２を示す。ノブ６６０２は、ノブ６６０２の内部にネジ山６７９２（仮想線で示される）を含有し得る。
【０７６８】
把持部６６０１は、ロッド６６１０の長手方向平行移動を達成するためにノブ６６０２の牽引に寄与し得る。把持部６６０１は、ロッド６６１０の長手方向平行移動を達成するために操作者とノブ６６０２との人間工学的指接触に寄与し得る。把持部６６０１によるノブ６６０２との指接触は、操作者に軸Ｌに沿ったロッド６６１０の遠位長手方向平行移動の程度の触覚的フィードバックを伝え得る。
【０７６９】
把持部６６０１は、旋回隆起部６７０６を含み得る。旋回隆起部６７０６は、軸Ｌを中心としたノブ６６０２の回転を達成するために操作者によって利用され得る。旋回隆起部６７０６は、ロッド６６１０の平行移動を達成するためにノブ６６０２の牽引に寄与し得る。旋回隆起部６７０６は、ノブ６６０２の回転によるロッド６６１０の平行移動を達成するために操作者とノブ６６０２との人間工学的指接触に寄与し得る。旋回隆起部６７０６との指接触は、操作者に軸Ｌに沿ったロッド６６１０の平行移動の程度の触覚的フィードバックを伝え得る。
【０７７０】
旋回隆起部６７０６は、ノブ６６０２の周囲に円周方向に離間され得る。旋回隆起部６７０６は、把持部６６０１の円周の周囲に規則的に離間され得る。把持部６６０１の円周の周囲に規則的に離間された旋回隆起部６７０６は、操作者に行われる回転の程度の度合いを提供し得る。
【０７７１】
表記６６０８は、旋回方向表記を含み得る。ノブ６６０２は、旋回方向表記を含み得る。動作状態で、送達デバイス６６００は、２つの回転方向のうちの一方のみへの軸Ｌを中心としたノブ６６０２の回転に応じた容器６６５０内でのロッド６６１０の遠位変位を達成し得る。表記６７０８は、有効な回転方向に関する合図を操作者に提供し得る。合図は、動作状態前及び／または動作状態中に思い出させるものとしての役割を果たし得る。合図は、視覚的であり得る。合図は、触覚的であり得る。
【０７７２】
描写されるように、軸Ｌを中心としたノブ６６０２の回転に応じた容器６６５０内でのロッド６６１０の遠位変位に有効な回転方向は、送達デバイス６６００の時計回り方向であり得る。（いくつかの実施形態の場合、図示されていないが、反時計回り方向回転が有効な回転方向であり得る。いくつかの実施形態の場合、旋回方向表記は、反時計回り方向回転の合図を提供し得る。）
【０７７３】
ロッド遠位端６７１１は、回転防止スロット６７６１の遠位端を画定し得る。回転防止スロット６７６１は、軸Ｌに平行であり得る。ロッド遠位端６７１１は、ロッド６６１０の円周の周囲に規則的または不規則的に分配された１つ以上の追加の回転防止スロットまたは特徴部（図示せず）を含み得る。回転防止スロット６７６１は、ネジ山６７６２までの行程の全てまたはいくらかにわたって近位に延在し得る。ネジ山６７６２は、ロッド近位端６７６８までの行程のいくらかまたは全てにわたって近位に延在し得る。ネジ山６７６２は、ノブ６６０２のネジ山６７９２に係合し得る。
【０７７４】
容器６６５０は、デバイス６６００内に配設され得る。容器６６５０の近位開口部を取り囲む容器６６５０の近位周縁６７５３は、デバイス６６００内に凹設され得る。容器６６５０は、容器構成要素６６５０ａ及び容器構成要素６６５０ｂを含み得る。容器構成要素６６５０ａ及び６６５０ｂは、軸Ｌに対して横断方向に互いに向かって変位して、周縁６７５３を陥凹部６７３９ａ及び６７３９ｂ（仮想線で示される）内に封入し得る。
【０７７５】
ロッド６６１０は、遠位端６７１１がプランジャ近位面６７５１に隣接した状態で容器６６５０内に収容され得る。ロッド近位端６７６８は、カラー６６０５内に近位に延在し得る。ノブ６６０２は、カラー６６０５内に遠位に延在して、ロッド６６１０にネジ切り係合し得る。
【０７７６】
カラー６６０５は、回転防止突出部６７９１等の１つ以上の回転防止突出部を含み得る。回転防止突出部６７９１は、回転防止スロット６７６１内に延在し得る。対応する回転防止スロット及び回転防止突出部は、ロッド６６１０の反対側の側面に係合され得る。スロットのうちの１つ以上内の突出部のうちの１つ以上の係合は、ロッド６６１０の回転を動作的に防止し得る。
【０７７７】
ロッド６６１０の回転がロッド６６１０と突出部６７９１との相互作用によって防止された状態で、かつノブ６６０２がロッド６６１０とネジ切り係合された状態で、ノブ６６０２の回転は、ロッド６６１０を軸方向に変位させ得る。
【０７７８】
図６８は、カラー６６０５を示す。カラー６６０５は、ボス６８４２を含み得る。ボス６８４２は、カラー６６０５の内部部分上に配設され得る。ボス６８４２は、半径方向内方に延在するタブを含み得る。カラー６６０５は、補助タブ６８１１２等の１つ以上の補助タブを含み得る。補助タブ６８１１２は、カラー６６０５の内部に配設され得る。補助タブ６８１１２は、半径方向内方に延在し得る。ボス６８４２は、補助タブ６８１１２よりも遠くに半径方向内方に延在し得る。
【０７７９】
ノブ６６０２は、動作行路６８２０を含み得る。動作行路６８２０は、横方向表面６８２７で始まり得る。動作行路６８２０は、環状路６８０７を含み得る。ノブ６６０２は、円周方向水平部６８１１３等の１つ以上の円周方向水平部を含み得る。円周方向水平部６８１１３は、半径方向外方に延在し得る。
【０７８０】
組み立てられると、横方向表面６８２７は、（破線で示されるように）ボス６８４２と円周方向に整列し得る。ボス６８４２は、環状路６８０７と係合され得る。ボス６８４２と環状路６８０７との係合は、カラー６６０５に対するノブ６６０２の長手方向動きを動作的に防止し得る。円周方向水平部６８１１３は、ボス６８４２と係合され得る。円周方向水平部６８１１３は、補助タブ６８１１２と係合され得る。円周方向水平部６８１１３と環状路６８０７との係合は、カラー６６０５に対するノブ６６０２の長手方向動きを動作的に防止し得る。円周方向水平部６８１１３と補助タブ６８１１２との係合は、カラー６６０５に対するノブ６６０２の長手方向動きを動作的に防止し得る。
【０７８１】
図６９は、図６８に示される配向に対応する配向で、動作前状態で組み立てられたデバイス６６００を示し、横方向表面６８２７がボス６８４２と円周方向に整列している。
【０７８２】
図７０は、図線７０−７０（図６９に示される）に沿って切り取られた断面図である。図７０は、ノブ６６０２内に同軸上に配設されたロッド６６１０を示す。ノブ６６０２は、カラー６６０５と同心である。ノブ６６０２は、カラー６６０５内に延在し得る。Ｘは、ロッド近位端６７６８の内部ノブ表面７００９から離れた距離を示す。ロッド近位端６７６８は、内部表面９００９から位置ｘ０にあり得る。ロッド６６１０は、容器６６５０内のプランジャ６６５６に隣接し得る。遠位プランジャ面７０５７は、容器６６５０内に薬剤８３６０を密封し得る。
【０７８３】
Ｙは、遠位プランジャ面７０５７の容器屈曲点７０９３から離れた距離を示す。遠位面７０５７は、容器６６５０の遠位端の近くの屈曲点７０９３から距離ｙ０に配設され得る。屈曲点７０９３は、容器６６５０の一定直径の遠位終結にあり、薬剤放出がデバイスの他の要素の運動にどの程度比例しているかを示すための容器６６０５の内側側壁に沿った任意基準点を例証する。屈曲点７０９３の遠位に、容器６６５０の側壁は、肩部７０１００を含み得る。窓６６６９は、表記６６０８の一部分を見せ得る。一部分は、プライミング等の薬剤準備機能がまだ始まっていないことを示し得る。
【０７８４】
カラー６６０５は、保持クリップ７０１１５を含み得る。ノブ６６０２は、クリップドック７０１１６を含み得る。動作前状態で、保持クリップ７０１１５は、クリップドック７０１１６と円周方向に整列し得る。保持クリップ７０１１５は、クリップドック７０１１６と係合され得る。保持クリップ７０１１５とクリップドック７０１１６との係合は、動作前にノブ６６０２をカラー６６０５に対する不慮の回転から阻止し得る。
【０７８５】
図７０Ａは、図７０に示されるデバイス６６００の図の詳細を示す。図７０Ａは、カラー６６０５内にあるノブ６６０２内のロッド６６１０を示す。ロッドネジ山６７６２は、ノブネジ山６７９２と係合され得る。環状路６８０７は、カラー６６０５から半径方向内方に配設され得る。円周方向水平部６８１１３は、図７０によって提供される図では環状路６８０７の近位に配設され得る。補助タブ６８１１２は、描写される動作前状態で水平部６８１１３から離れて円周方向に配設され得る。保持クリップ７０１１５は、クリップドック７０１１６と係合された状態で示されている。
【０７８６】
図７１は、図線７１−７１（図７０に示される）に沿って切り取られた断面図である。図７１は、ノブ６６０２と同心に、かつその内部に配設されたロッド６６１０を示す。ノブ６６０２は、カラー６６０５と同心であり、かつその内部にあり得る。ボス６８４２は、行路６８２０の横方向表面６８２７と並んで配設された状態で示されている。行路６８２０は、長手方向路７１２４を含み得る。矢印Ａは、補助タブ６８１１２に向かって長手方向路７１２４をシフトし得るノブ６６０２の回転を示す。
【０７８７】
角度Φは、ノブ６６０２とカラー６６０５との間の回転変位をもたらす。回転の動作前状態で、Φは、φ０である。補助タブ６８１１２を越えた矢印Ａの方向へのノブ６６０２の回転は、長手方向路７１２４をボス６８４２と整列させ得る。
【０７８８】
図７２は、カラー６６０５の近位の図線７２−７２（図７０に示される）に沿って切り取られた部分断面図である。ロッド６６１０及びノブ６６０２を通るこの図では、断面の平面の下方に位置するカラー６６０５の近位表面は、図７１に示される配向と同じ配向で見られ得る。この配向で、円周方向水平部６８１１３は、ボス６８４２を部分的に近位に被覆していてもよい。長手方向路７１２４は、横方向表面７２９７で円周方向に終結し得る。
【０７８９】
図７３は、図７０に示される状態とは異なる状態にあるデバイス６６００を示す。ノブ６６０２は、図７０に示されるようにカラー６６０５と向かい合ってその位置に対して回転した状態で示されている。ノブ６６０２の回転がロッド６６１０の長手方向平行移動を引き起こしたように例証されている。ロッド近位端６７６８が位置ｘ０から位置ｘ１に長手方向にシフトされている。遠位面７０５７が位置ｙ１に配設され、それ故に薬剤６６６０をデバイスの遠位端から出すように、容器６６５０内でのロッド６６１０の遠位シフトがプランジャ６６５６を遠位に変位させている。薬剤は、カラー６６０５内でのノブ６６０２の回転に比例して出され得る。窓６６６９を通じて見られる表記６６０８は、回転が起こり始めたことを示し得る。
【０７９０】
図７４は、図線７４−７４（図７３に示される）に沿って切り取られた断面図である。図７４は、カラー６６０５に対して角度φ１回転したノブ６６０２を示す。Φへのさらなる回転は、横方向表面７２９７を横方向表面７２９７に円周方向に向くボス６８４２の横方向表面に対して隣接させ得る。Φへのさらなる回転は、長手方向路７１２４をボス６８４２と整列させ得る。
【０７９１】
図７５は、カラー６６０５の近位の図線７５−７５（図７３に示される）に沿って切り取られた部分断面図である。ロッド６６１０及びノブ６６０２を通るこの図では、断面の平面の下方に位置するカラー６６０５の近位表面は、図７４に示される配向と同じ配向で見られ得る。
【０７９２】
図７６は、図７３に示されるとは異なる状態にある送達デバイス６６００を示す。図７６に示される状態は、カラー６６０５内でのノブ６６０２の回転の終了に対応し得る。ノブ６６０２の回転がロッド６６１０の長手方向平行移動を引き起こしたように例証されている。ロッド近位端６７６８は、位置ｘ２に長手方向にシフトされている。遠位面７０５７が屈曲点７０９３に対して位置ｙ２に配設され、それ故に薬剤６６６０をデバイスの遠位端から出すように、容器６６５０内でのロッド６６１０の遠位シフトがプランジャ６６５６を遠位に変位させている。薬剤は、カラー６６０５内でのノブ６６０２の回転に比例して出され得る。表記６６０８は、回転が終了しており、かつデバイスがカラー６６０５に対するノブ６６０２の長手方向遠位変位によって薬剤送達に備えていることを、窓６７６９を通じて示し得る。
【０７９３】
図７７は、図線７７−７７（図７６に示される）に沿って切り取られた断面図である。図７７は、カラー６６０５に対して角度φ２回転したノブ６６０２を示す。横方向表面７２９７は、横方向表面７２９７に円周方向に向くボス６８４２の横方向表面に対して隣接し得る。ボス６８４２は、長手方向路７１２４（ボス６８４２に隠れて見えない）と整列し得る。
【０７９４】
図７８は、カラー６６０５の近位の図線７８−７８（図７６に示される）に沿って切り取られた部分断面図である。ロッド６６１０及びノブ６６０２を通るこの図では、断面の平面の下方に位置するカラー６６０５の近位表面は、図７７に示される配向と同じ配向で見られ得る。
【０７９５】
図７９は、回転の終了時の図７６に示される状態と同じ状態にあるデバイス６６００を示す。横方向表面７２９７は、ボス６８４２に円周方向に隣接し得る。長手方向路７１２４は、ボス６８４２と整列し得る。ボス６８４２は、完全に長手方向路７１２４内に円周方向に位置し得る。長手方向路７１２４は、末端表面７９１２を含み得る。Ｚは、末端表面７９１２からのボス６８４２の距離を示す。示される図では、Ｚは、ｚ０である。Ｚがｚ０である場合、デバイス６６００は、薬剤６６６０の送達に備えているが、まだ薬剤６６６０の送達を始めていない。ノブ６６０２がカラー６６０５内に沿って長手方向に変位すると、薬剤６６６０が放出される。薬剤放出は、末端表面７９１２に対するボス６４８２の隣接によって終了し得る。
【０７９６】
図８０は、末端表面７９１２を示すノブ６６０２の図である。図８０は、長手方向路７１２４及び横方向表面７２９７との関連での末端表面７９１２の図を提供する。この図は、環状路６８０７と横方向表面７２９７に隣接した長手方向路７１２４の交差を示す。横方向表面７２９７は、回転の方向に行路６８２０を円周方向に終結させ得る。末端表面７９１２は、長手方向路７１２４の近位末端に位置し得る。
【０７９７】
図８１は、線８１−８１（図８０に示される）に沿って切り取られた部分断面図である。図８１は、長手方向路７１２４及び横方向表面７２９７との関連での末端表面７９１２の別の図を提供する。
【０７９８】
図８２は、薬剤送達の完了時の薬剤送達配向を例証するために逆さにされたデバイス６６００を示す。カラー６６０５に対するノブ６６０２の長手方向変位は、ボス６８４２を末端表面７９１２に隣接させ、それ故にロッド６６１０及びプランジャ６６５６の長手方向変位を終了させる。Ｚは、ここで、ｚ１であり、約ゼロである。差ｚ０−ｚ１は、送達される薬剤の目標量に対応し得る。遠位面７０５７は、ｙ３に変位し得る。ｙ２とｙ３との間の距離は、容器の直径を通じて目標量に比例する。位置ｙ３は、屈曲点７０９３の近位にあり得る。位置ｙ３は、屈曲点７０９３と長手方向に同等であり得る。遠位面７０５７がｙ３にある場合、薬剤６６６０の残余は、遠位面７０５７と容器６６５０の遠位端との間に残存し得る。遠位面７０５７がｙ３にある場合、薬剤６６６０の残余は、遠位面７０５７と肩部７０１００との間に残存し得る。残余は、バルク液体であり得る。バルク液体は、容器６６５０に付着すると予想される膜または液滴の体積を超える体積を有し得る。
【０７９９】
したがって、遠位面７０５７は、屈曲点７０９３を横断する前に拘束される。これにより、肩部７０１００に対する遠位面７０５７の変形が回避され得る。変形は、目標量とデバイス６６００の遠位端を通じて放出される実際の量との間の相違を引き起こし得る。
【０８００】
図８３は、例示的な薬剤送達デバイス８３００を示す。送達デバイス８３００は、デバイス１００（図１に示される）、デバイス１５００（図１５に示される）、デバイス２５００（図２５に示される）、デバイス２８００（図２８に示される）、デバイス５４００（図５４に示される）、デバイス６０００（図６０に示される）、及びデバイス６６００（図６６に示される）のうちの１つ以上と共通した１つ以上の特徴を有し得る。
【０８０１】
送達デバイス８３００は、長手方向軸Ｌを画定し得る。送達デバイス８３００は、動作前状態であり得る状態で示されている。動作前状態で、送達デバイス８３００は、完全に組み立てられ得る。動作前状態で、送達デバイス８３００は、プライミングのために準備され得る。動作前状態で、送達デバイス８３００は、薬剤の放出のための準備のために準備され得る。動作前状態で、送達デバイス８３００は、薬剤の放出のために準備され得る。動作前状態で、送達デバイス８３００からの薬剤の放出は、始まっていなくてもよい。
【０８０２】
送達デバイス８３００は、近位ノブ８３０２を含み得る。ノブ８３０２は、軸Ｌと同軸上に配設され得る。把持部８３０１は、ノブ８３０２上に提供され得る。
【０８０３】
送達デバイス８３００は、プランジャロッド８３１０を含み得る。ロッド８３１０は、混合構成（図示せず）の構成要素であり得る。ノブ８３０２は、ロッド８３１０にネジ切り取り付けられ得る。
【０８０４】
送達デバイス８３００は、薬剤容器８３５０を含み得る。容器８３５０は、混合構成（図示せず）の構成要素であり得る。容器８３５０は、軸Ｌと同軸上に配設され得る。容器８３５０は、円筒形、部分的に円筒形であり得るか、または任意の他の好適な形を有し得る。ロッド８３１０の遠位部分は、容器８３５０内に配設され得る。
【０８０５】
容器８３５０は、薬剤成分８３６０を含有し得る。容器８３５０は、プランジャ８３５６と係合され得る。ロッド８３１０の遠位端は、プランジャ８３５６の近位表面に隣接し得る。
【０８０６】
送達デバイス８３００は、デバイス筐体８３７０を含み得る。筐体８３７０は、軸Ｌと同軸上に配設され得る。筐体８３７０は、円筒形、部分的に円筒形であり得るか、または任意の他の好適な形を有し得る。
【０８０７】
送達デバイス８３００は、フィンガーフランジ８３８０を含み得る。フィンガーフランジ８３８０は、筐体８３７０とは別個であり得る。フィンガーフランジ８３８０は、筐体８３７０に取り付けられ得る。フィンガーフランジ８３８０は、筐体８３７０と一体であり得る。
【０８０８】
送達デバイス８３００は、カラー８３０５を含み得る。カラー８３０５は、軸Ｌと同軸上に配設され得る。カラー８３０５は、円筒形、部分的に円筒形であり得るか、または任意の他の好適な形を有し得る。カラー８３０５は、フィンガーフランジ８３８０に取り付けられ得る。カラー８３０５は、フィンガーフランジ８３８０と一体であり得る。カラー８３０５は、筐体８３７０に取り付けられ得る。カラー８３０５は、筐体８３７０と一体であり得る。
【０８０９】
図８４は、送達デバイス８３００の特徴を示す。図８４は、ノブ８３０２を示す。ノブ８３０２は、ノブ８３０２の内部にネジ山８４９２（仮想線で示される）を含有し得る。
【０８１０】
把持部８３０１は、ロッド８３１０の長手方向平行移動を達成するためにノブ８３０２の牽引に寄与し得る。把持部８３０１は、ロッド８３１０の長手方向平行移動を達成するために操作者とノブ８３０２との人間工学的指接触に寄与し得る。把持部８３０１によるノブ８３０２との指接触は、操作者に軸Ｌに沿ったロッド８３１０の遠位長手方向平行移動の程度の触覚的フィードバックを伝え得る。
【０８１１】
ノブ８３０２は、旋回隆起部８４０６を含み得る。旋回隆起部８４０６は、軸Ｌを中心としたノブ８３０２の回転を達成するために操作者によって利用され得る。旋回隆起部８４０６は、ロッド８３１０の平行移動を達成するためにノブ８３０２の牽引に寄与し得る。旋回隆起部８４０６は、ノブ８３０２の回転によるロッド８３１０の平行移動を達成するために操作者とノブ８３０２との人間工学的指接触に寄与し得る。旋回隆起部８４０６との指接触は、操作者に軸Ｌに沿ったロッド８３１０の平行移動の程度の触覚的フィードバックを伝え得る。
【０８１２】
旋回隆起部８４０６は、ノブ８３０２の周囲に円周方向に離間され得る。旋回隆起部８４０６は、把持部８３０１の円周の周囲に規則的に離間され得る。把持部８３０１の円周の周囲に規則的に離間された旋回隆起部８４０６は、操作者に行われる回転の程度の度合いを提供し得る。
【０８１３】
ノブ８３０２は、旋回方向表記８４０８を含み得る。動作状態で、送達デバイス８３００は、２つの回転方向のうちの一方のみへの軸Ｌを中心としたノブ８３０２の回転に応じた容器８３５０内でのロッド８３１０の遠位変位を達成し得る。旋回方向表記８４０８は、有効な回転方向に関する合図を操作者に提供し得る。合図は、動作状態前及び／または動作状態中に思い出させるものとしての役割を果たし得る。合図は、視覚的であり得る。合図は、触覚的であり得る。
【０８１４】
描写されるように、軸Ｌを中心としたノブ８３０２の回転に応じた容器８３５０内でのロッド８３１０の遠位変位に有効な回転方向は、送達デバイス８３００の時計回り方向であり得る。（いくつかの実施形態の場合、図示されていないが、反時計回り方向回転が有効な回転方向であり得る。いくつかの実施形態の場合、旋回方向表記は、反時計回り方向回転の合図を提供し得る。）
【０８１５】
ロッド遠位端８４１１は、回転防止スロット８４６１の遠位端を画定し得る。回転防止スロット８４６１は、軸Ｌに平行であり得る。ロッド遠位端８４１１は、ロッド８３１０の円周の周囲に規則的または不規則的に分配された１つ以上の追加の回転防止スロットまたは特徴部（図示せず）を含み得る。回転防止スロット８４６１は、ネジ山８４６２までの行程の全てまたはいくらかにわたって近位に延在し得る。ネジ山８４６２は、ロッド近位端８４６８までの行程のいくらかまたは全てにわたって近位に延在し得る。ネジ山８４６２は、ノブ８３０２のネジ山８４９２に係合し得る。
【０８１６】
ロッド８３１０は、平らな面８４６４を含み得る。平らな面８４６４は、軸Ｌに平行であり得る。ロッド８３１０は、ロッド８３１０の円周の周囲に規則的または不規則的に分配された１つ以上の追加の平らな面（図示せず）を含み得る。平らな面８４６４は、回転防止スロット８４６１の近くから近位端８４６８までの行程の全てまたはいくらかにわたって延在し得る。平らな面８４６４は、ネジ山８４６２と長手方向に同一の広がりを持ち得る。平らな面８４６４は、スロット８４６１から円周方向に変位し得る。円周方向変位は、スロット８４６１から９０度の円弧であり得る。
【０８１７】
容器８３５０は、フィンガーフランジ８３８０の遠位のデバイス８３００内に配設され得る。容器８３５０は、フィンガーフランジ８３８０の遠位の筐体８３７０内に配設され得る。容器８３５０を取り囲む近位開口部の容器８３５０の近位周縁８４５３は、フィンガーフランジ８３８０の遠位のデバイス８３００内に凹設され得る。容器８３５０の近位周縁８４５３は、筐体８３７０内に凹設され得る。
【０８１８】
ノブ８３０２は、カラー８３０５内に同軸上に配設され得る。カラー８３０５は、視界窓８４６９を含み得る。表記８４０８の一部分は、窓８４６９を通じて可視的であり得る。
【０８１９】
ロッド８３１０は、遠位端８４１１がプランジャ近位面８４５１に隣接した状態で容器８３５０内に収容され得る。ロッド近位端８４６８は、カラー８３０５内に近位に延在し得る。ノブ８３０２は、カラー８３０５内に遠位に延在して、ロッド８３１０をネジ切り係合し得る。
【０８２０】
図８５は、カラー８３０５を示す。カラー８３０５は、ボス８５４２を含み得る。カラー８３０５は、可撓性パネル８５６６を含み得る。可撓性パネル８５６６は、ボス８５４２内に含まれ得る。ボス８５４２は、カラー８３０５の内部部分上に配設され得る。可撓性パネル８５６６は、カラー８３０５の内部部分上に配設され得る。
【０８２１】
ノブ８３０２は、動作行路８５２０を含み得る。動作行路８５２０は、横方向表面８５２７で始まり得る。横方向面８５２７に隣接して、行路８５２０は、突起部８５１４を含み得る。ボス８５４２は、行路８５２０に摺動係合し得る。可撓性パネル８５６６は、突起部８５１４と相互作用し得る。
【０８２２】
図８６は、図線８６−８６（図８５に示される）に沿って切り取られた断面図である。図８６は、ノブ８３０２の外周上に配設された行路８５２０及び横方向表面８５２７を示す。行路８５２０は、環状路８６０７を含み得る。環状行路８６０７は、突起部８４１４を支持し得る。環状路８６０７は、突起部８６１８を支持し得る。行路８５２０は、長手方向路８６２４を含み得る。行路８５２０は、走行表面８６２８を含み得る。
【０８２３】
図８７は、カラー８３０５の可撓性パネル８５６６がノブ８３０２の突起部８５１４に隣接するようにカラー８３０５内に延在するノブ８３０２を示す。
【０８２４】
図８８は、図線８８−８８（図８５に示される）に沿って切り取られた断面図である。図８８は、カラー８３０５、ボス８５４２、及び可撓性パネル８５６６を示す。
【０８２５】
図８９は、図８８に示される図とは異なるカラー８３０５の図を示す。図８９は、ボス８５４２及び可撓性パネル８５６６を示す。可撓性パネル８５６６は、自由端８９９５を含み得る。カラー８３０５内の開口部Ｏは、可撓性パネル８５６６に隣接し得る。
【０８２６】
図９０は、動作前状態に組み立てられた送達デバイス８３００を示す。ノブ８３０２は、カラー８３０５内に延在し得る。可撓性パネル８５６６は、突起部８５１４に隣接し得る。Ｘは、ロッド近位端８４６８の内部ノブ表面９００９から離れた距離を示す。ロッド近位端８４６８は、内部表面９００９から位置ｘ０にあり得る。ロッド８３１０は、容器８３５０内のプランジャ８３５６に隣接し得る。遠位プランジャ面９０５７は、容器８３５０内に薬剤１８６０を密封し得る。Ｙは、遠位プランジャ面９０５７の容器屈曲点９０９３から離れた距離を示す。遠位面９０５７は、容器８３５０の遠位端の近くの屈曲点９０９３からの距離ｙ０に配設され得る。屈曲点９０９３は、容器８３５０の一定直径の遠位終結にあり、薬剤放出がデバイスの他の要素の運動にどの程度比例しているかを示すための容器８３５０の内側側壁に沿った任意基準点を例証する。屈曲点９０３０の遠位に、容器８５３０の側壁は、肩部９０１００を含み得る。挿入図に詳細に示されるフィンガーフランジ８３８０の遠位の窓８５６９は、表記８５０８を見せる。
【０８２７】
図９１は、図線９１−９１（図９０に示される）に沿って切り取られ、図９０に示される図から約１８０度回転した断面図である。図９１は、窓８５６９を通じた表記２５０８を示す。フィンガーフランジ８３８０を通る断面は、ロッド８３１０及びスロット８４６１を示す。回転防止突出部９１９１は、回転防止スロット８４６１内に延在し得る。対応する回転防止スロット及び回転防止突出部（図示されているが、番号付けされていない）は、ロッド８３１０の反対側の側面に存在し得る。スロットのうちの１つ以上内の突出部のうちの１つ以上の係合は、ロッド８３１０の回転を動作的に防止し得る。
【０８２８】
図９２は、図線９２−９２（図９０に示される）に沿って切り取られた断面図である。図９２は、ノブ８３０２内の同心のロッド８３１０を示す。ノブ８３０２は、カラー８３０５内にあり、かつそれと同心である。ボス８５４２は、内側半径方向表面が環状路８６０７と並んで配設された状態で示されている。突起部８５１４は、可撓性パネル８５６６の自由端８９９５とボス８５４２の残りの部分との間に位置する。矢印Ａは、長手方向路８６２４をボス８５４２と一緒にシフトし得るノブ８３０２の回転を示す。
【０８２９】
角度φは、ノブ８３０２とカラー８３０５との間の回転変位をもたらす。回転の動作前状態で、Φは、φ０である。矢印Ａの方向へのノブ８３０２の回転は、パネル８５６６の自由端８９９５を突起部８５１４と相互作用させ得る。相互作用は、自由端８９９５の偏向を引き起こし得る。相互作用は、パネル８５６６の偏向を引き起こし得る。相互作用は、感覚的指示を生成し得る。指示は、触覚的、聴覚的、またはそれらの両方であり得る。開口部Ｏ（図８９に示される）は、聴覚的指示の感覚に寄与し得る。
【０８３０】
ロッド８３１０の回転がロッド８３１０と突出部９１９１（図９１に示される）との相互作用によって防止された状態で、かつノブ８３０２がロッド８３１０とネジ切り係合された状態で、ノブ８３０２の回転は、ロッド８３１０を軸方向に変位させ得る。
【０８３１】
自由端８９９５が方向Ａに突起部８５１４を通り越した後に、突起部８５１４が自由端８９９５に干渉し、それ故にノブ８３０２の逆回転を防止する。
【０８３２】
図９３は、図９０に示される図とは異なる状態にあるデバイス８３００を示す。ノブ８３０２は、図９０に示されるようにカラー８３０５と向かい合ってその位置に対して回転した状態で示されている。（図８５のノブ８３０２の回転位置は、図９０のノブ８３０２の回転位置に対応する。図９３Ａのノブ８３０２回転位置は、図９３のノブ８３０２の回転位置に対応する。）
【０８３３】
図９３Ａは、図９３に示される配向と同じ配向でのノブ８３０２を単独で示す。図９３Ａは、行路８５２０の環状路８６０７及び長手方向路８６２４を示す。走行表面８６２８は、可視的である。行路８６２０の長手方向路８６２４は、可視的である。環状路８６０７は、可視的である。
【０８３４】
図９３は、走行表面８６２８と並んだボス８５６６の自由端８９９５を示す。ノブ８３０２の回転がロッド８３１０の長手方向平行移動を引き起こしたように例証されている。ロッド近位端８４６８は、位置ｘ０（図９０に示される）から位置ｘ１に長手方向にシフトされている。遠位面９０５７が位置ｙ１に配設され、それ故に薬剤８３６０をデバイスの遠位端から出すように、容器８３５０内でのロッド８３１０の遠位シフトがプランジャ８３５６を遠位に変位させている。薬剤は、カラー８３０５内でのノブ８３０２の回転に比例して出され得る。表記８４０８は、回転が起こり始めたことを、窓８４６９を通じて示し得る。
【０８３５】
図９４は、図線９４−９４（図９３に示される）に沿って切り取られた断面図である。図９４は、カラー８３０５に対して角度φ１回転したノブ８３０２を示す。Φへのさらなる回転は、ボス８５４２を長手方向路８６２４内に入らせ得る。
【０８３６】
図９５は、図９３に示される図とは異なる状態にある送達デバイス８３００を示す。図９５に示される状態は、カラー８３０５内でのノブ８３０２の回転の終了に対応し得る。
【０８３７】
図９５Ａは、図９５に示される配向と同じ配向でのノブ８３０２を単独で示す。図９５Ａは、長手方向路８６２４と交差する環状路８６０７を示す。突出部８６１８は、環状路８６０７と長手方向路８６２４との交差と隣接し得るか、またはそれとほぼ隣接し得る。
【０８３８】
図９５は、突起部８６１８と並んだボス８５６６の自由端８９９５を示す。ノブ８３０２の回転がロッド８３１０の長手方向平行移動を引き起こしたように例証されている。ロッド近位端８４６８は、位置ｘ２に長手方向にシフトされている。遠位面９０５７が屈曲点９０９３に対して位置ｙ２に配設され、それ故に薬剤８３６０をデバイスの遠位端から出すように、容器８３５０内でのロッド８３１０の遠位シフトがプランジャ８３５６を遠位に変位させている。薬剤は、カラー８３０５内でのノブ８３０２の回転に比例して出され得る。表記８４０８は、回転が終了しており、かつデバイスがカラー８３０５に対するノブ８３０２の長手方向遠位変位によって薬剤送達に備えていることを、窓８４６９を通じて示し得る。
【０８３９】
図９６は、図線９６−９６（図９５に示される）に沿って切り取られた断面図である。図９６は、カラー８３０５に対して角度φ２回転したノブ８３０２を示す。回転は、ここで、ボス８５４２を長手方向路８６２４内に入らせている。パネル８６５５が突起部８６１８を通り越した時点で、回転が自由端８９９５を突起部８６１８と相互作用させている。相互作用は、自由端８９９５の偏向を引き起こし得る。相互作用は、パネル８５６６の偏向を引き起こし得る。相互作用は、感覚的指示を生成し得る。指示は、触覚的、聴覚的、またはそれらの両方であり得る。自由端８９９５が突起部８６１８を通り越して長手方向路８６２４に入った後、突起部８６１８が自由端８９９５に干渉し、それ故にノブ８３０２の逆回転を防止する。横方向表面９６９７がボス８５４２に干渉し、それ故にノブ８３０２のさらなる回転を防止する。カラー８３０５に対するノブ８３０２の遠位長手方向変位の結果として、ボス８５４２は、ここで、長手方向路８６２４に限定され、デバイスは、薬剤の送達のために準備される。
【０８４０】
図９７は、薬剤送達配向を例証するために逆さにされたデバイス８３００を示す。長手方向路８６２４は、末端表面９７１２（破断図で示される）を含む。Ｚは、末端表面９７１２からのボス８５４２の距離を示す。示される図では、Ｚは、ｚ０である。Ｚがｚ０である場合、デバイス８３００は、薬剤８３６０の送達に備えているが、まだ薬剤６６６０の送達を始めていない。ノブ８３０２が方向Ｂに沿って長手方向に変位してカラー８３０５内に入ると、薬剤８３６０が放出される。
【０８４１】
図９８は、薬剤送達の完了時のデバイス８３００を示す。カラー８３０５に対するノブ８３０２の長手方向変位は、ボス８５４２を末端表面９７１２に隣接させ、それ故にロッド８３１０及びプランジャ８３５６の長手方向変位を終了させる。Ｚは、ここで、ｚ１であり、約ゼロである。遠位面９０５７は、ｙ３に変位する。ｙ２とｙ３との間の距離は、容器の直径を通じて目標量に比例する。位置ｙ３は、屈曲点９０９３の近位にあり得る。位置ｙ３は、屈曲点９０９３と長手方向に同等であり得る。遠位面９０５７がｙ３にある場合、薬剤８３６０の残余は、遠位面９０５７と容器８３５０の遠位端との間に残存し得る。遠位面９０５７がｙ３にある場合、薬剤８３６０の残余は、遠位面９０５７と肩部９０１００との間に残存し得る。残余は、バルク液体であり得る。バルク液体は、容器８３５０に付着すると予想される膜または液滴の体積を超える体積を有し得る。
【０８４２】
したがって、遠位面９０５７は、屈曲点９０９３を横断する前に拘束される。これにより、肩部９０１００に対する遠位面９０５７の変形が回避され得る。変形は、目標量とデバイス８３００の遠位端を通じて放出される実際の量との間の相違を引き起こし得る。
【０８４３】
図９９は、例示的な送達デバイス９９００を示す。デバイス９９００は、デバイス１００（図１に示される）、デバイス１５００（図１５に示される）、デバイス２５００（図２５に示される）、デバイス２８００（図２８に示される）、デバイス５４００（図５４に示される）、デバイス６０００（図６０に示される）、デバイス６６００（図６６に示される）、及びデバイス８３００（図９９に示される）のうちの１つ以上と共通した１つ以上の特徴を有し得る。
【０８４４】
送達デバイス９９００は、長手方向軸Ｌを画定し得る。デバイス９９００は、ノブ９９０２、カラー９９０５、フィンガーフランジ９９８０、筐体９９７０、薬剤容器９９５０、薬剤９９６０、プランジャロッド９９１０、及びプランジャ９９５６を含み得る。ノブ９９０２は、ボス９９４２を含み得る。カラー９９０５は、表記９９０８を含み得る。表記９９０８は、筐体９９７０を通じて可視的であり得る。ボス９９４２は、筐体９９７０を通じて可視的であり得る。
【０８４５】
ボス９９４２は、軸Ｌから半径方向外方に突出し得る。ノブ９９０２は、カラー９５内に同心円状に配設され得る。ボス９９４２は、半径方向内方に突出し得る。カラー９９０５は、ノブ９９０２内に同心円状に配設され得る。
【０８４６】
図１００は、ノブ９９０２を示す。ノブ９９０２は、可撓性パネル１００６６を含み得る。可撓性パネル１００６６は、ボス９９４２を支持し得る。ノブ９９０２は、ロッド９９１０に添着され得る。ロッド９９１０は、ロッド９９１０を有する一体型製造物であり得る。
【０８４７】
図１０１は、図線１０１−１０１（図１００に示される）に沿って切り取られた断面図である。図１０１は、ノブ９９０２を示す。ノブ９９０２は、近位内部表面１０１０９を含み得る。近位内部表面１０１０９は、ロッド９９１０を支持し得る。近位内部表面１０１０９及びロッド９９１０は、ネジ切り係合され得る。ロッド９９１０及びノブ９９０２は、一緒に回転し得る。ノブ９９０２の回転は、ロッド９９１０の回転を引き起こし得る。
【０８４８】
図１０２は、カラー９９０５を示す。カラー９９０５は、行路１０２２０を含み得る。行路１０２２０は、螺旋形路１０２２２を含み得る。行路１０２２０は、長手方向路１０２２４を含み得る。螺旋形路１０２２２は、長手方向路１０２２４と交差し得る。行路１０２２０は、カラー９９０５の壁の厚さを軸Ｌに対して半径方向に横断し得る。長手方向路１０２２４は、遠位末端表面１０２１２で終結し得る。行路１０２２０は、動作前トリガ１０２１４を支持し得る。動作前トリガ１０２１４は、ボス９９４２（図９９に示される）を解放可能に保持し得る。行路１０２２２は、長手方向路１０２２４に隣接して最終段階送達トリガ１０２１８を支持し得る。カラー９９０５内でのノブ９９０２の回転は、ロッド９９１０（図９９に示される）を軸方向に変位させ得る。カラー９９０５内でのノブ９９０２の回転は、ボス９９４２を行路１０２２０及び表記９９０８に沿って動かし得る。
【０８４９】
ボス９９４２は、動作前トリガ１０２１４に干渉し得る。ボス９９４２は、送達前トリガ１０２１８に干渉し得る。ボス９９４２と動作前トリガ１０２１４との間の干渉は、可撓性パネル１００６６（図９９に示される）を偏向させ得る。ボス９９４２と送達前トリガ１０２１４との間の干渉は、可撓性パネル１００６６を偏向させ得る。可撓性パネル１００６６の偏向は、薬剤放出の進展の指示を提供し得る。回転中の表記９９０８に対するボス９９４２の位置は、デバイス９９００から放出された薬剤９９６０（図９９に示される）の相対量の指示を提供し得る。
【０８５０】
回転中にボス９９４２が最終段階送達トリガ１０２１８を通過した後、ボス９９４２は、長手方向路１０２２４の横方向表面１０２９７に隣接して、回転を終了させ得る。ノブ９９０２の遠位長手方向動きは、末端表面１０２１２に対するボス９９４２の隣接を引き起こし得る。末端表面１０２１２に対するボス９９４２の隣接は、デバイス９９００からの薬剤送達を終了させ得る。長手方向路１０２２４の全長に沿った遠位のボス９９４２の移動により、目標量の送達が達成され得る。
【０８５１】
ノブ９９０２の回転により、デバイス９９００のプライミング等の動作前機能が達成され得る。回転後のノブ９９０２の長手方向遠位動きにより、デバイス９９００からの薬剤９９６０の送達が達成され得る。
【０８５２】
このようにして、薬剤送達装置及び方法が提供された。当業者であれば、本発明が、制限目的ではなく例証目的のために提示される記載された実施形態以外の実施形態によって実践され得ることを理解するであろう。本発明は、以下の特許請求の範囲によってのみ制限される。
【図１】
2018501852.tif 000003
【図２】
2018501852.tif 000004
【図２Ａ】
2018501852.tif 000005
【図２Ｂ】
2018501852.tif 000006
【図２Ｃ】
2018501852.tif 000007
【図３】
2018501852.tif 000008
【図４Ａ】
2018501852.tif 000009
【図４Ｂ】
2018501852.tif 000010
【図５】
2018501852.tif 000011
【図６】
2018501852.tif 000012
【図７】
2018501852.tif 000013
【図８】
2018501852.tif 000014
【図９】
2018501852.tif 000015
【図１０】
2018501852.tif 000016
【図１１】
2018501852.tif 000017
【図１２】
2018501852.tif 000018
【図１３】
2018501852.tif 000019
【図１４】
2018501852.tif 000020
【図１５】
2018501852.tif 000021
【図１６】
2018501852.tif 000022
【図１７】
2018501852.tif 000023
【図１８】
2018501852.tif 000024
【図１９】
2018501852.tif 000025
【図２０】
2018501852.tif 000026
【図２１】
2018501852.tif 000027
【図２２】
2018501852.tif 000028
【図２３】
2018501852.tif 000029
【図２４】
2018501852.tif 000030
【図２５】
2018501852.tif 000031
【図２６】
2018501852.tif 000032
【図２７】
2018501852.tif 000033
【図２８】
2018501852.tif 000034
【図２９】
2018501852.tif 000035
【図２９Ａ】
2018501852.tif 000036
【図３０】
2018501852.tif 000037
【図３１Ａ】
2018501852.tif 000038
【図３１Ｂ】
2018501852.tif 000039
【図３２】
2018501852.tif 000040
【図３３】
2018501852.tif 000041
【図３３Ａ】
2018501852.tif 000042
【図３４】
2018501852.tif 000043
【図３５】
2018501852.tif 000044
【図３６】
2018501852.tif 000045
【図３７Ａ】
2018501852.tif 000046
【図３７Ｂ】
2018501852.tif 000047
【図３８Ａ】
2018501852.tif 000048
【図３８Ｂ】
2018501852.tif 000049
【図３８Ｃ】
2018501852.tif 000050
【図３９】
2018501852.tif 000051
【図４０】
2018501852.tif 000052
【図４１】
2018501852.tif 000053
【図４２】
2018501852.tif 000054
【図４３】
2018501852.tif 000055
【図４３Ａ】
2018501852.tif 000056
【図４４】
2018501852.tif 000057
【図４５】
2018501852.tif 000058
【図４６】
2018501852.tif 000059
【図４７】
2018501852.tif 000060
【図４８】
2018501852.tif 000061
【図４９】
2018501852.tif 000062
【図５０】
2018501852.tif 000063
【図５１】
2018501852.tif 000064
【図５２】
2018501852.tif 000065
【図５３】
2018501852.tif 000066
【図５４】
2018501852.tif 000067
【図５４Ａ】
2018501852.tif 000068
【図５５】
2018501852.tif 000069
【図５６】
2018501852.tif 000070
【図５７】
2018501852.tif 000071
【図５８】
2018501852.tif 000072
【図５９】
2018501852.tif 000073
【図６０】
2018501852.tif 000074
【図６０Ａ】
2018501852.tif 000075
【図６１】
2018501852.tif 000076
【図６２】
2018501852.tif 000077
【図６３】
2018501852.tif 000078
【図６４】
2018501852.tif 000079
【図６５】
2018501852.tif 000080
【図６６】
2018501852.tif 000081
【図６７】
2018501852.tif 000082
【図６８】
2018501852.tif 000083
【図６９】
2018501852.tif 000084
【図７０】
2018501852.tif 000085
【図７０Ａ】
2018501852.tif 000086
【図７１】
2018501852.tif 000087
【図７２】
2018501852.tif 000088
【図７３】
2018501852.tif 000089
【図７４】
2018501852.tif 000090
【図７５】
2018501852.tif 000091
【図７６】
2018501852.tif 000092
【図７７】
2018501852.tif 000093
【図７８】
2018501852.tif 000094
【図７９】
2018501852.tif 000095
【図８０】
2018501852.tif 000096
【図８１】
2018501852.tif 000097
【図８２】
2018501852.tif 000098
【図８３】
2018501852.tif 000099
【図８４】
2018501852.tif 000100
【図８５】
2018501852.tif 000101
【図８６】
2018501852.tif 000102
【図８７】
2018501852.tif 000103
【図８８】
2018501852.tif 000104
【図８９】
2018501852.tif 000105
【図９０】
2018501852.tif 000106
【図９１】
2018501852.tif 000107
【図９２】
2018501852.tif 000108
【図９３】
2018501852.tif 000109
【図９３Ａ】
2018501852.tif 000110
【図９４】
2018501852.tif 000111
【図９５】
2018501852.tif 000112
【図９５Ａ】
2018501852.tif 000113
【図９６】
2018501852.tif 000114
【図９７】
2018501852.tif 000115
【図９８】
2018501852.tif 000116
【図９９】
2018501852.tif 000117
【図１００】
2018501852.tif 000118
【図１０１】
2018501852.tif 000119
【図１０２】
2018501852.tif 000120
【国際調査報告】
2018501852.tif 000121
2018501852.tif 000122
2018501852.tif 000123
2018501852.tif 000124
2018501852.tif 000125